(57)【要約】本発明は、新規のＧタンパク質共役型受容体５−ＨＴ６のポリヌクレオチド配列の新規な使用に関する。本発明はさらに、血液疾患、疼痛疾患、呼吸器疾患、生殖泌尿器系疾患、心疾患、および癌に関連しているヒト５−ＨＴ６受容体を提供する。本発明はさらに、５−ＨＴ６受容体の発現に関連する血液疾患、疼痛疾患、呼吸器疾患、生殖泌尿器系疾患、心疾患、および癌を処置または予防するための、血液疾患、疼痛疾患、呼吸器疾患、生殖泌尿器系疾患、心疾患、および癌の調節に有用な化合物の同定のための分析を提供する。【特許請求の範囲】
【請求項１】
哺乳類における、血液の疾患、心疾患、末梢神経系の障害、中枢神経系の障害、ＣＯＰＤ、喘息、生殖泌尿系の疾患および炎症疾患からなる疾患の群に含まれる疾患の処置に有用な治療剤のスクリーニング方法であって、以下の工程からなる方法：(i)試験化合物を５−ＨＴ６受容体 ポリペプチドを接触させる工程、(ii)該試験化合物の該５−ＨＴ６受容体 ポリペプチドへの結合を検出する工程。
【請求項２】
哺乳類における、血液の疾患、心疾患、末梢神経系の障害、中枢神経系の障害、ＣＯＰＤ、喘息、生殖泌尿系の疾患および炎症疾患からなる疾患の群に含まれる疾患の処置に有用な治療剤のスクリーニング方法であって、以下の工程からなる方法：(i)ある特定の試験化合物濃度でまたは該試験化合物の非存在下で５−ＨＴ６受容体 ポリペプチドの活性を測定する工程、(ii)該試験化合物の異なる濃度で該ポリペプチドの活性を測定する工程。
【請求項３】
哺乳類における、血液の疾患、心疾患、末梢神経系の障害、中枢神経系の障害、ＣＯＰＤ、喘息、生殖泌尿系の疾患および炎症疾患からなる疾患の群に含まれる疾患の処置に有用な治療剤のスクリーニング方法であって、以下の工程からなる方法：(i)ある特定の試験化合物濃度で５−ＨＴ６受容体 ポリペプチドの活性を測定する工程、 (ii) ５−ＨＴ６受容体 ポリペプチドの調節物質であることが分かっている化合物の存在下で５−ＨＴ６受容体 ポリペプチドの活性を測定する工程。
【請求項４】
接触させる工程を細胞内または細胞表面で行う請求項１〜３のいずれかに記載の方法。
【請求項５】
細胞が in vitro で存在する請求項１〜３のいずれかに記載の方法。
【請求項６】
接触させる工程を細胞を含まない系で行う請求項１〜３のいずれかに記載の方法。
【請求項７】
ポリペプチドを検出可能な標識に結合させる請求項１〜３のいずれかに記載の方法。
【請求項８】
化合物を検出可能な標識に結合させる請求項１〜３のいずれかに記載の方法。
【請求項９】
試験化合物がポリペプチドに最初に結合していたリガンドと置き換わる請求項１〜３のいずれかに記載の方法。
【請求項１０】
ポリペプチドが固体の支持体に結合している請求項１〜３のいずれかに記載の方法。
【請求項１１】
化合物が固体の支持体に結合している請求項１〜３のいずれかに記載の方法。
【請求項１２】
哺乳類における血液の疾患、心疾患、末梢神経系の障害、中枢神経系の障害、ＣＯＰＤ、喘息、生殖泌尿系の疾患および炎症疾患からなる疾患の群に含まれる疾患の処置に有用な治療剤のスクリーニング方法であって、以下の工程を含んでなる方法：(i)試験化合物を５−ＨＴ６受容体 ポリヌクレオチドと接触させる工程、(ii)該試験化合物と該５−ＨＴ６受容体 ポリヌクレオチドとの結合を検出する工程。
【請求項１３】
核酸分子がRNAである請求項１２に記載の方法。
【請求項１４】
接触させる工程を細胞内または細胞表面で行う請求項１２に記載の方法。
【請求項１５】
接触させる工程を細胞を含まない系で行う請求項１２に記載の方法。
【請求項１６】
ポリヌクレオチドを検出可能な標識に結合させる請求項１２に記載の方法。
【請求項１７】
試験化合物を検出可能な標識に結合させる請求項１２に記載の方法。
【請求項１８】
哺乳類における血液の疾患、心疾患、末梢神経系の障害、中枢神経系の障害、ＣＯＰＤ、喘息、生殖泌尿系の疾患および炎症疾患からなる群に含まれる疾患を診断する方法であって、以下の工程を含んでなる方法：(i)該哺乳類から採取したサンプル中の５−ＨＴ６受容体ポリヌクレオチドの量を測定すること；(ii)健康な哺乳類および／または疾患を有する哺乳類における５−ＨＴ６受容体ポリヌクレオチドの量を測定すること。
【請求項１９】
５−ＨＴ６受容体 ポリペプチドに結合する治療剤を含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物。
【請求項２０】
５−ＨＴ６受容体 ポリペプチドの活性を調節する治療剤を含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物。
【請求項２１】
５−ＨＴ６受容体 ポリペプチドの活性を調節する治療剤を含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物であって、該治療剤が、(i)小分子、(ii)ＲＮＡ分子、(iii)アンチセンス オリゴヌクレオチド、(iv)ポリペプチド、(v)抗体または(vi)リゾチームである医薬組成物。
【請求項２２】
５−ＨＴ６受容体 ポリヌクレオチドを含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物である。
【請求項２３】
５−ＨＴ６受容体 ポリペプチドを含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物。
【請求項２４】
哺乳類における血液の疾患、心疾患、末梢神経系の障害、中枢神経系の障害、ＣＯＰＤ、喘息、生殖泌尿系の疾患および炎症疾患からなる疾患の群に含まれる疾患を処置するための医薬組成物の製造のための５−ＨＴ６受容体の調節物質の使用。
【請求項２５】
哺乳類における血液の疾患、心疾患、末梢神経系の障害、中枢神経系の障害、ＣＯＰＤ、喘息、生殖泌尿系の疾患および炎症疾患からなる疾患の群に含まれる疾患の処置に有用な医薬組成物の製造方法であって、以下の工程を含む製造方法：(i)５−ＨＴ６受容体の調節物質を同定する工程、(ii)該調節物質が、哺乳類における血液の疾患、心疾患、末梢神経系の障害、中枢神経系の障害、ＣＯＰＤ、喘息、生殖泌尿系の疾患および炎症疾患からなる疾患の群に含まれる疾患の症状を改善するかどうかを調べる工程；および(iii)該調節物質を許容し得る製薬的担体と組み合わせる工程。
【請求項２６】
哺乳類における血液の疾患、心疾患、末梢神経系の障害、中枢神経系の障害、ＣＯＰＤ、喘息、生殖泌尿系の疾患および炎症疾患からなる疾患の群に含まれる疾患を有する哺乳類における５−ＨＴ６受容体活性の調節のための、５−ＨＴ６受容体の調節物質の使用。
【発明の詳細な説明】
【技術分野】
【０００１】
本発明は分子生物学の分野に関する。より具体的には、本発明は、新規のヒト５−ＨＴ６受容体に関する核酸配列およびアミノ酸配列、並びに治療主題のためのその調節を記載する。
【背景技術】
【０００２】
Ｇタンパク質共役受容体
５−ＨＴ６受容体は７回膜貫通型Ｇタンパク質共役受容体（ＧＰＣＲ）である。多くの医学的に重要な生体プロセスは、Ｇタンパク質が関与するシグナル伝達経路により媒介されている（Lefkowitz et.al. 1991）。Ｇタンパク質共役受容体（ＧＰＣＲ）のファミリーには、ホルモン、神経伝達物質、成長因子、およびウイルスに対する受容体が含まれる。ＧＰＣＲの具体例としては、ドーパミン、カルシトニン、アドレナリン作動性ホルモン、エンドセリン、ｃＡＭＰ、アデノシン、アセチルコリン、セロトニン、ヒスタミン、トロンビン、キニン、卵胞刺激ホルモン、オプシン、内皮細胞分化遺伝子−１、ロドプシン、臭気物質、サイトメガロウイルス、Ｇタンパク質自身、エフェクタータンパク質（例えばホスホリパーゼＣ、アデニル酸シクラーゼおよびホスホジエステラーゼ）、およびアクチュエータータンパク質（例えばプロテインキナーゼＡおよびプロテインキナーゼＣ）などの物質に対する受容体が挙げられる。
【０００３】
ＧＰＣＲは、少なくとも８個の異なる親水性ループを連結する、膜を貫通する７個の保存されたドメインを持っている。ＧＰＣＲ（７ＴＭレセプターとしても知られる）は、少なくとも８個の異なる親水性ループを連結する、約２０ないし３０のアミノ酸のこれら７個の保存された疎水性ストレッチを含むものとして特徴付けられている。殆どのＧＰＣＲは、最初の二つの細胞外ループの各々に単一の保存されたシステイン残基を持っており、これがジスルフィド結合を形成し、機能的タンパク質構造を安定化させると考えられている。この７個の膜貫通領域はＴＭ１、ＴＭ２、ＴＭ３、ＴＭ４、ＴＭ５、ＴＭ６、およびＴＭ７と呼ばれる。ＴＭ３はシグナル伝達に関わっている。システイン残基の燐酸化および脂質化（パルミチル化またはファルネシル化）は、幾つかのＧＰＣＲのシグナル伝達に影響を及ぼし得る。殆どのＧＰＣＲは、第三細胞質ループおよび／またはカルボキシ末端内部に燐酸化の可能性ある部位を含んでいる。幾つかのＧＰＣＲ、例えばβ−アドレナリン作動性レセプターでは、プロテインキナーゼＡおよび／または特異的レセプターキナーゼによる燐酸化によってレセプターの脱感作が仲介される。
【０００４】
幾つかのレセプターについては、ＧＰＣＲのリガンド結合部位が、数個のＧＰＣＲ膜貫通ドメインにより形成された親水性ソケットを含むと考えられる。この親水性ソケットは、ＧＰＣＲの疎水性残基に取り囲まれている。各ＧＰＣＲ膜貫通ヘリックスの親水性側は、内側を向き、極性リガンド結合部位を形成していると仮定されている。ＴＭ３は、リガンド結合部位、例えばＴＭ３アスパラギン酸残基を持っている幾つかのＧＰＣＲと関連している。ＴＭ５のセリン、ＴＭ６のアスパラギン、およびＴＭ６またはＴＭ７のフェニルアラニンまたはチロシンもまたリガンド結合に関連している。
【０００５】
ＧＰＣＲは細胞内部でヘテロ三量体Ｇタンパク質により、種々の細胞内酵素、イオンチャンネルおよび輸送体と共役している。種々のＧタンパク質αサブユニットは優先的に特定のエフェクターを刺激し、細胞の様々な生体機能を調整する。ＧＰＣＲの細胞質残基の燐酸化は、幾つかのＧＰＣＲの調節にとって重要な機構である。例えば、或る形のシグナル伝達においては、ホルモン結合の効果は、細胞内部での酵素アデニルシクラーゼの活性化である。ホルモンによる酵素の活性化はヌクレオチドＧＴＰの存在に依存する。ＧＴＰはホルモン結合にも影響を及ぼす。Ｇタンパク質はホルモンレセプターをアデニルシクラーゼに結合させる。Ｇタンパク質はホルモンレセプターによって活性化されると、ＧＴＰを、結合したＧＤＰに交換する。すると、ＧＴＰを有する型が、活性化アデニルシクラーゼに結合する。Ｇタンパク質自身により触媒されるＧＴＰからＧＤＰへの加水分解が、Ｇタンパク質をその基本的な不活性型へと戻す。したがってＧタンパク質は、レセプターからエフェクターへとシグナルを中継する仲介物質としての、そしてシグナルの持続を制御する時計としての、二重の役割を果たしている。
【０００６】
過去１５年間にわたり、７ＴＭ受容体を標的とする３５０近くの治療薬が成功裏に上市されてきた。この事は、これらのレセプターが治療薬として確立された折り紙付きの歴史を持っていることを示すものである。明らかに、細菌、真菌、原虫といった感染症、およびウイルス感染症、とりわけＨＩＶウイルスによる感染症、癌、喘息を含むアレルギー、急性心不全を含む心疾患、低血圧症、高血圧症、狭心症、心筋梗塞、血液の疾患、秘尿生殖器系の疾患、尿失禁および良性前立腺肥大、骨粗鬆症、および疼痛、アルツハイマー病およびパーキンソン病を含む末梢神経系および中枢神経系の障害、が挙げられるがこれらに限定されない機能不全または疾患を予防、改善または是正において役割を果たし得る、さらなる受容体の同定および特徴づけが必要とされている。
【０００７】
神経伝達物質である５−ヒドロキシトリプタミン（５−ＨＴ）の作用は、５−ＨＴ．ｓｕｂ.１、５−ＨＴ．ｓｕｂ.２、５−ＨＴ．ｓｕｂ.３、５−ＨＴ．ｓｕｂ.４、５−ＨＴ．ｓｕｂ.５、５−ＨＴ．ｓｕｂ.６および５−ＨＴ．ｓｕｂ.７［D.Hoyerらを参照］と称する数多くの受容体ファミリーが介在している。５−ＨＴ．ｓｕｂ.５、５−ＨＴ．ｓｕｂ.６および５−ＨＴ．ｓｕｂ.７受容体の機能は、他の５−ＨＴ受容体の機能ほどよく分かっていないが、５−ＨＴ介在のシグナル伝達と選択的に相互作用する化合物は、重要な新規の薬物標的であると一般的に認識されている。特に、５−ＨＴ．ｓｕｂ.６選択的リガンドは、パーキンソン病、ハンチントン病、不安症、鬱病、躁鬱病、精神病、てんかん、強迫神経症、偏頭痛、アルツハイマー病（認識記憶の増強）、睡眠障害、摂食障害例えば無食欲および大食、パニック発作、コカイン、エタノール、ニコチンおよびベンゾジアゼピン等の薬物濫用からの離脱、統合失調症、および脊髄の外傷および／または頭部の外傷例えば水頭症に関連する障害などの、ある特定のＣＮＳ障害の処置に潜在的に有用であると同定されている。そのような化合物はまた、ＩＢＳ（過敏性大腸症候群）などの特定のＧＩ（胃腸管）障害の処置に役立つと期待される。疼痛疾患の処置に有用な５−ＨＴ６受容体に選択的な化合物の使用は、これまで記載されていなかった。
【０００８】
ＴａｑＭａｎ法／ヒト組織の局在
ＴａｑＭａｎは最近開発された技術であり、ポリメラーゼ連鎖反応（ＰＣＲ）中のリアルタイムでのハイブリダイゼーションプローブからの蛍光レポーター色素の放出がＰＣＲ産物の累積量に比例する。定量は、反応初期の、直線部分に基づき、バックグラウンド上の蛍光が最初に検出されるスレッシュホールドサイクル（threshold cycle）（ＣＴ）を決定することにより行う。遺伝子発現技術は、標的の同定、リード最適化、および作用機序の同定などの薬物送達および薬物開発のいくつかの分野において有用であろう。TaqMan技術は、正常組織と病的組織の発現プロファイルとの違いを比較するのに使用することができる。発現プロファイリングは、様々な疾患を上方調節または下方調節する遺伝子の同定に用いられてきた。発現プロファイリングの興味深い応用は、疾患が進行間と薬物処置の間または患者対健常者の遺伝子発現における変化の一時的な監視である。このアプローチの前提は、生理学的または取り巻く刺激（例えば薬物）に応答する遺伝子発現パターンの変化が、疾患を誘発する遺伝子または薬物標的についての間接的な手掛かりとして供しうるということである。さらに、全体的ない電子発現パターンに対する確立された効力を有する薬物の効果は、新しい薬物をそれと比較することができる指針、即ち遺伝子による署名（genetic signature）を提供し得る。
【発明の開示】
【発明が解決しようとする課題】
【０００９】
（発明の要旨）
本発明は、
本発明は、新規のヒト５−ＨＴ６受容体をコードするヌクレオチド配列に関する。以下、用語５−ＨＴ６受容体は、配列番号2の配列またはそれと相補的な配列を有し、５−ＨＴ６受容体活性を有するポリペプチドを意味する。用語５−ＨＴ６受容体はさらに、アシル化、カルボキシル化、グリコシル化、リン酸化、脂質付加およびアセチル化を包含するがこれに限定されない該ポリペプチドの翻訳後修飾によって生じる様々なポリペプチドを包含する。本発明は、５−ＨＴ６受容体をコードする核酸分子および５−ＨＴ６受容体活性を有するポリペプチド、および５−ＨＴ６受容体の発現に関連する疾患の診断または処置におけるその使用に関する。
【００１０】
本発明の主題は、血液疾患, 疼痛疾患, 呼吸器疾患, 生殖泌尿系の疾患, 心疾患および癌の処置のための、ヒト５−ＨＴ６受容体の発現および活性を調節する試薬および方法を提供することである。本発明のこの主題および他の主題は、以下に記載する態様の１またはそれ以上によって提供される。
【００１１】
本発明のさらなる主題は、５−ＨＴ６受容体の活性を調節することができる薬剤のスクリーニング方法である。試験化合物を、配列番号2からなる群から選択されるアミノ酸配列を含むポリペプチドまたは５−ＨＴ６受容体活性を示し、ストリンジェントな条件下で配列番号1に示したポリヌクレオチドにハイブリダイズするポリヌクレオチドによってコードされるポリペプチドを接触させ；試験化合物と５−ＨＴ受容体との結合を検出し、該ポリペプチドと結合する試験化合物を５−ＨＴ６受容体の活性の減少について可能性のある治療剤として同定する。本発明のさらなる態様は、５−ＨＴ６受容体の活性を調節することができる薬剤のスクリーニング方法である。配列番号2からなる群から選択されるアミノ酸配列を含むポリペプチドと接触させた試験化合物または５−ＨＴ６受容体活性を示し、ストリンジェントな条件下で配列番号1に示したポリヌクレオチドにハイブリダイズするポリヌクレオチドによってコードされるポリペプチドと接触させ；試験化合物と５−ＨＴ受容体との結合を検出し、該ポリペプチドと結合する試験化合物を５−ＨＴ６受容体の活性の増大について可能性のある治療剤として同定し、ポリペプチドの５−ＨＴ６受容体活性を減少させる試験化合物を５−ＨＴ６受容体の活性の減少について可能性のある治療剤として同定する。
【００１２】
本発明のさらなる主題は、５−ＨＴ６受容体の活性を調節することができる薬剤のスクリーニング方法である。試験化合物は、（１）配列番号1または（２）５−ＨＴ６受容体活性を示すポリペプチドをコードし、ストリンジェントな条件下で配列番号lに示すポリヌクレオチドとハイブリダイズするポリヌクレオチド、からなる群から選択されるポリヌクレオチドと接触させ；試験化合物とポリヌクレオチドとの結合を検出し、ポリヌクレオチドに結合する試験化合物を５−ＨＴ６受容体の活性の減少について可能性のある治療剤として同定する。
【００１３】
本発明のさらなる主題は、５−ＨＴ６受容体の活性を調節することができる薬剤ののスクリーニング方法である。試験化合物を、配列番号１に示すヌクレオチド配列を含むポリヌクレオチドによってコードされた産物と接触させ、試験化合物とその産物との結合を検出し、その産物と結合する試験化合物を５−ＨＴ６受容体の活性の調節について可能性のある薬剤として同定する。
【００１４】
本発明のさらなる主題は、５−ＨＴ６受容体の活性を減少させる方法である。細胞を、５−ＨＴ６受容体をコードするポリヌクレオチドまたは５−ＨＴ６受容体ポリペプチドと特異的に結合する薬剤と接触させる。５−ＨＴ６受容体活性はそれにより減少する。
【００１５】
本発明のさらなる主題は、５−ＨＴ６受容体の活性を増大させる方法である。細胞を５−ＨＴ６受容体をコードするポリヌクレオチドまたは５−ＨＴ６受容体ポリペプチドを特異的に結合する試薬と接触させる。５−ＨＴ受容体活性がそれにより増大する。
【００１６】
本発明のさらなる主題は、５−ＨＴ６受容体をコードするＤＮＡのアンチセンスＤＮＡ；５−ＨＴ６受容体をコードする核酸を含むクローニングまたは発現ベクター；５−ＨＴ６受容体をコードする核酸を含む発現ベクターによって形質転換された宿主細胞または生物；５−ＨＴ６受容体を製造し宿主細胞から精製された５−ＨＴ６受容体を回収する方法；５−ＨＴ受容体が関与するシグナル伝達の阻害剤または活性化剤を同定するのに用いることができる精製されたタンパク質５−ＨＴ６受容体;および形質転換細胞を用いる５−ＨＴ６受容体のリガンドをスクリーニングする方法である。
【００１７】
（発明の詳細な記載）
ヌクレオチド配列
本明細書で用いられ大文字で表示されるように、５−ＨＴ６は、配列番号２のアミノ酸配列を有する天然の又は合成形態のＧＰＣＲおよびその活性な断片を意味する。１つの態様では、５−ＨＴ６受容体のポリペプチドは、配列番号１の５−ＨＴ６受容体について小文字で表示されたｃＤＮＡから転写されたｍＲＮＡによってコードされる。
【００１８】
「オリゴヌクレオチド」は、ポリメラーゼ連鎖反応（ＰＣＲ）においてオリゴマー、アンプリマーまたはプローブとして用いられる十分な数の塩基を有するヌクレオチド残基の鎖である。オリゴヌクレオチドは、ゲノムまたはｃＤＮＡ配列調製し、特定の細胞または組織において同様のＤＮＡまたはＲＮＡの存在を増幅し、明らかにし、または確認するために用いられる。オリゴヌクレオチドまたはオリゴマーは、少なくとも約１０ヌクレオチドであって約３５ヌクレオチド、好ましくは約２５ヌクレオチドを有するＤＮＡ配列の一部を含んでいる。
【００１９】
「プローブ」は、天然のまたは組換えの１本鎖または２本鎖の核酸から誘導するかまたは化学的に合成することができる。これらは、同一または同様の配列の存在を検出するのに有用である。このようなプローブは、ニック翻訳、Klenow fill-in反応、PCRまたは当分野で周知の他の方法を用いてレポーター分子により標識することができる。核酸プローブをサザン、ノーザンまたはin situ ハイブリぜーションにおいて用いて、ある特定のタンパク質をコードするDNAまたはRNAが細胞、組織または器官に存在するか否かを決定することができる。
【００２０】
約６ｋｂ以下のヌクレオチド、好ましくは約１ｋｂ以下のヌクレオチドを有するヌクレオチド配列の全部または一部を含むポリペプチドまたは核酸の断片をプローブとして用いることができる。
【００２１】
「レポーター」分子は、特定のヌクレオチドまたはアミノ酸配列を会合し、それにより特定の配列の存在を確定するまたは特定の配列の定量が可能な、放射性ヌクレオチド、酵素、蛍光性、化学発光性または発色性の試薬である。
【００２２】
５−ＨＴ６受容体をコードする「組換えヌクレオチド変異体」は、遺伝コードの「縮重」を利用することによって合成することができる。様々なコドンの置換、例えば特異的な制限部位またはコドンの使用に特異的な突然変異を生じるサイレントな変化、を導入してプラスミドまたはウイルスベクターへのクローニングまたは特定の原核または真核宿主系における発現をそれぞれ最適化することができる。
【００２３】
「キメラ」分子は、本発明のヌクレオチド配列の全部または一部を、以下の５−ＨＴ６受容体の特性のいずれか１つまたはいくつかを変えると期待し得るさらなる核酸配列を含有するベクターに導入することによって、構築することができる：細胞内の位置、分布、リガンド結合アフィニティー、相互作用アフィニティー、分解／回転率、シグナル伝達など。
【００２４】
「活性な」は、５−ＨＴ６受容体の生物学的および／または抗原活性を保持する５−ＨＴ６受容体の形態、断片またはドメインを意味する。
【００２５】
「天然の５−ＨＴ６受容体」は、遺伝子操作されていない細胞によって産生したポリペプチドを意味し、アセチル化、カルボキシル化、グリコシル化、リン酸化、脂質付加、およびアセチル化が挙げられるがこれらに限定されないポリペプチドの翻訳後修飾から生じた様々なポリペプチドを具体的に企図する。
【００２６】
「誘導体」は、ユビキチン化、標識（上記参照）、ペギレーション(ポリエチレングリコールによる誘導体化)、および化学挿入またはヒトのタンパク質に通常存在しないオルチニンのようなアミノ酸の置換等の技術によって化学的に修飾されたポリペプチドを意味する。
【００２７】
「組換えポリペプチド変異体」は、組換えＤＮＡ技術を用いて作成されたアミノ酸の挿入、欠失または置換により天然の５−ＨＴ６受容体とは異なっている任意のポリペプチドを意味する。所望の活性を損なうことなく、どのアミノ酸残基を置換、追加または欠失するかの指針は、目的のポリペプチドの配列を関連するポリペプチドの配列と比較し、高度に保存された残基において導入されたアミノ酸配列変化を最小限にすることによって見いだされるであろう。
【００２８】
保存的アミノ酸「置換」は、１つのアミノ酸を類似の構造および／または化学特性を有する別のアミノ酸で置換、例えば、ロイシンをイソロイシンまたはバリンで、アスパラギン酸をグルタミン酸で、またはトレオニンをセリンで置換することによって生じる。
【００２９】
「挿入」または「欠失」は、典型的には、約１〜５アミノ酸の範囲である。可能な変化は、ペプチドを合成により製造することによって実験的に決定してもよいが、配列へのヌクレオチドの挿入、欠失または置換は、組換えＤＮＡ技術を用いて計画的に行う。
【００３０】
「シグナルまたはリーダー配列」は、所望であるならば、ポリペプチドを細胞膜へ向かわせるのに用いることができる。そのような配列は、本発明のポリペプチドに自然に存在しているかまたは組換えＤＮＡ技術により異種の供給源に由来する。
【００３１】
「オリゴペプチド」は、アミノ酸残基の短い鎖であり、オリゴヌクレオチドから発現し得る。オリゴペプチドは、少なくとも３、５、１０アミノ酸、多くて１０、１５、２５アミノ酸、典型的には９〜１３アミノ酸であって、生物学的および／または抗原活性を示すに十分な長さのアミノ酸残基の鎖を包含する。
【００３２】
「阻害剤」は、化学的または生理学的反応または応答を妨げるまたは阻止する任意の物質である。一般的な阻害剤としては、アンチセンス分子、抗体およびアンタゴニストが挙げられるがこれに限定されない。
【００３３】
「標準」なる表現は、比較のための量的または質的な大きさである。これは、統計的に適当な数の正常なサンプルに基づくものであり、診断アッセイを行う場合、臨床試験を行う場合、または患者の治療プロファイルを遵守する場合の比較の基礎として用いるために作成するものである。
【００３４】
本明細書において用いる「動物」は、ヒト、家庭用（ネコ、イヌなど）、農業用（ウシ、ウマ、ヒツジなど）または試験用（マウス、ラット、ウサギなど）の動物を包含するものと定義される。
【００３５】
５−ＨＴ６受容体をコードするヌクレオチド配列 (またはその相補的な配列)は、分子生物学の分野の当業者に周知の技術において数多くの応用がある。これらの技術には、ハイブリダイゼーションプローブとしての使用、ＰＣＲのためのオリゴマーの構築物における使用、染色体および遺伝子マッピングにおける使用、５−ＨＴ６受容体の組換え生産における使用、およびアンチセンスＤＮＡまたはＲＮＡそれらの化学的類縁体の作成における使用などが挙げられる。本明細書に記載の５−ＨＴ６受容体をコードするヌクレオチドの使用は、周知技術の例示であり、当業者に知られている技術におけるそれらの使用を限定することを意図するものではない。さらに、本明細書に開示のヌクレオチド配列を未だ開発されていないが、現在知られているヌクレオチド配列の特性、例えば３つ一組の遺伝子コード、特異的な塩基対相互作用など、を頼みとする新しい技術分子生物学の技術に使用することができる。
【００３６】
遺伝コードの縮重の結果として、多くの５−ＨＴ６受容体をコードするヌクレオチド配列を製造し得ることは当業者に認識されよう。これらのいくつかは単に既知の天然の５−ＨＴ６受容体のヌクレオチド配列に対して最小限の相同性を有するであろう。本発明は、可能なコドンの選択に基づいた組合せを選択することによって作成することができるヌクレオチド配列のありとあらゆる可能な変異を企図した。これらの組合せは、天然の５−ＨＴ６受容体のヌクレオチド配列に対して適用される標準の３つ一組の遺伝子コードにしたがって作成し、その変異のすべてが具体的に記載されているものと解釈される。
【００３７】
５−ＨＴ６受容体をコードするヌクレオチド配列、その誘導体またはその変異体は好ましくはストリンジェントな条件下で天然の５−ＨＴ６受容体のヌクレオチド配列にハイブリダイズすることが可能であるが、実質的に異なるコドンの使用を有する５−ＨＴ６受容体をコードするヌクレオチド配列またはその誘導体を産生することは有用であろう。コドンは、宿主が特定のコドンを利用する頻度にしたがって特定の原核または真核生物の発現宿主におけるペプチドの発現する比率を増大するように選択することができる。コードされたアミノ酸配列を改変することなく、５−ＨＴ６受容体をコードするヌクレオチド配列および／またはその誘導体を実質的に改変する他の理由としては、より望ましい特性、例えば天然の配列から産生した転写物よりも長い半減期、を有するＲＮＡを製造することが挙げられる。
【００３８】
５−ＨＴ６受容体をコードするヌクレオチド配列は、十分に確立された組換えＤＮＡ技術によって様々なヌクレオチド配列に結合させることができる。５−ＨＴ６受容体に連結するのに有用なヌクレオチド配列としては、例えば、プラスミド, コスミド, λファージ誘導体、ファージミドなどのクローニングベクターの分類が挙げられる。所望のベクターとしては、発現ベクター, 複製ベクター、プローブ作成ベクター、配列決定ベクター等が挙げられる。一般に、所望のベクターに、少なくとも１つの生物において機能的な複製基点、制限エンドヌクレアーゼ感受性部位、および１またはそれ以上の宿主細胞系のための選択マーカーを含ませることができる。
【００３９】
本発明のさらなる態様は、５−ＨＴ６受容体をコードするヌクレオチド配列にハイブリダイズすることが可能な５−ＨＴ６受容体に特異的なハイブリダイゼーション プローブを提供することである。そのようなプローブはまた、同様のＧＰＣＲコード配列の検出に用いることができ、好ましくは５−ＨＴ６受容体配列と少なくとも４０％同一のヌクレオチドを含む。本発明のハイブリダイゼーション プローブは、配列番号１で示されるヌクレオチド配列または天然の遺伝子のプロモーター、エンハンサーまたはイントロンを含むゲノム配列から誘導することができる。ハイブリダイゼーション プローブは、当分野で周知の技術を用いて様々慣れポーター分子によって標識することができる。
【００４０】
５−ＨＴ６受容体の核酸配列の多くの欠失または突然変異類縁体が、５−ＨＴ６受容体をコードする核酸の有効なハイブリダイゼーション プローブとなることは認識されよう。したがって、本発明は、そのような５−ＨＴ６受容体をコードする核酸配列とストリンジェントな条件下でハイブリダイズする核酸配列に関する。
【００４１】
「ストリンジェントな条件」は、実質的に関連する核酸配列のハイブリダイゼーションが可能な条件を意味する。例えば、そのような条件は、少なくとも８５％の配列同一性、好ましくは少なくとも９０％の配列同一性、より好ましくは少なくとも９５％の配列同一性を有する配列のハイブリダイゼーションが一般に可能である。ハイブリダイゼーション条件およびプローブは、十分に特徴付けられた方法において調整してヒト由来プローブの選択的なハイブリダイゼーションを達成することができる。
【００４２】
ストリンジェントな条件下で５−ＨＴ６受容体をコードする核酸にハイブリダイズする核酸分子は、機能的に同定することができる。ハイブリダイゼーション プローブのための使用の例としては以下のものが挙げられるがこれに限定されない：組織化学的使用、例えば５−ＨＴ６受容体を発現する組織の同定；例えばサンプル組織の種類を同定するための、または異常なレベルの５−ＨＴ６受容体を発現する細胞を同定するための、ｍＲＮＡレベルの測定；および５−ＨＴ６受容体における多型の検出。
【００４３】
米国特許第4,683, 195；4,800, 195；および4,965, 188号に記載のＰＣＲは、５−ＨＴ６受容体をコードするヌクレオチド配列に基づくオリゴヌクレオチドのためのさらなる使用を提供する。ＰＣＲにおいて用いられるそのようなプローブは、組換え体、化学的合成物または両者の組合せであってよい。オリゴマーは、具体的な組織における５−ＨＴ６受容体の同定または診断的使用のために最適化された条件下で用いられる別個のヌクレオチド配列を含んでいてもよい。同一の２つのオリゴマー、即ちオリゴマーの入れ子のセット、またはさらにはオリゴマーの縮重プールは、密接に関連するＤＮＡまたはＲＮＡの同定のためにストリンジェンシーがより低い条件下で用いることができる。ポリメラーゼ連鎖反応（「ＰＣＲ」）プライマーを設計するためのルールをＰＣＲプロトコルを参照して、ここに確立する[Devlin ら]。縮重プライマー、即ち、与えられた配列の位置がヘテロローガスなプライマーの調製物を設計し、５−ＨＴ６受容体に対して相同性が高いが同一ではない核酸配列を増幅させることができる。１つのプライマーのみが既知の配列に特異的にハイブリダイズするに必要なプライマーとなる方策がここに得られる。例えば、適当な核酸プライマーを、増幅してプライマーの１つのハイブリダイゼーションパートナーをもたらすと考えられる核酸にライゲーションすることができる。この方法では、プライマーの１つのみが、増幅すると思われる核酸の配列に基づいている必要がある。
【００４４】
核酸を増幅するためのＰＣＲ法は、少なくとも２つのプライマーを用いる。これらプライマーの１つは、増幅される核酸の第１の鎖にハイブリダイズすることができ、酵素主導の核酸合成を最初の方向でプライムすることができる。他方は、第１の鎖の逆の配列にハイブリダイズすることができ（増幅される配列が１本鎖である場合、この配列は、最初は推測上のものであるが、最初の増幅サイクルで合成される）、第１の方向とは反対方向でその配列からの核酸合成をプライムすることができ、第１のプライマーについてのハイブリダイゼーション部位に向かう。具体的には好ましいストリンジェントなハイブリダイゼーション条件下での、そのような増幅を行うための条件はよく知られている。
【００４５】
５−ＨＴ６受容体のための特異的なハイブリダイゼーション プローブを製造するための他の手段としては、５−ＨＴ６受容体または５−ＨＴ６受容体誘導体をコードする核酸配列の、ｍＲＮＡプローブの製造のためのベクターへのクローニングが挙げられる。そのようなベクターは、当分野で周知であり、商業的に入手可能であり、T7またはSP6ＲＮＡポリメラーゼのような適当なＲＮＡポリメラーゼおよび適当なレポーター分子を加えることにより、ＲＮＡプローブを合成するためにin vivoで用いることができる。
【００４６】
全体的に化学合成により、ＤＮＡ配列またはその一部分を製造することができる。合成後、核酸配列を、当分野で周知の技術を用いて、多くの入手可能なＤＮＡベクターおよびそれらのそれぞれの宿主細胞のいずれかに挿入することができる。さらに、化学合成を用いて突然変異をそのヌクレオチド配列に導入することができる。あるいは、突然変異が望まれる配列の部分を合成し、存在するゲノムまたは組換え配列のより長い部分で組換えることができる。
【００４７】
５−ＨＴ６受容体をコードするヌクレオチド配列を用い、組換えＤＮＡのよく知られた方法を用いて、精製されたオリゴペプチドまたはポリペプチドを製造することができる。オリゴペプチドは、原核または真核の様々な宿主細胞で発現し得る。宿主細胞は、ヌクレオチド配列が由来する種と同じ種に由来するものでよく、または異なる種に由来するものであってもよい。組換えＤＮＡ技術によりオリゴヌクレオチドを製造する利点としては、精製に適当な量のタンパク質が得られ、単純な精製手法が利用可能であるという点が挙げられる。
【００４８】
核酸の定量的測定
ヒトの疾患の分子遺伝子解析の重要なステップはしばしば、核酸のコピー数の計数および特定の組織における遺伝子の相対的な発現である。
【００４９】
核酸の定量的な測定を行うためのいくつかの異なった方法が現在利用可能である。例えば比較ゲノムハイブリダイゼーション(CGH)や蛍光in situ ハイブリダイゼーション (FISH)などの、染色体ベースの技術は、腫瘍細胞において変化したゲノムの領域を細胞遺伝学的に特定することを容易にする。ゲノムの変化した領域は、疾患ＤＮＡを分析し、ヘテロ接合性多型マーカーの欠失について正常なＤＮＡと比較する、ヘテロ接合性の欠失解析 (LOH)を用いてさらに絞り込むことができる。最初の実験は、制限酵素断片長多型(RFLPs) [Johnson et al],または超可変ミニサテライトＤＮＡ [Barnes et al]を用いた。ここ数年は、LOH has been performed primarily using マイクロサテライトのマーカーのＰＣＲ増幅および放射能標識された [Jeffreys et al]または蛍光標識されたＰＣＲ産物[Weber et al]の電気泳動を用いて最初にＬＯＨを行い、正常なＤＮＡと疾患ＤＮＡ途を比較する。
【００５０】
他の数多くの方法もまた、核酸を定量するために開発されている [Gergen etal, Southern etal, Sharp etal]。さらに最近になって、サンプル中の核酸の量を測定することが可能なPCRおよびRT-PCR法が開発された。１つの方法は、例えば、反応産物の形成が水平状態になる前に反応の対数期のPCR産物量を測定する[Thomas et al]。
【００５１】
すべてのサンプルに比較的一定の量で含まれている遺伝子配列は、標準化に有効なサンプル増幅に典型的に用いられる。但し、この方法にはいくつかの欠点がある。この方法は、各サンプルの核酸投入量が等しく、サンプル間の増幅効率が解析するまで同一である必要がある。さらに、ゲル電気泳動またはプレート補足ハイブリダイゼーション等のPCR定量の慣用的方法を用いて、この方法が必要とする反応の対数期の間にすべてのサンプルが実際に解析されるということを決定するのは困難である。
【００５２】
定量競合(QC) -PCRと呼ばれるさらなる方法は、その名前が示すように、各反応における内部対照競合物質の包含を頼みにする[Maniatis et al, Becker-Andre et al, Piatak et al in BioTechniques (1993) ]。各反応の効率を内部競合物質に標準化する。内部競合物質の既知の量を典型的に各サンプルに加える。既知の標的PCR産物を既知の競合ＰＣＲ産物と比較して相対的な量を測る。この一般的方法では、標的分子と同じ効率で増幅する内部標準を開発することが難しい。
【００５３】
５’螢光ヌクレアーゼ解析
蛍光ヌクレアーゼ解析は、プローブを用いて増幅産物の形成をモニターするリアルタイムの定量法である。増幅産物の形成をモニターするこの方法の基礎は、二重標識した蛍光オリゴヌクレオチドプローブを用いてＰＣＲ産物の蓄積を継続的の測定することにあり、単純に「TaqMan法」として文献にしばしば引用されている [Piatak et al in Science (1993), Heid et al, Gibson et al, Holland et al]。
【００５４】
このようなアッセイに用いるプローブは、典型的には２つの異なる蛍光色素で標識した短い（約20〜25塩基）オリゴヌクレオチドである。このプローブの５’末端をレポーター色素に結合し、３’末端をクエンチング色素に結合するが、色素をプローブの他の位置に結合させることができる。プローブは、プローブ結合部位と少なくとも実質的な配列相補性を有する様に設計する。その位置のフランキング領域に結合する上流および下流のＰＣＲプライマーを反応混合物に加える。プローブがインタクトであるとき、２つの蛍光間のエネルギー遷移が起こり、クエンチャーがレポーターからの発光をクエンチする。PCRの発光持続期間中に、Taqポリメラーゼ等の核酸ポリメラーゼの５’ヌクレアーゼ活性によってプローブが開裂を受け、それによりオリゴヌクレオチド−クエンチャーからレポーターが放出され、レポーター発光強度の増加をもたらし、これを適当な検出器により測定することができる。蛍光分析の間に生じるような蛍光発光を測定するために特別に調整された検出器の１つは、Applied Biosystems, Inc.社（Foster City,Calif）製のABI 7700または4700 HT である。ABI 7700は、９６または３８４ウェルのＰＣＲチューブ列の各ウェルに連結した光ファイバーを用いる。この装置は標識を励起するためのレーザーを含み、ＰＣＲ増幅の間継続的にモニタリングしながら各試験管からの蛍光スペクトルの強度を測定することができる。各チューブは８．５秒毎に再試験を行う。
【００５５】
装置に供給されているコンピュータソフトウェアは、増幅の経過に渡ってレポーターおよびクエンチャーの蛍光強度を記録することが可能である。次いで、記録された値は、継続的に標準化されたレポーター強度の増加を計算するのに用いられる。発光強度の増大を時間、即ち増幅サイクルに対してプロットして、増幅の継続的な測定を行う。各増幅反応における位置を定量するために、増幅プロットを産物増幅の対照期のある時点で試験する。これは、バックグラウンドの上の蛍光閾値を割り当てて、各増幅プロットが閾値と交差する点（閾サイクル数またはＣｔとして定義される）を求めることによって行う。閾サイクル数の差を用いて各チューブ内に含まれるPCR標的の相対的量を算出する。各反応が１００％のＰＣＲ効率であると考えると、１のＣｔの差は、初発のテンプレートの量で２倍の差異を示す。蛍光値は、標準曲線と関連して用いて、存在する増幅産物の量を決定することができる。
【００５６】
非プローブベースの検出法
形成する増幅産物を測定するために様々な選択肢が利用可能である。１つの方法は、色素等の、二本鎖のＤＮＡのみに結合する標識を利用する。このタイプの方法では、増幅産物（二本差の）は溶液中の色素分子と結合して複合体を形成する。適当な色素により、溶液中の遊離の色素分子と増幅産物に結合した色素分子とを区別することができる。例えば、ある蛍光色素は、増幅産物と結合するときのみ蛍光を発する。この一般的なタイプの方法に用いることができる色素の例としては、Syber Green（登録商標）およびPico Green（Molecular Probe, Inc.（Eugene, Oreg.）社製）、臭化エチジウム、ヨウ化プロピジウム、クロモマイシン、アクリジンオレンジ、Hoechst 33258, Toto-1,Yoyo-l, DAPI(4',6-ジアミジノ-2-pフェニルインドール塩酸塩)が挙げられるがこれに限定されない。
【００５７】
別のリアルタイム検出技術は、ＰＣＲプライマーに結合した蛍光間のエネルギー蛍光エネルギー遷移の変化を測定する[Livak et al.]。
【００５８】
プローブベースの検出方法
これらの検出方法は、増幅プライマーの対の間の座とハイブリダイズするプローブの構造またはコンフォメーションに対する変化が関係する。いくつかの場合では、この変化は、増幅過程の間の核酸ポリメラーゼによって触媒されるテンプレート依存的発現によって引き起こされる。この増幅は、形成した増幅産物の量の間接的な測定値である検出可能なシグナルを生じる。
【００５９】
例えば、いくつかの方法は、伸張反応の間のプローブの分解または消化が関係する。これらの方法は、核酸ポリメラーゼに関する５’−３’ヌクレアーゼ活性の結果である。この活性を有するポリメラーゼは、その座に存在するその相補配列にアニールしたオリゴヌクレオチド プローブからモノヌクレオチドまたは小さいオリゴヌクレオチドを開裂する。
【００６０】
上流プライマーの３’末端は、核酸ポリメラーゼについての最初の結合部位をもたらす。ポリメラーゼは、上流プライマーの伸張と触媒し、プローブと結合するので、核酸ポリメラーゼは、プローブの５’末端の部分を置換し、そのヌクレアーゼ活性によってプローブからヌクレオチドまたはオリゴヌクレオチドを開裂する。
【００６１】
上流プライマーおよびプローブは、それらがアニールされて相補鎖が互いに近接するように設計することができる。事実、上流プライマーの３’末端およびプローブの５’末端は互いに接する。この場合では、上流プライマーの伸張は、核酸ポリメラーゼがプローブの開裂を開始するのには必要ではない。介在ヌクレオチドが上流プライマーとプローブとを分離しているような場合では、核酸ポリメラーゼがプローブの５’末端に遭遇する前にプライマーの伸張が必要である。いったん接触が起こり、重合化が継続すると、核酸ポリメラーゼの５’−３’エンドヌクレアーゼ活性によって、モノヌクレオチドまたはオリゴヌクレオチドのプローブの５’末端からの開裂が開始される。プローブの消化は、プローブの残存部分が相補鎖から解離するまで続く。
【００６２】
さらに、２つの末端部分は、互いにハイブリダイズしてヘアピンループを形成することができる。このコンフォメーションでは、レポーターおよびクエンチャー色素は、レポーターからの蛍光がクエンチャーにより効果的にクエンチされるように十分に近接している。対照的に、ハイブリダイズしたプローブは、クエンチングの程度が減少する線状のコンフォメーションとなる。したがって、２つの色素について発光の変化をモニターすることにより、増幅産物の形成を間接的にモニターすることが可能である。
【００６３】
プローブ
その配列が試験座または参照座の断片に実質的に相補的になるように標識されたプローブを選択する。上で説明したように、プローブが結合する核酸部位は、上流プライマーのプライマー結合部位と下流の増幅プライマーとの間に位置させる。
【００６４】
プライマー
本増幅において用いるプライマーは、増幅する座のフランキング領域で配列とハイブリダイズすることが可能となるように選択する。プライマーは、増幅する核酸の異なる鎖と少なくとも実質的な相補性を有する様に選択する。プローブを増幅産物の形成を検出するために用いる場合、プライマーがプローブを結合するように、即ち、プローブの上流および下流に位置するように選択する。
【００６５】
プライマーは、重合化のための薬剤の存在下で伸張産物の合成を開始することができるように十分な長さでなければならない。プライマーの長さと組成は、例えば、アニーリング反応を行う温度、プローブ結合部位とプライマーのそれとの近接、プライマーおよびプローブの相対濃度およびプローブの具体的な核酸組成を含む、多くのパラメータに依存する。典型的には、プライマーは、１５〜３０ヌクレオチドを含む。但し、プライマーの長さはプライマー結合部位および上記の因子の複雑さに依存してより長くても短くてもよい。
【００６６】
プローブおよびプライマーの標識
本発明のプローブまたはプライマーを標識するために用いる、増幅産物の量に対応するシグナルをもたらすことができる標識は、様々な形態を取ることができる。５’蛍光ヌクレアーゼ法に関して上に示したように、蛍光シグナルは、測定することができるシグナルである。但し、例えば、放射能、比色、吸光度、磁性粒子または酵素活性をモニターすることにより、測定を行うこともできる。したがって、利用することができる標識としては、蛍光、発色団、放射性同位元素、電子密度の高い試薬、酵素および特定の結合パートナーを有するリガンド（例えばビオチン−アビジン）が挙げられるが、これに限定されない。
【００６７】
蛍光の変化をモニターすることは、増幅産物の蓄積をモニターするための特に有用な方法である。プローブまたはプライマーに結合させるための、FAM, HEX, TETおよびJOE(これらはすべてApplied Biosystems（Foster City, Calif.）から入手可能である）、lucifer yellowおよびクマリン誘導体等の、フルオレセインおよび様々なフルオレセイン誘導体を含む数多くの標識が商業的に入手可能である。
【００６８】
標識は、様々な技術を用いて、５'末端および／または３'末端および／または内部のヌクレオチドでプローブまたはプライマーに結合することができる。さらに、標識は、プローブまたはプライマーに結合する様々な大きさのスペーサーアームに結合することもできる。これらのスペーサーアームは、プローブまたはプライマーに結合した複数の標識間の距離を得るのに有用である。いくつかの場合では、単一の標識を用いることができるが、５’蛍光ヌクレアーゼアッセイのような別の場合では、例えば、２またはそれ以上の標識がプローブに結合する。プローブが複数の標識を含んでいる場合には、一般に、核酸ポリメラーゼの５’-３’ヌクレアーゼ活性によるプローブの消化の間、標識の分離を可能にするのに十分な標識間のスペースを維持することが望ましい。
【００６９】
疾患の症状を示す患者
数多くの疾患が、ある特定の遺伝子のコピー数の変化に関連している。疾患の症状を有する患者について、リアルタイムPCR法を用いて、その患者が有している症状に関連した疾患と関係することが知られているコピー数の変化を有しているかどうかを調べることができる。
【００７０】
５−ＨＴ６受容体発現
５−ＨＴ６受容体融合タンパク質 
融合タンパク質は、５−ＨＴ６受容体 アミノ酸配列に対する抗体を作成するため、および様々な分析系において用いるために有用である。例えば、融合タンパク質を用いて、５−ＨＴ６受容体ペプチドの一部分と相互作用するタンパク質を同定することができる。この目的のために、タンパク質アフィニティクロマトグラフィーまたはタンパク質タンパク質相互作用に関するライブラリーベースのアッセイ、例えば酵母ツーハイブリッドまたはファージディスプレイシステム、を用いることができる。そのような方法は当分野において周知であり、薬物スクリーニングに用いることもできる。
【００７１】
５−ＨＴ６受容体融合タンパク質は、ペプチド結合で互いに融合した２つのポリペプチドセグメントを含んでなる。第１のポリペプチドセグメントは、上記のような、配列番号２の少なくとも５４、７５、１００、１２５、１３９、１５０、１７５、２００、２２５、２５０、または２７５の連続したアミノ酸配列またはその生物学的に活性な変異体を含んでなる。第１のポリペプチドセグメントはまた完全長の５−ＨＴ６受容体を含んでなることもある。
【００７２】
第２のポリペプチドセグメントは完全長のタンパク質またはタンパク質断片であってよい。融合タンパク質構造において一般に用いられるタンパク質としては、β−ガラクトシダーゼ、ｐ−グルクロニダーゼ、緑色蛍光タンパク質（ＧＦＰ）、自己蛍光タンパク質（青色蛍光タンパク質（ＢＦＰ）を含む）、グルタチオン−Ｓ−トランスフェラーゼ  （ＧＳＴ）、ルシフェラーゼ、ホースラディシュ・ペルオキシダーゼ（ＨＲＰ）およびクロラムフェニコールアセチルトランスフェラーゼ  （ＣＡＴ）が挙げられるが、これに限定されない。さらに、融合タンパク質構造において、ヒスチジン  （Ｈｉｓ）タグ、ＦＬＡＧタグ、インフルエンザヘマグルチニン（ＨＡ）タグ、Ｍｙｃタグ、ＶＳＶ−Ｇタグおよびチオレドキシン（Ｔｒｘ）タグを含むエピトープタグが用いられる。他の融合構築物としては、マルトース結合蛋白質（ＭＢＰ）、Ｓ−タグ、Ｌｅｘ ＤＮＡ結合ドメイン（ＤＢＤ）融合物、ＧＡＬ４  ＤＮＡ  結合ドメイン融合物、単純ヘルペスウイルス（ＨＳＶ）ＢＰ１６タンパク質融合物およびＧ−タンパク質融合物（例えば、Ｇ（アルファ）１６、Ｇｓ、Ｇｉ）が挙げられる。融合タンパク質はまた、５−ＨＴ６受容体の隣に位置に開裂部位を含むことができる。
【００７３】
ポリヌクレオチドの調製
天然の ５−ＨＴ６受容体 ポリヌクレオチドは、膜成分や脂質などの他の細胞成分を含まないように単離することができる。ポリヌクレオチドは、細胞によって産生し、標準的な核酸精製技術を用いて単離することができるか、またはポリメラーゼ連鎖反応（ＰＣＲ）等の増幅技術、あるいは自動化された合成装置を用いて合成することができる。ポリヌクレオチドを単離する方法は、常套的で当分野において周知である。ポリヌクレオチドを得るためのそのような任意の方法を用いて単離された５−ＨＴ６受容体ポリヌクレオチドを得ることができる。例えば、制限酵素およびプローブを用いて、５−ＨＴ６受容体  ヌクレオチド配列を含むポリヌクレオチド断片を単離することができる。単離されたポリヌクレオチドは、他の分子を少なくとも７０，８０，または９０％含まない調製物中に存在する。
【００７４】
５−ＨＴ６受容体ｃＤＮＡ分子は、５−ＨＴ６受容体  ｍＲＮＡをテンプレートして用いて標準的な分子生物学の技術によって作成することができる。５−ＨＴ６受容体ｃＤＮＡ分子はその後で当分野で周知の分子生物学の技術を用いて複製することができる。ＰＣＲ等の増幅技術を用いて、ヒトゲノムＤＮＡまたはｃＤＮＡのいずれかをテンプレートとして用い、本発明のさらなるポリヌクレオチドを得ることができる。
【００７５】
あるいは、化学合成法を用いて、５−ＨＴ６受容体  ポリヌクレオチドを合成することができる。遺伝コードの縮重によって、合成される、例えば、配列番号２に示すアミノ酸配列を有する５−ＨＴ６受容体または生物学的に活性なその変異体をコードするさらに別のヌクレオチド配列が可能である。
【００７６】
ポリヌクレオチドの伸張
様々なＰＣＲをベースとする方法を用いてヒト５−ＨＴ６受容体をコードする核酸配列を伸張することができ、例えば、プロモーターや調節エレメントなどの５−ＨＴ６受容体遺伝子の上流配列を検出することができる。例えば、制限部位ＰＣＲはユニバーサルプライマーを用いて、既知の座に隣接する未知の配列を読み出すことができる。リンカー配列に対するプライマーおよび既知の領域に特異的なプライマーの存在下で最初にゲノムＤＮＡを増幅する。増幅した配列を、同じリンカープライマーと、最初のプライマーの内部の別の特異的プライマーを用いて第２のＰＣＲに付す。各ＰＣＲの産物を適当なＲＮＡポリメラーゼを用いて転写し、逆転写酵素を用いて配列を決定する。
【００７７】
インバースPCRもまた、既知の領域に基づいたダイバージェントプライマーを用いて配列を増幅または伸張するために使用することができる。OLIGO4. 06 プライマー解析ソフトウェア(National Biosciences Inc.,Plymouth, Minn. )等の商業的に入手可能なソフトウェアを用いて、長さ２２〜３０ヌクレオチド、ＧＣ含量50％以上で、約68〜72℃で標的配列をアニールするプライマーを設計することができる。この方法は、いくつかの制限酵素を用いて遺伝子の既知の領域の適当な断片を調製する。次いでこの断片を 分子内ライゲーションにより環状にし、ＰＣＲテンプレートとして用いる。
【００７８】
使用できるさらなる方法は、捕捉ＰＣＲであり、これはヒトおよび酵母の人工染色体ＤＮＡの既知の配列に隣接するＤＮＡのＰＣＲ増幅が関わる。この方法では、複数の酵素消化とライゲーションを用いて遺伝し操作した２本鎖の配列を、ＰＣＲを行う前にＤＮＡ分子の未知の断片内に配置させることができる。
【００７９】
完全長のｃＤＮＡをスクリーニングする場合、より大きなｃＤＮＡを含むようにサイズ選択されたライブラリーを用いることが好ましい。遺伝子の５'領域を含む配列をより多く含む点で、ランダムにプライミングされたライブラリーが好ましい。ランダムにプライミングされたライブラリーの使用は、オリゴｄ（Ｔ）ライブラリーが完全長のｃＤＮＡを生じない状況では、特に好ましいであろう。ゲノムライブラリーは、５'非転写調節領域へ配列を伸張するのに有用である。商業的に入手可能なキャピラリー電気泳動システムを用いて、大きさを解析またはＰＣＲのヌクレオチド配列を確認または産物の配列を決定することができる。例えば、キャピラリー配列決定は、電気泳動の分離のために流動性ポリマー、レーザー励起される４つの異なる蛍光染料（各ヌクレオチドついて１つ）、および放射された波長のＣＣＤカメラによる検出を用いることができる、出力／光強度を電気的信号に変換することができる。適当な装置とソフトウェア(例えば、GENOTYPERおよびSequence NAVIGATOR, Perkin Elmer) を用い、試料の投入からコンピュータ解析までの全課程と電子データ表示をコンピュータ制御することができる。キャピラリー電気泳動は、特定の試料における限られた量に存在し得るＤＮＡの小さい部分の配列決定に特に好ましい。
【００８０】
ポリペプチドの取得
５−ＨＴ６受容体は、例えばヒト細胞からの精製によって、５−ＨＴ６受容体ポリヌクレオチドの発現によって、または直接的化学合成によって取得できる。
【００８１】
蛋白精製
５−ＨＴ６受容体は、５−ＨＴ６受容体ポリヌクレオチドでトランスフェクトした宿主細胞を包含する、該レセプターを発現する任意のヒト細胞から精製できる。精製５−ＨＴ６受容体は、細胞内の５−ＨＴ６受容体に通常付随するその他の化合物、例えば或る種の蛋白、炭水化物、または脂質から、当分野で周知の方法を用いて分離する。このような方法は、サイズ排除クロマトグラフィー、硫酸アンモニウム分画、イオン交換クロマトグラフィー、親和クロマトグラフィー、および調製用ゲル電気泳動を包含するが、これらに限定されない。
【００８２】
ポリヌクレオチドの発現
５−ＨＴ６受容体を発現させるため、挿入されたコード化配列の転写と発現に必要な要素を含む発現ベクター中に５−ＨＴ６受容体ポリヌクレオチドを挿入することができる。５−ＨＴ６受容体をコードしている配列および適当な転写および翻訳調節要素を含む発現ベクターを組み立てるため、当業者に周知の方法が利用できる。これらの方法には、インビトロ組換えＤＮＡ技術、合成技術、およびインビボ遺伝子組換えがある。このような技術は、例えば[Devlin et al. , Science, (1990)]に記載されている。
【００８３】
５−ＨＴ６受容体をコードしている配列を含みそして発現する様々な発現ベクター／宿主系が利用できる。これらには、微生物、例えば組換えバクテリオファージ、プラスミド、またはコスミドＤＮＡ発現ベクターにより形質転換された細菌；酵母発現ベクターにより形質転換された酵母、ウイルス発現ベクター（例えばバキュロウイルス）により感染を受けた昆虫細胞系、ウイルス発現ベクター（例えばカリフラワーモザイクウイルス、ＣａＭＶ；タバコモザイクウイルス、ＴＭＶ）、もしくは細菌発現ベクター（例えばＴｉまたはｐＢＲ３２２プラスミド）により形質転換された植物細胞系、または動物細胞系が包含されるがこれらに限定される訳ではない。
【００８４】
調節要素または調節配列は、宿主細胞蛋白と相互作用して転写と翻訳を実行する、ベクターの非翻訳領域  エンハンサー、プロモーター、５’および３’非翻訳領域 である。係る要素はその強さと特異性において異なっている。利用するベクター系および宿主に応じて、構成的および誘導的プロモーターを包含する、多数の好適な転写および翻訳要素を使用できる。例えば、細菌系でクローニングを行う場合、BLUESCRIPTファージミド（Straタグene, LaJolla，Calif.）またはpSPORT１プラスミド（Life Technologies）等のハイブリッドlacZプロモーターのような誘導的プロモーターを使用できる。バキュロウイルスのポリヘドリンプロモーターは昆虫細胞に使用できる。植物細胞のゲノムから（例えば熱ショック、RUBISCO、および貯蔵蛋白遺伝子）、または植物ウイルスから（例えば、ウイルスプロモーターまたはリーダー配列）誘導したプロモーターまたはエンハンサーを該ベクター中にクローニングすることができる。哺乳動物細胞系では、哺乳動物遺伝子由来の、または哺乳動物ウイルス由来のプロモーターが好ましい。５−ＨＴ６受容体をコードしているヌクレオチド配列を複数コピー含むセルラインを作製する必要がある場合は、ＳＶ４０またはＥＢＶに基づくベクターを適当な選択マーカーと共に使用することができる。
【００８５】
細菌および酵母発現系
細菌系では、５−ＨＴ６受容体に対して意図する用途に応じて幾つかの発現ベクターを選択できる。例えば、抗体の誘導のため大量の５−ＨＴ６受容体が必要である場合は、容易に精製できる融合蛋白の高レベル発現を指令するベクターが使用できる。このようなベクターは、BLUESCRIPT(Straタグene)のような多機能E.coliクローニングおよび発現ベクターを包含するが、これに限定される訳ではない。BLUESCRIPTベクターにおいては、５−ＨＴ６受容体をコードしている配列を、β−ガラクトシダーゼのアミノ末端Ｍｅｔとこれに続く７残基の配列と共にフレーム内で該ベクター中にライゲーションすることができ、その結果ハイブリッド蛋白が産生される。ｐＩＮベクター（Van Heeke & Schuster, J.Biol.Chem. 264,5503-5509,1989）またはｐＧＥＸベクター（Promega, Madison, Wis.）もまた、グルタチオンＳ−トランスフェラーゼ（ＧＳＴ）を伴う融合蛋白として外来ポリペプチドを発現させるのに使用できる。一般に、このような融合蛋白は可溶性であり、グルタチオン−アガロースビーズに吸着させ、その後遊離グルタチオンの存在下で溶離することにより、溶菌させた細胞から容易に精製できる。このような系で調製した蛋白は、ヘパリン、トロンビン、または第Ｘａ因子プロテアーゼ開裂部位を含むよう設計でき、その結果、主題とするクローンポリペプチドをＧＳＴ部分から随意に解放することができる。
【００８６】
植物および昆虫発現系
植物発現ベクターを使用する場合、５−ＨＴ６受容体をコードしている配列の発現は、幾つかのプロモーターのうち任意のものにより駆動できる。例えば、ＣａＭＶの３５Ｓおよび１９Ｓプロモーターのようなウイルスプロモーターを、単独で、またはＴＭＶ由来のオメガリーダー配列と組み合わせて使用できる[Scott et al. (1990)]。別法として、RUBISCOの小サブユニットのような植物プロモーターまたは熱ショックプロモーターを使用することもできる[Takamatsu et al. (1987) ]。これらの組み立て物は、直接ＤＮＡ形質転換または病原体仲介トランスフェクションにより植物細胞中に導入できる。
【００８７】
昆虫系もまた５−ＨＴ６受容体の発現に使用できる。例えば、係る系の１つAutographa californica核多角体病ウイルス（ＡｃＮＰＶ）は、Spodoptera frugiperda細胞またはTrichoplusiaの幼虫で外来遺伝子を発現させるベクターとして使用する。５−ＨＴ６受容体をコードしている配列を、ポリヘドリン遺伝子のような該ウイルスの非必須領域中にクローニングし、ポリヘドリンプロモーターの調節下に置くことができる。５−ＨＴ６受容体をうまく挿入すると、ポリヘドリン遺伝子は不活性化し、コート蛋白を欠く組換えウイルスが生成する。次いでこの組換えウイルスをS.frugiperda細胞またはTrichoplusiaの幼虫への感染に使用し、そこで５−ＨＴ６受容体を発現させることができる[Fodor et al., (1993)]。
【００８８】
哺乳動物発現系
ウイルスに基づく多くの発現系を用いて哺乳動物宿主細胞で５−ＨＴ６受容体を発現させることができる。例えば、発現ベクターとしてアデノウイルスを使用する場合、５−ＨＴ６受容体をコードしている配列は、後期プロモーターおよび３部に分かれたリーダー配列を含むアデノウイルス転写／翻訳複合体中にライゲーションできる。該ウイルスゲノムの非必須Ｅ１またはＥ３領域における挿入を用いて、感染宿主細胞において５−ＨＴ６受容体を発現できる生存ウイルスを取得できる[Engelhard et al.(1994)]。所望によりラウス肉腫ウイルス（ＲＳＶ）エンハンサーのような転写エンハンサーを用いて哺乳動物宿主細胞での発現を増大させることができる。
【００８９】
ヒト人工染色体（ＨＡＣ）もまた、プラスミドが内包し発現するＤＮＡ断片よりも大きなＤＮＡ断片の運搬に使用できる。６Ｍないし１０ＭのＨＡＣを組み立て、常套的デリバリー法により細胞に到達させる（例えば、リポソーム、ポリカチオンアミノポリマー、または小胞）。
【００９０】
さらに、５−ＨＴ６受容体をコードしている配列の、より効率的な翻訳を達成するために、特異的開始シグナルを使用できる。係るシグナルはＡＴＧ開始コドンおよび連続配列を包含する（Kozak配列）。５−ＨＴ６受容体をコードしている配列、その開始コドン、および上流配列を適当な発現ベクター中に挿入した場合、さらなる転写または翻訳調節シグナルは必要ないであろう。しかしながら、コード化配列またはその断片のみを挿入した場合は、外因性の翻訳調節シグナル（ＡＴＧ開始コドンを包含する）を供給すべきである。開始コドンは挿入物全体を確実に翻訳させるために、正しいリーディングフレームになければならない。外因性翻訳要素および開始コドンは天然および合成両者の様々な起源であってよい。
【００９１】
宿主細胞
宿主細胞菌株は、挿入した配列の発現を調節する能力または発現された５−ＨＴ６受容体を所望の方法で処理できる能力を主題として選択できる。該ポリペプチドのこのような修飾には、アセチル化、カルボキシ化、グリコシル化、燐酸化、脂質化、およびアシル化が包含されるがこれらに限定されない。該ポリペプチドの「プレプロ」型を開裂する翻訳後プロセシングもまた、正しい挿入、折り畳み、および／または機能を促進するために使用できる。翻訳後活性のための特異的な細胞機構および特徴的メカニズムを持つ異なる宿主細胞（例えばＣＨＯ、ＨｅＬａ、ＭＤＣＫ、ＨＥＫ２９３、１３２１Ｎ１およびＷＩ３８）が、American Type Culture Collection（ＡＴＣＣ；10801 University Boulevard, Manassas, VA 20110-2209）から入手でき、外来蛋白の正しい修飾およびプロセシングを確実とするために選択できる。
【００９２】
組換え蛋白の、長期高収量産生のために、安定な発現が好ましい。例えば、セルラインは、クローニングされたＣｙｓＬＴ２様ＧＰＣＲ ｃＤＮＡまたはゲノムＤＮＡ、ウイルス複製起点および／または内因性発現要素、および同じまたは別のベクター上にある選択マーカー遺伝子を含む発現ベクターを使用して、常套的トランスフェクション法、例えばリポソーム、ポリカチオンアミノポリマー、小胞、電気穿孔、燐酸カルシウム等によって安定にトランスフェクトされ得る。該ベクターの導入に続いて、細胞を強化培地で１−２日間生育させた後、培地を選択培地に交換することができる。選択マーカーの主題は選択に対する抵抗性を付与することであり、その存在が、導入されたＣｙｓＬＴ２様ＧＰＣＲ配列をうまく発現する細胞の生育と回収を可能にする。安定に形質転換された細胞の耐性クローンは、その細胞型にとって適当な組織培養技術を用いて増殖させることができる。例えば、ANIMAL CELL CULTURE, R.I.Freshney,ed.,1986を参照されたい。
【００９３】
幾つかの選択系を用いて、形質転換されたセルラインを回収できる。これらには、それぞれtk−またはaprt−細胞で使用できる単純ヘルペスウイルスチミジンキナーゼ[Logan & Shenck, (1984) ]およびアデニンホスホリボシルトランスフェラーゼ[Wigler et al., (1977) ]遺伝子が包含されるがこれらに限定される訳ではない。さらに、代謝拮抗物質、抗生物質、または除草剤耐性を選択の基準に用いることができる。例えば、dhfrはメソトレキサート[Lowy et al. , (1980)]に対する耐性を付与しnptはアミノグリコシド、ネオマイシンおよびＧ−４１８に対する耐性を付与しG-418 [Wigler et al., Proc. Natl. Acad. Sci. (1980)]、そしてalsおよびpatはそれぞれクロルスルフロンおよびホスフィノトリシンアセチルトランスフェラーゼに対する耐性を付与する[Colbere-Garapin et al. , (1981) ]。さらなる選択遺伝子が記載されている。例えば、trpBは細胞がトリプトファンの代わりにインドールを利用するようにさせ、hisDは細胞がヒスチジンの代わりにヒスチノールを利用するようにさせる[Murray et al.,(1992)]。アントシアニンのような可視マーカー、β−グルクロニダーゼとその基質ＧＵＳ、およびルシフェラーゼとその基質ルシフェリンは、形質転換体を同定し、特異的ベクター系に帰すことのできる一過性または安定な蛋白発現の量を定量するために使用できる（Rhodes et al., Methods Mol.Biol. 55,121-131,1995）。
【００９４】
マーカー遺伝子発現の存在は５−ＨＴ６受容体ポリヌクレオチドもまた存在することを示唆しているが、その存在と発現は確認する必要がある。例えば、もし５−ＨＴ６受容体をコードしている配列がマーカー遺伝子配列内部に挿入されるならば、５−ＨＴ６受容体をコードしている配列を含む形質転換された細胞は、マーカー遺伝子機能の不在によって同定できる。これに代わり、マーカー遺伝子は、単一のプロモーターの調節下に５−ＨＴ６受容体をコードしている配列とタンデムに並べて位置させることもできる。誘導または選択に応答したマーカー遺伝子の発現は、通常、５−ＨＴ６受容体ポリヌクレオチドの発現を示す。
【００９５】
これとは別に、５−ＨＴ６受容体ポリヌクレオチドを含み５−ＨＴ６受容体を発現する宿主細胞は、当業者に知られる様々な方法によって同定できる。これらの方法には、ＤＮＡ−ＤＮＡまたはＤＮＡ−ＲＮＡハイブリダイゼーションおよび蛋白生検またはイムノアッセイ技術（核酸または蛋白の検出および／または定量のための膜、溶液、またはチップに基づく技術を包含する）が包含されるがこれらに限定されない。例えば、５−ＨＴ６受容体をコードしているポリヌクレオチド配列の存在は、プローブまたは断片または５−ＨＴ６受容体をコードしているポリヌクレオチドの断片を使用するＤＮＡ−ＤＮＡまたはＤＮＡ−ＲＮＡハイブリダイゼーションまたは増幅によって検出できる。核酸増幅に基づく検定は、５−ＨＴ６受容体ポリヌクレオチドを含む形質転換体を検出するための、５−ＨＴ６受容体をコードしている配列から選択されるオリゴヌクレオチドの使用を含む。５−ＨＴ６受容体に対し特異的なポリクローナルまたはモノクローナル抗体のいずれかを使用して該ポリペプチドの発現を検出および測定するための様々なプロトコルが当分野で知られている。例として、酵素結合イムノソルベント検定（ＥＬＩＳＡ）、ラジオイムノアッセイ（ＲＩＡ）、および蛍光活性化セルソーティング（ＦＡＣＳ）がある。５−ＨＴ６受容体上の２個の非干渉性エピトープに反応するモノクローナル抗体を用いる、２部位のモノクローナルに基づくイムノアッセイが使用でき、または、競合的結合検定を使用することができる。これらのそしてその他の検定は[Hartman & Mulligan,(1988), Hampton et al. , (1990)]に記載されている。
【００９６】
多岐にわたる標識およびコンジュゲーション技術が当業者に知られており、様々な核酸およびアミノ酸検定に使用できる。５−ＨＴ６受容体をコードしているポリヌクレオチドに関連する配列を検出するための標識化ハイブリダイゼーションまたはＰＣＲプローブを調製する手段は、標識したヌクレオチドを使用する、オリゴ標識化、ニック翻訳、末端標識化、またはＰＣＲ増幅を包含する。これとは別に、５−ＨＴ６受容体をコードしている配列を、ｍＲＮＡプローブの産生のためのベクター中にクローニングすることもできる。このようなベクターは当分野で既知であり、市販品が入手でき、標識化ヌクレオチドおよび適当なＲＮＡポリメラーゼ、例えばＴ７、Ｔ３、またはＳＰ６を添加することによりインビトロでのＲＮＡプローブの合成に使用することができる。これらの方法は、市販の様々なキットを用いて実施できる（Amersham Pharmacia Biotech、 Promega、およびUS Biochemical）。検出を容易にするために使用できる適当なリポーター分子または標識には、放射性核種、酵素、および蛍光、化学ルミネセント、または色素生成物質、ならびに基質、補助因子、インヒビター、磁性粒子などが包含される。
５−ＨＴ６受容体をコードしているヌクレオチド配列で形質転換させた宿主細胞は、発現と、細胞培養からの蛋白の回収に適した条件下で培養できる。形質転換細胞により産生されたポリペプチドは、その配列および／または使用したベクターに応じて分泌されまたは細胞内に貯留され得る。当業者には理解できるであろうが、５−ＨＴ６受容体をコードしているポリヌクレオチドを含む発現ベクターは、原核または真核細胞膜を通った可溶性５−ＨＴ６受容体の分泌を指令する、または膜結合５−ＨＴ６受容体の、膜挿入を指令する、シグナル配列を含むよう設計できる。
【００９７】
上に論じたように、他の組み立て物を用いて、５−ＨＴ６受容体をコードしている配列を、可溶性蛋白の精製を促進するポリペプチドドメインをコードしているヌクレオチド配列と結合させることができる。このような精製促進ドメインは、金属キレート化ペプチド、例えば固定化金属上での精製を可能にするヒスチジン−トリプトファンモジュール、固定化免疫グロブリン上での精製を可能にする蛋白Ａドメイン、およびFLAGS伸長／親和精製系で利用するドメインが包含されるが、これらに限定されない（Immunex Corp., Seattle, Wash.）。精製ドメインと５−ＨＴ６受容体との間に開裂可能リンカー配列、例えば第Ｘａ因子またはエンテロキナーゼに特異的なリンカー配列を入れること（Invitrogen, San Diego, CA）もまた、精製を促進するために利用できる。このような発現ベクターの１つは、５−ＨＴ６受容体と、チオレドキシンまたはエンテロキナーゼ開裂部位に先立つ６個のヒスチジン残基とを含む融合蛋白の発現を提供する。このヒスチジン残基はＩＭＡＣ（固定化金属イオン親和クロマトグラフィー）Maddox et al. , (1983) ]による精製を促進し、一方エンテロキナーゼ開裂部位は融合蛋白からの５−ＨＴ６受容体の精製手段を提供する。融合蛋白を含むベクターは[Porath et al. , (1992)]に開示されている。
【００９８】
化学合成
５−ＨＴ６受容体をコードしている配列は、その全体または一部を、当分野で周知の化学的方法を用いて合成できる[Kroll et al. (1993), Caruthers et al. ,(1980)]。これとは別に、５−ＨＴ６受容体自身を、そのアミノ酸配列を合成するための化学的方法、例えば固相技術を用いる直接ペプチド合成を用いて調製できる[Horn et al. , (1980);Merrifield et al.,(1963)]。蛋白合成は手動技術またはオートメーションを用いて実施できる。自動化合成は、例えばApplied Biosystems 431Aペプチド合成機（Perkin Elmer）を用いて達成できる。所望により、５−ＨＴ６受容体の断片を別々に合成し、化学的方法を用いて合して完全長の分子を調製することもできる。
【００９９】
新たに合成したペプチドは、調製用高速液体クロマトグラフイー（例えばCreighton, PROTEINS: STRUCTURES AND MOLECULAR PRINCIPLES, WH Freeman and Co., New York, N.Y., 1983）により実質的に精製できる。合成５−ＨＴ６受容体の組成はアミノ酸分析または配列決定により確認できる（例えばエドマン分解法；Creighton、上記を参照されたい）。さらに、直接合成中に５−ＨＴ６受容体のアミノ酸配列の任意の部分を改変させ、そして／または化学的方法を用いて他の蛋白由来の配列と合して、変異体ポリペプチドまたは融合蛋白を調製することができる。
【０１００】
改変５−ＨＴ６受容体の調製
当業者には理解できるであろうが、天然に存在しないコドンを有する５−ＨＴ６受容体コード化ヌクレオチドを調製することは有利であり得る。例えば、特定の原核または真核宿主が好むコドンを選択して、蛋白発現の速度を増大させ、または所望の性質、例えば天然に存在する配列から産み出される転写物の半減期より長い半減期を持つＲＮＡ転写物を調製することができる。
【０１０１】
本明細書に開示するヌクレオチド配列は、当分野で一般的に知られる方法を用いて、該ポリペプチドまたはｍＲＮＡ産物のクローニング、プロセシング、および／または発現を修飾する改変を包含する（但しこれらに限定される訳ではない）様々な理由で、５−ＨＴ６受容体コード化配列を改変させるように設計できる。無作為断片化によるＤＮＡシャフリングと遺伝子断片および合成オリゴヌクレオチドのＰＣＲ再集合を用いてヌクレオチド配列を設計できる。例えば、位置指定突然変異誘発を用いて、新たな制限部位を挿入し、グリコシル化パターンを変え、コドンの優先性を変え、スプライス変異体を調製し、突然変異を導入する等を実施できる。
【０１０２】
抗体
当分野で知られているいかなる型の抗体も、５−ＨＴ６受容体のエピトープに特異的に結合するよう作製できる。本明細書で使用する「抗体」とは、無傷の免疫グロブリン分子、およびその断片、例えばＦａｂ、Ｆ(ａｂ')２、およびＦｖを包含し、これらは５−ＨＴ６受容体のエピトープに結合できる。典型的には、エピトープを形成するためには少なくとも６、８、１０、または１２の連続するアミノ酸が必要である。しかしながら、非連続アミノ酸を含むエピトープはより多くの、例えば少なくとも１５、２５、または５０のアミノ酸を必要とするかも知れない。
【０１０３】
５−ＨＴ６受容体のエピトープに特異的に結合する抗体は治療に使用でき、そして免疫化学検定、例えばウェスタンブロット、ＥＬＩＳＡ、ラジオイムノアッセイ、免疫組織化学検定、免疫沈降、またはその他の当分野で既知の免疫化学的検定に使用できる。所望の特異性を有する抗体の同定のため、様々なイムノアッセイが使用できる。競合的結合または免疫放射検定のための多数のプロトコルが当分野でよく知られている。このようなイムノアッセイは典型的には、免疫原と、その免疫原に特異結合する抗体との間の複合体形成の測定を含んでいる。
【０１０４】
典型的には、５−ＨＴ６受容体に特異的に結合する抗体は、免疫化学検定に使用する時、他の蛋白が提供する検出シグナルより少なくとも５、１０、または２０倍高い検出シグナルを提供する。好ましくは、５−ＨＴ６受容体に特異結合する抗体は、免疫化学検定で他の蛋白を検出せず、５−ＨＴ６受容体を溶液から免疫沈降させることができる。
【０１０５】
５−ＨＴ６受容体は、哺乳動物、例えばマウス、ラット、ウサギ、モルモット、サル、またはヒトを免疫してポリクローナル抗体を産生させるのに使用できる。所望により、５−ＨＴ６受容体は、担体蛋白、例えば牛血清アルブミン、チログロブリン、およびスカシガイヘモシアニンとコンジュゲートさせることができる。宿主の種に応じて、免疫学的反応を増大させるために種々のアジュバントを使用できる。このようなアジュバントは、フロイントアジュバント、鉱物性ゲル（例えば水酸化アルミニウム）、および界面活性物質（例えばリゾレシチン、プルロニックポリオール、ポリアニオン、ペプチド、油性エマルジョン、スカシガイヘモシアニン、およびジニトロフェノール）を包含するがこれらに限定されない。ヒトに使用するアジュバントの中ではＢＣＧ（bacilli Calmette-Guerin）およびCorynebacterium parvumが特に有用である。
【０１０６】
５−ＨＴ６受容体に特異的に結合するモノクローナル抗体は、培養中の連続的セルラインにより抗体分子の産生を提供する任意の技術を用いて調製できる。これらの技術には、ハイブリドーマ技術、ヒトＢ細胞ハイブリドーマ技術、およびＥＢＶ−ハイブリドーマ技術があるがこれらに限定されない[Roberge et al. , (1995) ; Kohler et al. , (1985); Kozbor et al.,(1985) ; Cote et al.,(1983)]。
【０１０７】
さらに、マウス抗体遺伝子をヒト抗体遺伝子にスプライシングして適当な抗原特異性と生物活性を持つ分子を得る、「キメラ抗体」の産生のために開発された技術が利用できる[Cole et al. (1984);Morrison et al. (1984); Neuberger et al. (1984) ].。モノクローナルおよびその他の抗体はまた、これを治療に使用した場合に患者が該抗体に対する免疫反応を起こすのを防ぐため、「ヒト化」することができる。このような抗体は、治療に直接使用できるほど配列が充分ヒトに類似しているかも知れず、または幾つかの重要残基の変更を必要とするかも知れない。齧歯類の抗体とヒト配列の間の配列相違は、個々の残基の位置指定突然変異誘発により、または相補性決定領域全体のgratingにより、ヒト配列内の残基と相違する残基を置き換えることによって最小化することができる。別法として、ヒト化抗体はGB2188638Bに記載のように組換え法を用いて調製できる。５−ＨＴ６受容体に特異的に結合する抗体は、U.S.5565332に開示のように、部分的または完全にヒト化した抗原結合部位を含むことができる。
【０１０８】
これに代わり、当分野で既知の方法を用いて、一本鎖抗体の調製のために記載した技術を適合させ、５−ＨＴ６受容体に特異結合する一本鎖抗体を調製することができる。関連する特異性を持つが別個のイディオタイプ組成を有する抗体を、無作為組み合わせ免疫グロブリンライブラリーから鎖シャフリングによって調製することができる[Takeda et al.,(1985)]。
【０１０９】
一本鎖抗体はまた、ハイブリドーマｃＤＮＡを鋳型に用いて、ＰＣＲのようなＤＮＡ増幅法を用いて組み立てることができる（Thirion et al., 1996, Eur.J.および癌 Prev. 5,507-11）。一本鎖抗体は単一または二重特異性であり得、また、二価または四価であり得る。四価二重特異性一本鎖抗体の組み立ては例えばColoma & Morrison, 1997, Nat.Biotechnol. 15,159-63に教示されている。二価二重特異性一本鎖抗体の組み立てはMallender & Voss, 1994, J.Biol.Chem. 269,199-206に教示されている。
【０１１０】
下記のように、一本鎖抗体をコードしているヌクレオチド配列を手動または自動ヌクレオチド合成を用いて組み立て、標準的組換えＤＮＡ法を用いて発現組み立て物中にクローニングし、そして細胞中に導入してコード化配列を発現させることができる。別法として、一本鎖抗体を、例えば糸状ファージ技術を用いて直接調製することもできる[Burton etal. (1991); Verhaar et al. (1995)]。
【０１１１】
５−ＨＴ６受容体に特異結合する抗体はまた、リンパ球集団においてインビボ産生を誘導することによって、または、文献に開示されている極めて特異的な結合試薬のパネルまたは免疫グロブリンライブラリーをスクリーニングすることによって調製することもできる（Orlandi et al., Proc.Natl.Acad.Sci. 86,3833-3837,1989; Winter et al., Nature 349,293-299,1991）。
【０１１２】
その他の型の抗体を、本発明方法において組み立て、治療に使用することができる。例えば、WO93/03151に開示のように、キメラ抗体を組み立てることができる。免疫グロブリンから誘導され多価且つ多重特異的である結合蛋白、例えばWO94/13804に記載の「diabodies」もまた調製できる。
【０１１３】
本発明に係る抗体は当分野で周知の方法により精製できる。例えば、抗体は、５−ＨＴ６受容体が結合しているカラムを通過させることにより親和精製できる。次いで、結合した抗体を、高い塩濃度の緩衝液を用いてカラムから溶出することができる。
【０１１４】
アンチセンスオリゴヌクレオチド
アンチセンスオリゴヌクレオチドは、特定のＤＮＡまたはＲＮＡ配列に対し相補的なヌクレオチド配列である。いったん細胞中に導入されるとこの相補的ヌクレオチドは、該細胞が産生した天然配列と結合して複合体を形成し、転写または翻訳のいずれかを遮断する。好ましくはアンチセンスオリゴヌクレオチドは少なくとも１１ヌクレオチド長であるが、少なくとも１２、１５、２０、２５、３０、３５、４０、４５、もしくは５０またはそれ以上のヌクレオチド長であってもよい。より長い配列もまた使用できる。アンチセンスオリゴヌクレオチド分子をＤＮＡ組み立て物に提供し、上記のように細胞中に導入して、その細胞における５−ＨＴ６受容体遺伝子産物のレベルを低下させることができる。
【０１１５】
アンチセンスオリゴヌクレオチドは、デオキシリボヌクレオチド、リボヌクレオチド、またはこの両者の組み合わせであってよい。オリゴヌクレオチドは、１つのヌクレオチドの５’末端を、アルキルホスホネート、ホスホロチオエート、ホスホロジチオエート、アルキルホスホノチオエート、アルキルホスホネート、ホスホロアミデート、燐酸エステル、カルバメート、アセトアミデート、カルボキシメチルエステル、カルボネート、および燐酸トリエステルといった非ホスホジエステルヌクレオチド間結合を有する別のヌクレオチドの３’末端と共有結合させることにより、手動で、または自動合成機によって合成できる。Brown, Meth.Mol. Biol. 20,1-8,1994; Sonveaux, Meth.Mol.Biol. 26,1-72,1994; Uhlmann et al., Chem.Rev. 90,543-583,1990を参照されたい。
【０１１６】
５−ＨＴ６受容体遺伝子の制御、５’、または調節領域と二本鎖を形成するアンチセンスオリゴヌクレオチドを設計することにより、５−ＨＴ６受容体遺伝子発現の修飾が得られる。転写開始部位、例えば開始部位から−１０および＋１０位の間から誘導されるオリゴヌクレオチドが好ましい。同様に、「三重らせん」塩基対合法を用いて阻害を達成できる。三重らせん対合は、二重らせんがポリメラーゼ、転写因子またはシャペロンの結合に足るほど開く能力の阻害を惹起するため、有用である。三本鎖ＤＮＡを用いる治療上の進歩が文献に記載されている（例えばGee et al., Huber & Carr, MOLECULAR AND IMMUNOLOGIC APPROACHES, Futura Publishing Co., Mt.Kisco, N.Y., 1994）。転写物がリボソームに結合するのを防ぐことによりｍＲＮＡの翻訳を遮断するアンチセンスオリゴヌクレオチドもまた設計できる。
【０１１７】
アンチセンスオリゴヌクレオチドと５−ＨＴ６受容体ポリヌクレオチドの相補配列との間に好結果の複合体を形成させるためには、正確な相補性は必要ない。例えば５−ＨＴ６受容体ポリヌクレオチドに対し正確に相補的である２、３、４、もしくは５またはそれ以上の長さの連続するヌクレオチドであって、その各々が、隣接する５−ＨＴ６受容体ヌクレオチドとは相補的ではない連続するある長さのヌクレオチドによって隔てられているものを含有するアンチセンスオリゴヌクレオチドは、５−ＨＴ６受容体ｍＲＮＡに対する充分な標的化特異性を提供できる。好ましくは、相補的な連続ヌクレオチドの長さはそれぞれ少なくとも４、５、６、７もしくは８またはそれ以上のヌクレオチド長である。非相補的な介在配列は、好ましくは１、２、３、または４ヌクレオチド長である。当業者は、アンチセンス−センスの対の算出融点を容易に使用して、特定のアンチセンスオリゴヌクレオチドと特定の５−ＨＴ６受容体ポリヌクレオチド配列間で寛容されるミスマッチの程度を決定できるであろう。
【０１１８】
アンチセンスオリゴヌクレオチドは、５−ＨＴ６受容体ポリヌクレオチドとハイブリダイズする能力に影響を及ぼすことなく修飾できる。これらの修飾は該アンチセンス分子の内部、または一端もしくは両端である。例えば、ヌクレオシド間の燐酸結合は、アミノ基と末端リボースの間にいろいろな数の炭素残基を有するコレステリルまたはジアミン部分を加えることによって修飾できる。修飾された塩基および／または糖、例えばリボースの代わりのアラビノース、または３’ヒドロキシ基または５’燐酸基が置換されている３’,５’−置換オリゴヌクレオチドもまた修飾アンチセンスオリゴヌクレオチドに使用できる。これらの修飾オリゴヌクレオチドは当分野で周知の方法により調製できる。例えば、Agrawal et al., Trends Biotechnol. 10,152-158,1992; Uhlmann et al., Chem.Rev. 90,543-584,1990; Uhlmann et al., Tetrahedron.Lett. 215,3539-3542,1987を参照されたい。
【０１１９】
リボザイム
リボザイムは触媒活性を有するＲＮＡ分子である。例えば、Cech, Science 236,1532-1539; 1987; Cech, Ann.Rev.Biochem. 59,543-568; 1990, Cech, Curr.Opin.Struct.Biol. 2,605-609; 1992, Couture & Stinchcomb, Trends Genet. 12,510-515, 1996を参照されたい。当分野で知られるように、リボザイムは、ＲＮＡ配列を開裂することにより遺伝子機能を阻害するのに使用できる（例えば、Haseloff et al., 米国特許5641673）。リボザイムの作用機構は、相補的標的ＲＮＡに対するリボザイム分子の配列特異的ハイブリダイゼーションと、その後のendonucleolyticな開裂を含む。例には、特異的ヌクレオチド配列のendonucleolyticな開裂を特異的且つ効果的に触媒できる、設計されたハンマーヘッドモチーフリボザイム分子がある。
【０１２０】
５−ＨＴ６受容体ポリヌクレオチドのコード化配列、例えば配列番号１に示したものの相補物を用いて、５−ＨＴ６受容体ポリヌクレオチドから転写されたｍＲＮＡに特異結合するリボザイムを作製できる。他のトランスのＲＮＡ分子を極めて配列特異的に開裂できるリボザイムを設計し組み立てる方法が開発され、当分野で記載されている（Haseloff et al. Nature 334,585-591,1988）。例えば、リボザイムの開裂活性は、別個の「ハイブリダイゼーション」領域を該リボザイム中に組み入れることによって、特定のＲＮＡを標的とさせることができる。このハイブリダイゼーション領域は標的ＲＮＡに対し相補的な配列を含んでおり、したがってその標的と特異的にハイブリダイズする（例えばGerlach et al., EP321201を参照されたい）。
【０１２１】
５−ＨＴ６受容体ＲＮＡ標的内部の特異的リボザイム開裂部位は、この標的分子を、以下の配列：ＧＵＡ、ＧＵＵ、およびＧＵＣを包含するリボザイム開裂部位についてスキャンすることにより同定できる。同定できたならば、該開裂部位を含む標的ＲＮＡの領域に対応する、１５および２０の間のリボヌクレオチドを有する短いＲＮＡ配列を、標的を非機能的にし得る二次構造の特徴について評価できる。さらに、候補の５−ＨＴ６受容体ＲＮＡ標的の適合性を、リボヌクレアーゼ防護検定を用いて相補的オリゴヌクレオチドとのハイブリダイゼーションに対する利用可能性を試験することによって評価できる。配列番号１、３に示すヌクレオチド配列およびこれらの相補物は、適当なハイブリダイゼーション領域配列の供給源を提供する。より長い相補配列を用いて、標的に対するハイブリダイゼーション配列の親和性を増大させることができる。リボザイムのハイブリダイズおよび開裂する領域は、相補領域を介して標的ＲＮＡにハイブリダイズする時、リボザイムの触媒領域が標的を開裂し得るといったように、完全に相関している。
【０１２２】
リボザイムはＤＮＡ組み立て物の一部として細胞内に導入できる。マイクロ注入、リポソーム仲介トランスフェクション、電気穿孔、または燐酸カルシウム沈殿といった機械的方法を用いて、５−ＨＴ６受容体発現の低下が望まれる細胞中にリボザイム含有ＤＮＡ組み立て物を導入することができる。これとは別に、細胞がＤＮＡ組み立て物を安定的に保持することが望まれる場合は、該組み立て物をプラスミド上で供給し、当分野で知られるように、別個の要素として維持するか、または細胞のゲノム中に組み込むことができる。リボザイムコード化ＤＮＡ組み立て物は、細胞中のリボザイムの転写を調節するために、プロモーター要素、エンハンサーまたはＵＡＳ要素、および転写ターミネーターシグナルといった転写調節要素を含み得る。
【０１２３】
Haseloff et al.,米国特許5641673に教示のように、リボザイムは、標的遺伝子の発現を誘導する因子に応答してリボザイムの発現が起こるように設計することができる。リボザイムはまた、追加レベルの調節を提供するよう設計でき、その結果、ｍＲＮＡの破壊はリボザイムと標的遺伝子の両者が細胞に誘導された時にのみ起こる。
【０１２４】
スクリーニング／スクリーニングアッセイ
調節物質
本明細書において用いられる調節物質は、５−ＨＴ６受容体 アゴニストおよび５−ＨＴ６受容体 アンタゴニストを意味する。５−ＨＴ６受容体のアゴニストは、５−ＨＴ６受容体に結合したときに５−ＨＴ６受容体の活性を増大または長引かせる分子である。５−ＨＴ６受容体のアゴニストとしては、タンパク質、核酸、炭化水素、小分子または５−ＨＴ６受容体を活性化する任意の他の分子が挙げられる。５−ＨＴ６受容体のアンタゴニストは、５−ＨＴ６受容体と結合したときに、５−ＨＴ６受容体の活性の量または持続を減少させる分子である。アンタゴニストとしては、タンパク質、核酸、炭化水素、抗体、小分子または５−ＨＴ６受容体の活性を減少させる任意の他の分子が挙げられる。
【０１２５】
用語「調節」は、本明細書に示されるように、５−ＨＴ受容体の活性の変化を意味する。例えば、調節によって、５−ＨＴ６受容体のタンパク質活性、結合特性または任意の他の生物学的、機能的または免疫学的特性の増大または減少を引き起こしうる。
【０１２６】
本明細書において用いられているとおり、用語「特異的な結合」または「特異的に結合する」は、タンパク質またはペプチドとアゴニスト、抗体またはアンタゴニストとの間の相互作用を意味する。
【０１２７】
本発明は、結合する分子によって認識されるタンパク質の特定の構造（即ち、抗原決定基またはエピトープ）の存在に依存する。例えば、抗体がエピトープＡに特異的である場合、フリーの標識されたＡと抗体を含む反応物における、エピトープＡを含むポリペプチドの存在またはフリーの標識されたＡの存在は、抗体と結合する標識されたＡの量を減少するであろう。
【０１２８】
本発明は、血液疾患、疼痛疾患、呼吸器疾患、生殖泌尿系の疾患、心疾患および癌の処置に使用することができる化合物を同定するための方法（本明細書では「スクリーニングアッセイ」ともいう）を提供する。本方法は、５−ＨＴ６受容体に結合する、および／または５−ＨＴ６受容体の生物学的活性またはその発現に対して刺激または阻害効果を有する候補化合物または試験化合物または試薬(例えば、ペプチド、ペプチド模擬物、小分子、または他の分子）の同定し、次いで、血液疾患、疼痛疾患、呼吸器疾患、生殖泌尿器系疾患、心疾患および癌に関する症状または障害に対して効果を有する化合物の発現を測定することを必要とする。
【０１２９】
５−ＨＴ６受容体に結合する、および／または５−ＨＴ６受容体の活性または発現に対して刺激または阻害効果を有する、候補または試験化合物または試薬は、細胞表面に５−ＨＴ６受容体を発現する細胞を用いるアッセイ（細胞ベースのアッセイ）か、または単離された５−ＨＴ６受容体を用いたアッセイ（細胞不含アッセイ）のいずれかにおいて同定する。様々なアッセイを用いることができる。様々な５−ＨＴ６受容体の変異体（例えば、完全長の５−ＨＴ６受容体、５−ＨＴ６受容体の生物学的に活性な断片または５−ＨＴ６受容体の全部または一部分を含む融合タンパク質）。さらに、５−ＨＴ６受容体は、任意の適当な哺乳類（例えば、ヒト５−ＨＴ６受容体、ラット５−ＨＴ６受容体またはマウス５−ＨＴ受容体）に由来し得る。アッセイは、試験化合物または５−ＨＴ６受容体に対する既知の５−ＨＴ６受容体リガンドの結合の間接的または直接的な測定を伴う結合アッセイであってよい。アッセイはまた、５−ＨＴ６受容体の活性の直接的または間接的測定を伴う活性分析であり得る。このアッセイはまた、５−ＨＴ６受容体ｍＲＮＡまたは−ＨＴ６受容体タンパク質の発現の直接的または間接的測定を伴う発現アッセイであり得る。様々なスクリーニングアッセイを、血液疾患、疼痛疾患、呼吸器疾患、生殖泌尿系の疾患、心疾患および癌の症状に対する試験化合物の効果の測定を伴うin vivo アッセイと組み合わせる。１つの態様では、本発明は、５−ＨＴ６受容体の膜に結合した（細胞表面で発現した）形態に結合またはその活性を調節する候補化合物または試験化合物をスクリーニングするためのアッセイを提供する。そのようなアッセイは、完全長の５−ＨＴ６受容体、５−ＨＴ６受容体の生物学的に活性な断片または５−ＨＴ６受容体の全部または一部分を含む融合タンパク質を用いることができる。以下により詳細に記載するように、試験化合物を任意の適当な手段によって、例えば、慣用の化合物ライブラリーから得ることができる。５−ＨＴ６受容体の膜結合形態に結合する試験化合物の能力の測定は、例えば、例えば、試験化合物と５−ＨＴ６受容体を発現している細胞との結合が、複合体における標識化合物の検出によって測定することができるように、素標識または酵素標識とをカップリングさせることにより行うことができる。例えば、試験化合物を、125Ｉ、35Ｓ、14Ｃまたは3Ｈで、直接的または間接的に標識し、放射能放射の直接的計測により、またはシンチレーション計測により放射性同位元素を検出することができる。あるいは、試験化合物を、例えばホースラディッシュ・ペルオキシダーゼ、アルカリホスファターゼ、またはルシフェラーゼで酵素的に標識し、酵素標識を適当な基質の生成物への変換を測定することにより検出することができる。
【０１３０】
競合結合方式では、アッセイは、５−ＨＴ６受容体を発現している細胞を、５−ＨＴ６受容体に結合し分析混合物を形成する既知の化合物に接触させ、その分析混合物を試験化合物と接触させて、試験化合物が５−ＨＴ６受容体を発現している細胞と相互作用する能力を測定することを含み、ここで、５−ＨＴ６受容体を発現している細胞と相互作用する能力の測定は、５−ＨＴ６受容体を発現している細胞に優先的に結合する試験化合物の既知の化合物と比較した能力を測定することを含む。
【０１３１】
さらなる態様では、アッセイは、細胞表面に発現した５−ＨＴ６受容体の膜結合形態（例えば、完全長５−ＨＴ６受容体、５−ＨＴ６受容体の生物学的に活性な断片または５−ＨＴ６受容体の全部または一部分を含む融合タンパク質）を発現している細胞を試験化合物と接触させること、および５−ＨＴ６受容体の膜結合形態の活性をを調節する（例えば、刺激または阻害する）試験化合物の能力を測定することを含む、細胞ベースのアッセイである。５−ＨＴ６受容体の膜結合形態の活性を調節する試験化合物の能力の測定は、５−ＨＴ６受容体の活性を測定するのに適当な方法、例えばＧタンパク質共役受容体または他の７回膜貫通型受容体の活性の測定にて適当な任意の方法（以下により詳細に記載）によって行うことができる。７回膜貫通型受容体は、数多くの方法（任意の与えられた受容体に適当な方法がこれらのすべてではない）によって測定することができる。活性の測定のなかには以下のものがある：細胞内Ｃａ2+濃度の変化、ホスホリパーゼＣの活性化、細胞内イノシトール三リン酸（ＩＰ3）濃度の変化、細胞内ジアシルグリセロール（ＤＡＧ）濃度の変化、および細胞内アデノシンサイクリック３',５'−一リン酸（ｃＡＭＰ）濃度の変化。
【０１３２】
５−ＨＴ６受容体の活性を調節する試験化合物の能力の測定は、例えば、標的分子に結合または相互作用する５−ＨＴ６受容体の能力を測定することによって行うことができる。標的分子は、５−ＨＴ６受容体が現実に結合するまたは相互作用する分子、例えば、５−ＨＴ６受容体を発現している細胞の表面上の分子、第２の細胞の表面上の分子、細胞外の環境の分子、細胞膜の内部表面に会合している分子または細胞質の分子であり得る。標的分子は細胞外シグナル（例えば、５−ＨＴ６受容体リガンドの結合によって生じる細胞膜を介する細胞へのシグナル）の伝達を助長するシグナル伝達経路を構成するものであってよい。標的分子は、例えば、触媒活性を有する第２の細胞内タンパク質または下流のシグナル伝達分子と５−ＨＴ６受容体との会合を促進するタンパク質であってよい。
.標的分子と結合または相互作用する５−ＨＴ６受容体の能力の測定は、直接的な結合について上記した方法の１つによって行うことができる。１つの態様では、標的分子と結合するまたは相互作用する本発明のポリペプチドの能力の測定は標的分子の活性を測定することによって行うことができる。例えば、標的分子の活性は、標的の細胞の第２のメッセンジャー（例えば、細胞内Ｃａ2+、ジアシルグリセロール、ＩＰ3など）の誘導を検出すること、適当な基質に対する標的の触媒／酵素活性を検出すること、レポーター遺伝子（例えば、検出可能なマーカー例えばルシフェラーゼをコードする核酸に作動可能な様に連結した本発明のポリペプチドに応答する調節エレメント）の誘導を検出すること、または細胞の応答を検出することによって測定することができる。
【０１３３】
本発明は、さらに細胞不含のアッセイを含む。そのようなアッセイは、５−ＨＴ６受容体の形態の（例えば、完全長の５−ＨＴ６受容体、生物学的に活性な５−ＨＴ６受容体の断片または５−ＨＴ６受容体のすべてまたは一部を含む融合タンパク質)と試験化合物との接触、および５−ＨＴ６受容体に結合する試験化合物の能力の測定を伴う。５−ＨＴ６受容体に対する試験化合物の結合は、上記のように直接的または間接的に測定することができる。１つの態様では、アッセイは、５−ＨＴ６受容体と５−ＨＴ６受容体に結合する既知の化合物と接触させてアッセイ混合物を形成し、アッセイ混合物を試験化合物と接触させ、および５−ＨＴ６受容体と相互作用する試験化合物の能力の測定することを含み、５−ＨＴ６受容体と相互作用する試験化合物の能力の測定は、既知の化合物と比較して、５−ＨＴ６受容体に優先的に結合する試験化合物の能力を測定することを含む。
【０１３４】
本発明の細胞不含アッセイは、５−ＨＴ６受容体の膜結合形態を用いるかまたは可溶性の断片を用いるかに影響を受けやすい。ポリペプチドの膜結合形態を用いる細胞不含アッセイでは、可溶化剤を用いて、ポリペプチドの膜結合形態を溶液中に維持することが望ましいであろう。そのような可溶化剤の例としては、非イオン界面活性剤、例えばn-オクチルグルコシド、ｎ−ドデシルグルコシド、n-ドデシルマルトシド、オクタノイル−Ｎ−メチルグルカミド、デカノイル−Ｎ−メチルグルカミド、TritonX-100、TritonX-114、Thesit、イソトリデシポリ(エチレングリコールエーテル)n、3-[(3-コラミドプロピル)ジメチルアミノ]-1-プロパンスルホネート(CHAPS)、3-[(3-コラミドプロピル)ジメチルアミノ]-2-ヒドロキシ-1-プロパンスルホネート(CHAPSO)、またはN-ドデシル＝Ｎ,Ｎ−ジメチル-3-アンモニオ-1-プロパンスルホネートが挙げられる。
【０１３５】
本発明の上記アッセイ法の様々な態様では、５−ＨＴ６受容体（または５−ＨＴ６受容体標的分子）を固定化して、１つのまたは両方のタンパク質の、複合体を形成していない形態からの複合体の分離を容易にし、並びにそのアッセイを自動化に適応させることが望ましいであろう。候補化合物の存在下および非存在下での５−ＨＴ６受容体に対する試験化合物の結合、５−ＨＴ６受容体と標的分子との相互作用は、試薬を入れるのに適当な任意の容器内で行うことができる。そのような容器の例としては、マイクロタイタープレート、試験管およびマイクロ遠心チューブが挙げられる。１つの態様では、融合タンパク質は、一方または両方のタンパク質がマトリックスに結合することが可能なドメインを付加して提供される。例えば、グルタチオン−Ｓ−トランスフェラーゼ (GST) 融合タンパク質またはグルタチオン−Ｓ−トランスフェラーゼ 融合タンパク質をグルタチオン セファロースビーズ (Sigma Chemical; St. Louis, Mo. )またはグルタチオン誘導マイクロタイタープレート上に吸着させた後、それを試験化合物、または試験化合物および吸着させていない標的タンパク質または５−ＨＴ６受容体のいずれかと混合し、その混合物を複合体形成を引き起こす条件下 (例えば、塩およびpＨについての生理学的条件）でインキュベーションさせることができる。インキュベーションした後、ビーズまたはマイクロタイタープレートのウェルを洗浄して、結合しなかった成分を除去し、複合体形成を直接的または間接的に、例えば上記のように測定する。あるいは、複合体をマトリックスから解離させ、結合のレベルまたは５−ＨＴ６受容体の活性を標準的な技術を用いて測定することができる。
【０１３６】
タンパク質をマトリックス上に固定化する技術はまた、本発明のスクリーニングアッセイに用いることができる。例えば、５−ＨＴ６受容体またはその標的分子のいずれかをビオチンおよびストレプタビジンのコンジュゲーションを用いて固定化することができる。本発明のビオチン化されたポリペプチドまたは標的分子は、当分野に周知の技術を用いてビオチン-NHS(N-ヒドロキシ-サクシンイミド）から調製することができ（例えば、ビオチニル化キット、Pierce Chemicals; Rockford,111.)、ストレプタビジンをコーティングしたプレート(Pierce Chemical)のウェルにおいて固定化することができる。あるいは、５−ＨＴ６受容体または標的分子と反応するが、本発明のポリペプチドとその標的分子との結合に干渉しない抗体をプレートのウェルに誘導し、結合しなかった標的または本発明のポリペプチドを抗体結合によってウェルにおいてトラップすることができる。ＧＳＴ固定化複合体について上記した方法に加えて、そのような複合体を検出する方法としては、５−ＨＴ６受容体または標的分子と反応する抗体を用いた複合体の免疫検出、並びに５−ＨＴ６受容体または標的分子に関連する酵素活性を検出することによる酵素結合アッセイが挙げられる。
【０１３７】
スクリーニングアッセイはまた、５−ＨＴ６受容体の発現のモニタリングを伴う。例えば、５−ＨＴ６受容体の発現の調節物質を、細胞を候補化合物と接触させ、５−ＨＴ６受容体タンパク質または細胞内のｍＲＮＡを測定する方法において同定することができる。候補化合物存在下での５−ＨＴ６受容体タンパク質またはｍＲＮＡの発現のレベルを、候補化合物非存在下での５−ＨＴ６受容体タンパク質またはｍＲＮＡの発現のレベルと比較する。次いで、この比較に基づき、候補化合物を５−ＨＴ６受容体の発現の調節物質として同定することができる。例えば、候補化合物の存在下で非存在下よりも５−ＨＴ６受容体タンパク質またはｍＲＮＡの発現がより大きい（実質的に有意に大きい）場合、候補化合物を５−ＨＴ６受容体タンパク質またはｍＲＮＡ発現の刺激物質として同定する。あるいは、候補化合物の存在下で非存在下よりも５−ＨＴ６受容体タンパク質またはｍＲＮＡの発現がより小さい（実質的に有意に小さい）場合、候補化合物を５−ＨＴ６受容体タンパク質またはｍＲＮＡ発現の阻害物質として同定する。細胞における５−ＨＴ６受容体タンパク質またはｍＲＮＡ発現のレベルを、以下に記載の方法によって測定することができる。
【０１３８】
結合検定
結合検定については、被験化合物は好ましくは、５−ＨＴ６受容体の活性部位に結合してこれを占有し、それにより基質がリガンド結合部位に接近できなくさせ、その結果正常な生物活性が妨げられるような小分子である。このような小分子の例は小ペプチドまたはペプチド様分子を包含するが、これらに限定される訳ではない。本発明に係るポリペプチドに結合する可能性あるリガンドは、既知の５−ＨＴ６受容体の天然リガンドおよびその類似体または誘導体を包含するが、これらに限定されない。
【０１３９】
結合検定では、被験化合物または５−ＨＴ６受容体のいずれかが検出可能な標識、例えば蛍光、放射性同位元素、化学ルミネセント、または酵素標識（例えば西洋ワサビペルオキシダーゼ、アルカリホスファターゼ、またはルシフェラーゼ）を含むことができる。そこで、５−ＨＴ６受容体に結合している被験化合物の検出は、例えば放射能の放出を直接計数することにより、またはシンチレーション計数により、または検出可能産物への適当な基質の変換を測定することにより、達成できる。
【０１４０】
別法として、５−ＨＴ６受容体への被験化合物の結合を、反応体のいずれをも標識せずに測定することができる。例えば、マイクロフィジオメーターを用いて、被験化合物と５−ＨＴ６受容体との結合を検出できる。マイクロフィジオメーター（例えばサイトセンサー）とは、細胞がその環境を酸性化する速度を光アドレッサブル電位差センサー（ＬＡＰＳ）を用いて測定する分析機器である。この酸性化速度の変化は、被験化合物と５−ＨＴ６受容体の相互作用の指標として使用できる[Haseloff et al. (1988)]。
【０１４１】
被験化合物が５−ＨＴ６受容体に結合する能力の測定はまた、実時間Bimolecular Interaction Analysis（ＢＩＡ）のような技術を用いて達成できる[McConnell et al. (1992), Sjolander & Urbaniczky (1991) ]。ＢＩＡは、いかなる反応体をも標識せずに、生体特異的相互作用を実時間で研究するための技術である（例えばBIAcore(登録商標)）。光学的現象表面プラズモン共鳴（ＳＰＲ）の変化を、生体分子間の実時間反応の指標に使用できる。
【０１４２】
本発明のさらに別の態様では、５−ＨＴ６受容体を二ハイブリッド検定または三ハイブリッド検定（例えば、[Szabo et al., (1995); Zervos et al. (1993); Madura et al. (1993); Bartel et al. (1993) ] ; U. S. 
5,283, 317)における「おとり蛋白」として使用し、５−ＨＴ６受容体に結合またはこれと相互作用してその活性を調節する他の蛋白を同定することができる。
【０１４３】
二ハイブリッド系は殆どの転写因子のモジュール的性格に基づくものであり、それは、分離可能なＤＮＡ結合および活性化ドメインから成っている。簡潔に述べると、この検定は二種の異なるＤＮＡ組み立て物を利用する。例えば、一方の組み立て物においては、５−ＨＴ６受容体をコードしているポリヌクレオチドが、既知の転写因子のＤＮＡ結合ドメインをコードしているポリヌクレオチドに融合できる（例えばＧＡＬ−４）。別の組み立て物においては、未同定蛋白（「餌」または「試料」）をコードしているＤＮＡ配列が、既知の転写因子の活性化ドメインをコードしているポリヌクレオチドに融合できる。もし「おとり」および「餌」蛋白がインビボで相互作用して蛋白依存複合体を形成できたならば、該転写因子のＤＮＡ結合および活性化ドメインは極めて近位に招来される。この近位性が、転写因子に応答する転写調節部位と機能的に結合しているリポーター遺伝子（例えばＬａｃＺ）の転写を可能にする。リポーター遺伝子の発現が検出でき、機能的転写因子を含む細胞コロニーを単離し、５−ＨＴ６受容体と相互作用する蛋白をコードしているＤＮＡ配列取得に使用することができる。
【０１４４】
反応体の一方または両方の非結合型からの結合型の分離を促進するため、そして検定の自動化の便宜を図るため、５−ＨＴ６受容体（またはポリヌクレオチド）または被験化合物のいずれかを固定化することが望ましいかも知れない。したがって、５−ＨＴ６受容体（またはポリヌクレオチド）または被験化合物のいずれかを固体支持体に結合させることができる。好適な固体支持体は、ガラスまたはプラスチックスライド、組織培養プレート、微量定量ウェル、管、シリコンチップ、またはビーズ（ラテックス、ポリスチレン、またはガラスビーズを包含するがこれらに限定されない）のような粒子を包含するがこれらに限定されない。共有および非共有結合、受動吸収、またはそれぞれポリペプチド（またはポリヌクレオチド）または被験化合物に付着させた結合部分と固体支持体の対、の使用を包含する、当分野で既知の任意の方法を用いて５−ＨＴ６受容体（またはポリヌクレオチド）または被験化合物を固体支持体に付着させることができる。被験化合物は好ましくは整列して固体支持体に結合させ、その結果個々の被験化合物の位置を追跡することができる。５−ＨＴ６受容体（またはポリヌクレオチド）への被験化合物の結合は、反応体を入れるのに適した任意の容器で達成できる。係る容器の例には微量定量プレート、試験管、および微量遠沈管がある。
【０１４５】
一つの態様において、５−ＨＴ６受容体は、５−ＨＴ６受容体を固体支持体に結合させるドメインを含む融合蛋白である。例えば、グルタチオン−Ｓ−トランスフェラーゼ融合蛋白をグルタチオンセファロースビーズ（Sigma Chemical, St.Louis, Mo.）上またはグルタチオン誘導体化微量定量プレート上に吸着させ、次いでこれを被験化合物または被験化合物および非吸着５−ＨＴ６受容体に合し；次にこの混合物を複合体形成が行われる条件下でインキュベートする（例えば、塩およびpHに関して生理的条件）。インキュベーションの後、ビーズまたは微量定量プレートのウェルを洗浄して未結合成分を除去する。反応体の結合は上記のように直接的または間接的に測定できる。別法として、複合体を固体支持体から解離させた後に結合を測定することもできる。
【０１４６】
本発明に係るスクリーニング検定には、蛋白またはポリヌクレオチドを固体支持体上に固定化するためのその他の技術を使用することもできる。例えば、５−ＨＴ６受容体（またはポリヌクレオチド）または被験化合物のいずれかを、ビオチンとストレプトアビジンのコンジュゲーションを利用して固定化できる。当分野で周知の技術（例えばビオチニル化キット、Pierce Chemicals, Rockford,Ill.）を用いて、ビオチニル化した５−ＨＴ６受容体（またはポリヌクレオチド）または被験化合物をビオチン−ＮＨＳ（Ｎ-ヒドロキシスクシンイミド）から調製し、ストレプトアビジン被覆した９６ウェルプレート（Pierce Chemical）のウェルに固定化できる。別法として、５−ＨＴ６受容体、ポリヌクレオチド、または被験化合物に特異的に結合するが、所望の結合部位、例えば５−ＨＴ６受容体の活性部位に干渉しない抗体をプレートのウェルに誘導体化することができる。未結合の標的または蛋白が抗体コンジュゲーションによりウェル中に捕捉できる。
【０１４７】
ＧＳＴ−固定化複合体について上に記載した方法に加え、このような複合体を検出する方法には、５−ＨＴ６受容体または被験化合物に特異結合する抗体を用いる、複合体の免疫検出、５−ＨＴ６受容体の活性検出へと引き継がれる酵素結合検定、および非還元条件下でのＳＤＳゲル電気泳動がある。
【０１４８】
５−ＨＴ６受容体またはポリヌクレオチドに結合する被験化合物を求めるスクリーニングは、無傷の細胞で実施することもできる。５−ＨＴ６受容体またはポリヌクレオチドを含む任意の細胞が、細胞に基づく検定系で使用できる。５−ＨＴ６受容体ポリヌクレオチドは細胞中に天然に存在し、または上記のような技術を用いて導入できる。５−ＨＴ６受容体またはポリヌクレオチドに対する被験化合物の結合は、上記のように測定する。
【０１４９】
機能検定
５−ＨＴ６受容体の生物学的効果を増大または低下させる能力について被験化合物を試験できる。係る生物学的効果は、下記の具体的実施例に記載の機能検定を用いて測定できる。機能検定は、精製した５−ＨＴ６受容体、細胞膜調製物、または無傷の細胞を被験化合物と接触させた後に実施できる。５−ＨＴ６受容体の機能的活性を少なくとも約１０、好ましくは約５０、より好ましくは約７５、９０、または１００％低下させる被験化合物を、５−ＨＴ６受容体活性を低下させる可能性ある物質として同定する。５−ＨＴ６受容体の活性を少なくとも約１０、好ましくは約５０、より好ましくは約７５、９０、または１００％増大させる被験化合物を、５−ＨＴ６受容体活性を増大させる可能性ある物質として同定する。
【０１５０】
このようなスクリーニング方法の１つは、５−ＨＴ６受容体を発現するようトランスフェクトしたメラニン保有細胞の使用を含む。係るスクリーニング技術は１９９２年２月６日公開のWO92/01810に記載されている。したがって、例えばこのような検定を使用して、該レセプターを含むメラニン保有細胞を、レセプターリガンドと、スクリーニングされる被験化合物の両者に接触させることにより、レセプターポリペプチドの活性化を阻害する化合物を求めるスクリーニングができる。リガンドが生成するシグナルの阻害は、被験化合物がそのレセプターについての可能性あるアンタゴニストであること、即ち該レセプターの活性化を阻害することを示す。このスクリーニングは、係る細胞をスクリーニングすべき化合物と接触させることにより、レセプターを活性化する被験化合物を同定するために、そして各被験化合物がシグナルを生成するかどうか、即ちレセプターを活性化するかどうかを決定するために使用できる。
【０１５１】
その他のスクリーニング技術は、レセプター活性化により惹起される細胞外pH変化を測定する系においてヒト５−ＨＴ６受容体を発現する細胞（例えば、トランスフェクトされたＣＨＯ細胞）を使用することを包含する（例えばScience 246,181-296,1989を参照されたい）。例えば、被験化合物をヒト５−ＨＴ６受容体を発現する細胞に接触させ、二次メッセンジャー反応、例えばシグナル伝達またはpH変化を測定して、被験化合物が該レセプターを活性化するか阻害するかを決定できる。
【０１５２】
別のこのようなスクリーニング技術は、ヒト５−ＨＴ６受容体をコードしているＲＮＡをXenopus卵母細胞内に導入し、該レセプターを一過性発現させることを含む。次いでトランスフェクトさせた卵母細胞をレセプターリガンドおよびスクリーニングすべき被験化合物に接触させ、その後、該レセプターの活性化を阻害すると思われる被験化合物についてスクリーニングする場合は、カルシウムシグナルの活性化または阻害の検出を行う。
【０１５３】
別のスクリーニング技術は、レセプターがホスホリパーゼＣまたはＤに結合している細胞でヒト５−ＨＴ６受容体を発現させることを含む。このような細胞には、内皮細胞、平滑筋細胞、胚性腎細胞などがある。スクリーニングは上記のように、ホスホリパーゼ活性の変化から該レセプターの活性化程度を定量することにより達成できる。
【０１５４】
遺伝子発現
別の態様では、５−ＨＴ６受容体遺伝子の発現を増大または減少させる被験化合物を同定する。５−ＨＴ６受容体ポリヌクレオチドを被験化合物と接触させ、ＲＮＡまたは５−ＨＴ６受容体ポリヌクレオチドのポリペプチド産物の発現を測定する。被験化合物存在下での適当なｍＲＮＡまたはポリペプチドの発現レベルを、該被験化合物不在下でのｍＲＮＡまたはポリペプチドの発現レベルと比較する。すると被験化合物が、この比較に基づく発現のモジュレーターとして同定できる。例えば、ｍＲＮＡまたはポリペプチドの発現が、被験化合物の不在時よりも存在時により大きい場合は、この被験化合物を、該ｍＲＮＡまたはポリペプチド発現の刺激物質または増強物質と同定する。そうではなく、ｍＲＮＡまたはポリペプチドの発現が、被験化合物の不在時よりも存在時により小さい場合は、この被験化合物を、該ｍＲＮＡまたはポリペプチド発現のインヒビターと同定する。
【０１５５】
細胞における５−ＨＴ６受容体ｍＲＮＡまたはポリペプチド発現のレベルは、ｍＲＮＡまたはポリペプチドを検出するための当分野で周知の方法により決定できる。定性または定量的方法のいずれかが使用できる。５−ＨＴ６受容体ポリヌクレオチドのポリペプチド産物の存在は、例えばラジオイムノアッセイのような免疫化学的方法、ウエスタンブロッティング、および免疫組織化学を包含する、当分野で周知の様々な技術を用いて決定できる。別法として、ポリペプチド合成は、５−ＨＴ６受容体内への標識アミノ酸の取り込みを検出することにより、インビボで、細胞培養で、またはインビトロ翻訳系で決定できる。
【０１５６】
このようなスクリーニングは、無細胞検定系または無傷の細胞のいずれかで実施できる。５−ＨＴ６受容体ポリヌクレオチドを発現するいかなる細胞も細胞に基づく検定系で使用できる。５−ＨＴ６受容体ポリヌクレオチドは細胞内に天然に存在するか、または上記のような技術を用いて導入することができる。一次培養または確立されたセルライン、例えばＣＨＯまたはヒト胚性腎２９３細胞のいずれかを使用できる。
【０１５７】
被験化合物
被験化合物は当分野で既知の薬理学的物質であってよく、または薬理活性を持っていることが前もって分かっていない化合物であってよい。この化合物は天然に存在する、または実験室で設計されたものであってよい。これらは、微生物、動物、または植物から単離されたものであってよく、そして組換え的に調製され、または当分野で既知の化学的方法により合成されたものであってよい。所望により被験化合物は、生物学的ライブラリー、空間的アドレス特定可能な並行固相または液相ライブラリー、デコンボルーションを要する合成ライブラリー法、「一ビーズ一化合物」ライブラリー法、および親和クロマトグラフィー選択を用いる合成ライブラリー法を包含する（但しこれらに限定される訳ではない）当分野で既知の数多くの組み合わせライブラリー法のいずれかを用いて取得できる。生物学的ライブラリーアプローチはポリペプチドライブラリーに限定されているが、他の４種のアプローチはポリペプチド、非ペプチドオリゴマー、または化合物の小分子ライブラリーに適用できる。[Lam et al. (1997)]
【０１５８】
分子ライブラリーの合成法は当分野でよく知られている（例えば、[Lam et al. (1997); DeWitt et al. (1993); Erb et al. (1994);Zuckermann et al. (1994); Cho et al. (1993); Carrell et al. (1994) Angew. Chem. Int. Ed. Engl. 33: 2059]）。化合物のライブラリーは溶液で（例えば、Carrell et al. (1994), Angew. Chem. Int. Ed. Engl.33:-2061 ; Gallop et al. (1994)）またはビーズ(Houghten et al.(1992))、チップ（Cull et al.(1992)）、細菌 (U. S. 5,223, 409）または胞子 (U. S. 5,571, 698; 5,403, 484；および5,223, 409),プラスミド（Coruzzi et al. (1984))、またはファージ（Nagarenko et al. (1997); Felici et al. [1991]; Cwirla et al.(1990) ; Devlin et al. (1990); Sambrook et al.(1989)を参照されたい）上に提供できる。
【０１５９】
調節物質のモデリング
コンピュータモデリングおよびサーチ技術よって、化合物の同定、または５−ＨＴ６受容体発現または活性を調節することができる既に同定されている化合物の改良が可能である。そのような化合物または組成物が同定されていれば、活性部位または領域が同定される。そのような活性部位は典型的には、５−ＨＴ６受容体に対するリガンドの相互作用ドメインのようなリガンド結合であろう。活性部位は、例えば、ペプチドのアミノ酸配列から、核酸のヌクレオチド配列から、または関連する化合物または組成物とその天然リガンドとの複合体の研究から、当分野で周知の方法を用いて同定することができる。後者の場合、化学的またはＸ線結晶学的方法を用いて、その因子において複合体化したリガンドが認められる場所を見つけることにより活性部位を見つけることができる。
【０１６０】
次に、活性部位の３次元幾何構造を決定する。これは、記安全な分子構造を決定することができる、Ｘ線結晶学を含む当分野において周知の方法によって行うことができる。他方、固相または液相ＮＭＲを用いて特定の分子内距離を決定することができる。他の任意の構造決定の実験方法を用いて部分的または完全な幾何構造を得ることができる。幾何構造は、天然または人工の、決定された活性部位の精度を増し得る複合体化したリガンドを用いて測定することができる。
【０１６１】
精度の不完全なまたは不十分な構造を決定する場合、コンピュータベースの数値モデリングの方法を用いて構造を比較または精度を改善することができる。タンパク質または核酸のような具体的な生物高分子に対して特異的なパラメーター化されたモデル、分子運動の計算に基づく分子動力学モデル、熱集団（thermal ensemble）に基づく統計力学モデル、または組合せモデルを含む、認識されている任意のモデリング方法を用いることができる。大部分のタイプのモデルとしては、構成原子と基との間の力を示す標準分子力場、を必要とし、物理化学において知られている力場から選択することができる。不完全または精度の低い、実験で得られた構造は、これらのモデリング方法によって計算される完全なそしてより精度の高い構造に対する制約として供する。
【０１６２】
最後に、活性部位の構造が決定されれば、実験的に、モデリングによりまたは組合せにより、候補の調節化合物をその分子構造に関する情報と共に含むデータベースを検索することにより同定することができる。そのような検索は、決定された活性部位の構造と合致し、活性部位を定義する基と相互作用する構造を有する化合物を探す。このような検索は、手動でもよいが、コンピュータを使用するものであることが好ましい。この検索から見いだされたこれらの化合物は、可能性のある５−ＨＴ６受容体調節化合物である。
【０１６３】
あるいは、これらの方法を用いて既に知られている調節化合物またはリガンドから改善された調節化合物を同定することができる。既知の化合物の組成物を修飾し、実験的なおよび新たな組成物に適用された上記のコンピュータモデリング法を用いて修飾の構造上の効果を決定することができる。次いで、変化した構造を化合物の活性部位の構造と比較して、改善された適合かまたは相互作用の結果かを決定する。このやり方では、例えば様々な側鎖基による、組成における体系的な変化を迅速に評価して修飾された調節化合物または改善された活性または特異性を有するリガンドを得ることができる。
【０１６４】
治療上の適応および方法
本願により５−ＨＴ６受容体が様々なヒト組織において発現することが分かった。
【０１６５】
５−ＨＴ６受容体は、例えば小脳（右、左）、頭頂葉、中心前回、視床、大脳皮質、前頭葉、側頭葉、小脳扁桃、小脳虫部、大脳脚、海馬および後根神経節等の種々の脳の組織において高度に発現する。他の組織としては、心臓（心房、左、右）大動脈、強膜大動脈、動脈、赤血球、血小板、白血球、リンパ節、慢性閉塞性肺疾患(ＣＯＰＤ)の状態の肺、食堂、直腸、子宮、前立腺肥大（ＢＰＨ）の状態の前立腺、慢性炎症の状態の回腸、陰茎および乳癌が挙げられる。
【０１６６】
後根神経節における５−ＨＴ６受容体の発現は、５−ＨＴ６受容体と疼痛疾患との間の関連を示唆している。
【０１６７】
ＣＮＳ
また、ヒトＰＩ−ＰＬＣ様酵素を調節して、ＣＮＳ疾患及び慢性閉塞性肺疾患を処置することができる。処置できるＣＮＳ障害には、脳損傷、脳血管疾患及びそららの予後、パーキンソン病、皮質基底核変性症、運動ニューロン疾患、痴呆（ＡＬＳ、多発性硬化症、外傷性脳損傷、脳卒中、脳卒中後、外傷後脳損傷および小血管性脳血管疾患を含む）が挙げられる。また、痴呆症、例えばアルツハイマー病、血管性痴呆、レビ小体痴呆、前頭側頭骨痴呆、及び第１７染色体に関連したパーキンソニズム、前頭側頭骨痴呆症（ピック病、進行性核麻痺(progressive nuclear palsy)、皮質基底核変性症、ハンチントン病、視床退縮(thalamic degeneration)、クロイツフェルト−ヤコブ病、ＨＩＶ性痴呆症、痴呆症を伴う統合失調症、及びコルサコフ精神病を含む）を処置できる。同様に、認知関連障害、例えば穏和な認知障害、加齢関連性記憶障害、加齢関係性認知減退、血管性認知障害、注意欠陥障害、注意欠陥多動性障害、及び学習障害を患った子供の記憶障害を、ヒトＰＩ−ＰＬＣ様酵素の活性を調節することによって処置できる。
【０１６８】
ＣＮＳ障害に関連する疼痛もまた、ヒトホスファチジルイノシトール特異的ホスホリパーゼＣ様酵素の活性を調節することによって処置できる。処置できる疼痛には、中枢神経系障害と関連するもの、例えば多発性硬化症、脊髄損傷、坐骨神経痛、失敗した腰部手術(failed back surgery)症候群、外傷性脳損傷、癲癇、パーキンソン病、脳卒中後、及び脳や脊髄における血管破壊（例えば、梗塞、出血、血管新生異常）が挙げられる。非中枢神経因性疼痛には、乳房切除術後疼痛、反射性交感神経性ジストロフィー（ＲＤＳ）、三叉神経痛ラジオキュロパシー(trigeminal neuralgiaradio-culopathy)、術後の疼痛、ＨＩＶ／ＡＩＤＳ関連疼痛、癌疼痛、代謝神経痛（例えば、糖尿病性神経障害、結合組織疾患に対する第２の血管炎神経障害）、例えば肺癌種、白血病、リンパ腫、前立腺、大腸若しくは胃癌種、三叉神経痛及び疱疹後神経痛と関連する腫瘍随伴性多発神経障害が挙げられる。癌及び癌処置と関連する疼痛もまた処置でき、頭痛（例えば前兆を伴う片頭痛、前兆を伴わない片頭痛、および他の片頭痛障害）、偶発性及び慢性緊張性頭痛、緊張型様頭痛、群発性頭痛や慢性発作性片頭痛も処置できる。
【０１６９】
血液学
血液疾患としては、急性骨髄性白血病、慢性骨髄性白血病、慢性好中球性白血病、、成人Ｔ細胞白血病/リンパ腫、骨髄異形成症候、多発性骨髄腫、特発性血小板減少性紫斑病、鉄欠乏性貧血、巨赤芽球性貧血(ビタミンＢ１２欠乏）、再生不良性貧血、サラセミア、皮膚Ｔ細胞性リンパ腫、悪性リンパ腫骨髄侵襲、悪性リンパ腫皮膚侵襲、溶血性尿毒症症候群、巨大血小板疾患が挙げられるがこれに限定されない。
【０１７０】
５−ＨＴ６受容体は、赤血球および血液系の他の組織に高度に発現する。上記組織における発現は、５−ＨＴ６受容体と血液疾患との間の関連性を示唆している。血液系の障害を処置するために５−ＨＴ６受容体を調節することができる。
【０１７１】
心疾患：
心不全とは、心機能の異常が、代謝している組織の要求に相応じた速度で心臓が血液を送り出せないことに起因する、病態生理学的状態として定義される。これは、基礎原因に関わりなく、例えば高拍出量および低拍出量、急性および慢性、右側および左側、収縮期および拡張期といったような全ての型のポンプ不全を包含する。
【０１７２】
心筋梗塞（ＭＩ）は一般に、冠血流の突然の低下と、これに続き既に動脈硬化によって狭隘化していた冠動脈が血栓により閉塞することにより惹起される。ＭＩ予防（一次および二次的防止）、ならびにＭＩの急性期治療および合併症の防止が包含される。
【０１７３】
虚血性疾患は、冠血流が制限され、その結果、心筋の酸素要求を満たすに充分でない灌流となる状態である。この群の疾患には、安定アンギナ、不安定アンギナ、および無症候性虚血がある。
【０１７４】
不整脈とは全ての形の心房性および心室性頻脈（心房性頻脈、心房性粗動、心房性細動、心房−心室リエントリー頻脈、早期興奮症候群、心室性頻脈、心室性粗動、および心室性細動）、および徐脈型の不整脈を包含する。
【０１７５】
血管疾患は、原発性および全ての種の二次性動脈性高血圧症（腎性、内分泌性、神経性、その他）を包含する。ここに開示する遺伝子およびその産物は、高血圧症の治療および全合併症の防止のための薬物標的として使用できる。末梢血管疾患とは、動脈および／または静脈血流が減少し、その結果、血液供給と組織の酸素要求の間に不均衡が生じている血管疾患として定義する。これには、慢性末梢動脈閉塞疾患（ＰＡＯＤ）、急性動脈血栓症および塞栓症、炎症性血管疾患、レイノー現象、および静脈疾患が包含される。
【０１７６】
アテローム性動脈硬化症は、血管の壁が改造（リモデリング）され、血管の内張が脅かされる心疾患である。アテローム硬化のリモデリング過程には、血管の内膜における、平滑筋細胞と単球／マクロファージ炎症細胞の両方の集積を伴う。これらの細胞は、循環血と同様、脂質を取込み、成熟したアテローム性動脈硬化病変を形成する。これら病変の形成は、慢性過程であり、成人のヒトの人生の数十年にわたって起こり、アテローム性動脈硬化症の病的状態の大部分は、病変が破断し、血栓形成の破片が遊離し、動脈がすぐに閉塞する場合に起きる。そのような急性の事象が冠状動脈において起こるとき、結果として心筋梗塞が起こり得、最悪の場合に死に至る。
【０１７７】
アテローム性動脈硬化症の病変の形成は、遊走、脂質の蓄積、炎症細胞の動員、血管平滑筋細胞の増殖および細胞外マトリックスの沈積のような、５つの重複する段階において起こると考えられる。これら過程はそれぞれ、ヒトおよびアテローム性動脈硬化症の動物モデルにおいて起きることを示すことができるが、病理および病変の臨床的意味に対するそれぞれの関連する寄与は明らかではない。
【０１７８】
したがって、アテローム性動脈硬化症や冠状動脈疾患に関連する他の状態などの心疾患の病状を処置するための治療方法や治療剤に対する必要性がある。
【０１７９】
５−ＨＴ６受容体は、心臓や大動脈などの様々な心臓血管関連組織において高度に発現する。上記の組織における発現は、５−ＨＴ６受容体と心疾患途の関連を示唆している。
【０１８０】
処置することができる心疾患としては、心臓および血管系の以下の障害が挙げられるがこれらに限定されない：鬱血性心不全、心筋梗塞、心臓の虚血性疾患、様々な心房および心室不整脈高血圧血管障害、末梢血管の疾患、およびアテローム性動脈硬化症。
【０１８１】
生殖秘尿器系の疾患
受容体は、良性前立腺肥大（ＢＰＨ）の状態の前立腺、陰茎および子宮頸等の、様々な生殖泌尿器系の組織において高度に発現する。ＢＰＨにおける５−ＨＴ６受容体の発現は健康な前立腺よりも高い。上記の組織における発現は、５−ＨＴ６受容体と生殖秘尿器系の疾患との間の関連を示唆している。
【０１８２】
５−ＨＴ６受容体を調節して生殖泌尿器系の障害を処置することができる。処置し得る生殖泌尿系の疾患としては、良性前立腺肥大症（ＢＰＨ）や尿失禁が挙げられるがこれらに限定されない。
【０１８３】
喘息／ＣＯＰＤ／気道疾患
アレルギーは、環境にある抗原が臨床上有害な反応を引き起こす複雑なプロセスである。アレルゲンと呼ばれるこの誘発抗原は、典型的には特異的ＩｇＥ反応を引き起こし、大抵の場合アレルゲン自体は殆どまたは全く固有毒性を持たないけれども、これらはＩｇＥ反応がＩｇＥ依存性またはＴ細胞依存性過敏性反応を引き起こす時、病態を誘発する。過敏性反応は局所的または全身的となり得、典型的には、かつて或るアレルゲンに感作されたことのある個体がアレルゲンに暴露されると数分以内に起こる。アレルゲンが、肥満細胞、好塩基球または好酸球といったエフェクター細胞の表面にある特異的レセプターに結合したＩｇＥ抗体に認識され、それが該エフェクター細胞の活性化と、反応の急性徴候および症状を引き起こす仲介物質の放出を惹起すると、アレルギーの過敏性反応が発現する。アレルギー性疾患には、喘息、アレルギー性鼻炎（枯草熱）、アトピー性皮膚炎、およびアナフィラキシーがある。
【０１８４】
喘息は複数の遺伝的因子と環境的因子の間の相互作用の結果生ずると考えられ、３つの主たる特徴：１）気管支収縮、粘液産生増加、および気道狭窄を導く気道壁の肥厚により惹起される間欠的且つ可逆的な気道閉塞、２）気道口径の調節低下により惹起される気道の過度反応性、および３）気道の炎症、がある。或る種の細胞が喘息の炎症反応に対し重要であり、それらはＴ細胞および抗原提示細胞、ＩｇＥを産生するＢ細胞、および肥満細胞、好塩基球、好酸球、およびＩｇＥに結合するその他の細胞を包含する。これらのエフェクター細胞は気道のアレルギー反応の部位に蓄積し、急性病態、そしてついには該疾患に関連する組織破壊に寄与する毒性産物を放出する。その他の常在細胞、例えば平滑筋細胞、肺上皮細胞、粘液産生細胞、および神経細胞もまた、喘息を持つ個体では異常であることがあり、それらがこの病理に寄与し得る。臨床的には間欠的ぜん鳴と息切れとして現れる喘息の気道閉塞が、一般に即時治療を要するこの疾病の最も緊急的症状であるが、この疾病に随伴する炎症と組織破壊は不可逆的変化を導き、ついには喘息を、長期管理の必要な慢性の障害疾患とする。
【０１８５】
喘息の病態生理学に関する理解において近年重要な進歩があったとは言え、この疾患は流行と重篤度を増しているように思われる（Gergen and Weiss, Am.Rev.Respir.Dis. 146,823-24,1992）。人口の３０−４０％がアトピー性アレルギーに罹患し、小児の１５％および成人の５％が喘息に罹患している（Gergen and Weiss, 1992）。したがって我々の保健財源に膨大な負荷が課せられている。しかしながら、喘息の診断と治療は共に困難である。肺組織炎症の重篤度は測定が容易ではなく、この疾病の症状は、呼吸器感染、慢性呼吸器炎症性疾患、アレルギー性鼻炎、またはその他の呼吸器疾患としばしば識別不能である。原因となっているアレルゲンがしばしば判定できず、原因環境物質の除去を困難にしている。現行の薬理学的治療はそれら自身の不利益を被っている。β−アゴニストのような一般に用いられる治療薬は、肺機能を一時的に改善する症状軽減剤として作用するが、基礎となっている炎症に作用することはない。抗炎症ステロイドのような、基礎となっている炎症を低下させ得る物質は、免疫抑制から骨喪失にまで及ぶ重大な欠点を有し得る（Goodman and Gilman's THE PHARMACOLOGIC BASIS OF THERAPEUTICS, 第7版、MacMillan Publishing Company, NY, USA, 1985）。さらに、コルチコステロイド吸入のような現在の治療の多くは、短時間持続性であり、使用に不便であり、しばしば定期的に、幾つかの場合には生涯使用せねばならず、患者がこの治療を遵守できないことが大きな問題となり、それにより治療としての有効性が低下している。常套的療法に伴う問題の故に、代替治療戦略が評価されている。グリコホリンＡ（Chu and Sharom, Cell.Immunol. 145,223-39,1992）、シクロスポリン（Alexander et al., Lancet 339,324-28,1992）、およびＩＬ−２のノナペプチド断片（Zav'yalov et al., Immunol.Lett. 31,285-88,1992）は全てインターロイキン−２依存性Ｔリンパ球増殖を阻害する。ところがこれらは他の多くの効果を有することが分かっている。例えば、シクロスポリンは臓器移植後の免疫抑制に使用する。これらの物質は、喘息治療でステロイドの代替薬となり得る一方で、インターロイキン−２依存性Ｔリンパ球増殖を阻害し、ホメオスタシスに関連する重要な免疫機能を阻害する可能性がある。気管支収縮の仲介物質の放出または活性を遮断するその他の治療、例えばクロモンまたは抗ロイコトリエンが近年軽度喘息の治療に導入されているが、これらは高価で全ての患者に有効という訳ではなく、またこれらが喘息の炎症に伴う慢性変化に何らかの効果を有するかどうかは不明である。当分野で必要とされるのは、喘息の発現にとって重要な経路で作用することができ、該疾患のエピソード的発作を遮断して、患者を免疫無防備状態とすることなく専ら活動過多なアレルギー免疫反応を低下させ得る治療の同定である。
【０１８６】
ＣＯＰＤ：  慢性閉塞性肺（または気道）疾患（ＣＯＰＤ）は、生理学的には、慢性気管支炎に起因する末梢気道の閉塞と気腫の混在から一般的に引き起こされる気流の閉塞と定義される状態である（Senior & Shapiro, Pulmonary Diseases and Disorders, 第3版、New York, McGraw-Hill, 1998,pp.659-681,1998; Barnes, Chest 117,10S-14S,2000）。気腫は、肺の気腔の異常拡大を招く肺胞壁の破壊を特徴とする。慢性気管支炎とは、臨床的には、連続２年間でそれぞれ年に３ヶ月間の慢性湿性咳嗽の存在と定義する。ＣＯＰＤでは気流の閉塞は通常進行性であり、部分的に可逆的であるに過ぎない。非喫煙者にもＣＯＰＤは起こるものの、この疾病の発現にとってずば抜けて最重要な危険因子は喫煙である。
【０１８７】
気道の慢性炎症がＣＯＰＤの重要な病理学的特徴である（Senior & Shapiro, 1998）。炎症細胞集団は、増大した数のマクロファージ、好中球、およびＣＤ８＋リンパ球を含んでいる。吸入された刺激物質、例えば煙草の煙が気道および上皮細胞に存在するマクロファージを活性化しケモカイン（例えばインターロイキン−８）およびその他の走化性因子の放出を導く。これらの走化性因子が血液から肺組織および気道への好中球／単球の輸送を増加させるよう働く。気道へと動員された好中球と単球は蛋白分解酵素および活性酸素種といった様々な有害である可能性のある仲介物質を放出し得る。マトリックス分解および気腫、ならびに気道壁肥厚、界面活性物質の機能不全、および粘液分泌過多、これら全てが気流と気体交換の減損を導くこの炎症反応の、可能性ある続発症である。
【０１８８】
５−ＨＴ６受容体は、肺癌、慢性閉塞性肺疾患（ＣＯＰＤ）の状態の肺などの、様々な呼吸器系組織において高度に発現する。ＣＯＰＤの肺における５−ＨＴ６受容体の発現は、健康な肺よりも高い。上記組織における５−ＨＴ６受容体は５−ＨＴ６受容体と、喘息やＣＯＰＤ等の呼吸器疾患との間の関連を示唆しており、５−ＨＴ６受容体の治療的調節は、呼吸器系の障害を処置するのに用いることができる。
【０１８９】
癌
癌は、基本的に発癌性細胞形質転換によって発症する疾患である。形質転換細胞をそれらの正常な対応物から区別し、かつ癌の病態生理に基づく、形質転換細胞の特徴は幾つかある。それらには、非制御型細胞性増殖、通常の死誘導シグナルに対する不応答（不死化）、増大した細胞運動性及び侵襲性、新たな血管新生の誘導を通じた血液供給を補充させるための増大した能力（血管新生）、遺伝子の不安定性、並びに調節不全遺伝子発現が挙げられる。薬剤耐性の獲得とともに、これらの異常な生理機能の種々の組み合わせににより、最終的に臓器不全および患者の死となる難治性疾患状態に頻繁に陥る。
【０１９０】
最も一般的な癌治療は、細胞増殖を標的とし、形質転換細胞と正常細胞との間の効率に関するその特異な増殖能に基づいている。このアプローチは、幾つかの重要な正常細胞タイプもまた高増殖であり、かつ癌細胞が高頻度にこれらの物質に対して耐性となるという現実により妨げられている。従って、従来の抗癌治療についての治療指数は珍しく２.０を超えている。
【０１９１】
ゲノミクス誘導性分子の標的同定の到来は、癌患者に安全で、かつより効率的な処置を提供できる治療介入のための新たな癌特異的標的同定の可能性を開いた。従って、新たに発見される腫瘍関連遺伝子及びその産物は疾患におけるその機能（群）について試験でき、そして革新的な治療を発見し、かつ開発するための道具として用いることができる。以上に概説した生理学的プロセスの多くに重要な働きをする遺伝子は、癌標的として特徴付けることができる。
【０１９２】
ゲノミクスを通じて同定される遺伝子又は遺伝子断片は、すぐに１つ又はそれ以上の非相同（ヘテローガス）発現系において発現させ、機能性組換えタンパク質を生産させることができる。このタンパク質は、その生物学的機能についてインビトロで特徴付けられ、次いでその生化学活性の化学修飾因子（モジュレーター）を同定するため、ハイスループット分子スクリーニングプログラムにおける道具として用いられる。標的タンパク質活性の活性化物質及び／又は阻害物質をこの様式で同定し、次いで、細胞およびインビボ疾患モデルにて抗癌活性について試験する。生物学的モデルにおける反復試験や、詳細な薬物動態力学的分析及び中毒学的分析を用いたリード化合物の最適化により、薬物開発及び次のヒトでの試験に関する基礎が形成される。
【０１９３】
５−ＨＴ６受容体は、乳癌、直腸癌および肺癌などの様々な癌組織において高度に発現する。癌組織における５−ＨＴ６受容体の発現は、健康な組織における発現よりも高い。上記組織における５−ＨＴ６受容体の発現は、５−ＨＴ６受容体と癌との関連を示唆しており、５−ＨＴ６受容体の治療的調節は、癌を処置するために用いることができる。
【０１９４】
応用
本発明は、血液疾患、疼痛疾患、呼吸器疾患、生殖泌尿系の疾患、心疾患および癌の予防方法および治療方法の両方を提供する。
【０１９５】
本発明の調節方法は、５−ＨＴ６受容体の１またはそれ以上の活性を調節する薬剤と細胞を接触させることを伴う。活性を調節する薬剤は、核酸またはタンパク質、ポリペプチドの天然の同族のリガンド、ペプチド、ペプチド模擬物または任意の小分子などの本明細書に記載の薬剤であってよい。１つの態様では、その薬剤は、５−ＨＴ６受容体の１またはそれ以上の生物学的活性を刺激する。そのような刺激物質の例としては、活性な５−ＨＴ６受容体および５−ＨＴ６受容体の一部をコードする核酸分子が挙げられる。別の態様では、その薬剤は、５−ＨＴ６受容体の１またはそれ以上の生物学的活性を阻害する。そのような阻害物質の例としては、アンチセンス核酸分子および抗体が挙げられる。これらの調節方法は、in vitro（例えば、細胞を薬剤とともに培養することによって）で行うかまたは、あるいはin vivo（例えば、薬剤を患者に投与することによって）で行うことができる。したがって、本発明は、望ましくない発現または５−ＨＴ６受容体の活性または５−ＨＴ６受容体シグナル伝達経路におけるタンパク質によって特徴付けられる疾患または障害に冒されている人を処置する方法を提供する。１つの態様では、本方法は、本明細書に記載のスクリーニングアッセイによって同定されるまたは同定可能な任意の薬剤のような薬剤または発現または５−ＨＴ６受容体の活性または５−ＨＴ６受容体シグナル経路における任意のタンパク質の活性を上方調節または下方調節するそのような薬剤の組合せを投与することを伴う。別の態様では、本方法は、５−ＨＴ６受容体を、５−ＨＴ受容体または５−ＨＴ６受容体シグナル伝達経路におけるタンパク質の減少したまたは望ましくない低い発現または活性を補うための治療として投与することを含む。
【０１９６】
５−ＨＴ６受容体の活性または発現の刺激は、活性または発現が以上に低く、増加した活性が有益な効果を有すると思われる状況において望ましい。逆に、５−ＨＴ６受容体の活性または阻害は、５−ＨＴ受容体の活性または発現が異常に高く、その活性が有益な効果を有すると思われる状況において望ましい。
【０１９７】
本発明はさらに、限定として解釈してはならない以下の実施例によって説明される。本願において引用したすべての文献、特許および公開された特許出願の内容は、ここに参考として本明細書の一部を構成する。
【０１９８】
医薬組成物
本発明はさらに、上記のスクリーニングアッセイによって同定された新規の薬剤および本明細書に記載した処置のためのその使用に関する。
【０１９９】
本発明の核酸分子、ポリペプチド、および抗体（「活性化合物」ともいう）は、投与に適当な医薬組成物に組み込むことができる。そのような組成物は典型的に核酸分子、タンパク質または抗体と製薬的に許容し得る担体とを含む。本明細書において用いられる「製薬的に許容し得る担体」なる語は、医薬の投与に適合するあらゆる溶媒、分散媒体、コーティング、抗菌剤および抗真菌剤、等張および吸収遅延剤などを含有することを意図する。製薬的に活性な物質のためのそのような媒体や試薬の使用は当分野においてよく知られている。任意の慣用の媒体または試薬が活性化合物と適合しない場合を除いて、組成物におけるその使用を企図する。さらに活性化合物を本組成物に添加することもできる。
【０２００】
本発明は、５−ＨＴ受容体発現または活性（および／または５−ＨＴ６受容体シグナル伝達経路におけるタンパク質の活性または発現の調節物質）の調節物質を含む医薬組成物ならびに１またはそれ以上のそのような調節物質を製薬的に許容し得る担体と組み合わせることによるそのような組成物の製造方法を包含する。さらに、使用説明書と共に包装された。本発明のスクリーニングアッセイを用いて同定された調節物質を含む医薬組成物もまた本発明の範囲に含まれる。５−ＨＴ６受容体活性のアンタゴニストであり、５−ＨＴ６受容体発現を減少させる調節物質について、該使用説明書は、血液疾患, 疼痛疾患, 呼吸器疾患, 生殖泌尿系の疾患, 心疾患および癌の処置のためのその医薬組成物の使用について詳細に記載する。５−ＨＴ６受容体活性のアゴニストであるまたは５−ＨＴ６受容体発現を増大する調節物質について、該使用説明書は、血液疾患, 疼痛疾患, 呼吸器疾患,生殖泌尿系の疾患, 心疾患および癌の処置のためのその医薬組成物の使用について詳細に記載する。
【０２０１】
当分野で一般的に知られている方法を用いて５−ＨＴ６受容体のアンタゴニストを製造することができる。特に、精製した５−ＨＴ６受容体を用いて、抗体を製造するか、または医薬のライブラリーをスクリーニングして５−ＨＴ６受容体に特異的に結合する医薬を同定することができる。５−ＨＴ６受容体に対する抗体はまた、当分野に周知の方法を用いて作製することもできる。そのような抗体としては、ポリクローナル、モノクローナル、キメラ、一本鎖抗体、Fab断片、およびFab発現ライブラリーによって産生した断片が挙げられる。二量体形成を阻害するような中和抗体は、治療的使用に特に好ましい。
【０２０２】
本発明のさらなる態様では、５−ＨＴ６受容体をコードするポリヌクレオチドまたはその任意の断片または相補体を治療目的で用いることができる。１つの態様では、５−ＨＴ６受容体をコードするポリヌクレオチドを、ｍＲＮＡの転写をブロックすることが望ましい状況において使用することができる。特に、細胞を、５−ＨＴ６受容体をコードするポリヌクレオチドに相補的な配列で形質転換することができる。したがって、相補的な分子または断片を用いて５−ＨＴ６受容体活性を調節するまたは遺伝子機能の調節を達成することができる。そのような技術は今や当分野においてよく知られており、５−ＨＴ６受容体をコードする配列のコード配列または制御領域に沿った様々な位置からセンスまたはアンチセンスオリゴヌクレオチドまたはより長い断片を設計することができる。
【０２０３】
発現ベクター、レトロウイルス, アデノウイルス,またはヘルペスまたはワクシニアウイルスからまたは様々な細菌プラスミド誘導された発現ベクターを用いて、ヌクレオチド配列の標的の器官、組織または細胞集団へ送達することができる。当業者に周知の方法を用いて、５−ＨＴ６受容体をコードする遺伝子のポリヌクレオチドに相補的な核酸配列を発現するベクターを構築することができる。これらの技術は、例えば、Scott and Smith (1990) Science 249:386-390に記載されている。
【０２０４】
上記の任意の治療方法をそのような治療を必要とする患者（例えば、イヌ、ネコ、ウシ、ウマ、ウサギ、サルおよびもっと好ましくはヒトなどの哺乳類を含む）に適用することができる。本発明のさらなる態様は、上記の治療効果のいずれかのための製薬的に許容し得る担体とともに、５−ＨＴ６受容体を含有する医薬組成物の投与に関する。そのような医薬組成物は、５−ＨＴ６受容体、５−ＨＴ６受容体に対する抗体および模擬物、５−ＨＴ６受容体のアゴニスト、アンタゴニストまたは阻害物質からなることができる。組成物を単独で投与するかまたは少なくとも１つの他の試薬、例えば、安定化化合物と組み合わせて投与することができ、任意の滅菌された、生物的に適合する製薬的担体（生理食塩水、緩衝化生理食塩水、デキストリンおよび水を含むがこれに限定されない）担体中で投与することができる。本組成物は、単独で患者に投与するかまたは他の試薬、薬物またはホルモンと組み合わせて投与することができる。
【０２０５】
本発明の医薬組成物は、その意図した投与経路に適合するように製剤化する。投与経路の例としては、非経口、例えば、静脈内、皮内、皮下および経口（例えば吸入）、経皮（局所）、経粘膜および直腸投与が挙げられる。非経口、皮内、または皮下適用に用いることができる溶液剤または懸濁剤としては、以下の成分が含まれる：滅菌希釈剤、例えば注射用の水、生理食塩水溶液、不揮発性油、ポリエチレングリコール、グリセリン、プロピレングリコールまたは他の合成溶媒；抗菌剤、例えばベンジルアルコールまたはメチルパラベン；抗酸化剤、例えばアスコルビン酸または硫酸水素ナトリウム；キレート剤、例えばエチレンジアミン四酢酸；緩衝剤、例えば、酢酸塩、クエン酸塩またはリン酸塩など；および浸透圧を調整するための試薬、塩化ナトリウムまたはデキストロースなど。pＨは、塩酸塩または水酸化ナトリウムなどの酸または塩基により調整することができる。非経口用調製物は、ガラスまたはプラスチック製のアンプル、使い捨ての注射器または複数回用量のバイアルに入れられる。
【０２０６】
注射での使用に適した医薬組成物は、滅菌水溶液（水に可溶である場合）または滅菌注射溶液または分散液の即席の調製のための分散液および粉末が挙げられる。静脈内投与について、適当な担体としては、生理食塩水、静菌性の水、Cremophor EL（登録商標）(BASF; Parsippany, N. J. )またはリン酸緩衝生理食塩水（ＰＢＳ）。すべての場合において、組成物は無菌で注射器に容易に入れられる程度に流動性である。製造および保存の条件下で安定でなければならず、細菌および心筋などの微生物の汚染から守られていなければならない。担体は、例えば水、エタノール、製薬的に許容し得るポリオール（グリセロール、プロピレングリコール、液体ポリエチレングリコール、およびをそれらの適当な混合物）を含む溶媒または分散媒体であってよい。例えば、レシチン等のコーティングの使用により、分散剤の場合必要粒子サイズを維持することにより、および界面活性剤の使用により、適当な流動性を維持することができる。微生物の作用の阻止は、例えば、パラベン、クロロブタノール、フェノール、アスコルビン酸、チメロサールなどの様々な抗菌および抗真菌剤によって達成することができる。多くの場合、等張剤、例えば糖、ポリアルコール（例えばマンニトール、ソルビトール、塩化ナトリウム）を組成物に含有させることが好ましいであろう。注射用組成物の長時間の吸収は、例えば、モノステアリン酸アルミニウム、ゼラチン等の吸収を遅らせる試薬を組成物に含有させることにより引き起こすことができる。滅菌注射用溶液は、必要な量の活性化合物（例えばポリペプチドまたは抗体)を、必要であれば、上に列挙した成分の１つまたは組合せと共に適当な溶媒中に含有させた後、滅菌濾過することにより調製することができる。一般に、分散物は、ベースとなる分散媒体および上に列挙した必要な他の成分を含有する滅菌ビークルに活性化合物を入れることによって調製する。滅菌注射用溶液の調製のための滅菌粉末の場合、好ましい製造方法は、活性成分とさらなる所望の成分の粉末を得る、予め滅菌濾過された溶液からの減圧乾燥、凍結乾燥である。
【０２０７】
経口用組成物は一般に、不活性な希釈剤または食用に適する担体が挙げられる。それらは、ゼラチンカプセルに入れるかまたは圧縮して錠剤にすることができる。経口での治療的投与を目的とする場合、活性化合物を入れることができる。
添加剤とともに含有させ、錠剤、トローチまたはカプセルの形態で使用することができる。経口用組成物はまた、口洗剤として使用するための流動性担体を用いて調製することができ、化合物を流動性担体中で経口で適用し、口の中ですすぎ、吐き出す蒲田は飲み込む。
【０２０８】
製薬的に適合し得る結合剤および／またはアジュバント物質を組成物の一部として含有させることができる。錠剤、丸剤、カプセル剤、トローチなどは、任意の以下の成分または同様の性質の化合物を含有し得る：微晶性セルロース、トラガカント・ゴムまたはゼラチン等の結合剤；デンプンまたはラクトース等の賦形剤；アルギン酸、Primogelまたはトウモロコシデンプン等の崩壊剤；ステアリン酸マグネシウムまたはステロート（sterotes）等の滑沢剤；コロイド状二酸化ケイ素等の流動促進剤；スクロースまたはサッカリン等の甘味料；またはペパーミント、サリチル酸メチルまたはオレンジフレーバー等の香料。
【０２０９】
吸入による投与については、化合物を適当なプロペラント（例えば、二酸化炭素等の気体）を含む加圧された容器またはディスペンサーまたは噴霧器からエアロゾルスプレーの形態で導出する。
【０２１０】
全身投与は、経粘膜または経皮的手段によっても行うことができる。経粘膜または経皮投与については、浸透させるべきバリアーに適当な浸透剤を製剤において用いる。そのような浸透剤は一般に当分野において知られており、例えば、経粘膜投与、界面活性剤、胆汁塩、およびフシジン酸誘導体が挙げられる。経粘膜投与は、鼻用スプレーまたは坐剤の使用によって行うことができる。経皮投与については、活性化合物を、当分野で一般的に知られている軟膏、塗薬（salve）、ゲル、またはクリームに製剤化する。
【０２１１】
化合物を坐薬（例えば、ココアバターおよび他のグリセリド等の慣用的な坐剤基剤を用いて）または直腸送達のための停留浣腸の形態に製造することもできる。
【０２１２】
１つの態様では、活性化合物を、制御された放出製剤（インプラントおよびマイクロカプセルに入れられたデリバリーシステムを含む）等の、体内からの化合物の急速な消失に対して化合物を保護する担体とともに調製する。ビニル酢酸エチル、ポリ無水物、ポリグリコール酸、コラーゲン、ポリオルトエステル、およびポリ乳酸等の生物適合性のポリマーを用いることができる。そような製剤の製造方法は、当業者には明らかであろう。材料はAlza CorporationおよびNova Pharmaceuticals, Inc. から商業的に入手可能である。リポソーム懸濁液（ウイルス抗原に対するモノクローナル抗体で感染細胞に標的化したリポソームを含む）を製薬的に許容し得る担体として用いることもできる。これらは、例えば、米国特許第4,522, 811号に記載のように、当業者に周知の方法にしたがって製造することができる。
【０２１３】
経口または非経口組成物を、投与を容易にし、用量を均一にするための単位投与形態に製剤化することは特に有用である。本明細書において使用する単位投与形態は、処置される患者にとっての単位用量として適した物理的に分離された単位を意味し；各単位は、所望の治療効果をもたらすように計算された予め決められた量の活性化合物を必要な医薬担体と共に含有している。本発明の単位投与形態の規格は、活性化合物固有の特性、達成すべき具体的な治療効果、および個人の処置のためにそのような活性化合物を配合する分野において内在する制限によって変わり、直接的に依存する。
【０２１４】
医薬組成物は、投与の説明書と共に、容器、パックまたはディスペンサーに入れることができる。５−ＨＴ６受容体活性のアンタゴニスト、５−ＨＴ６受容体の発現を減少させる化合物、または５−ＨＴ６受容体シグナル伝達経路におけるタンパク質の発現または活性を減少させる化合物、またはその任意の組合せを含む医薬組成物について、投与の説明書は、血液疾患、疼痛疾患、呼吸器疾患、生殖泌尿系の疾患、心疾患および癌に対する組成物の使用について詳細に記載する。５−ＨＴ６受容体活性のアゴニスト、５−ＨＴ６受容体の発現を増大する化合物、５−ＨＴ６受容体シグナル伝達経路におけるタンパク質の発現または活性を増大する化合物、またはその任意の組合せを含む医薬組成物について、投与の説明書は、血液疾患、疼痛疾患、呼吸器疾患、生殖泌尿系の疾患、心疾患および癌に対する組成物の使用について詳細に記載する。
【０２１５】
診断
さらなる態様において、５−ＨＴ６受容体に特異的に結合する抗体を、５−ＨＴ６受容体の発現によって特徴付けられる障害の診断のため、または５−ＨＴ６受容体または５−ＨＴ６受容体のアゴニスト, アンタゴニストおよび阻害剤で処置されている患者をモニターするための分析において使用することができる。診断目的に有用な抗体は、治療物質について上に記載したものと同様に製造することができる。５−ＨＴ６受容体についての診断分析には、抗体および５−ＨＴ６受容体をヒトの体液または細胞もしくは組織の抽出物において検出するための標識を利用する方法を含む。抗体は、修飾してまたは修飾せずに用いることができ、レポーター分子と共有結合または非共有結合により連結させることにより標識することができる。上にそのいくつかを記載した様々なレポーター分子は、当分野において周知であり、使用することができる。
【０２１６】
ＥＬＩＳＡ、ＲＩＡ、およびＦＡＣＳを含む５−ＨＴ６受容体を測定するための様々なプロトコルは、当分野で周知であり、５−ＨＴ６受容体発現の変化したまたは異常なレベルを診断するための基礎を提供する。５−ＨＴ６受容体発現についての正常または標準的な値は、正常な哺乳類患者、好ましくはヒト、から採取した体液または細胞抽出物を、５−ＨＴ６受容体に対する抗体と、複合体形成に適当な条件下で混合することによって確立する。標準の複合体形成の量は、様々な方法、好ましくは分光的手段により、定量することができる。生検組織からの患者の試料において発現した５−ＨＴ６受容体の量を標準値と比較する。標準と対象の値との偏差が、疾患を診断するためのパラメーターである。
【０２１７】
本発明のさらなる態様では、５−ＨＴ６受容体をコードするポリヌクレオチドを診断目的で使用することができる。用いることができるポリヌクレオチドとしては、オリゴヌクレオチド配列、相補ＲＮＡおよびＤＮＡ分子、およびＰＮＡが挙げられる。ポリヌクレオチドを用いて、５−ＨＴ６受容体の発現が疾患と相関し得る生検組織における遺伝子発現を検出し、定量することができる。この診断アッセイを用いて、５−ＨＴ６の不在、存在および過剰発現を区別し、治療的介入を行っている間の５−ＨＴ６受容体レベルの調節をモニターすることができる。
【０２１８】
５−ＨＴ６受容体をコードするポリヌクレオチド配列を、５−ＨＴ６受容体の発現に関連する血液疾患、疼痛疾患、呼吸器疾患、生殖泌尿系の疾患、心疾患および癌の診断に用いることができる。５−ＨＴ６受容体をコードするポリヌクレオチド配列を、サザンブロット、ノーザンブロットまたはドットブロット解析；または他の膜ベースの技術；ＰＣＲ技術；ディップスティック、ピン、およびＥＬＩＳＡアッセイ；および患者の生検組織からの体液または組織を利用するマイクロアレイにおいて用い、変化した５−ＨＴ６受容体発現を検出することができる。そのような定性または定量方法は当分野において周知である。
【０２１９】
具体的な態様では、５−ＨＴ６受容体をコードするヌクレオチド配列は、上に具体的に記載したような関連する障害の存在を検出するアッセイにおいて有用であろう。５−ＨＴ６受容体をコードするヌクレオチド配列を標準的な方法により標識し、ハイブリダイゼーション複合体の形成に適当な条件下で患者から得た体液または組織サンプルに加える。適当なインキュベーション期間の後、サンプルを洗浄し、シグナルを定量し、標準値と比較する。患者のサンプル中のシグナルの量が、比較する対照のサンプルのシグナルよりも有意に変化している場合、ヌクレオチド配列は、サンプル中のヌクレオチド配列とハイブリダイズしており、サンプル中の５−ＨＴ６受容体をコードするヌクレオチド配列における変化したレベルの存在は、関連する障害の存在を示している。そのようなアッセイは動物実験、臨床試験または患者の処置を監視することにおいて、治療的処置レジメの効力を評価するのにも使用することができる。
【０２２０】
５−ＨＴ６受容体の発現に関連する血液疾患, 疼痛疾患, 呼吸器疾患, 生殖泌尿系の疾患, 心疾患および癌の診断の基礎を提供するために、発現に関する正常または標準的なプロファイルを確立する。これは、動物またはヒトのいずれかの正常な患者から採取した体液または細胞抽出物と、５−ＨＴ６受容体をコードする配列またはその断片とを、ハイブリダイゼーションまたは増幅に適した条件下で混合することによって行うことができる。標準のハイブリダイゼーションは、正常な患者から得られた値と、既知の量の実質的に精製されたポリペプチドを用いた実験から得られた値とを比較することによって定量することができる。正常なサンプルから得られた標準値は、障害の症状を示している患者から採取したサンプルから得られた値と比較することができる。標準値との偏差を用いて障害の存在を証明する。
【０２２１】
使用することができる薬物スクリーニングのさらなる技術は、公開されたＰＣＴ出願Ｗ０８４／０３５６４に記載の、目的のタンパク質に対して適当な結合親和性を有する化合物のハイスループットスクリーニングである。この方法では、大量の種々の小さい試験化合物を、プラスチックピンなどの固形物質上または他の表面上に合成する。試験化合物を５−ＨＴ６受容体またはその断片と反応させ、洗浄する。次いで、結合した５−ＨＴ６受容体を当分野において周知の方法によって検出する。精製した５−ＨＴ６受容体を、前述の薬物スクリーニング法に使用するために直接プレート上にコーティングすることもできる。あるいは、非中和抗体を用いてペプチドを捕捉し、それを固体の支持体に固定化することもできる。
【０２２２】
さらなる態様では、５−ＨＴ６受容体に結合することができる中和抗体が、５−ＨＴ６受容体の結合に関して試験化合物と特異的に競合する競合的薬物スクリーニングアッセイを用いてもよい。この方法では、抗体を用いて、５−ＨＴ６受容体と１またはそれ以上の抗原決定基を共有するペプチドの存在を検出することができる。
【０２２３】
Ｇタンパク質共役型受容体は、哺乳類の宿主に遍在し、多くの病状を含む多くの生物学的機能に応答する。したがって、一方でＧタンパク質共役型受容体を刺激し、他方でＧタンパク質共役型受容体の機能を阻害することができる化合物や薬物を見いだすことが望ましい。例えば、Ｇタンパク質共役型受容体を活性化する化合物を治療目的、例えば喘息、パーキンソン病、急性心不全、尿閉および骨粗鬆症などに用いることができる。特に、本発明の受容体を活性化する化合物は、肺の血流の欠如または高血圧によって引き起こされるような様々な心臓血管の病気の処置に有用である。
【０２２４】
さらに、これらの化合物を体液および電解液のホメオスタシスの制御の異常に関連する様々な生理学的障害の処置に、および異常なアンジオテンシン誘発性アルドステロン分泌に関連する疾患において使用することもできる。
【０２２５】
一般に、Ｇタンパク質共役型受容体を阻害する化合物は、様々な治療目的に用いることができる。例えば、低血圧および／または高血圧の処置、狭心症、心筋梗塞、潰瘍、喘息、アレルギー、良性前立腺肥大、および精神学的および神経学的障害（統合失調症、躁病性興奮、鬱病、精神錯乱、痴呆または重篤な知能発育不全、ジスキネジー、例えばハンチントン舞踏病またはトゥレット症候群等を含む）に用いることができる。Ｇタンパク質共役型受容体を阻害する化合物は、内因性の拒食症の逆転および過食症の抑制において有用である。
【０２２６】
治療的有効量の決定
治療的有効量の決定は、充分当業者の能力の範囲内にある。治療的有効量とは、治療的有効量の不在下で起こる５−ＨＴ６受容体の活性に比較して５−ＨＴ６受容体の活性を増大させまたは低下させる活性成分の量を指す。
【０２２７】
いかなる化合物に関しても、治療的有効量は最初に細胞培養検定で、または動物モデル、通常マウス、ウサギ、イヌ、またはブタで見積もることができる。動物モデルは適当な濃度範囲および投与経路の決定にも使用できる。次にこのような情報を用いて人間での有用な用量と投与経路を決定できる。
【０２２８】
治療的有効性および毒性、例えばＥＤ５０（集団の５０％で治療的に有効な用量）およびＬＤ５０（集団の５０％で致死的な用量）は、細胞培養または実験動物における標準的薬学的方法により決定できる。治療効果に対する毒性効果の用量比が治療指数であり、比ＬＤ５０／ＥＤ５０で表すことができる。
【０２２９】
大きな治療指数を示す医薬組成物が好ましい。細胞培養検定および動物研究から得られるデータを、人間への使用のための用量範囲を処方する際に使用する。係る組成物に含まれる用量は、好ましくは殆どまたは全く毒性を持たないＥＤ５０を包含する循環濃度の範囲内である。この用量は、使用する用量型、患者の感受性、および投与経路に応じてこの範囲内で変わる。
【０２３０】
正確な用量は、治療を必要とする対象に関連する因子に照らして医師が決定する。用量および投与は、充分なレベルの活性成分を提供するよう、または所望の効果を維持するよう、調節する。考慮できる因子は、疾病状態の重篤度、対象の全身健康状態、年齢、体重、および対象の性別、食餌、投与の時間および頻度、薬物の組み合わせ、反応の感受性、および療法に対する寛容／応答を包含する。長時間作用性医薬組成物は、その製剤の半減期およびクリアランス率に応じて３ないし４日毎、毎週、または２週間に１回投与することができる。
【０２３１】
標準的な用量は投与経路に応じて０.１から１０００００マイクログラムまで変えることができ、約１gまでの総用量とすることができる。特定の用量およびデリバリー方法についての指針は文献に提供されており、一般に当分野の医師が入手できる。当業者は、ヌクレオチド用には蛋白またはそれらのインヒビター用のものとは異なる製剤を使用するであろう。同様に、ポリヌクレオチドまたはポリペプチドのデリバリーは特定の細胞、状態、場所などに特異的である。
【０２３２】
この試薬が一本鎖抗体である場合、この抗体をコードしているポリヌクレオチドを組み立て、トランスフェリン−ポリカチオン−仲介ＤＮＡ転移、裸のまたはカプセル内核酸を用いるトランスフェクション、リポソームの仲介する細胞融合、ＤＮＡ被覆ラテックスビーズの細胞内輸送、プロトプラスト融合、ウイルス感染、電気穿孔、「遺伝子銃」、およびＤＥＡＥ−または燐酸カルシウム−仲介トランスフェクションを包含する（但しこれらに限定される訳ではない）充分確立した技術を用いて、ex vivoまたはインビボで細胞内に導入できる。
【０２３３】
抗体の有効なインビボ用量は、約５μgないし約５０μg/kg、約５０μgないし約５mg/kg、約１００μgないし約５００μg/kg（患者の体重）、および約２００ないし約２５０μg/kg（患者の体重）の範囲である。一本鎖抗体をコードしているポリヌクレオチドの投与のためには、有効なインビボ用量は、約１００ngないし約２００ng、５００ngないし約５０mg、約１μgないし約２mg、約５μgないし約５００μg、および約２０μgないし約１００μgのＤＮＡの範囲である。
【０２３４】
発現産物がｍＲＮＡである場合、試薬は好ましくはアンチセンスオリゴヌクレオチドまたはリボザイムである。アンチセンスオリゴヌクレオチドまたはリボザイムを発現するポリヌクレオチドは、上記のように多岐にわたる方法によって細胞中に導入できる。
【０２３５】
好ましくは、試薬は、５−ＨＴ６受容体遺伝子の発現または５−ＨＴ６受容体の活性を、該試薬の不在時と比較して少なくとも約１０、好ましくは約５０、より好ましくは約７５、９０、または１００％低下させる。５−ＨＴ６受容体遺伝子の発現レベルまたは５−ＨＴ６受容体の活性を低下させるよう選択した機構の有効性は、当分野で周知の方法、例えば５−ＨＴ６受容体特異的ｍＲＮＡへのヌクレオチドプローブのハイブリダイゼーション、定量的ＲＴ−ＰＣＲ、５−ＨＴ６受容体の免疫学的検出、または５−ＨＴ６受容体活性の測定を用いて評価できる。
【０２３６】
上記のいずれの態様においても、本発明に係る任意の医薬組成物は他の適当な治療薬と組み合わせて投与できる。併用療法に使用するための適当な物質の選択は、常套的製薬原理に従い、当業者により実施することができる。治療薬の組み合わせは、相乗的に働いて、上記の様々な疾患の治療または予防を奏効させる。このアプローチを用いて、より低い各物質の用量で治療効果を達成することができ、したがって有害な副作用の可能性を低減することができる。
【０２３７】
上記の治療方法のいずれも、例えばイヌ、ネコ、ウシ、ウマ、ウサギ、サル、および最も好ましくはヒトといった哺乳動物を包含する、このような治療を必要とする任意の対象に適用することができる。
【０２３８】
本発明の核酸分子は、以下からなる核酸分子の群から選択される核酸分子である：（ｉ）配列番号２のアミノ酸配列を含むポリペプチドをコードする核酸分子；（ｉｉ）配列番号１の配列を含む核酸分子；（ｉｉｉ）配列番号１の配列を有する核酸分子；（ｉｖ）ストリンジェントな条件下で（ｉ）、（ｉｉ）または（ｉｉｉ）の核酸分子にハイブリダイズする相補的鎖の核酸分子；および（ｖ）  遺伝コードの縮重により（ｉｉｉ）の核酸分子の配列とは異なる配列の核酸分子であって、該核酸分子によってコードされるポリペプチドが５−ＨＴ６受容体活性を有する、核酸分子。
【０２３９】
本発明のポリペプチドは、以下からなる群から選択されるポリペプチドである：（ｉ）配列番号２の配列を有するポリペプチド；（ｉｉ）配列番号２の配列を含むポリペプチド、（ｉｉｉ）本発明の核酸分子によってコードされるポリペプチド、および（ｉｖ）（ｉ），  （ｉｉ），または（ｉｉｉ）のポリペプチドと少なくとも９９％，  ９８％，  ９５％，  ９０％，または８０％の相同性を示すポリペプチドであって、該精製されたポリペプチドが５−ＨＴ６受容体活性を有するポリペプチド。
【０２４０】
本発明の主題は、哺乳類における血液の疾患、心疾患、末梢神経系の障害、中枢神経系の障害、ＣＯＰＤ、喘息、生殖泌尿系の疾患および炎症性疾患からなる疾患の群から選択される疾患の処置において有用な治療剤のスクリーニング法であって、以下の工程からなる方法を提供することである。（ｉ）試験化合物を５−ＨＴ６受容体  ポリペプチドを接触させる工程、（ｉｉ）該試験化合物の該５−ＨＴ６受容体  ポリペプチドへの結合を検出する工程。例えば、５−ＨＴ６受容体ポリペプチドに結合する化合物を、そのような疾患に対する可能性のある治療剤として同定する。
【０２４１】
本発明のさらなる主題は、哺乳類における、血液の疾患，  心疾患，  末梢神経系の障害，  中枢神経系の障害，  ＣＯＰＤ，  喘息，  生殖泌尿系の疾患および炎症疾患からなる疾患の群に含まれる疾患の処置に有用な治療剤のスクリーニング方法であって、以下の工程からなる方法を提供する：（ｉ）ある特定の試験化合物濃度でまたは該試験化合物の非存在下で５−ＨＴ６受容体  ポリペプチドの活性を測定する工程、（ｉｉ）該試験化合物の異なる濃度で該ポリペプチドの活性を測定する工程。例えば、（ｉ）および  （ｉｉ）において５−ＨＴ６受容体ポリペプチドの活性の変化をもたらす化合物をそのような疾患の可能性のある治療剤として同定する。
【０２４２】
本発明のさらなる主題は、哺乳類における血液の疾患、心疾患、末梢神経系の障害、中枢神経系の障害、ＣＯＰＤ、喘息、生殖泌尿系の疾患および炎症疾患からなる群に含まれる疾患の処置に有用な治療剤のスクリーニング方法であって、以下の工程を含む方法である：（ｉ）ある特定の試験化合物の濃度で５−ＨＴ６受容体  ポリペプチドの活性を測定する工程、（ｉｉ）５−ＨＴ６受容体ポリペプチドの調節物質であることが分かっている化合物の存在下で５−ＨＴ６受容体ポリペプチドの活性を測定する工程。例えば、（ｉｉ）で使用した化合物と比較して（ｉ）において５−ＨＴ６受容体ポリペプチドの活性に対し刺激効果を示す化合物を、そのような疾患に対する可能性のある治療剤として同定する。
【０２４３】
本発明の他の主題は、接触させる工程を細胞内または細胞表面で行う上記方法である。
【０２４４】
本発明の他の主題は、細胞が in vitro で存在する上記方法である。
【０２４５】
本発明の他の主題は、接触させる工程を細胞を含まない系で行う上記方法である。
【０２４６】
本発明の他の主題は、ポリペプチドを検出可能な標識に結合させる上記方法である。
【０２４７】
本発明の他の主題は、化合物を検出可能な標識に結合させる上記方法である。
上記方法である。
【０２４８】
本発明の他の主題は、試験化合物がポリペプチドに最初に結合していたリガンドと置き換わる上記方法である。
【０２４９】
本発明の他の主題は、ポリペプチドが固体の支持体に結合している上記方法である。
【０２５０】
本発明の他の主題は、化合物が固体の支持体に結合している上記方法である。
【０２５１】
本発明のさらなる主題は、哺乳類における血液の疾患、心疾患、末梢神経系の障害、中枢神経系の障害、ＣＯＰＤ、喘息、生殖泌尿系の疾患および炎症疾患からなる疾患の群に含まれる疾患の処置に有用な治療剤のスクリーニング方法であって、以下の工程を含んでなる方法である：（ｉ）試験化合物を５−ＨＴ６受容体ポリヌクレオチドと接触させる工程、（ｉｉ）該試験化合物と該５−ＨＴ６受容体ポリヌクレオチドとの結合を検出する工程。例えば、５−ＨＴ６受容体ポリヌクレオチドに結合する化合物をそのような疾患の処置の可能性のある治療剤である。
【０２５２】
本発明のさらなる主題は、核酸分子がＲＮＡである上記方法である。
【０２５３】
本発明のさらなる主題は、接触させる工程を細胞内または細胞表面で行う上記方法である。
【０２５４】
本発明のさらなる主題は、接触させる工程を細胞を含まない系で行う上記方法である。
【０２５５】
本発明のさらなる主題は、ポリヌクレオチドを検出可能な標識に結合させる上記方法である。
【０２５６】
本発明のさらなる主題は、試験化合物を検出可能な標識に結合させる上記方法である。
【０２５７】
本発明のさらなる主題は、哺乳類における血液の疾患、心疾患、末梢神経系の障害、中枢神経系の障害、ＣＯＰＤ、喘息、生殖泌尿系の疾患および炎症疾患からなる群に含まれる疾患を診断する方法であって、以下の工程を含んでなる方法である：（ｉ）該哺乳類から採取したサンプル中の５−ＨＴ６受容体ポリヌクレオチドの量を測定すること；（ｉｉ）健康な哺乳類および／または疾患を有する哺乳類における５−ＨＴ６受容体ポリヌクレオチドの量を測定すること。例えば、該試験哺乳類における５−ＨＴ６受容体ポリヌクレオチド量が、疾患を有する哺乳類と比較して実質的に同様であれば、疾患が診断される。
【０２５８】
本発明のさらなる主題は、５−ＨＴ６受容体ポリペプチドに結合する治療剤を含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物である。
【０２５９】
本発明のさらなる主題は、５−ＨＴ６受容体ポリペプチドの活性を調節する治療剤を含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物である。
【０２６０】
本発明のさらなる主題は、５−ＨＴ６受容体ポリペプチドの活性を調節する治療剤を含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物であって、該治療剤が、（ｉ）小分子、（ｉｉ）ＲＮＡ分子、（ｉｉｉ）アンチセンスオリゴヌクレオチド、（ｉｖ）ポリペプチド、（ｖ）抗体または（ｖｉ）リゾチームである医薬組成物である。
【０２６１】
本発明のさらなる主題は、５−ＨＴ６受容体ポリヌクレオチドを含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物である。
【０２６２】
本発明のさらなる主題は、５−ＨＴ６受容体ポリペプチドを含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物である。
【０２６３】
本発明のさらなる主題は、哺乳類における血液の疾患、心疾患、末梢神経系の障害、中枢神経系の障害、ＣＯＰＤ、喘息、生殖泌尿系の疾患および炎症疾患からなる疾患の群に含まれる疾患を処置するための医薬組成物の製造のための５−ＨＴ６受容体の調節物質の使用である。
【０２６４】
本発明のさらなる主題は、哺乳類における血液の疾患、心疾患、末梢神経系の障害、中枢神経系の障害、ＣＯＰＤ、喘息、生殖泌尿系の疾患および炎症疾患からなる疾患の群に含まれる疾患の処置に有用な医薬組成物の製造方法であって、以下の工程を含む製造方法である：（ｉ）５−ＨＴ６受容体の調節物質を同定する工程、（ｉｉ）該調節物質が、哺乳類における血液の疾患、心疾患、末梢神経系の障害、中枢神経系の障害、ＣＯＰＤ、喘息、生殖泌尿系の疾患および炎症疾患からなる疾患の群に含まれる疾患の症状を改善するかどうかを調べる工程；および（ｉｉｉ）該調節物質を許容し得る製薬的担体と組み合わせる工程。
【０２６５】
本発明のさらなる主題は、哺乳類における血液の疾患、心疾患、末梢神経系の障害、中枢神経系の障害、ＣＯＰＤ、喘息、生殖泌尿系の疾患および炎症疾患からなる疾患の群に含まれる疾患を有する哺乳類における５−ＨＴ６受容体活性の調節のための、５−ＨＴ６受容体の調節物質の使用である。
【０２６６】
本発明を説明するために以下の実施例を記載する。これらの実施例は、説明するために記載するものであって、本発明を限定する目的で記載するものではない。
【実施例】
【０２６７】
実施例１：
公開された配列データベースの相同的配列の検索
相同性の程度を容易に計算することができる。相同性を決定するための好ましい方法は、試験した配列間の最も大きな一致を与える様に設計する。相同性を決定するための方法は、ＢｅｓｔＦｉｔ、ＢＬＡＳＴＰ、ＢＬＡＳＴＮおよびＦＡＳＴＡ等の公に入手可能なコンピュータプログラムである。ＢＬＡＳＴプログラムはＮＣＢＩからインターネットで公に入手可能である。
【０２６８】
５−ＨＴ６受容体について、BLASTアルゴリズムおよび以下のパラメータの組を用いて既知の配列に対する以下のヒットを同定した[Altschul et al. (1997)]：
マトリックス＝BLOSUM62および低複雑度フィルター。以下のデータベースを検索した： NCBI（非重複配列）およびDERWENT親データベース (Genes)。以下のヒットが見つかった：
【０２６９】
> refNM : _000871. 11 低複雑度フィルター5-ヒドロキシトリプタミン (セロトニン) 受容体６(HTR6),ｍＲＮＡ、長さ＝1984、ソース＝3249 bits (1639)、期待値＝0.0、同一性＝1639/1639 (100％), frame : + > gblL41147。1lHUM5HSRホモ・サピエンス ５−ＨＴ６セロトニン受容体 ｍＲＮＡ、完全ｃｄｓ、長さ＝1984、ソース＝3249 bits (1639),. Expect = 0.0、同一性＝1639/1639 (100％)、フレーム＝ + 
【０２７０】
> emblAX280825. 特許W00177172の11AX280825 配列448、長さ＝1323、ソース＝2607 bits (1315)、期待値＝0.0、同一性＝1321/1323 (99％), frame : + > NA2000: AAC72004 Aac72004、以下を含む一塩基多型、配列 &num;611. 2/2001、長さ＝803、ソース＝1588 bits (801)、期待値＝0.0、同一性＝802/803 (99％)、フレーム＝ + 
【０２７１】
> gblS62043. 1lS62043 セロトニン受容体 ５−ＨＴ６=ヒスタミン Ｈ２受容体 相同体[rats, striatum, ｍＲＮＡ,, 1929nt]、長さ＝1929、ソース＝1255 bits (633)、期待値＝0.0、同一性＝1070/1213 (88％)、ギャップ＝7/1213 (0％)、フレーム＝ + 
【０２７２】
> gblL19656. 1lRAT5HT ラットセロトニン受容体 (５−ＨＴ６受容体) ｍＲＮＡ, 完全ｃｄｓ、長さ＝1929、ソース＝1255 bits (633)、期待値＝0.0、同一性＝1070/1213 (88％)、ギャップ＝7/1213 (0％)、フレーム＝ + 
【０２７３】
実施例２: 
発現プロファイリング
融合タンパク質の発現は、１ｍＭ ＩＰＴＧを加えることにより誘導し、培養物１００ｍｌをさらに３〜４時間３７℃にてインキュベーションした。インキュベート後、誘導した細胞を５０００ｒｐｍ、４℃にて１５分間遠心分離(Ｈｅｒａｅｕｓ 蛍光遠心分離機)し、ペレットをＰＢＳ中にて洗浄した後、８Ｍ 尿素溶解緩衝液８ｍｌ中に再懸濁した。細胞を液体窒素に液沈して破壊し、３７℃で３回融解した(Qiagen, Hilden, Germany). 
。
【０２７４】
濃縮は、変性条件下にて、クローンテック社[Palo Alto, U.S.A.]のTALONスピン カラムにてIMAC システム(「Immobilized Metal Affinity Chromatography」)を用い、カラム内の樹脂をｐＨ８の８Ｍ 尿素溶解緩衝液の５倍量で別個に平衡化し、３０００ｒｐｍにて４℃で４分間沈降させた。
【０２７５】
１０倍量のｐＨ８の８Ｍ 尿素溶解緩衝液で３回洗浄し、再度遠心分離した。最後の洗浄工程の後に、ペレットを８Ｍ 尿素溶解緩衝液１ｍｌ中にとり、カラムにローディングするのに用いた；後者は、３倍量の８Ｍ 尿素溶解緩衝液で２回洗浄し、イミダゾール含有８Ｍ 尿素溶解緩衝液で溶出し、各々１５０μｌのいくつかの画分に分画した。画分中の融合タンパク質量を、ゲル分析及びＢｒａｄｆｏｒｄタンパク質測定法により測定する。プライマー 配列:プライマーl (配列番号3). ５−ＨＴ６受容体  プライマー 配列 プライマー2 (配列番号5). プローブl (配列番号4)ｐＲＥＳＴ Ｂベクターにおいて、発現は、バクテリオファージ Ｔ７のウィルスプロモーターにより制御されている。従って、クローニングは、Ｔ７ ＲＮＡポリメラーゼ遺伝子を有していないＸＬ１−Ｂｌｕｅ Ｅ. ｃｏｌｉ株にて行なった。次いで、この組換えプラスミドを、クロラムフェニコール耐性により安定化したプラスミドｐＡＣＹＣ１８４をさらに含み、かつＴ７ ＲＮＡポリメラーゼの天然のインヒビターであるＴ７リゾチームの発現量が少ない、Ｔ７ポリメラーゼ発現性ＢＬ２１(Ｄｅ３)ｐＬｙｓＳ大腸菌細胞中へ形質転換した。これらの細胞はｌａｃＵＶ５プロモーターの制御下にあるため、ＩＰＴＧ誘導によりＴ７ ＲＮＡポリメラーゼが発現し、その結果融合タンパク質を発現する。
【０２７６】
関連ＣＴ値の計算
1. PCR反応を設定して、各ｃＤＮＡについてハウスキーピング遺伝子を定量する
2. CTHKG-値（ハウスキーピング遺伝子についての閾サイクル）を、「核酸の定量」に記載のとおり計算する。 
3. ＣＴHKG-平均値（ｃＤＮＡについて試験したすべてのHKGのＣＴ平均値）を計算する（ｎ＝HKGの数）：
CTHKG-n−平均値＝ (CTHKG1-値＋CTHKG2-値... ＋CTHKG-ｎ−値／ｎ
4.CTpannel 平均値（試験したすべてのｃＤＮＡについてのすべてのＨＫＧのＣＴ平均値)
＝（CTHKG１−平均値＋CTHKG2-平均値＋...＋CTHKG-y-平均値）／ｙ
(ｙ＝ｃＤＮＡの数）
5.CFｃＤＮＡ-n (ｃＤＮＡ  ｎについて関連する因子）＝CTpanneal  平均値−CTHKG-n−平均値
6.CTｃＤＮＡ-n (ｃＤＮＡ  ｎについて試験した遺伝子のCT値）＋CFeDNA-n (ｃＤＮＡ  ｎについて関連する因子)＝CTeor-ｃＤＮＡ-n （ｃＤＮＡ  ｎに対する遺伝子についての関連ＣＴ値） 
【０２７７】
相対的発現の計算
定義：最も高いCTcor-ｃＤＮＡ-n≠４０をCTcor-ｃＤＮＡ [high] と定義する
相対的発現＝2(CTcor-ｃＤＮＡ[high]−CTcor-ｃＤＮＡ-n)
【０２７８】
ヒト組織
治療できる疼痛は、多発性硬化症、脊髄損傷、坐骨神経痛、背部手術失敗症候群、外傷性脳損傷、てんかん、パーキンソン病、卒中後、ならびに脳および脊髄の血管病変（例えば、梗塞、出血、血管奇形）といった中枢神経系疾患に随伴する疼痛を包含する。非中枢性神経障害性疼痛には、乳房切除後疼痛、反射性交感神経性ジストロフィー（ＲＳＤ）、三叉神経痛、radioculopathy、手術後疼痛、ＨＩＶ／ＡＩＤＳ関連疼痛、癌の疼痛、代謝性神経障害（例えば糖尿病性神経障害）、脈管炎神経障害（例えば、結合組織疾患に続発性の）、腫瘍随伴性多発神経障害（例えば肺の癌腫、または白血病、またはリンパ腫、または前立腺、大腸もしくは胃の癌腫に随伴）、ならびにヘルペス後神経痛および慢性炎症性疼痛がある。癌および癌治療に随伴する疼痛もまた治療可能であり、頭痛（例えば、アウラを伴う片頭痛、アウラを伴わない片頭痛、およびその他の片頭痛疾患）、エピソード的および慢性緊張性頭痛、緊張性様頭痛、群発頭痛、および慢性発作性片頭痛もまた治療できる。ＣｙｓＬＴ２様ＧＰＣＲの調節により、さらに、内臓痛、例えば膵炎、腸管性膀胱炎、月経困難症、過敏性腸症候群、クローン病、胆石疝痛、尿管疝痛、心筋梗塞および骨盤腔の疼痛症候群、例えばヴァルボディニア、精巣痛、尿道神経症およびprotatodyniaを治療することができる。
【０２７９】
発現プロファイル
ｍＲＮＡの定量（発現プロファイル）の結果を以下の表１に示す。
［表１］
様々なヒト組織における５−ＨＴ６受容体の相対的発現
組織                          相対的発現
胎児心臓                             0
心臓                                81
心膜                                53
心房(右)                             0
心房(左)                          2336
心室(左)                           803
心室間隔壁                           0
大動脈                            1003
硬化大動脈                        1184
動脈                               383
静脈                                39
冠動脈平滑筋一次細胞                93
HUVEC細胞                           22
胎児脳                              28
脳                                 169
アルツハイマー脳                    75
小脳                                47
小脳(右)                           564
小脳(左)                          2469
大脳皮質                           826
アルツハイマー大脳皮質              95
前頭葉                              96
アルツハイマー脳前頭葉             498
後頭葉                             286
頭頂葉                            2336
側頭葉                             501
中心前回                          1629
中心後回                          5634
小脳扁桃                            52
小脳虫部                            22
脳橋                                 0
脳髄膜                            2106
大脳脚                               0
脳梁                                10
海馬                               820
視床                              6165
後根神経節                        6841
脊髄                                 0
網膜                                 0
食堂                              1152
胃                                   0
大腸                                 0
大腸癌                              52
小腸                                 0
回腸慢性炎症                       765
直腸                              1710
子宮頸                            1783
精巣                                14
前立腺                               0
前立腺BPH                          440
HeLa細胞(子宮頸癌)                   0
胎盤                                 0
子宮                                12
膀胱                                 0
陰茎                              1698
白血球（末梢血）                    20
Jurkat(T細胞)                        0
骨髄                                 0
赤血球                            2006
リンパ球                          1783
胸腺                                 0
血小板                             474
胎児腎臓                            80
腎臓                                 0
HEK293細胞                          12
脾臓                                 0
脾臓肝硬変                           0
膵臓                                 0
膵臓肝硬変                           0
胎児肝臓                             0
肝臓                                 0
肝臓肝硬変                         123
HEPG2細胞                           30
骨格筋                               3
皮膚                                 0
脂肪                               232
胎児肺                               1
肺                                   0
肺癌                               440
肺COPD                            1261
気管                                 0
副腎                                 0
唾液腺                               0
甲状腺                               0
甲状腺癌                             0
乳房                                 0
乳癌                               413
MDAMB231細胞(乳癌)                   3
乳腺                                 0
【０２８０】
実施例３: アンチセンス解析
被験化合物を、５−ＨＴ６受容体発現構築物でトランスフェクトしたヒト細胞培養に投与し、３７℃で１０〜４５分間、インキュベートする。トランスフェクトしていない同じタイプの細胞培養を、被験化合物を加えず、同じ時間インキュベートし、ネガティブコントロールとする。
【０２８１】
ＲＮＡを、Chirgwinら、Biochem. 18, 5294-99,1979に記載のように２つの培養物から単離する。ノーザンブロットを全ＲＮＡ２０〜３０μｇを用いて調製し、エクスプレスハイブ(Expresshyb)（CLONTECH）中６５℃にて、３２Ｐ−標識化５−ＨＴ６受容体特異的プローブを用いてハイブリダイズさせる。このプローブは配列番号１の相補物より選ばれる少なくとも１１個の連続ヌクレオチドを包含する。被験化合物の非存在下にて得られるシグナルと比較して、５−ＨＴ６受容体特異的シグナルを低下させる被験化合物を、５−ＨＴ６受容体遺伝子発現のインヒビターとして同定する。
【０２８２】
実施例４:
５−ＨＴ６受容体の発現
ヒト５−ＨＴ６受容体活性を低下させる被験化合物の同定
ヒト大腸癌細胞株ＨＣＴ１１６から得た細胞抽出物を、小分子ライブラリー由来の被験化合物と接触させ、ヒト５−ＨＴ６受容体活性について検定する。被験化合物が存在しないコントロール抽出物も検定する。コントロール抽出物と比較して５−ＨＴ６受容体活性をすくなくとも２０％低下させる被験化合物を、５−ＨＴ６受容体インヒビターとして同定する。
【０２８３】
配列番号１および９の相補物より選択される少なくとも１１個の連続ヌクレオチドを含むアンチセンスヒト５−ＨＴ６受容体オリゴヌクレオチドの合成は、ホスホロアミダイト手順を用いて、ファルマシア ジーン アセンブリー シリーズ シンセサイザー(Pharmacia Gene Assembler series synthesizer）にて実施する（Uhlmannら、Chem. Rev. 90, 534-83, 1990を参照のこと)。アセンブリーおよび脱保護に続き、オリゴヌクレオチドを２度エタノール沈殿させ、乾燥させ、そしてリン酸緩衝生理食塩水（ＰＢＳ）中に所望の濃度に懸濁する。これらのオリゴヌクレオチドの純度は、キャピラリーゲル電気泳動及びイオン交換ＨＰＬＣにより試験する。オリゴヌクレオチド調製のエンドトキシンレベルは、リムルスアメーバ様検定（Limulus Amebocyte Assay）(Bang, Biol. Bull. (Woods Hole, Mass.) 105, 361-362, 1953) を用いて決定する。
【０２８４】
ＢＡＬＢ／ｃマウスに１０μｇの１４５−２Ｃ１１（精製ハムスター抗マウスＣＤ３モノクローナル抗体、PHARMINGEN）を１回静脈内注射する。抗ＣＤ３ ｍＡｂ注射の６０分前に化合物を腹腔内投与する。抗体注射の９０分後に採血する。３０００ｒ.ｐ.ｍで１０分間の遠心分離によって血清を得る。ＩＬ−２およびＩＬ−４などのサイトカインまたは他の分泌分子の血清レベルをＥＬＩＳＡによって決定する。このモデルではＣＤ３下流シグナル伝達を調節するタンパク質を評価することができる。ＬＰＳ注射の９０分後に採血し、血漿を得る。ＥＬＩＳＡキットを使って試料中のＴＮＦ−α濃度を決定する。ＬＰＳ刺激の下流効果、例えばＮＦ−κＢ活性化などを調節するタンパク質を評価することができる。
【０２８５】
実施例５: 組換え５−ＨＴ６受容体の単離
ピキア パストリス(Pichia pastoris)発現ベクターｐＰＩＣＺＢ(Invitrogen, San Diego, CA) を用いて、大量の組換えヒト５−ＨＴ６受容体ポリペプチドを酵母中に生産させる。５−ＨＴ６受容体コード化ＤＮＡ配列は配列番号１から誘導する。ベクターｐＰＩＣＺＢ中に挿入する前に、ＤＮＡ配列を、その５'端に開始コドン、及び３'端にエンテロキナーゼ開列部位、Ｈｉｓ６レポータータグや終止コドンを含ませるといった周知の方法によって修飾する。さらに、その両末端に制限エンドヌクレアーゼの認識配列を加え、対応する制限酵素を用いてｐＰＩＣＺＢのマルチクローニングサイトを消化した後に、修飾ＤＮＡ配列をｐＰＩＣＺＢ中にライゲートする。この発現ベクターは、ピキア パストリスにて酵母プロモーターにより誘導される誘導性発現用に設計する。得られたｐＰＩＣＺ／ｍｄ−Ｈｉｓ６ベクターを用いて、酵母を形質転換する。
【０２８６】
実施例６:キメラＧＰＣＲ機能の試験
−６日目および−３日目に、ＢＡＬＢ／ｃマウスに２.５ｍｌの空気を皮内注射して、空気嚢を作る。０日目に化合物を腹腔内投与し、３０分後にＩＬ−５（３００ｎｇ／マウス）を静脈内注射する。さらに３０分経ってから、エオタキシンを注射（３μg／マウス、i.d.）する。エオタキシン注射の４時間後に空気嚢中の白血球を収集し、総細胞数を数える。メイ-グリュンワルド・ギムザ溶液での染色によって滲出物中の細胞分画を行なう。エオタキシン受容体によるシグナル伝達を調節するタンパク質または好酸球輸送を調節するタンパク質を評価することができる。
【０２８７】
６週齢の雄ウィスターラットを、浅麻酔下に、５０μｌの０.１μｇ／ｍｌマウス抗ＤＮＰ ＩｇＥモノクローナル抗体（ＳＰＥ−７）で、剃毛した背部の皮内（ｉ.ｄ.）に感作する。２４時間後に、０.６ｍｇのＤＮＰ−ＢＳＡ（３０）（LSL CO., LTD）および０.００５ｇのエバンスブルーを含む食塩水１ｍｌを、ラットの静脈内に抗原投与する。抗原注射の０.５時間前に化合物を腹腔内（ｉ.ｐ.）注射する。感作、抗原投与および化合物処置を受けていないラットをコントロールとして使用し、感作、抗原投与および賦形剤処置を受けたラットを使って、阻害がない場合の値を決定する。抗原投与の３０分後にラットを屠殺し、背部の皮膚を採取する。皮膚中のエバンスブルー色素をホルムアミド中に６３℃で一晩抽出する。次に６２０ｎｍでの吸光度を測定して、漏出した色素の光学密度を得る。
【０２８８】
ホスホロチオエートオリゴリボヌクレオチドはホスホロアミダート化学を使用して、Applied  Biosystemsモデル380B DNAシンセサイザー上で合成した。24の基礎のシーケンスは試験・オリゴヌクレオチドとして使用した:（１）5'-TGG TTT CGT AAA TGA CCA TAA ATA-3'(配列番号2、10および11の位置1〜24でのヌクレオチドに相補的)。コントロールとして、別の(ランダム)シーケンスを使用した:5'-TCA ACT GAC TAG ATG TAC ATG GAC-3'。オリゴヌクレオチドは2度エタノール沈殿した、乾燥した、またリン酸塩を留去した、バッファーした。オリゴヌクレオチドの精製は、キャピラリーゲル電気泳動およびイオン交換HPLCによって試験した。精製されたオリゴヌクレオチドは、10 uMの濃度で培地に加えられた。
【０２８９】
7日の間の試験・オリゴヌクレオチドの追加は、ウェスタンブロッティングにより決定されるような蛋白質キナーゼのようなヒトスフィンゴシンの著しく縮小された発現に帰着した。この結果はコントロール・オリゴヌクレオチドで観察されなかった。3〜7日後に、培養細胞中の細胞の数は細胞カウンターを使用して数えた。試験オリゴヌクレオチド(100％として発現された)で処理した培養細胞中の細胞の数は、対照オリゴヌクレオチドで処理した培養細胞中の細胞の数と比較した。試験オリゴヌクレオチドで処理した培養細胞中の細胞の数は、ヒトスフィンゴシンの阻止が蛋白質キナーゼのように癌細胞に反増殖の効果があることを示して、対照の最高30％であった。
【０２９０】
Higuchiら、1992年、Higuchiら、1993.に記述された、定量的の合成酵素連鎖反応(PCR)分析に最初に基づき、PCRの指数関数的な過程内の所定の、産物の量がテンプレート・コピーの初期の数に比例する。この技術の使用、特別の遺伝子の発現レベル、メッセンジャーRNA(ｍＲＮＡ)として染色体から転写される、ｍＲＮＡのDNAコピー(ｃＤＮＡ)を最初に作り、次に、ｃＤＮＡ上で量的PCRを実行することにより測定される、量的逆の転写合成酵素連鎖反応(量的RT-PCR)を行った。
【０２９１】
BALB/cハツカラットは、145の2C11(精製ハムスター抗マウスCD3モノクローナル抗体, PHARMINGEN)の10のAgの単一の静脈注射を注入した。化合物は、反CD3 mAb注入に先立って腹腔内で60分処理した。血液は、抗体注入の後に90分集めた。血清を3000 rで遠心分離によって得た。
【０２９２】
実施例７:５−ＨＴ６受容体特異的抗体の産生
接着細胞系ＣＯＳ−７やＨＥＫ−２９３は、１１０ｍｍ組織培養皿 [Greiner, Solingen]にて、１０ｍＬの培地中、３７℃、５％ＣＯ2及び９５％湿度で培養した。培養細胞は、ＤＭＥＭ培地中でＣＯＳ−７およびＨＥＫ−２９３細胞を培養することにより維持した。３.０２４ ｇ／ｌ ＮａＨＣＯ3、１０％ ＦＣＳ、５０Ｕ／ｍｌペニシリン及び５０μｇ／ｍＬ ストレプトマイシンを含む培地を使用前に３７℃に温めた。ＣＯＳ−７の前培養について、それらを４℃で２時間保存した後、細胞スクレイパーを用いて機械的に培養皿から分離した。ガラスピペットを用いて、ＨＥＫ−２９３細胞を培養皿の底から直接分離できた。
【０２９３】
Roche Molecular Biochemicals (Mannheim)の非リポソームトランスフェクション試薬FuGENE 6を、動物細胞内へ外来ＤＮＡを一過的に導入するために用いた(Kurachiら、1998)。この目的のため、１％ゼラチンでコーティングした滅菌ガラススライドを後の共焦点レーザースキャンニング顕微鏡のために設置した３５ｍｍ 組織培養皿に、培地２ｍｌ中の約０.５〜１.５× １０5個の細胞を置いた。細胞を、３７℃で５％ ＣＯ2及び９５％湿度にて一晩培養した。培地をトランスフェクトの前に再度交換した。トランスフェクションのために、FuGENE6 [Roche Molecular Biochemicals] ３μｌを血清不含培地９７μｌ中に希釈し、各反応混合物について５分間室温でインキュベーションした。
【０２９４】
各混合物につき、プラスミド−ＤＮＡ２μｇ(０.５〜１μｇ／μｌ)に、希釈したＦｕＧＥＮＥ ６の一部１００μｌをピペッティングして滴下し、慎重に混合した後、室温でさらに１５分間インキュベーションした。その後、完全反応混合物を細胞に滴加して、トランスフェクト混合物を、皿をゆっくり回転させて均一に分配した。培地を交換せずに、細胞をさらに１〜２日間培養した。以下の３つのネガティブコントロール(陰性対照)を、各トランスフェクションに必ず入れた：３５ｍｍ 組織培養皿に０.５〜１.５×１０6細胞を入れトランスフェクトしない、第２の培養皿はＤＮＡをトランスフェクション混合物に加えるが、ＦｕＧＥＮＥ ６は添加しない、そして第３の培養皿には、ＦｕＧＥＮＥ ６を添加するがＤＮＡは添加しない。
【０２９５】
安定なトランスフェクションについては、所望のプラスミドＨＣ１１０−Ｒを、若干の修飾を加えた発現ベクターpSecTag A [Invitrogen, Leek, NL] 又はpIRESneo [Clontech, Palo Alto, U.S.A.]中へ正しいリーディングフレームでクローニングした。これらのベクターは、マーカーとして耐性遺伝子を有し、その結果、ゼオシン(Zeocin)及びＧ４１８又はブレオマイシン ４８を一過性トランスフェクションの７２時間後およびその後の培地の各交換時にそれぞれ加えた時に、恒常的に耐性遺伝子産物を発現するトランスフェクに成功した細胞のみが生き残る。Ｚｅｏｃｉｎ又はＧ４１８含有選択培地の最適な濃度は、それぞれの細胞系の希釈系列を設定することで予め決定される。
【０２９６】
実施例８：５−ＨＴ６受容体特異的抗体を用いた診断試験
ＨＣ１１０−Ｒタンパク質をＧＦＰ（緑色蛍光タンパク質）にＣ末端連結させるため、ＨＣ１１０−Ｒ ＤＮＡの完全コード化領域を、ｐＥＧＦＰ−Ｎ３のＨｉｎｄＩＩＩ／ＳａｌＩサイトにクローニングした。 １３７ｋＤａ融合タンパク質は、一過的にトランスフェクションした組換え細胞系において発現させ、ウェスタンブロット分析により実証することができる。ＣＬＳＭ（共焦点レーザースクリーニング顕微鏡）により、ＨＣ１１０−Ｒ−ＧＦＰ融合タンパク質がＣＯＳ−７及びＨＥＫ−２９３細胞の細胞質内に存在し、より小さい程度で、細胞質膜上にも局在化していることが示される。  Leica CLSM付属TCS NT (「共焦点レーザースキャンニング顕微鏡」、Leica Lasertechnik, Heidelberg)、バージョン1.5.451を備えたZeiss IM 35顕微鏡(Zeiss, Oberkochen)を、共焦点レーザースキャンニング顕微鏡に用いた。
【０２９７】
GFPタンパク質の蛍光及び蛍光色素 イソチオシアン酸フルオロセインの蛍光はアルゴンレーザーを用いて488nmにて励起され、ローダミン、Texasレッド、フィコエリトリン、Alexa 568、LysoTrackerTMRed DND-99、MitoTrackerTMRed CMX Ros及びヨウ化プロピジウムはクリプトンレーザーを用いて５６８ｎｍにて励起した。細胞を透過する光学分画のＺシリーズは、１０２４×１０２４ピクセルの分解能で厚さ０.５μｍをスキャンした(Gieseら、1995)。評価は、AVSソフトウェアー(Advanced Visual Systems Inc., Ｗaltham, MA, U.S.A.)を用いて行なわれ、後者はウィンドウズ用のAdobe Photoshop 5.0およびCorel Draw 8.0を用いて後に行なった。
【０２９８】
実施例９:天然５−ＨＴ６受容体の精製
酸性オルガネラを標識するためのプローブLysotrackerTMを用いて示されるように、融合タンパク質は酸リソソームに特に局在する。HC110-Rタンパク質を含む粒子は、核酸付近で数の増加が見られた。
【０２９９】
１μＭ Ｆｕｒａ−２−アセトキシメチルエステル (Fura-2 ／ AM) (Sigma, Deisenhofen) を用いた細胞のローディングは、３７℃、５％ ＣＯ2及び９５％湿度で、３０分間、Ｎａ+−ＨＢＳ 溶液 (水中、１５０ ｍＭ ＮａＣｌ; ５.４ ｍＭ ＫＣｌ; １.８ ｍＭ ＣａＣｌ2; ０.８ ｍＭ ＭｇＳＯ4. ７ Ｈ2Ｏ; ２０ ｍＭ フルコース; ２０ ｍＭ ヘペス(Ｈｅｐｅｓ), ｐＨ ７.３) 中にてトランスフェクションした４８時間後に行なった。
【０３００】
インキュベート後にＦｕｒａ−２／ＡＭと共にローディングした細胞を、倒立顕微鏡(Zeiss, Axiovert, Germany)の下で、及びそれと平行して、デジタルイメージング蛍光顕微鏡(ＰＴＩ)の下で試験し、４４０ｎｍと４９０ｎｍそれぞれの波長でトランスフェクト細胞と、非トランスフェクト細胞を区別した。平均して、５〜７のトランスフェクト細胞及び非トランスフェクト細胞は、ＲＯＩ（目的領域）を固定化することで、選択した。吸光は３４０ｎｍ（カルシウム結合Ｆｕｒａ−２／ＡＭ）と、３８０ｎｍ（遊離Ｆｕｒａ−２／ＡＭ）にて測定され、発光は５１０ｎｍにて測定された。イメージマスター(Image Master) 1×ソフトウェアーを用いて、加えた試薬の機能としての３４０:５１０ｎｍ、３８０:５１０ｎｍ及び３４０／３８０:５１０ｎｍの比率の商 (バックグラウンド補正した画像)を形成することで、評価した。
【０３０１】
試薬は、常に、Ｎａ+ ＨＢＳ緩衝液の適当量を取り測定を開始した６分後に加え、さらに３０〜５０分間、試料容器中に直接ピペッティングする。試料容器中の全量を、実験を通じて１.５ｍｌと一定にした。細胞を器具に導入した後、７５ｎＭ α−ＬＴＸをさらにそれらに実験開始の６分後に添加した。最適なα−ＬＴＸ濃度 ７５ｎＭを、Ｃ−末端ＧＦＰタグを有するβ2−アドレナリン作動性受容体(β2−Ｒ−ＧＦＰ)を発現するＨＥＫ−２９３細胞にて試験した。ＣｄＣｌ2（それぞれの場合に１μＭ及び１０μＭ）をＮａ+ ＨＢＳ中に溶解し、ニフェジピン(１５μＭ)及びＥＧＴＡ(２ｍＭ)を０.１％ ＤＭＳＯ中に溶解した。ＣｄＣｌ2及びニフェジピンを実験開始時にすぐ加え、次いでα−ＬＴＸを加え、そしてＥＧＴＡを実験の開始時とα−ＬＴＸの添加の４分後の両方で加えた。溶解α−ＬＴＸは、５０ｍＭ トリス−ＨＣｌ中で濃度３００ｎＭにて存在する；ＢＡＹ４４−４４００は最初、純粋なＤＭＳＯ中に溶解した（ストック溶液は０.００４〜１０μｇ／ｍＬ）。ストック溶液は、Ｎａ+ ＨＢＳ緩衝液中にて所望の濃度に調整した。最終濃度０.１％ ＤＭＳＯに溶解した活性物質ＢＡＹ４４−４４００の最大量は、Ｎａ+ ＨＢＳにおける希釈系列を行なって見出した。０.１％ ＤＭＳＯ及びそのたの被験成分のいずれもが、Ｆｕｒａ−２／ＡＭと選択した濃度では相互作用しなかった。
【０３０２】
実施例１０:薬物スクリーニング
この新たに発見されたポリペプチドに対するアゴニストまたはアンタゴニストは、破骨細胞の分化、破骨細胞の骨マトリックスへの付着、または破骨細胞が骨マトリックスを分解する機能を直接変化させることにより、抗再吸収物質として作用し得る。このアゴニストまたはアンタゴニストは、破骨細胞の分化または機能のエフェクター分子、例えばサイトカイン、ペプチドもしくはステロイドホルモン、プロテアーゼなどの合成および／または修飾を妨害することにより、破骨細胞の機能を間接的に変える。この新たに発見されたポリペプチドに対するアゴニストまたはアンタゴニストは、骨芽細胞の分化および／またはその骨マトリックス形成機能を直接増強することにより、同化物質として作用し得る。このアゴニストまたはアンタゴニストはさらに、成長因子、ペプチドまたはステロイドホルモンの合成を増強することにより、または阻害分子の合成を低下させることにより、破骨細胞の機能を間接的に変化させることができる。
【０３０３】
常套的療法に伴う問題の故に、代替治療戦略が評価されている。グリコホリンＡ（Chu and Sharom, Cell.Immunol. 145,223-39,1992）、シクロスポリン（Alexander et al., Lancet 339,324-28,1992）、およびＩＬ−２のノナペプチド断片（Zav'yalov et al., Immunol.Lett. 31,285-88,1992）は全てインターロイキン−２依存性Ｔリンパ球増殖を阻害する。ところがこれらは他の多くの効果を有することが分かっている。例えば、シクロスポリンは臓器移植後の免疫抑制に使用する。これらの物質は、喘息治療でステロイドの代替薬となり得る一方で、インターロイキン−２依存性Ｔリンパ球増殖を阻害し、ホメオスタシスに関連する重要な免疫機能を阻害する可能性がある。気管支収縮の仲介物質の放出または活性を遮断するその他の治療、例えばクロモンまたは抗ロイコトリエンが近年軽度喘息の治療に導入されているが、これらは高価で全ての患者に有効という訳ではなく、またこれらが喘息の炎症に伴う慢性変化に何らかの効果を有するかどうかは不明である。当分野で必要とされるのは、喘息の発現にとって重要な経路で作用することができ、該疾患のエピソード的発作を遮断して、患者を免疫無防備状態とすることなく専ら活動過多なアレルギー免疫反応を低下させ得る治療の同定である。
【０３０４】
幾つかの５−ＨＴ６受容体の活性化は逆に喘息において有益な効果を持っている。例えば、β１−およびβ２−アドレナリン作動性５−ＨＴ６受容体を活性化するレセプターアゴニストは、喘息発作の治療の際、収縮した気道平滑筋を弛緩させるために治療的に使用される。このように、正または負のやり方での５−ＨＴ６受容体の調節が、喘息治療において重要な役割を果たし得る。本発明はさらに、上記のスクリーニング検定により同定する新規物質の使用に関するものである。したがって、本明細書に記載のように定義する被験化合物を適当な動物モデルに使用することが、本発明の範囲内にある。
【０３０５】
例えば、本明細書記載のように特定する物質（例えば、調節物質、アンチセンス核酸分子、特異抗体、リボザイム、または５−ＨＴ６受容体結合分子）を動物モデルに使用して、係る物質による治療の有効性、毒性、または副作用を決定することができる。これとは別に、本明細書に記載のように定義する物質は、係る物質の作用機構を決定するための動物モデルに使用できる。さらに、本発明は、本明細書記載の治療のための上記スクリーニング検定により同定する新規物質の用途・使用に関するものである。
【０３０６】
実施例１１:合理的薬物設計
合理的薬物設計の目的は、本発明の生物学的に活性なポリペプチドの構造的類縁体またはそれらが相互作用する小分子、アゴニスト, アンタゴニスト,または阻害剤を製造することである。これらの例はいずれも。ポリペプチドのより活性なまたは安定な形態または in vivo でポリペプチドの機能を増大または相互作用する薬物を設計するために使用される。
【０３０７】
差次的発現遺伝子を同定するには、全ＲＮＡか、好ましくはｍＲＮＡを、関心ある組織から単離する。例えば、実験被験体の組織と、対照被験体の対応する組織とから、ＲＮＡ試料を得る。そのようなＲＮＡ試料の精製には、ｍＲＮＡの単離を妨げるような選択をしない任意のＲＮＡ単離技術を利用してよい。例えばAusubelら編「CURRENT PROTOCOLS IN MOLECULAR BIOLOGY」（John Wiley & Sons,Inc.,ニューヨーク,1987-1993）を参照されたい。当業者に周知の技術、例えばChomczynskiの米国特許第4,843,155号の一段階ＲＮＡ単離法などを使って、多数の組織試料を容易に処理することができる。
【０３０８】
差次的発現情報そのものからは、ヒト５−ＨＴ６受容体が関与する障害を処置するための関連方法が示唆されるかもしれない。例えば、処置には、差次的発現遺伝子および/またはヒト５−ＨＴ６受容体をコードする遺伝子の発現の調整が含まれるかもしれない。差次的発現情報により、差次的に発現する遺伝子もしくは遺伝子産物またはヒト５−ＨＴ６受容体遺伝子もしくは遺伝子産物の発現または活性がアップレギュレートされるかダウンレギュレートされるかが、わかるかもしない。
【０３０９】
上記のいずれの態様においても、本発明に係る任意の医薬組成物は他の適当な治療薬と組み合わせて投与できる。併用療法に使用するための適当な物質の選択は、常套的製薬原理に従い、当業者により実施することができる。治療薬の組み合わせは、相乗的に働いて、上記の様々な疾患の治療または予防を奏効させる。このアプローチを用いて、より低い各物質の用量で治療効果を達成することができ、したがって有害な副作用の可能性を低減することができる。
【０３１０】
実施例１２：シグナル伝達複合体の他のメンバーの同定
本発明の精製された５−ＨＴ６受容体は、Gタンパク質または他のシグナル伝達経路のタンパク質の同定、キャラクタリぜーションおよび精製のための検索ツールである。放射能標識を、当分野で周知の様々な方法により、選択した５−ＨＴ６受容体ドメインに導入して用い、相互作用する分子を捕捉する。好ましい方法としては、125ＩBolton-Hunter試薬による、５−ＨＴ６受容体における第一級アミン基の標識である。この試薬は、付随する生物学的活性の消失なしに様々な分子を標識するために用いられている。 
【０３１１】
この試薬が一本鎖抗体である場合、この抗体をコードしているポリヌクレオチドを組み立て、トランスフェリン−ポリカチオン−媒介ＤＮＡ転移、裸のまたはカプセル内核酸を用いるトランスフェクション、リポソームの媒介する細胞融合、ＤＮＡ被覆ラテックスビーズの細胞内輸送、プロトプラスト融合、ウイルス感染、電気穿孔、「遺伝子銃」、およびＤＥＡＥ−または燐酸カルシウム−媒介トランスフェクションを包含する（但しこれらに限定される訳ではない）充分確立した技術を用いて、ex vivoまたはインビボで細胞内に導入できる。
【０３１２】
治療的有効量の決定は、充分当業者の能力の範囲内にある。治療的有効量とは、治療的有効量の不在下で起こる５−ＨＴ６に比較して５−ＨＴ６を増大させまたは低下させる活性成分の量を指す。
【０３１３】
実施例１３：抗体、阻害剤またはアンタゴニストの使用および投与
シグナル伝達の抑制剤（ＬＳＴ）である５−ＨＴ６受容体の抗体、阻害剤またはアンタゴニストまたは他の治療物質および化合物治療的に投与した場合、種々の効果をもたらす。LSTは、非毒性の、不活性な製薬的に許容し得る水性担体媒体中で、好ましくは約５〜８、より好ましくはpH６〜８で形成されるが、pHは、形成する抗体, 阻害剤またはアンタゴニストの特性および処置される状態にしたがって変更することができる。LSTの特性としては、分子の可溶性、その半減期および抗原性／免疫原性が挙げられる。これらのおよびその他の特性は、有効な担体の定義の助けとなる。天然のヒトタンパク質は、LSTとして好ましいが、薬物スクリーニングからスクリーニングされた有機または合成分子は、特定の状況においては同様に有効である。 
【０３１４】
LSTは、局所クリームおよびゲル；経粘膜スプレーおよびエアゾール；経皮パッチおよびバンデージ、注射用、静脈および洗浄製剤；および特に胃酸と酵素に耐えるように製剤化された経口投与液剤および丸剤が挙げられるがこれに限定されない、既知の投与経路によって送達することができる。具体的な製剤、詳細な用量および投与経路は主治医が決定し、それぞれの具体的な状況にしたがって変化する。
【０３１５】
そのような決定は、処置される状態、投与されるＬＳＴ、および具体的なＬＳＴの薬理学的プロフィール、によってなされる。さらに、疾患の重篤度療、患者の年齢、体重、性別および食事、ＬＳＴ投与の頻度、他の薬物の可能性のある組合せ、反応感受性、および治療に対する許容度／応答を含むさらなる要素も考慮に入れる。長期間作用するＬＳＴ製剤は、具体的なＬＳＴの半減期およびクリアランス速度によって、３〜４日、毎週、または２週間に１回投与することができる
【０３１６】
正常な適量量は、投与経路に依存して０．１〜１０5μgの範囲で変化し、約1gまでである。送達の特定の適量そして方法に関する指針は文献に記載されている：米国特許第4,657760；5,206 344; 5,225212参照。当業者は、異なるＬＳＴについて種々の公式を用いる。神経細胞のような細胞への投与は、血管内皮細胞等の他の細胞とは異なった手段で行われる。
【０３１７】
異常なシグナル伝達、外傷を誘発する疾患がLSTにより治療可能である。これらの病的状態は上に論議される試験によって診断され、そのようなテストはウイルス、細菌、真菌感染、アレルギーの応答、外傷、遺伝性の病気、白血病、癌、リンパ節等の組織の遺伝子を活動化させる状態と関連付けられる機能傷害の疑われた場合に行われる。
【０３１８】
実施例１４：非ヒトトランスジェニック動物の作製
５−ＨＴ６受容体遺伝子発現のレベルは、全ての組織で比較的一定していると考えられており（Adamsら、1993, Adamsら、1995, Liewら、1994）、それ故ｃＤＮＡの合成工程に用いられる全ＲＮＡｍｕ.ｇ当たりの、細胞の適当な相対数に対する目盛として用いることができる。わずかに異なる組みの５−ＨＴ６受容体を用いること、および発現レベルを測定するのにライトサイクラー系を用いることを除けば、標準化法はＲＮＡ Master Blot User Mamual, Apendix C（1997, Clontech Laboratories, Palo Alto, CA, USA）に記載のものと実質的に同様であった。簡潔に述べると、全ての組織試料における５つの５−ＨＴ６受容体の発現レベルを、LightCyclerと一定量の出発ＲＮＡ（２５μｇ）を用いて遺伝子当たり、独立した３回の反応で測定した。同時に反応させた既知濃度標準と比較して得られた各々の遺伝子について計算されたコピー数を記録し、全組織サンプルにおける各遺伝子コピー数の平均値を求めた。次いで、各組織サンプルについて、平均に対する各ハウスキーピング遺伝子の発現を計算し、５−ＨＴ６受容体についてこれら数値の平均を求めた。次いで、各数値についての標準化因子を、標準として任意に選択した組織の１つについての最終値を、組織のそれぞれについての対応する数値で割ることにより計算した。組織サンプルにおいて特定の遺伝子の発現について実験的に得られた数値を標準化するために、得られた数値に、試験した組織の標準化因子を乗じた。組織が活性化されているか否かよっていくつかのハウスキーピング遺伝子において劇的な変動を示すヒト血液画分ＭＴＣパネルから得られるものを除き、この標準化法をすべての組織に用いた。これらの組織では、５−ＨＴ６受容体遺伝子、即ちβ−２−ミクログロブリンを用いて標準化を行った。
【０３１９】
例として、マウスについて、トランスジェニック動物を作製するために利用できる手段は次の通りである：雌性マウスを交尾させ得られた受精卵を輸卵管から採取する。受精卵を塩化セシウムM2培地等の適切な媒体で保存する。５−ＨＴ６受容体をコードするＤＮＡまたはｃＤＮＡを当業者に周知の方法によりベクターから精製する。導入プロモーターをＤＮＡのコード領域に融合して、導入遺伝子の調節するための実験手段を提供することができる。あるいはまたはさらに、組織特異的調節エレメントをコード領域に融合して遺伝子の組織特異的発現を可能にすることができる。DNA は、適切に緩衝化された溶液中で、マイクロ注射針に吸い込み（piper pullerを用いてキャピラリーチューブから作製してもよい）、注入する卵を凹みを付けたスライドに置く。針を卵の生殖核に挿入し、ＤＮＡ溶液を注入する。注入された卵は、偽妊娠マウスの卵管に移し、偽妊娠を維持するために適切なホルモンによって刺激し、卵を子宮へと進ませ、着床させ、期間がくるまで生育させる。上に記載したように、マイクロインジェクションは卵にDNA を挿入する為の唯一の方法でないが、単に例示的な目的でここに使用する。
【０３２０】
参考文献
米国特許第4,522,811号公報
米国特許第4,683,195号公報
米国特許第4,800,195号公報
米国特許第4,965,188号公報
米国特許第5,223,409号公報
米国特許第5,283,317号公報
米国特許第5,403,484号公報
米国特許第5,565,332号公報
米国特許第5,571,698号公報
米国特許第5,641,673号公報
ＷＯ84/03564号公報
ＷＯ92/01810号公報
ＷＯ93/03151号公報
ＷＯ94/13804号公報
ＷＯ01/04297号公報
Agrawal et al., Trends Biotechnol. 10, 152-158,1992
Altschul SF, Madden TL, Schaffer AA, Zhang J, Zhang Z, Miller W, Lipman DJ ;Nucleic Acids Res 1997 Sep 1; 25 (17): 3389-402
Appa Rao KB, Garg LC, Panda AK, Totey SM; Protein Expr Purif 1997 Nov; 11 （２）:201-8
Barnes, P. J. Mechanisms in COPD. Differences from asthma. Chest 2000,
117: 10S14S
Bartel et al., BioTechniques 14, 920-924,1993
Becker-Andre, M., Meth. Mol. CellBiol. 2: 189-201 (1991)
Botstein D, W. R., Skolnick M, Davis R W., Am J Hum Genet. 32: 314-31,1980. 
Burton, Proc. Natl. Acad. Sci. 88, 11120-23,1991
Carell et al. (1994) Angew. Chem. Int. Ed. Engl. 33: 2061; and Gallop et al. (1994) J. Med. Chem. 37: 1233
Carrell et al. (1994) Angew. Chem. Int. Ed. Engl. 33: 2059
Caruthers et al., Nucl. Acids Res. Symp Ser. 215-223,1980
Cawkwell L, B. S., Lewis F A, Dixon M F, Taylor G R, Quirke P, Br J Cancer. 67:1262-7,1993. 
Cech, Science 236, 1532-1539; 1987
Cech, Ann. Rev. Biochem. 59, 543-568; 1990
Cech,Curr. Opin. Struct.Biol. 2,605-609 ; 1992
Cho et al. (1993) Science 261: 1303
Colbere-Garapin et al., J. Mol. Biol. I50, 1-14,1981
Cole et al., Mol. Cell Biol. 62, 109-120, 1984 
Coruzzietal., EMBOR 3,1671-1680, 1984 
Cote et al., Proc. Natl. Acad. Sci. 80, 2026-2030; 1983 
Couture & Stinchcomb, Trends Genet.12, 510-515,1996 
Cull et al.(1992) Proc. Natl. Acad. Sci. USA 89:1865-1869 
Cwirla et al. (1990) Proc. Natl. Acad. Sci. USA 87: 6378-6382 
Devlin(1990) Science 249: 404-406 
DeWitt et al. (1993) Proc. Natl. Acad. Sci. USA 90: 6909 
Engelhard et al., Proc. Nat. Acad. Sci. 91, 3224-3227,1994 
Erb et al. (1994) Proc. Natl. Acad. Sci. USA 91: 11422 
Felici (1991) J. Mol. Biol. 222:301-310 
Fodor (1993) Nature 364: 555-556 
Gee et al., in Huber & Carr, MOLECULAR ANDIMMUNOLOGIC APPROACHES, Futura Publishing Co., Mt. Kisco, N. Y., 1994 
Gergen and Weiss, Am Rev Respir Dis 146: 823-824, 1992 
Gibson, U. E.M., Heid, C. A. and Williams, P. M., Genome Research. 6:995-1001, 1996. 
Hampton et al., SEROLOGICAL METHODS: A LABORATORY MANUAL, APS Press, St. Paul, Minn., 1990 
Hartman & Mulligan, Proc. Natl. Acad. Sci. 85, 8047-51, 1988 
Haseloff et al. Nature 334, 585-591,1988 
Heid, C. A., Stevens, J., Livak, K.J., and Williams, P. M., Genome Research, . 6: 986-994, 1996. 
Holland, P. M., Abramson, R. D.,Watson, R. and Gelfand, D. H., PNAS. 88: 7276- 7280,1991. 
Horn et al.Nucl. Acids Res. Symp. Ser. 225-232, 1980 
Houghten (1992) Bio/Techniques 13: 412-421 
Hoyer et al. (1994), Pharmacol.Rev., 46,157-204
Iwabuchi et al., Oncogene 8, 1693-1696,1993 
Jeffreys A J, W. V., Thein SL, Nature. 316: 76-9,1985. 
Johnson et al.,Endoc. Rev.10, 317-331,1989 
Kellogg, D. E., et al., Anal. Biochem. 189 : 202-208 (1990) 
Kohler et al., Nature 256, 495-497,1985
Kozbor et al., J. Immunol. Methods81, 31-42, 1985 
Kroll et al., DNA CellViol. 12, 441-453,1993 
Lam (1991) Nature 354: 82-84 
Lam (1997) Anticancer Drug Des. 12: 145 
Lefkowitz, Nature351, 353-354,1991 
Livak, K. J., Flood, S. J., Marmaro, J., Giusti, W. and Deetz, K., PCR Methods and Applications 357-362,1995. 
Logan & Shenk, Proc. Natl. Acad. Sci. 81, 3655-3659,1984 
Lowy et al., Cell 22, 817-23,1980 
Maddox et al.,J Exp. Med 158, 1211-1216, 1983 
Madura et al.,J. Biol. Chem. 268, 12046-12054,1993 
Maniatis et al., Molecular Cloning: A Laboratory Manual, 1982, Cold Spring Harbor Laboratory, Cold Spring Harbor Press 
McConnell et al., Science257, 1906-1912,1992 
Merrifield,J Am. Chem. Soc. 85, 2149-2154,1963
Morrison et al., Proc. Natl. Acad. Sci. 81, 6851-6855, 1984 
Murray, 1992, supra 
Nagarenko, I. A., et al. Nucleic Acids Research 25:16-21 (1997) 
Neuberger et al., Nature 312, 604-608,1984 
Nicholls et al., 1993, J. Immunol. Meth. 165, 81-91) 
Piatak, M. J., et al., BioTechniques 14: 70-81 (1993) 
Piatak, M. J., et al., Science 259: 1749-1754 (1993)) 
Porath et al.,Prot. Exp.Purif 3, 263-281, 1992 
Roberge et al., Science 269, 202-204,1995 
Sambrook, J., Fritsch, E. F., and Maniatis, T. (1989) Molecular Cloning: A Laboratory Manual, 2nded., Cold Spring Harbor Laboratory Press, NY. 
Scott and Smith (1990) Science 249: 386-390 
Sharp, P. A., et al., MethodsEnzymol. 65: 750-768,1980
Sjolander & Urbaniczky, Anal. Chem. 63, 2338-2345,1991 
Southern, E. M., J. Mol. Biol., 98: 503-517,1975 
Szabo et al., Curr. Opin. Struct. Biol. 5, 699-705,1995 
Takamatsu EMBOJ. 6, 307-311,1987 
Takeda et al., Nature 314, 452-454, 1985 
Thomas, P. S., Proc. Nat. Acad. Sci., 77: 5201-5205,1980)
Uhlmann et al., Chem. Rev. 90, 543-584,1990 
Uhlmann et al., Tetrahedron. Lett. 215, 3539-3542,1987 
Verhaar et al., 1995, Int.J : Cancer 61, 497-501 
Weber et al., Genomics. 7:524-30, 1990. 
Wigler et al., Cell11, 223-32,1977
Wigler et al., Proc. Natl. Acad. Sci. 77,3567-70, 1980 
Zervos et al., Cell 72,223-232, 1993
Zuckermann et al. (1994). J. Med. Chem. 37: 2678 
Lam KS. Application of combinatorial library methods in cancer research and drug discovery.Anticancer Drug Des 1997 Apr; 12 (3): 145-67
【図面の簡単な説明】
【０３２１】
【図１】５−ＨＴ６受容体 ポリヌクレオチドのヌクレオチド配列(配列番号1)である。
【図２】５−ＨＴ６受容体ポリペプチドのアミノ酸配列（配列番号２）である。
【図３】本発明に有用なプライマーのヌクレオチド配列（配列番号３）である。
【図４】本発明に有用なプライマーのヌクレオチド配列（配列番号４）である。
【図５】本発明に有用なプライマーのヌクレオチド配列（配列番号５）である。
【配列表】
2005528587.tif 000002
2005528587.tif 000003
2005528587.tif 000004
2005528587.tif 000005
2005528587.tif 000006
2005528587.tif 000007
【図１】
2005528587.tif 000008
【図２】
2005528587.tif 000009
【図３】
2005528587.tif 000010
【図４】
2005528587.tif 000011
【図５】
2005528587.tif 000012
【手続補正書】
【提出日】平成17年5月12日(2005.5.12)
【手続補正１】
【補正対象書類名】明細書
【補正対象項目名】配列表
【補正方法】変更
【補正の内容】
【配列表】
2005528587000001.app
【手続補正書】
【提出日】平成17年5月12日(2005.5.12)
【手続補正１】
【補正対象書類名】明細書
【補正対象項目名】全文
【補正方法】変更
【補正の内容】
【発明の詳細な説明】
【技術分野】
【０００１】
本発明は分子生物学の分野に関する。より具体的には、本発明は、新規のヒト５−ＨＴ６受容体に関する核酸配列およびアミノ酸配列、並びに治療主題のためのその調節を記載する。
【背景技術】
【０００２】
Ｇタンパク質共役受容体
５−ＨＴ６受容体は７回膜貫通型Ｇタンパク質共役受容体（ＧＰＣＲ）である。多くの医学的に重要な生体プロセスは、Ｇタンパク質が関与するシグナル伝達経路により媒介されている（Lefkowitz et.al. 1991）。Ｇタンパク質共役受容体（ＧＰＣＲ）のファミリーには、ホルモン、神経伝達物質、成長因子、およびウイルスに対する受容体が含まれる。ＧＰＣＲの具体例としては、ドーパミン、カルシトニン、アドレナリン作動性ホルモン、エンドセリン、ｃＡＭＰ、アデノシン、アセチルコリン、セロトニン、ヒスタミン、トロンビン、キニン、卵胞刺激ホルモン、オプシン、内皮細胞分化遺伝子−１、ロドプシン、臭気物質、サイトメガロウイルス、Ｇタンパク質自身、エフェクタータンパク質（例えばホスホリパーゼＣ、アデニル酸シクラーゼおよびホスホジエステラーゼ）、およびアクチュエータータンパク質（例えばプロテインキナーゼＡおよびプロテインキナーゼＣ）などの物質に対する受容体が挙げられる。
【０００３】
ＧＰＣＲは、少なくとも８個の異なる親水性ループを連結する、膜を貫通する７個の保存されたドメインを持っている。ＧＰＣＲ（７ＴＭレセプターとしても知られる）は、少なくとも８個の異なる親水性ループを連結する、約２０ないし３０のアミノ酸のこれら７個の保存された疎水性ストレッチを含むものとして特徴付けられている。殆どのＧＰＣＲは、最初の二つの細胞外ループの各々に単一の保存されたシステイン残基を持っており、これがジスルフィド結合を形成し、機能的タンパク質構造を安定化させると考えられている。この７個の膜貫通領域はＴＭ１、ＴＭ２、ＴＭ３、ＴＭ４、ＴＭ５、ＴＭ６、およびＴＭ７と呼ばれる。ＴＭ３はシグナル伝達に関わっている。システイン残基の燐酸化および脂質化（パルミチル化またはファルネシル化）は、幾つかのＧＰＣＲのシグナル伝達に影響を及ぼし得る。殆どのＧＰＣＲは、第三細胞質ループおよび／またはカルボキシ末端内部に燐酸化の可能性ある部位を含んでいる。幾つかのＧＰＣＲ、例えばβ−アドレナリン作動性レセプターでは、プロテインキナーゼＡおよび／または特異的レセプターキナーゼによる燐酸化によってレセプターの脱感作が仲介される。
【０００４】
幾つかのレセプターについては、ＧＰＣＲのリガンド結合部位が、数個のＧＰＣＲ膜貫通ドメインにより形成された親水性ソケットを含むと考えられる。この親水性ソケットは、ＧＰＣＲの疎水性残基に取り囲まれている。各ＧＰＣＲ膜貫通ヘリックスの親水性側は、内側を向き、極性リガンド結合部位を形成していると仮定されている。ＴＭ３は、リガンド結合部位、例えばＴＭ３アスパラギン酸残基を持っている幾つかのＧＰＣＲと関連している。ＴＭ５のセリン、ＴＭ６のアスパラギン、およびＴＭ６またはＴＭ７のフェニルアラニンまたはチロシンもまたリガンド結合に関連している。
【０００５】
ＧＰＣＲは細胞内部でヘテロ三量体Ｇタンパク質により、種々の細胞内酵素、イオンチャンネルおよび輸送体と共役している。種々のＧタンパク質αサブユニットは優先的に特定のエフェクターを刺激し、細胞の様々な生体機能を調整する。ＧＰＣＲの細胞質残基の燐酸化は、幾つかのＧＰＣＲの調節にとって重要な機構である。例えば、或る形のシグナル伝達においては、ホルモン結合の効果は、細胞内部での酵素アデニルシクラーゼの活性化である。ホルモンによる酵素の活性化はヌクレオチドＧＴＰの存在に依存する。ＧＴＰはホルモン結合にも影響を及ぼす。Ｇタンパク質はホルモンレセプターをアデニルシクラーゼに結合させる。Ｇタンパク質はホルモンレセプターによって活性化されると、ＧＴＰを、結合したＧＤＰに交換する。すると、ＧＴＰを有する型が、活性化アデニルシクラーゼに結合する。Ｇタンパク質自身により触媒されるＧＴＰからＧＤＰへの加水分解が、Ｇタンパク質をその基本的な不活性型へと戻す。したがってＧタンパク質は、レセプターからエフェクターへとシグナルを中継する仲介物質としての、そしてシグナルの持続を制御する時計としての、二重の役割を果たしている。
【０００６】
過去１５年間にわたり、７ＴＭ受容体を標的とする３５０近くの治療薬が成功裏に上市されてきた。この事は、これらのレセプターが治療薬として確立された折り紙付きの歴史を持っていることを示すものである。明らかに、細菌、真菌、原虫といった感染症、およびウイルス感染症、とりわけＨＩＶウイルスによる感染症、癌、喘息を含むアレルギー、急性心不全を含む心疾患、低血圧症、高血圧症、狭心症、心筋梗塞、血液の疾患、秘尿生殖器系の疾患、尿失禁および良性前立腺肥大、骨粗鬆症、および疼痛、アルツハイマー病およびパーキンソン病を含む末梢神経系および中枢神経系の障害、が挙げられるがこれらに限定されない機能不全または疾患を予防、改善または是正において役割を果たし得る、さらなる受容体の同定および特徴づけが必要とされている。
【０００７】
神経伝達物質である５−ヒドロキシトリプタミン（５−ＨＴ）の作用は、５−ＨＴ．ｓｕｂ.１、５−ＨＴ．ｓｕｂ.２、５−ＨＴ．ｓｕｂ.３、５−ＨＴ．ｓｕｂ.４、５−ＨＴ．ｓｕｂ.５、５−ＨＴ．ｓｕｂ.６および５−ＨＴ．ｓｕｂ.７［D.Hoyerらを参照］と称する数多くの受容体ファミリーが介在している。５−ＨＴ．ｓｕｂ.５、５−ＨＴ．ｓｕｂ.６および５−ＨＴ．ｓｕｂ.７受容体の機能は、他の５−ＨＴ受容体の機能ほどよく分かっていないが、５−ＨＴ介在のシグナル伝達と選択的に相互作用する化合物は、重要な新規の薬物標的であると一般的に認識されている。特に、５−ＨＴ．ｓｕｂ.６選択的リガンドは、パーキンソン病、ハンチントン病、不安症、鬱病、躁鬱病、精神病、てんかん、強迫神経症、偏頭痛、アルツハイマー病（認識記憶の増強）、睡眠障害、摂食障害例えば無食欲および大食、パニック発作、コカイン、エタノール、ニコチンおよびベンゾジアゼピン等の薬物濫用からの離脱、統合失調症、および脊髄の外傷および／または頭部の外傷例えば水頭症に関連する障害などの、ある特定のＣＮＳ障害の処置に潜在的に有用であると同定されている。そのような化合物はまた、ＩＢＳ（過敏性大腸症候群）などの特定のＧＩ（胃腸管）障害の処置に役立つと期待される。疼痛疾患の処置に有用な５−ＨＴ６受容体に選択的な化合物の使用は、これまで記載されていなかった。
【０００８】
ＴａｑＭａｎ法／ヒト組織の局在
ＴａｑＭａｎは最近開発された技術であり、ポリメラーゼ連鎖反応（ＰＣＲ）中のリアルタイムでのハイブリダイゼーションプローブからの蛍光レポーター色素の放出がＰＣＲ産物の累積量に比例する。定量は、反応初期の、直線部分に基づき、バックグラウンド上の蛍光が最初に検出されるスレッシュホールドサイクル（threshold cycle）（ＣＴ）を決定することにより行う。遺伝子発現技術は、標的の同定、リード最適化、および作用機序の同定などの薬物送達および薬物開発のいくつかの分野において有用であろう。TaqMan技術は、正常組織と病的組織の発現プロファイルとの違いを比較するのに使用することができる。発現プロファイリングは、様々な疾患を上方調節または下方調節する遺伝子の同定に用いられてきた。発現プロファイリングの興味深い応用は、疾患が進行間と薬物処置の間または患者対健常者の遺伝子発現における変化の一時的な監視である。このアプローチの前提は、生理学的または取り巻く刺激（例えば薬物）に応答する遺伝子発現パターンの変化が、疾患を誘発する遺伝子または薬物標的についての間接的な手掛かりとして供しうるということである。さらに、全体的ない電子発現パターンに対する確立された効力を有する薬物の効果は、新しい薬物をそれと比較することができる指針、即ち遺伝子による署名（genetic signature）を提供し得る。
【発明の開示】
【発明が解決しようとする課題】
【０００９】
（発明の要旨）
本発明は、
本発明は、新規のヒト５−ＨＴ６受容体をコードするヌクレオチド配列に関する。以下、用語５−ＨＴ６受容体は、配列番号２の配列またはそれと相補的な配列を有し、５−ＨＴ６受容体活性を有するポリペプチドを意味する。用語５−ＨＴ６受容体はさらに、アシル化、カルボキシル化、グリコシル化、リン酸化、脂質付加およびアセチル化を包含するがこれに限定されない該ポリペプチドの翻訳後修飾によって生じる様々なポリペプチドを包含する。本発明は、５−ＨＴ６受容体をコードする核酸分子および５−ＨＴ６受容体活性を有するポリペプチド、および５−ＨＴ６受容体の発現に関連する疾患の診断または処置におけるその使用に関する。
【００１０】
本発明の主題は、血液疾患、疼痛疾患、呼吸器疾患、生殖泌尿系の疾患、心疾患および癌の処置のための、ヒト５−ＨＴ６受容体の発現および活性を調節する試薬および方法を提供することである。本発明のこの主題および他の主題は、以下に記載する態様の１またはそれ以上によって提供される。
【００１１】
本発明のさらなる主題は、５−ＨＴ６受容体の活性を調節することができる薬剤のスクリーニング方法である。試験化合物を、配列番号2からなる群から選択されるアミノ酸配列を含むポリペプチドまたは５−ＨＴ６受容体活性を示し、ストリンジェントな条件下で配列番号1に示したポリヌクレオチドにハイブリダイズするポリヌクレオチドによってコードされるポリペプチドを接触させ；試験化合物と５−ＨＴ受容体との結合を検出し、該ポリペプチドと結合する試験化合物を５−ＨＴ６受容体の活性の減少について可能性のある治療剤として同定する。本発明のさらなる態様は、５−ＨＴ６受容体の活性を調節することができる薬剤のスクリーニング方法である。配列番号2からなる群から選択されるアミノ酸配列を含むポリペプチドと接触させた試験化合物または５−ＨＴ６受容体活性を示し、ストリンジェントな条件下で配列番号1に示したポリヌクレオチドにハイブリダイズするポリヌクレオチドによってコードされるポリペプチドと接触させ；試験化合物と５−ＨＴ受容体との結合を検出し、該ポリペプチドと結合する試験化合物を５−ＨＴ６受容体の活性の増大について可能性のある治療剤として同定し、ポリペプチドの５−ＨＴ６受容体活性を減少させる試験化合物を５−ＨＴ６受容体の活性の減少について可能性のある治療剤として同定する。
【００１２】
本発明のさらなる主題は、５−ＨＴ６受容体の活性を調節することができる薬剤のスクリーニング方法である。試験化合物は、（１）配列番号1または（２）５−ＨＴ６受容体活性を示すポリペプチドをコードし、ストリンジェントな条件下で配列番号lに示すポリヌクレオチドとハイブリダイズするポリヌクレオチド、からなる群から選択されるポリヌクレオチドと接触させ；試験化合物とポリヌクレオチドとの結合を検出し、ポリヌクレオチドに結合する試験化合物を５−ＨＴ６受容体の活性の減少について可能性のある治療剤として同定する。
【００１３】
本発明のさらなる主題は、５−ＨＴ６受容体の活性を調節することができる薬剤のスクリーニング方法である。試験化合物を、配列番号１に示すヌクレオチド配列を含むポリヌクレオチドによってコードされた産物と接触させ、試験化合物とその産物との結合を検出し、その産物と結合する試験化合物を５−ＨＴ６受容体の活性の調節について可能性のある薬剤として同定する。
【００１４】
本発明のさらなる主題は、５−ＨＴ６受容体の活性を減少させる方法である。細胞を、５−ＨＴ６受容体をコードするポリヌクレオチドまたは５−ＨＴ６受容体ポリペプチドと特異的に結合する薬剤と接触させる。５−ＨＴ６受容体活性はそれにより減少する。
【００１５】
本発明のさらなる主題は、５−ＨＴ６受容体の活性を増大させる方法である。細胞を５−ＨＴ６受容体をコードするポリヌクレオチドまたは５−ＨＴ６受容体ポリペプチドを特異的に結合する試薬と接触させる。５−ＨＴ受容体活性がそれにより増大する。
【００１６】
本発明のさらなる主題は、５−ＨＴ６受容体をコードするＤＮＡのアンチセンスＤＮＡ；５−ＨＴ６受容体をコードする核酸を含むクローニングまたは発現ベクター；５−ＨＴ６受容体をコードする核酸を含む発現ベクターによって形質転換された宿主細胞または生物；５−ＨＴ６受容体を製造し宿主細胞から精製された５−ＨＴ６受容体を回収する方法；５−ＨＴ受容体が関与するシグナル伝達の阻害剤または活性化剤を同定するのに用いることができる精製されたタンパク質５−ＨＴ６受容体;および形質転換細胞を用いる５−ＨＴ６受容体のリガンドをスクリーニングする方法である。
【００１７】
（発明の詳細な記載）
ヌクレオチド配列
本明細書で用いられ大文字で表示されるように、５−ＨＴ６は、配列番号２のアミノ酸配列を有する天然の又は合成形態のＧＰＣＲおよびその活性な断片を意味する。１つの態様では、５−ＨＴ６受容体のポリペプチドは、配列番号１の５−ＨＴ６受容体について小文字で表示されたｃＤＮＡから転写されたｍＲＮＡによってコードされる。
【００１８】
「オリゴヌクレオチド」は、ポリメラーゼ連鎖反応（ＰＣＲ）においてオリゴマー、アンプリマーまたはプローブとして用いられる十分な数の塩基を有するヌクレオチド残基の鎖である。オリゴヌクレオチドは、ゲノムまたはｃＤＮＡ配列調製し、特定の細胞または組織において同様のＤＮＡまたはＲＮＡの存在を増幅し、明らかにし、または確認するために用いられる。オリゴヌクレオチドまたはオリゴマーは、少なくとも約１０ヌクレオチドであって約３５ヌクレオチド、好ましくは約２５ヌクレオチドを有するＤＮＡ配列の一部を含んでいる。
【００１９】
「プローブ」は、天然のまたは組換えの１本鎖または２本鎖の核酸から誘導するかまたは化学的に合成することができる。これらは、同一または同様の配列の存在を検出するのに有用である。このようなプローブは、ニック翻訳、Klenow fill-in反応、PCRまたは当分野で周知の他の方法を用いてレポーター分子により標識することができる。核酸プローブをサザン、ノーザンまたはin situ ハイブリゼーションにおいて用いて、ある特定のタンパク質をコードするDNAまたはRNAが細胞、組織または器官に存在するか否かを決定することができる。
【００２０】
約６ｋｂ以下のヌクレオチド、好ましくは約１ｋｂ以下のヌクレオチドを有するヌクレオチド配列の全部または一部を含むポリペプチドまたは核酸の断片をプローブとして用いることができる。
【００２１】
「レポーター」分子は、特定のヌクレオチドまたはアミノ酸配列を会合し、それにより特定の配列の存在を確定するまたは特定の配列の定量が可能な、放射性ヌクレオチド、酵素、蛍光性、化学発光性または発色性の試薬である。
【００２２】
５−ＨＴ６受容体をコードする「組換えヌクレオチド変異体」は、遺伝コードの「縮重」を利用することによって合成することができる。様々なコドンの置換、例えば特異的な制限部位またはコドンの使用に特異的な突然変異を生じるサイレントな変化、を導入してプラスミドまたはウイルスベクターへのクローニングまたは特定の原核または真核宿主系における発現をそれぞれ最適化することができる。
【００２３】
「キメラ」分子は、本発明のヌクレオチド配列の全部または一部を、以下の５−ＨＴ６受容体の特性のいずれか１つまたはいくつかを変えると期待し得るさらなる核酸配列を含有するベクターに導入することによって、構築することができる：細胞内の位置、分布、リガンド結合アフィニティー、相互作用アフィニティー、分解／回転率、シグナル伝達など。
【００２４】
「活性な」は、５−ＨＴ６受容体の生物学的および／または抗原活性を保持する５−ＨＴ６受容体の形態、断片またはドメインを意味する。
【００２５】
「天然の５−ＨＴ６受容体」は、遺伝子操作されていない細胞によって産生したポリペプチドを意味し、アセチル化、カルボキシル化、グリコシル化、リン酸化、脂質付加、およびアシル化が挙げられるがこれらに限定されないポリペプチドの翻訳後修飾から生じた様々なポリペプチドを具体的に企図する。
【００２６】
「誘導体」は、ユビキチン化、標識（上記参照）、ペギレーション(ポリエチレングリコールによる誘導体化)、および化学挿入またはヒトのタンパク質に通常存在しないオルチニンのようなアミノ酸の置換等の技術によって化学的に修飾されたポリペプチドを意味する。
【００２７】
「組換えポリペプチド変異体」は、組換えＤＮＡ技術を用いて作成されたアミノ酸の挿入、欠失または置換により天然の５−ＨＴ６受容体とは異なっている任意のポリペプチドを意味する。所望の活性を損なうことなく、どのアミノ酸残基を置換、追加または欠失するかの指針は、目的のポリペプチドの配列を関連するポリペプチドの配列と比較し、高度に保存された残基において導入されたアミノ酸配列変化を最小限にすることによって見いだされるであろう。
【００２８】
保存的アミノ酸「置換」は、１つのアミノ酸を類似の構造および／または化学特性を有する別のアミノ酸で置換、例えば、ロイシンをイソロイシンまたはバリンで、アスパラギン酸をグルタミン酸で、またはトレオニンをセリンで置換することによって生じる。
【００２９】
「挿入」または「欠失」は、典型的には、約１〜５アミノ酸の範囲である。可能な変化は、ペプチドを合成により製造することによって実験的に決定してもよいが、配列へのヌクレオチドの挿入、欠失または置換は、組換えＤＮＡ技術を用いて計画的に行う。
【００３０】
「シグナルまたはリーダー配列」は、所望であるならば、ポリペプチドを細胞膜へ向かわせるのに用いることができる。そのような配列は、本発明のポリペプチドに自然に存在しているかまたは組換えＤＮＡ技術により異種の供給源に由来する。
【００３１】
「オリゴペプチド」は、アミノ酸残基の短い鎖であり、オリゴヌクレオチドから発現し得る。オリゴペプチドは、少なくとも３、５、１０アミノ酸、多くて１０、１５、２５アミノ酸、典型的には９〜１３アミノ酸であって、生物学的および／または抗原活性を示すに十分な長さのアミノ酸残基の鎖を包含する。
【００３２】
「阻害剤」は、化学的または生理学的反応または応答を妨げるまたは阻止する任意の物質である。一般的な阻害剤としては、アンチセンス分子、抗体およびアンタゴニストが挙げられるがこれに限定されない。
【００３３】
「標準」なる表現は、比較のための量的または質的な大きさである。これは、統計的に適当な数の正常なサンプルに基づくものであり、診断アッセイを行う場合、臨床試験を行う場合、または患者の治療プロファイルを遵守する場合の比較の基礎として用いるために作成するものである。
【００３４】
本明細書において用いる「動物」は、ヒト、家庭用（ネコ、イヌなど）、農業用（ウシ、ウマ、ヒツジなど）または試験用（マウス、ラット、ウサギなど）の動物を包含するものと定義される。
【００３５】
５−ＨＴ６受容体をコードするヌクレオチド配列 (またはその相補的な配列)は、分子生物学の分野の当業者に周知の技術において数多くの応用がある。これらの技術には、ハイブリダイゼーションプローブとしての使用、ＰＣＲのためのオリゴマーの構築物における使用、染色体および遺伝子マッピングにおける使用、５−ＨＴ６受容体の組換え生産における使用、およびアンチセンスＤＮＡまたはＲＮＡそれらの化学的類縁体の作成における使用などが挙げられる。本明細書に記載の５−ＨＴ６受容体をコードするヌクレオチドの使用は、周知技術の例示であり、当業者に知られている技術におけるそれらの使用を限定することを意図するものではない。さらに、本明細書に開示のヌクレオチド配列を未だ開発されていないが、現在知られているヌクレオチド配列の特性、例えば３つ一組の遺伝子コード、特異的な塩基対相互作用など、を頼みとする新しい技術分子生物学の技術に使用することができる。
【００３６】
遺伝コードの縮重の結果として、多くの５−ＨＴ６受容体をコードするヌクレオチド配列を製造し得ることは当業者に認識されよう。これらのいくつかは単に既知の天然の５−ＨＴ６受容体のヌクレオチド配列に対して最小限の相同性を有するであろう。本発明は、可能なコドンの選択に基づいた組合せを選択することによって作成することができるヌクレオチド配列のありとあらゆる可能な変異を企図した。これらの組合せは、天然の５−ＨＴ６受容体のヌクレオチド配列に対して適用される標準の３つ一組の遺伝子コードにしたがって作成し、その変異のすべてが具体的に記載されているものと解釈される。
【００３７】
５−ＨＴ６受容体をコードするヌクレオチド配列、その誘導体またはその変異体は好ましくはストリンジェントな条件下で天然の５−ＨＴ６受容体のヌクレオチド配列にハイブリダイズすることが可能であるが、実質的に異なるコドンの使用を有する５−ＨＴ６受容体をコードするヌクレオチド配列またはその誘導体を産生することは有用であろう。コドンは、宿主が特定のコドンを利用する頻度にしたがって特定の原核または真核生物の発現宿主におけるペプチドの発現する比率を増大するように選択することができる。コードされたアミノ酸配列を改変することなく、５−ＨＴ６受容体をコードするヌクレオチド配列および／またはその誘導体を実質的に改変する他の理由としては、より望ましい特性、例えば天然の配列から産生した転写物よりも長い半減期、を有するＲＮＡを製造することが挙げられる。
【００３８】
５−ＨＴ６受容体をコードするヌクレオチド配列は、十分に確立された組換えＤＮＡ技術によって様々なヌクレオチド配列に結合させることができる。５−ＨＴ６受容体に連結するのに有用なヌクレオチド配列としては、例えば、プラスミド, コスミド, λファージ誘導体、ファージミドなどのクローニングベクターの分類が挙げられる。所望のベクターとしては、発現ベクター, 複製ベクター、プローブ作成ベクター、配列決定ベクター等が挙げられる。一般に、所望のベクターに、少なくとも１つの生物において機能的な複製基点、制限エンドヌクレアーゼ感受性部位、および１またはそれ以上の宿主細胞系のための選択マーカーを含ませることができる。
【００３９】
本発明のさらなる態様は、５−ＨＴ６受容体をコードするヌクレオチド配列にハイブリダイズすることが可能な５−ＨＴ６受容体に特異的なハイブリダイゼーションプローブを提供することである。そのようなプローブはまた、同様のＧＰＣＲコード配列の検出に用いることができ、好ましくは５−ＨＴ６受容体配列と少なくとも４０％同一のヌクレオチドを含む。本発明のハイブリダイゼーションプローブは、配列番号１で示されるヌクレオチド配列または天然の遺伝子のプロモーター、エンハンサーまたはイントロンを含むゲノム配列から誘導することができる。ハイブリダイゼーションプローブは、当分野で周知の技術を用いて様々慣れポーター分子によって標識することができる。
【００４０】
５−ＨＴ６受容体の核酸配列の多くの欠失または突然変異類縁体が、５−ＨＴ６受容体をコードする核酸の有効なハイブリダイゼーション プローブとなることは認識されよう。したがって、本発明は、そのような５−ＨＴ６受容体をコードする核酸配列とストリンジェントな条件下でハイブリダイズする核酸配列に関する。
【００４１】
「ストリンジェントな条件」は、実質的に関連する核酸配列のハイブリダイゼーションが可能な条件を意味する。例えば、そのような条件は、少なくとも８５％の配列同一性、好ましくは少なくとも９０％の配列同一性、より好ましくは少なくとも９５％の配列同一性を有する配列のハイブリダイゼーションが一般に可能である。ハイブリダイゼーション条件およびプローブは、十分に特徴付けられた方法において調整してヒト由来プローブの選択的なハイブリダイゼーションを達成することができる。
【００４２】
ストリンジェントな条件下で５−ＨＴ６受容体をコードする核酸にハイブリダイズする核酸分子は、機能的に同定することができる。ハイブリダイゼーション プローブのための使用の例としては以下のものが挙げられるがこれに限定されない：組織化学的使用、例えば５−ＨＴ６受容体を発現する組織の同定；例えばサンプル組織の種類を同定するための、または異常なレベルの５−ＨＴ６受容体を発現する細胞を同定するための、ｍＲＮＡレベルの測定；および５−ＨＴ６受容体における多型の検出。
【００４３】
米国特許第４，６８３，１９５；４，８００，１９５；および４，９６５，１８８号に記載のＰＣＲは、５−ＨＴ６受容体をコードするヌクレオチド配列に基づくオリゴヌクレオチドのためのさらなる使用を提供する。ＰＣＲにおいて用いられるそのようなプローブは、組換え体、化学的合成物または両者の組合せであってよい。オリゴマーは、具体的な組織における５−ＨＴ６受容体の同定または診断的使用のために最適化された条件下で用いられる別個のヌクレオチド配列を含んでいてもよい。同一の２つのオリゴマー、即ちオリゴマーの入れ子のセット、またはさらにはオリゴマーの縮重プールは、密接に関連するＤＮＡまたはＲＮＡの同定のためにストリンジェンシーがより低い条件下で用いることができる。ポリメラーゼ連鎖反応（「ＰＣＲ」）プライマーを設計するためのルールをＰＣＲプロトコルを参照して、ここに確立する[Devlin ら]。縮重プライマー、即ち、与えられた配列の位置がヘテロローガスなプライマーの調製物を設計し、５−ＨＴ６受容体に対して相同性が高いが同一ではない核酸配列を増幅させることができる。１つのプライマーのみが既知の配列に特異的にハイブリダイズするに必要なプライマーとなる方策がここに得られる。例えば、適当な核酸プライマーを、増幅してプライマーの１つのハイブリダイゼーションパートナーをもたらすと考えられる核酸にライゲーションすることができる。この方法では、プライマーの１つのみが、増幅すると思われる核酸の配列に基づいている必要がある。
【００４４】
核酸を増幅するためのＰＣＲ法は、少なくとも２つのプライマーを用いる。これらプライマーの１つは、増幅される核酸の第１の鎖にハイブリダイズすることができ、酵素主導の核酸合成を最初の方向でプライムすることができる。他方は、第１の鎖の逆の配列にハイブリダイズすることができ（増幅される配列が１本鎖である場合、この配列は、最初は推測上のものであるが、最初の増幅サイクルで合成される）、第１の方向とは反対方向でその配列からの核酸合成をプライムすることができ、第１のプライマーについてのハイブリダイゼーション部位に向かう。具体的には好ましいストリンジェントなハイブリダイゼーション条件下での、そのような増幅を行うための条件はよく知られている。
【００４５】
５−ＨＴ６受容体のための特異的なハイブリダイゼーションプローブを製造するための他の手段としては、５−ＨＴ６受容体または５−ＨＴ６受容体誘導体をコードする核酸配列の、ｍＲＮＡプローブの製造のためのベクターへのクローニングが挙げられる。そのようなベクターは、当分野で周知であり、商業的に入手可能であり、Ｔ７またはＳＰ６ＲＮＡポリメラーゼのような適当なＲＮＡポリメラーゼおよび適当なレポーター分子を加えることにより、ＲＮＡプローブを合成するためにin vivoで用いることができる。
【００４６】
全体的に化学合成により、ＤＮＡ配列またはその一部分を製造することができる。合成後、核酸配列を、当分野で周知の技術を用いて、多くの入手可能なＤＮＡベクターおよびそれらのそれぞれの宿主細胞のいずれかに挿入することができる。さらに、化学合成を用いて突然変異をそのヌクレオチド配列に導入することができる。あるいは、突然変異が望まれる配列の部分を合成し、存在するゲノムまたは組換え配列のより長い部分で組換えることができる。
【００４７】
５−ＨＴ６受容体をコードするヌクレオチド配列を用い、組換えＤＮＡのよく知られた方法を用いて、精製されたオリゴペプチドまたはポリペプチドを製造することができる。オリゴペプチドは、原核または真核の様々な宿主細胞で発現し得る。宿主細胞は、ヌクレオチド配列が由来する種と同じ種に由来するものでよく、または異なる種に由来するものであってもよい。組換えＤＮＡ技術によりオリゴヌクレオチドを製造する利点としては、精製に適当な量のタンパク質が得られ、単純な精製手法が利用可能であるという点が挙げられる。
【００４８】
核酸の定量的測定
ヒトの疾患の分子遺伝子解析の重要なステップはしばしば、核酸のコピー数の計数および特定の組織における遺伝子の相対的な発現である。
【００４９】
核酸の定量的な測定を行うためのいくつかの異なった方法が現在利用可能である。例えば比較ゲノムハイブリダイゼーション(CGH)や蛍光in situ ハイブリダイゼーション (FISH)などの、染色体ベースの技術は、腫瘍細胞において変化したゲノムの領域を細胞遺伝学的に特定することを容易にする。ゲノムの変化した領域は、疾患ＤＮＡを分析し、ヘテロ接合性多型マーカーの欠失について正常なＤＮＡと比較する、ヘテロ接合性の欠失解析 (LOH)を用いてさらに絞り込むことができる。最初の実験は、制限酵素断片長多型(RFLPs) [Johnson et al],または超可変ミニサテライトＤＮＡ [Barnes et al]を用いた。ここ数年は、マイクロサテライトのマーカーのＰＣＲ増幅および放射能標識された [Jeffreys et al]または蛍光標識されたＰＣＲ産物[Weber et al]の電気泳動を用いて最初にＬＯＨを行い、正常なＤＮＡと疾患ＤＮＡ途を比較する。
【００５０】
他の数多くの方法もまた、核酸を定量するために開発されている [Gergen etal, Southern etal, Sharp etal]。さらに最近になって、サンプル中の核酸の量を測定することが可能なＰＣＲおよびＲＴ−ＰＣＲ法が開発された。１つの方法は、例えば、反応産物の形成が水平状態になる前に反応の対数期のＰＣＲ産物量を測定する[Thomas et al]。
【００５１】
すべてのサンプルに比較的一定の量で含まれている遺伝子配列は、標準化に有効なサンプル増幅に典型的に用いられる。但し、この方法にはいくつかの欠点がある。この方法は、各サンプルの核酸投入量が等しく、サンプル間の増幅効率が解析するまで同一である必要がある。さらに、ゲル電気泳動またはプレート補足ハイブリダイゼーション等のＰＣＲ定量の慣用的方法を用いて、この方法が必要とする反応の対数期の間にすべてのサンプルが実際に解析されるということを決定するのは困難である。
【００５２】
定量競合(QC) -PCRと呼ばれるさらなる方法は、その名前が示すように、各反応における内部対照競合物質の包含を頼みにする[Maniatis et al, Becker-Andre et al, Piatak et al in BioTechniques (1993) ]。各反応の効率を内部競合物質に標準化する。内部競合物質の既知の量を典型的に各サンプルに加える。既知の標的ＰＣＲ産物を既知の競合ＰＣＲ産物と比較して相対的な量を測る。この一般的方法では、標的分子と同じ効率で増幅する内部標準を開発することが難しい。
【００５３】
５’螢光ヌクレアーゼ解析
蛍光ヌクレアーゼ解析は、プローブを用いて増幅産物の形成をモニターするリアルタイムの定量法である。増幅産物の形成をモニターするこの方法の基礎は、二重標識した蛍光オリゴヌクレオチドプローブを用いてＰＣＲ産物の蓄積を継続的に測定することにあり、単純に「ＴａｑＭａｎ法」として文献にしばしば引用されている [Piatak et al in Science (1993), Heid et al, Gibson et al, Holland et al]。
【００５４】
このようなアッセイに用いるプローブは、典型的には２つの異なる蛍光色素で標識した短い（約２０〜２５塩基）オリゴヌクレオチドである。このプローブの５’末端をレポーター色素に結合し、３’末端をクエンチング色素に結合するが、色素をプローブの他の位置に結合させることができる。プローブは、プローブ結合部位と少なくとも実質的な配列相補性を有する様に設計する。その位置のフランキング領域に結合する上流および下流のＰＣＲプライマーを反応混合物に加える。プローブがインタクトであるとき、２つの蛍光間のエネルギー遷移が起こり、クエンチャーがレポーターからの発光をクエンチする。ＰＣＲの発光持続期間中に、Ｔａｑポリメラーゼ等の核酸ポリメラーゼの５’ヌクレアーゼ活性によってプローブが開裂を受け、それによりオリゴヌクレオチド−クエンチャーからレポーターが放出され、レポーター発光強度の増加をもたらし、これを適当な検出器により測定することができる。蛍光分析の間に生じるような蛍光発光を測定するために特別に調整された検出器の１つは、Applied Biosystems, Inc.社（Foster City,Calif）製のＡＢＩ７７００または４７００ＨＴである。ＡＢＩ７７００は、９６または３８４ウェルのＰＣＲチューブ列の各ウェルに連結した光ファイバーを用いる。この装置は標識を励起するためのレーザーを含み、ＰＣＲ増幅の間継続的にモニタリングしながら各試験管からの蛍光スペクトルの強度を測定することができる。各チューブは８．５秒毎に再試験を行う。
【００５５】
装置に供給されているコンピュータソフトウェアは、増幅の経過に渡ってレポーターおよびクエンチャーの蛍光強度を記録することが可能である。次いで、記録された値は、継続的に標準化されたレポーター強度の増加を計算するのに用いられる。発光強度の増大を時間、即ち増幅サイクルに対してプロットして、増幅の継続的な測定を行う。各増幅反応における位置を定量するために、増幅プロットを産物増幅の対照期のある時点で試験する。これは、バックグラウンドの上の蛍光閾値を割り当てて、各増幅プロットが閾値と交差する点（スレッシュホールドサイクル数またはＣｔとして定義される）を求めることによって行う。スレッシュホールドサイクル数の差を用いて各チューブ内に含まれるＰＣＲ標的の相対的量を算出する。各反応が１００％のＰＣＲ効率であると考えると、１のＣｔの差は、初発のテンプレートの量で２倍の差異を示す。蛍光値は、標準曲線と関連して用いて、存在する増幅産物の量を決定することができる。
【００５６】
非プローブベースの検出法
形成する増幅産物を測定するために様々な選択肢が利用可能である。１つの方法は、色素等の、二本鎖のＤＮＡのみに結合する標識を利用する。このタイプの方法では、増幅産物（二本差の）は溶液中の色素分子と結合して複合体を形成する。適当な色素により、溶液中の遊離の色素分子と増幅産物に結合した色素分子とを区別することができる。例えば、ある蛍光色素は、増幅産物と結合するときのみ蛍光を発する。この一般的なタイプの方法に用いることができる色素の例としては、Syber Green（登録商標）およびPico Green（Molecular Probe, Inc.（Eugene, Oreg.）社製）、臭化エチジウム、ヨウ化プロピジウム、クロモマイシン、アクリジンオレンジ、Hoechst 33258, Toto-1,Yoyo-l, DAPI(4',6-ジアミジノ-2-pフェニルインドール塩酸塩)が挙げられるがこれに限定されない。
【００５７】
別のリアルタイム検出技術は、ＰＣＲプライマーに結合した蛍光間のエネルギー蛍光エネルギー遷移の変化を測定する[Livak et al.]。
【００５８】
プローブベースの検出方法
これらの検出方法は、増幅プライマーの対の間の座とハイブリダイズするプローブの構造またはコンフォメーションに対する変化が関係する。いくつかの場合では、この変化は、増幅過程の間の核酸ポリメラーゼによって触媒されるテンプレート依存的発現によって引き起こされる。この変化は、形成した増幅産物の量の間接的な測定値である検出可能なシグナルを生じる。
【００５９】
例えば、いくつかの方法は、伸張反応の間のプローブの分解または消化が関係する。これらの方法は、核酸ポリメラーゼに関する５’−３’ヌクレアーゼ活性の結果である。この活性を有するポリメラーゼは、その座に存在するその相補配列にアニールしたオリゴヌクレオチド プローブからモノヌクレオチドまたは小さいオリゴヌクレオチドを開裂する。
【００６０】
上流プライマーの３’末端は、核酸ポリメラーゼについての最初の結合部位をもたらす。ポリメラーゼは、上流プライマーの伸張と触媒し、プローブと結合するので、核酸ポリメラーゼは、プローブの５’末端の部分を置換し、そのヌクレアーゼ活性によってプローブからヌクレオチドまたはオリゴヌクレオチドを開裂する。
【００６１】
上流プライマーおよびプローブは、それらがアニールされて相補鎖が互いに近接するように設計することができる。事実、上流プライマーの３’末端およびプローブの５’末端は互いに接する。この場合では、上流プライマーの伸張は、核酸ポリメラーゼがプローブの開裂を開始するのには必要ではない。介在ヌクレオチドが上流プライマーとプローブとを分離しているような場合では、核酸ポリメラーゼがプローブの５’末端に遭遇する前にプライマーの伸張が必要である。いったん接触が起こり、重合化が継続すると、核酸ポリメラーゼの５’−３’エンドヌクレアーゼ活性によって、モノヌクレオチドまたはオリゴヌクレオチドのプローブの５’末端からの開裂が開始される。プローブの消化は、プローブの残存部分が相補鎖から解離するまで続く。
【００６２】
さらに、２つの末端部分は、互いにハイブリダイズしてヘアピンループを形成することができる。このコンフォメーションでは、レポーターおよびクエンチャー色素は、レポーターからの蛍光がクエンチャーにより効果的にクエンチされるように十分に近接している。対照的に、ハイブリダイズしたプローブは、クエンチングの程度が減少する線状のコンフォメーションとなる。したがって、２つの色素について発光の変化をモニターすることにより、増幅産物の形成を間接的にモニターすることが可能である。
【００６３】
プローブ
その配列が試験座または参照座の断片に実質的に相補的になるように標識されたプローブを選択する。上で説明したように、プローブが結合する核酸部位は、上流プライマーのプライマー結合部位と下流の増幅プライマーとの間に位置させる。
【００６４】
プライマー
本増幅において用いるプライマーは、増幅する座のフランキング領域で配列とハイブリダイズすることが可能となるように選択する。プライマーは、増幅する核酸の異なる鎖と少なくとも実質的な相補性を有する様に選択する。プローブを増幅産物の形成を検出するために用いる場合、プライマーがプローブを結合するように、即ち、プローブの上流および下流に位置するように選択する。
【００６５】
プライマーは、重合化のための薬剤の存在下で伸張産物の合成を開始することができるように十分な長さでなければならない。プライマーの長さと組成は、例えば、アニーリング反応を行う温度、プローブ結合部位とプライマーのそれとの近接、プライマーおよびプローブの相対濃度およびプローブの具体的な核酸組成を含む、多くのパラメータに依存する。典型的には、プライマーは、１５〜３０ヌクレオチドを含む。但し、プライマーの長さはプライマー結合部位および上記の因子の複雑さに依存してより長くても短くてもよい。
【００６６】
プローブおよびプライマーの標識
本発明のプローブまたはプライマーを標識するために用いる、増幅産物の量に対応するシグナルをもたらすことができる標識は、様々な形態を取ることができる。５’蛍光ヌクレアーゼ法に関して上に示したように、蛍光シグナルは、測定することができるシグナルである。但し、例えば、放射能、比色、吸光度、磁性粒子または酵素活性をモニターすることにより、測定を行うこともできる。したがって、利用することができる標識としては、蛍光、発色団、放射性同位元素、電子密度の高い試薬、酵素および特定の結合パートナーを有するリガンド（例えばビオチン−アビジン）が挙げられるが、これに限定されない。
【００６７】
蛍光の変化をモニターすることは、増幅産物の蓄積をモニターするための特に有用な方法である。プローブまたはプライマーに結合させるための、ＦＡＭ、ＨＥＸ、ＴＥＴおよびＪＯＥ（これらはすべてApplied Biosystems（Foster City, Calif.）から入手可能である）、lucifer yellowおよびクマリン誘導体等の、フルオレセインおよび様々なフルオレセイン誘導体を含む数多くの標識が商業的に入手可能である。
【００６８】
標識は、様々な技術を用いて、５'末端および／または３'末端および／または内部のヌクレオチドでプローブまたはプライマーに結合することができる。さらに、標識は、プローブまたはプライマーに結合する様々な大きさのスペーサーアームに結合することもできる。これらのスペーサーアームは、プローブまたはプライマーに結合した複数の標識間の距離を得るのに有用である。
【００６９】
いくつかの場合では、単一の標識を用いることができるが、５’蛍光ヌクレアーゼアッセイのような別の場合では、例えば、２またはそれ以上の標識がプローブに結合する。プローブが複数の標識を含んでいる場合には、一般に、核酸ポリメラーゼの５’-３’ヌクレアーゼ活性によるプローブの消化の間、標識の分離を可能にするのに十分な標識間のスペースを維持することが望ましい。
【００７０】
疾患の症状を示す患者
数多くの疾患が、ある特定の遺伝子のコピー数の変化に関連している。疾患の症状を有する患者について、リアルタイムＰＣＲ法を用いて、その患者が有している症状に関連した疾患と関係することが知られているコピー数の変化を有しているかどうかを調べることができる。
【００７１】
５−ＨＴ６受容体発現
５−ＨＴ６受容体融合タンパク質 
融合タンパク質は、５−ＨＴ６受容体 アミノ酸配列に対する抗体を作成するため、および様々な分析系において用いるために有用である。例えば、融合タンパク質を用いて、５−ＨＴ６受容体ペプチドの一部分と相互作用するタンパク質を同定することができる。この目的のために、タンパク質アフィニティクロマトグラフィーまたはタンパク質タンパク質相互作用に関するライブラリーベースのアッセイ、例えば酵母ツーハイブリッドまたはファージディスプレイシステム、を用いることができる。そのような方法は当分野において周知であり、薬物スクリーニングに用いることもできる。
【００７２】
５−ＨＴ６受容体融合タンパク質は、ペプチド結合で互いに融合した２つのポリペプチドセグメントを含んでなる。第１のポリペプチドセグメントは、上記のような、配列番号２の少なくとも５４、７５、１００、１２５、１３９、１５０、１７５、２００、２２５、２５０、または２７５の連続したアミノ酸配列またはその生物学的に活性な変異体を含んでなる。第１のポリペプチドセグメントはまた完全長の５−ＨＴ６受容体を含んでなることもある。
【００７３】
第２のポリペプチドセグメントは完全長のタンパク質またはタンパク質断片であってよい。融合タンパク質構造において一般に用いられるタンパク質としては、β−ガラクトシダーゼ、ｐ−グルクロニダーゼ、緑色蛍光タンパク質（ＧＦＰ）、自己蛍光タンパク質（青色蛍光タンパク質（ＢＦＰ）を含む）、グルタチオン−Ｓ−トランスフェラーゼ（ＧＳＴ）、ルシフェラーゼ、ホースラディシュ・ペルオキシダーゼ（ＨＲＰ）およびクロラムフェニコールアセチルトランスフェラーゼ（ＣＡＴ）が挙げられるが、これに限定されない。さらに、融合タンパク質構造において、ヒスチジン（Ｈｉｓ）タグ、ＦＬＡＧタグ、インフルエンザヘマグルチニン（ＨＡ）タグ、Ｍｙｃタグ、ＶＳＶ−Ｇタグおよびチオレドキシン（Ｔｒｘ）タグを含むエピトープタグが用いられる。他の融合構築物としては、マルトース結合タンパク質（ＭＢＰ）、Ｓ−タグ、Ｌｅｘ ＤＮＡ結合ドメイン（ＤＢＤ）融合物、ＧＡＬ４  ＤＮＡ  結合ドメイン融合物、単純ヘルペスウイルス（ＨＳＶ）ＢＰ１６タンパク質融合物およびＧ−タンパク質融合物（例えば、Ｇ（アルファ）１６、Ｇｓ、Ｇｉ）が挙げられる。融合タンパク質はまた、５−ＨＴ６受容体の隣に位置に開裂部位を含むことができる。
【００７４】
ポリヌクレオチドの調製
天然の５−ＨＴ６受容体ポリヌクレオチドは、膜成分や脂質などの他の細胞成分を含まないように単離することができる。ポリヌクレオチドは、細胞によって産生し、標準的な核酸精製技術を用いて単離することができるか、またはポリメラーゼ連鎖反応（ＰＣＲ）等の増幅技術、あるいは自動化された合成装置を用いて合成することができる。ポリヌクレオチドを単離する方法は、常套的で当分野において周知である。ポリヌクレオチドを得るためのそのような任意の方法を用いて単離された５−ＨＴ６受容体ポリヌクレオチドを得ることができる。例えば、制限酵素およびプローブを用いて、５−ＨＴ６受容体  ヌクレオチド配列を含むポリヌクレオチド断片を単離することができる。単離されたポリヌクレオチドは、他の分子を少なくとも７０，８０，または９０％含まない調製物中に存在する。
【００７５】
５−ＨＴ６受容体ｃＤＮＡ分子は、５−ＨＴ６受容体ｍＲＮＡをテンプレートして用いて標準的な分子生物学の技術によって作成することができる。５−ＨＴ６受容体ｃＤＮＡ分子はその後で当分野で周知の分子生物学の技術を用いて複製することができる。ＰＣＲ等の増幅技術を用いて、ヒトゲノムＤＮＡまたはｃＤＮＡのいずれかをテンプレートとして用い、本発明のさらなるポリヌクレオチドを得ることができる。
【００７６】
あるいは、化学合成法を用いて、５−ＨＴ６受容体ポリヌクレオチドを合成することができる。遺伝コードの縮重によって、合成される、例えば、配列番号２に示すアミノ酸配列を有する５−ＨＴ６受容体または生物学的に活性なその変異体をコードするさらに別のヌクレオチド配列が可能である。
【００７７】
ポリヌクレオチドの伸張
様々なＰＣＲをベースとする方法を用いてヒト５−ＨＴ６受容体をコードする核酸配列を伸張することができ、例えば、プロモーターや調節エレメントなどの５−ＨＴ６受容体遺伝子の上流配列を検出することができる。例えば、制限部位ＰＣＲはユニバーサルプライマーを用いて、既知の座に隣接する未知の配列を読み出すことができる。リンカー配列に対するプライマーおよび既知の領域に特異的なプライマーの存在下で最初にゲノムＤＮＡを増幅する。増幅した配列を、同じリンカープライマーと、最初のプライマーの内部の別の特異的プライマーを用いて第２のＰＣＲに付す。各ＰＣＲの産物を適当なＲＮＡポリメラーゼを用いて転写し、逆転写酵素を用いて配列を決定する。
【００７８】
インバースＰＣＲもまた、既知の領域に基づいたダイバージェントプライマーを用いて配列を増幅または伸張するために使用することができる。OLIGO4. 06 プライマー解析ソフトウェア(National Biosciences Inc.,Plymouth, Minn. )等の商業的に入手可能なソフトウェアを用いて、長さ２２〜３０ヌクレオチド、ＧＣ含量５０％以上で、約６８〜７２℃で標的配列をアニールするプライマーを設計することができる。この方法は、いくつかの制限酵素を用いて遺伝子の既知の領域の適当な断片を調製する。次いでこの断片を分子内ライゲーションにより環状にし、ＰＣＲテンプレートとして用いる。
【００７９】
使用できるさらなる方法は、捕捉ＰＣＲであり、これはヒトおよび酵母の人工染色体ＤＮＡの既知の配列に隣接するＤＮＡのＰＣＲ増幅が関わる。この方法では、複数の酵素消化とライゲーションを用いて遺伝し操作した２本鎖の配列を、ＰＣＲを行う前にＤＮＡ分子の未知の断片内に配置させることができる。
【００８０】
完全長のｃＤＮＡをスクリーニングする場合、より大きなｃＤＮＡを含むようにサイズ選択されたライブラリーを用いることが好ましい。遺伝子の５'領域を含む配列をより多く含む点で、ランダムにプライミングされたライブラリーが好ましい。ランダムにプライミングされたライブラリーの使用は、オリゴｄ（Ｔ）ライブラリーが完全長のｃＤＮＡを生じない状況では、特に好ましいであろう。ゲノムライブラリーは、５'非転写調節領域へ配列を伸張するのに有用である。商業的に入手可能なキャピラリー電気泳動システムを用いて、大きさを解析またはＰＣＲのヌクレオチド配列を確認または産物の配列を決定することができる。例えば、キャピラリー配列決定は、電気泳動の分離のために流動性ポリマー、レーザー励起される４つの異なる蛍光染料（各ヌクレオチドついて１つ）、および放射された波長のＣＣＤカメラによる検出を用いることができる、出力／光強度を電気的信号に変換することができる。適当な装置とソフトウェア(例えば、GENOTYPERおよびSequence NAVIGATOR, Perkin Elmer) を用い、試料の投入からコンピュータ解析までの全課程と電子データ表示をコンピュータ制御することができる。キャピラリー電気泳動は、特定の試料における限られた量に存在し得るＤＮＡの小さい部分の配列決定に特に好ましい。
【００８１】
ポリペプチドの取得
５−ＨＴ６受容体は、例えばヒト細胞からの精製によって、５−ＨＴ６受容体ポリヌクレオチドの発現によって、または直接的化学合成によって取得できる。
【００８２】
タンパク精製
５−ＨＴ６受容体は、５−ＨＴ６受容体ポリヌクレオチドでトランスフェクトした宿主細胞を包含する、該レセプターを発現する任意のヒト細胞から精製できる。精製５−ＨＴ６受容体は、細胞内の５−ＨＴ６受容体に通常付随するその他の化合物、例えば或る種のタンパク、炭水化物、または脂質から、当分野で周知の方法を用いて分離する。このような方法は、サイズ排除クロマトグラフィー、硫酸アンモニウム分画、イオン交換クロマトグラフィー、親和クロマトグラフィー、および調製用ゲル電気泳動を包含するが、これらに限定されない。
【００８３】
５−ＨＴ６受容体ポリヌクレオチドの発現
５−ＨＴ６受容体を発現させるため、挿入されたコード化配列の転写と発現に必要な要素を含む発現ベクター中に５−ＨＴ６受容体ポリヌクレオチドを挿入することができる。５−ＨＴ６受容体をコードしている配列および適当な転写および翻訳調節要素を含む発現ベクターを組み立てるため、当業者に周知の方法が利用できる。これらの方法には、インビトロ組換えＤＮＡ技術、合成技術、およびインビボ遺伝子組換えがある。このような技術は、例えば[Devlin et al. , Science, (1990)]に記載されている。
【００８４】
５−ＨＴ６受容体をコードしている配列を含みそして発現する様々な発現ベクター／宿主系が利用できる。これらには、微生物、例えば組換えバクテリオファージ、プラスミド、またはコスミドＤＮＡ発現ベクターにより形質転換された細菌；酵母発現ベクターにより形質転換された酵母、ウイルス発現ベクター（例えばバキュロウイルス）により感染を受けた昆虫細胞系、ウイルス発現ベクター（例えばカリフラワーモザイクウイルス、ＣａＭＶ；タバコモザイクウイルス、ＴＭＶ）、もしくは細菌発現ベクター（例えばＴｉまたはｐＢＲ３２２プラスミド）により形質転換された植物細胞系、または動物細胞系が包含されるがこれらに限定される訳ではない。
【００８５】
調節要素または調節配列は、宿主細胞タンパクと相互作用して転写と翻訳を実行する、ベクターの非翻訳領域−エンハンサー、プロモーター、５’および３’非翻訳領域−である。係る要素はその強さと特異性において異なっている。利用するベクター系および宿主に応じて、構成的および誘導的プロモーターを包含する、多数の好適な転写および翻訳要素を使用できる。例えば、細菌系でクローニングを行う場合、BLUESCRIPTファージミド（Straタグene, LaJolla，Calif.）またはpSPORT１プラスミド（Life Technologies）等のハイブリッドlacZプロモーターのような誘導的プロモーターを使用できる。バキュロウイルスのポリヘドリンプロモーターは昆虫細胞に使用できる。植物細胞のゲノムから（例えば熱ショック、RUBISCO、および貯蔵タンパク遺伝子）、または植物ウイルスから（例えば、ウイルスプロモーターまたはリーダー配列）誘導したプロモーターまたはエンハンサーを該ベクター中にクローニングすることができる。哺乳動物細胞系では、哺乳動物遺伝子由来の、または哺乳動物ウイルス由来のプロモーターが好ましい。５−ＨＴ６受容体をコードしているヌクレオチド配列を複数コピー含むセルラインを作製する必要がある場合は、ＳＶ４０またはＥＢＶに基づくベクターを適当な選択マーカーと共に使用することができる。
【００８６】
細菌および酵母発現系
細菌系では、５−ＨＴ６受容体に対して意図する用途に応じて幾つかの発現ベクターを選択できる。例えば、抗体の誘導のため大量の５−ＨＴ６受容体が必要である場合は、容易に精製できる融合タンパクの高レベル発現を指令するベクターが使用できる。このようなベクターは、BLUESCRIPT(Straタグene)のような多機能E.coliクローニングおよび発現ベクターを包含するが、これに限定される訳ではない。BLUESCRIPTベクターにおいては、５−ＨＴ６受容体をコードしている配列を、β−ガラクトシダーゼのアミノ末端Ｍｅｔとこれに続く７残基の配列と共にフレーム内で該ベクター中にライゲーションすることができ、その結果ハイブリッドタンパクが産生される。ｐＩＮベクター（Van Heeke & Schuster, J.Biol.Chem. 264,5503-5509,1989）またはｐＧＥＸベクター（Promega, Madison, Wis.）もまた、グルタチオンＳ−トランスフェラーゼ（ＧＳＴ）を伴う融合タンパクとして外来ポリペプチドを発現させるのに使用できる。一般に、このような融合タンパクは可溶性であり、グルタチオン−アガロースビーズに吸着させ、その後遊離グルタチオンの存在下で溶離することにより、溶菌させた細胞から容易に精製できる。このような系で調製したタンパクは、ヘパリン、トロンビン、または第Ｘａ因子プロテアーゼ開裂部位を含むよう設計でき、その結果、主題とするクローンポリペプチドをＧＳＴ部分から随意に解放することができる。
【００８７】
植物および昆虫発現系
植物発現ベクターを使用する場合、５−ＨＴ６受容体をコードしている配列の発現は、幾つかのプロモーターのうち任意のものにより駆動できる。例えば、ＣａＭＶの３５Ｓおよび１９Ｓプロモーターのようなウイルスプロモーターを、単独で、またはＴＭＶ由来のオメガリーダー配列と組み合わせて使用できる[Scott et al. (1990)]。別法として、RUBISCOの小サブユニットのような植物プロモーターまたは熱ショックプロモーターを使用することもできる[Takamatsu et al. (1987) ]。これらの組み立て物は、直接ＤＮＡ形質転換または病原体仲介トランスフェクションにより植物細胞中に導入できる。
【００８８】
昆虫系もまた５−ＨＴ６受容体の発現に使用できる。例えば、係る系の１つAutographa californica核多角体病ウイルス（ＡｃＮＰＶ）は、Spodoptera frugiperda細胞またはTrichoplusiaの幼虫で外来遺伝子を発現させるベクターとして使用する。５−ＨＴ６受容体をコードしている配列を、ポリヘドリン遺伝子のような該ウイルスの非必須領域中にクローニングし、ポリヘドリンプロモーターの調節下に置くことができる。５−ＨＴ６受容体をうまく挿入すると、ポリヘドリン遺伝子は不活性化し、コートタンパクを欠く組換えウイルスが生成する。次いでこの組換えウイルスをS.frugiperda細胞またはTrichoplusiaの幼虫への感染に使用し、そこで５−ＨＴ６受容体を発現させることができる[Fodor et al., (1993)]。
【００８９】
哺乳動物発現系
ウイルスに基づく多くの発現系を用いて哺乳動物宿主細胞で５−ＨＴ６受容体を発現させることができる。例えば、発現ベクターとしてアデノウイルスを使用する場合、５−ＨＴ６受容体をコードしている配列は、後期プロモーターおよび３部に分かれたリーダー配列を含むアデノウイルス転写／翻訳複合体中にライゲーションできる。該ウイルスゲノムの非必須Ｅ１またはＥ３領域における挿入を用いて、感染宿主細胞において５−ＨＴ６受容体を発現できる生存ウイルスを取得できる[Engelhard et al.(1994)]。所望によりラウス肉腫ウイルス（ＲＳＶ）エンハンサーのような転写エンハンサーを用いて哺乳動物宿主細胞での発現を増大させることができる。
【００９０】
ヒト人工染色体（ＨＡＣ）もまた、プラスミドが内包し発現するＤＮＡ断片よりも大きなＤＮＡ断片の運搬に使用できる。６Ｍないし１０ＭのＨＡＣを組み立て、常套的デリバリー法により細胞に到達させる（例えば、リポソーム、ポリカチオンアミノポリマー、または小胞）。さらに、５−ＨＴ６受容体をコードしている配列の、より効率的な翻訳を達成するために、特異的開始シグナルを使用できる。係るシグナルはＡＴＧ開始コドンおよび連続配列を包含する（Kozak配列）。５−ＨＴ６受容体をコードしている配列、その開始コドン、および上流配列を適当な発現ベクター中に挿入した場合、さらなる転写または翻訳調節シグナルは必要ないであろう。しかしながら、コード化配列またはその断片のみを挿入した場合は、外因性の翻訳調節シグナル（ＡＴＧ開始コドンを包含する）を供給すべきである。開始コドンは挿入物全体を確実に翻訳させるために、正しいリーディングフレームになければならない。外因性翻訳要素および開始コドンは天然および合成両者の様々な起源であってよい。
【００９１】
宿主細胞
宿主細胞菌株は、挿入した配列の発現を調節する能力または発現された５−ＨＴ６受容体を所望の方法で処理できる能力を主題として選択できる。該ポリペプチドのこのような修飾には、アセチル化、カルボキシ化、グリコシル化、燐酸化、脂質化、およびアシル化が包含されるがこれらに限定されない。該ポリペプチドの「プレプロ」型を開裂する翻訳後プロセシングもまた、正しい挿入、折り畳み、および／または機能を促進するために使用できる。翻訳後活性のための特異的な細胞機構および特徴的メカニズムを持つ異なる宿主細胞（例えばＣＨＯ、ＨｅＬａ、ＭＤＣＫ、ＨＥＫ２９３、１３２１Ｎ１およびＷＩ３８）が、American Type Culture Collection（ＡＴＣＣ；10801 University Boulevard, Manassas, VA 20110-2209）から入手でき、外来タンパクの正しい修飾およびプロセシングを確実とするために選択できる。
【００９２】
組換えタンパクの、長期高収量産生のために、安定な発現が好ましい。例えば、５−ＨＴ６受容体を発現するセルラインは、ウイルス複製起点および／または内因性発現要素、および同じまたは別のベクター上にある選択マーカー遺伝子を含む発現ベクターを使用して形質転換することができる。該ベクターの導入に続いて、細胞を強化培地で１〜２日間生育させた後、培地を選択培地に交換することができる。選択マーカーの目的は、選択に対する抵抗性を付与することであり、その存在が、導入された５−ＨＴ６受容体配列をうまく発現する細胞の生育と回収を可能にする。安定に形質転換された細胞の耐性クローンは、その細胞型にとって適当な組織培養技術を用いて増殖させることができる。幾つかの選択系を用いて、形質転換されたセルラインを回収できる。これらには、それぞれtk-またはaprt-細胞で使用できる単純ヘルペスウイルスチミジンキナーゼ[Logan, (1984)]およびアデニンホスホリボシルトランスフェラーゼ[Wigler, (1977)]遺伝子が包含されるがこれらに限定される訳ではない。さらに、代謝拮抗物質、抗生物質、または除草剤耐性を選択の基準に用いることができる。例えば、dhfrはメソトレキサート[Lowy, (1980)]に対する耐性を付与し、nptはアミノグリコシド、ネオマイシンおよびＧ−４１８に対する耐性を付与し、G-418 [Wigler, (1980)]、そしてalsおよびpatはそれぞれクロルスルフロンおよびホスフィノトリシンアセチルトランスフェラーゼに対する耐性を付与する[Colbere-Garapin et al. , (1981) ]。さらなる選択遺伝子が記載されている。例えば、trpBは細胞がトリプトファンの代わりにインドールを利用するようにさせ、hisDは細胞がヒスチジンの代わりにヒスチノールを利用するようにさせる[Murray,(1992)]。アントシアニンのような可視マーカー、β−グルクロニダーゼとその基質ＧＵＳ、およびルシフェラーゼとその基質ルシフェリンは、形質転換体を同定し、特異的ベクター系に帰すことのできる一過性または安定なタンパク発現の量を定量するために使用できる。
【００９３】
ポリペプチド発現の検出
マーカー遺伝子発現の存在は５−ＨＴ６受容体ポリヌクレオチドもまた存在することを示唆しているが、その存在と発現は確認する必要がある。例えば、もし５−ＨＴ６受容体をコードしている配列がマーカー遺伝子配列内部に挿入されるならば、５−ＨＴ６受容体をコードしている配列を含む形質転換された細胞は、マーカー遺伝子機能の不在によって同定できる。これに代わり、マーカー遺伝子は、単一のプロモーターの調節下に５−ＨＴ６受容体をコードしている配列とタンデムに並べて位置させることもできる。誘導または選択に応答したマーカー遺伝子の発現は、通常、５−ＨＴ６受容体ポリヌクレオチドの発現を示す。
【００９４】
これとは別に、５−ＨＴ６受容体ポリヌクレオチドを含み５−ＨＴ６受容体を発現する宿主細胞は、当業者に知られる様々な方法によって同定できる。これらの方法には、ＤＮＡ−ＤＮＡまたはＤＮＡ−ＲＮＡハイブリダイゼーションおよびタンパク生検またはイムノアッセイ技術（核酸またはタンパクの検出および／または定量のための膜、溶液、またはチップに基づく技術を包含する）が包含されるがこれらに限定されない。例えば、５−ＨＴ６受容体をコードしているポリヌクレオチド配列の存在は、プローブまたは断片または５−ＨＴ６受容体をコードしているポリヌクレオチドの断片を使用するＤＮＡ−ＤＮＡまたはＤＮＡ−ＲＮＡハイブリダイゼーションまたは増幅によって検出できる。核酸増幅に基づく検定は、５−ＨＴ６受容体ポリヌクレオチドを含む形質転換体を検出するための、５−ＨＴ６受容体をコードしている配列から選択されるオリゴヌクレオチドの使用を含む。５−ＨＴ６受容体に対し特異的なポリクローナルまたはモノクローナル抗体のいずれかを使用して該ポリペプチドの発現を検出および測定するための様々なプロトコルが当分野で知られている。例として、酵素結合イムノソルベント検定（ＥＬＩＳＡ）、ラジオイムノアッセイ（ＲＩＡ）、および蛍光活性化セルソーティング（ＦＡＣＳ）がある。５−ＨＴ６受容体上の２個の非干渉性エピトープに反応するモノクローナル抗体を用いる、２部位のモノクローナルに基づくイムノアッセイが使用でき、または、競合的結合検定を使用することができる[Hanmpton et al., (1990)]。
【００９５】
多岐にわたる標識およびコンジュゲーション技術が当業者に知られており、様々な核酸およびアミノ酸検定に使用できる。５−ＨＴ６受容体をコードしているポリヌクレオチドに関連する配列を検出するための標識化ハイブリダイゼーションまたはＰＣＲプローブを調製する手段は、標識したヌクレオチドを使用する、オリゴ標識化、ニック翻訳、末端標識化、またはＰＣＲ増幅を包含する。あるいは、５−ＨＴ６受容体をコードしている配列を、ｍＲＮＡプローブの産生のためのベクター中にクローニングすることもできる。このようなベクターは当分野で既知であり、市販品が入手でき、標識化ヌクレオチドおよび適当なＲＮＡポリメラーゼ、例えばＴ７、Ｔ３、またはＳＰ６を添加することによりインビトロでのＲＮＡプローブの合成に使用することができる。これらの方法は、市販の様々なキットを用いて実施できる（Amersham Pharmacia Biotech、 Promega、およびUS Biochemical）。検出を容易にするために使用できる適当なリポーター分子または標識には、放射性核種、酵素、および蛍光、化学ルミネセント、または色素生成物質、ならびに基質、補助因子、阻害物質、磁性粒子などが包含される。
【００９６】
ポリペプチドの発現および精製
５−ＨＴ６受容体ポリヌクレオチドで形質転換させた宿主細胞は、発現と、細胞培養からのタンパクの回収に適した条件下で培養できる。形質転換細胞により産生されたポリペプチドは、その配列および／または使用したベクターに応じて分泌されまたは細胞内に貯留され得る。当業者には理解できるであろうが、５−ＨＴ６受容体ポリヌクレオチドを含む発現ベクターは、原核または真核細胞膜を通った可溶性５−ＨＴ６受容体の分泌を指令する、または膜結合５−ＨＴ６受容体の、膜挿入を指令する、シグナル配列を含むよう設計できる。
【００９７】
上に論じたように、他の組み立て物を用いて、５−ＨＴ６受容体をコードしている配列を、可溶性タンパクの精製を促進するポリペプチドドメインをコードしているヌクレオチド配列と結合させることができる。このような精製促進ドメインは、金属キレート化ペプチド、例えば固定化金属上での精製を可能にするヒスチジン−トリプトファンモジュール、固定化免疫グロブリン上での精製を可能にするタンパクＡドメイン、およびＦＬＡＧＳ伸長／アフィニティ精製系で利用するドメインが包含されるが、これらに限定されない（Immunex Corp., Seattle, Wash.）。精製ドメインと５−ＨＴ６受容体との間に開裂可能リンカー配列、例えば第Ｘａ因子またはエンテロキナーゼに特異的なリンカー配列を入れること（Invitrogen, San Diego, CA）もまた、精製を促進するために利用できる。このような発現ベクターの１つは、５−ＨＴ６受容体と、チオレドキシンまたはエンテロキナーゼ開裂部位に先立つ６個のヒスチジン残基とを含む融合タンパクの発現を提供する。このヒスチジン残基はＩＭＡＣ（固定化金属イオン親和クロマトグラフィー）[Maddox et al. , (1983) ]による精製を促進し、一方エンテロキナーゼ開裂部位は融合タンパクからの５−ＨＴ６受容体の精製手段を提供する。融合タンパクを含むベクターは[Porath et al., (1992)]に開示されている。
【００９８】
化学合成
５−ＨＴ６受容体をコードしている配列は、その全体または一部を、当分野で周知の化学的方法を用いて合成できる[Kroll et al. (1993), Caruthers et al., (1980)]。あるいは、５−ＨＴ６受容体自身を、そのアミノ酸配列を合成するための化学的方法、例えば固相技術を用いる直接ペプチド合成を用いて調製できる[Horn et al., (1980); Merrifield et al., (1963)]。タンパク合成は手動のまたは自動化された技術を用いて実施できる。自動化合成は、例えばApplied Biosystems 431Aペプチド合成機（Perkin Elmer）を用いて達成できる。所望により、５−ＨＴ６受容体の断片を別々に合成し、化学的方法を用いて合成して完全長の分子を調製することもできる。
【００９９】
新たに合成したペプチドは、調製用高速液体クロマトグラフィーにより実質的に精製できる。合成５−ＨＴ６受容体の組成はアミノ酸分析または配列決定により確認できる。さらに、直接合成中に５−ＨＴ６受容体のアミノ酸配列の任意の部分を改変させ、そして／または化学的方法を用いて他のタンパク由来の配列と合して、変異体ポリペプチドまたは融合タンパクを調製することができる。
【０１００】
改変５−ＨＴ６受容体の調製
当業者には理解できるであろうが、天然に存在しないコドンを有する５−ＨＴ６受容体ポリヌクレオチドを調製することは有利であり得る。例えば、特定の原核または真核宿主が好むコドンを選択して、タンパク発現の速度を増大させ、または所望の性質、例えば天然に存在する配列から産生される転写物の半減期より長い半減期を持つＲＮＡ転写物を調製することができる。
【０１０１】
本明細書において参照するヌクレオチド配列は、当分野で一般的に知られる方法を用いて、該ポリペプチドまたはｍＲＮＡ産物のクローニング、プロセシング、および／または発現を修飾する改変を包含する（但しこれらに限定される訳ではない）様々な理由で、５−ＨＴ６受容体ポリヌクレオチドを改変させるように設計できる。無作為断片化によるＤＮＡシャフリングと遺伝子断片および合成オリゴヌクレオチドのＰＣＲ再集合を用いてヌクレオチド配列を設計できる。例えば、位置指定突然変異誘発を用いて、新たな制限部位を挿入し、グリコシル化パターンを変え、コドンの優先性を変え、スプライス変異体を調製し、突然変異を導入する等を実施できる。
【０１０２】
抗体
当分野で知られているいかなる型の抗体も、５−ＨＴ６受容体のエピトープに特異的に結合するよう作製できる。本明細書で使用する「抗体」とは、無傷の免疫グロブリン分子、およびその断片、例えばＦａｂ、Ｆ(ａｂ’)2、およびＦｖを包含し、これらは５−ＨＴ６受容体のエピトープに結合できる。典型的には、エピトープを形成するためには少なくとも６、８、１０、または１２の連続するアミノ酸が必要である。しかしながら、非連続アミノ酸を含むエピトープはより多くの、例えば少なくとも１５、２５、または５０のアミノ酸を必要とするかも知れない。５−ＨＴ６受容体のエピトープに特異的に結合する抗体は治療に使用でき、そして免疫化学検定、例えばウェスタンブロット、ＥＬＩＳＡ、ラジオイムノアッセイ、免疫組織化学検定、免疫沈降、またはその他の当分野で既知の免疫化学的検定に使用できる。所望の特異性を有する抗体の同定のため、様々なイムノアッセイが使用できる。競合的結合または免疫放射検定のための多数のプロトコルが当分野でよく知られている。このようなイムノアッセイは典型的には、免疫原と、５−ＨＴ６受容体免疫原に特異的に結合する抗体との間の複合体形成の測定を含んでいる。
【０１０３】
典型的には、５−ＨＴ６受容体に特異的に結合する抗体は、免疫化学検定に使用する場合、他のタンパクが提供する検出シグナルより少なくとも５、１０、または２０倍高い検出シグナルを提供する。好ましくは、５−ＨＴ６受容体に特異的に結合する抗体は、免疫化学検定で他のタンパクを検出せず、５−ＨＴ６受容体を溶液から免疫沈降させることができる。
【０１０４】
５−ＨＴ６受容体は、哺乳動物、例えばマウス、ラット、ウサギ、モルモット、サル、またはヒトを免疫してポリクローナル抗体を産生させるのに使用できる。所望により、５−ＨＴ６受容体は、担体タンパク、例えば牛血清アルブミン、チログロブリン、およびスカシガイヘモシアニンとコンジュゲートさせることができる。宿主の種に応じて、免疫学的反応を増大させるために種々のアジュバントを使用できる。このようなアジュバントは、フロイントアジュバント、鉱物性ゲル（例えば水酸化アルミニウム）、および界面活性物質（例えばリゾレシチン、プルロニックポリオール、ポリアニオン、ペプチド、油性エマルジョン、スカシガイヘモシアニン、およびジニトロフェノール）を包含するがこれらに限定されない。ヒトに使用するアジュバントの中ではＢＣＧ（bacilli Calmette-Guerin）およびCorynebacterium parvumが特に有用である。
【０１０５】
５−ＨＴ６受容体に特異的に結合するモノクローナル抗体は、培養中の連続的セルラインにより抗体分子の産生を提供する任意の技術を用いて調製できる。これらの技術には、ハイブリドーマ技術、ヒトＢ細胞ハイブリドーマ技術、およびＥＢＶ−ハイブリドーマ技術があるがこれらに限定されない[Roberge et al., (1995); Kohler et al., (1985); Kozbor et al., (1985); Cote et al., (1983)]。
【０１０６】
さらに、マウス抗体遺伝子をヒト抗体遺伝子にスプライシングして適当な抗原特異性と生物活性を持つ分子を得る、「キメラ抗体」の産生のために開発された技術が利用できる。モノクローナルおよびその他の抗体はまた、これを治療に使用した場合に患者が該抗体に対する免疫反応を起こすのを防ぐため、「ヒト化」することができる。このような抗体は、治療に直接使用できるほど配列が充分ヒトに類似しているかも知れず、または幾つかの重要残基の変更を必要とするかも知れない。齧歯類の抗体とヒト配列の間の配列相違は、個々の残基の位置指定突然変異誘発により、または相補性決定領域全体のgratingにより、ヒト配列内の残基と相違する残基を置き換えることによって最小化することができる。５−ＨＴ６受容体に特異的に結合する抗体は、米国特許第５,５６５,３３２号に開示のように、部分的または完全にヒト化した抗原結合部位を含むことができる。
【０１０７】
あるいは、当分野で既知の方法を用いて、一本鎖抗体の調製のために記載した技術を適合させ、５−ＨＴ６受容体に特異的に結合する一本鎖抗体を調製することができる。関連する特異性を持つが別個のイディオタイプ組成を有する抗体を、無作為組み合わせ免疫グロブリンライブラリーから鎖シャフリングによって調製することができる[Takeda et al., (1985)]。一本鎖抗体はまた、ハイブリドーマｃＤＮＡを鋳型に用いて、ＰＣＲのようなＤＮＡ増幅法を用いて組み立てることができる。一本鎖抗体は単一または二重特異性であり得、また、二価または四価であり得る。四価二重特異性一本鎖抗体の組み立ては教示されている。下記のように、一本鎖抗体をコードしているヌクレオチド配列を手動または自動ヌクレオチド合成を用いて組み立て、標準的組換えＤＮＡ法を用いて発現組み立て物中にクローニングし、そして細胞中に導入してコード化配列を発現させることができる。別法として、一本鎖抗体を、例えば糸状ファージ技術を用いて直接調製することもできる[Burton et al., (1991); Verhaar et al., (1995)]。
【０１０８】
５−ＨＴ６受容体に特異的に結合する抗体はまた、リンパ球集団においてインビボ産生を誘導することによって、または、文献に開示されている極めて特異的な結合試薬のパネルまたは免疫グロブリンライブラリーをスクリーニングすることによって調製することもできる。その他の型の抗体を、本発明方法において組み立て、治療に使用することができる。例えば、ＷＯ９３／０３１５１に開示のように、キメラ抗体を組み立てることができる。免疫グロブリンから誘導され多価且つ多重特異的である結合タンパク、例えばＷＯ９４／１３８０４に記載の「二重特異性抗体(diabody)」もまた調製できる。
【０１０９】
本発明の抗体は当分野で周知の方法により精製できる。例えば、抗体は、５−ＨＴ６受容体が結合しているカラムを通過させることによりアフィニティ精製できる。次いで、結合した抗体を、高い塩濃度の緩衝液を用いてカラムから溶出することができる。
【０１１０】
アンチセンスオリゴヌクレオチド
アンチセンスオリゴヌクレオチドは、特定のＤＮＡまたはＲＮＡ配列に対し相補的なヌクレオチド配列である。いったん細胞中に導入されるとこの相補的ヌクレオチドは、該細胞が産生した天然配列と結合して複合体を形成し、転写または翻訳のいずれかを遮断する。好ましくは、アンチセンスオリゴヌクレオチドは少なくとも１１ヌクレオチド長であるが、少なくとも１２、１５、２０、２５、３０、３５、４０、４５、もしくは５０またはそれ以上のヌクレオチド長であってもよい。より長い配列もまた使用できる。アンチセンスオリゴヌクレオチド分子をＤＮＡ組み立て物に提供し、上記のように細胞中に導入して、その細胞における５−ＨＴ６受容体遺伝子産物のレベルを低下させることができる。
【０１１１】
アンチセンスオリゴヌクレオチドは、デオキシリボヌクレオチド、リボヌクレオチド、またはこの両者の組み合わせであってよい。オリゴヌクレオチドは、１つのヌクレオチドの５’末端を、アルキルホスホネート、ホスホロチオエート、ホスホロジチオエート、アルキルホスホノチオエート、アルキルホスホネート、ホスホロアミデート、リン酸エステル、カルバメート、アセトアミデート、カルボキシメチルエステル、カルボネート、およびリン酸トリエステルといった非ホスホジエステルヌクレオチド間結合を有する別のヌクレオチドの３’末端と共有結合させることにより、手動で、または自動合成機によって合成できる。
【０１１２】
５−ＨＴ６受容体遺伝子の制御配列、５’配列、または調節領域と二本鎖を形成するアンチセンスオリゴヌクレオチドを設計することにより、５−ＨＴ６受容体遺伝子発現の修飾が得られる。転写開始部位、例えば開始部位から−１０および＋１０位の間から誘導されるオリゴヌクレオチドが好ましい。同様に、「三重らせん」塩基対合法を用いて阻害を達成できる。三重らせん対合は、二重らせんがポリメラーゼ、転写因子またはシャペロンの結合に足るほど開く能力の阻害を惹起するため、有用である。三本鎖ＤＮＡを用いる治療上の進歩が文献に記載されている［Nicholls,（1993）］。転写物がリボソームに結合するのを防ぐことによりｍＲＮＡの翻訳を遮断するアンチセンスオリゴヌクレオチドもまた設計できる。
【０１１３】
アンチセンスオリゴヌクレオチドと５−ＨＴ６受容体ポリヌクレオチドの相補配列との間に好結果の複合体を形成させるためには、正確な相補性は必要ない。例えば５−ＨＴ６受容体ポリヌクレオチドに対し正確に相補的である２、３、４、もしくは５またはそれ以上の長さの連続するヌクレオチドであって、その各々が、隣接する５−ＨＴ６受容体ヌクレオチドとは相補的ではない連続する或る長さのヌクレオチドによって隔てられているものを含有するアンチセンスオリゴヌクレオチドは、５−ＨＴ６受容体ｍＲＮＡに対する充分な標的化特異性を提供できる。好ましくは、相補的な連続ヌクレオチドの長さはそれぞれ少なくとも４、５、６、７もしくは８またはそれ以上のヌクレオチド長である。非相補的な介在配列は、好ましくは１、２、３、または４ヌクレオチド長である。当業者は、アンチセンス−センスの対の算出融点を容易に使用して、特定のアンチセンスオリゴヌクレオチドと特定の５−ＨＴ６受容体ポリヌクレオチド配列間で寛容されるミスマッチの程度を決定できるであろう。アンチセンスオリゴヌクレオチドは、５−ＨＴ６受容体ポリヌクレオチドとハイブリダイズする能力に影響を及ぼすことなく修飾できる。これらの修飾は該アンチセンス分子の内部、または一端もしくは両端である。例えば、ヌクレオシド間のリン酸結合は、アミノ基と末端リボースの間にいろいろな数の炭素残基を有するコレステリルまたはジアミン部分を加えることによって修飾できる。修飾された塩基および／または糖、例えばリボースの代わりのアラビノース、または３’ヒドロキシ基または５’リン酸基が置換されている３’,５’−置換オリゴヌクレオチドもまた修飾アンチセンスオリゴヌクレオチドに使用できる。これらの修飾オリゴヌクレオチドは当分野で周知の方法により調製できる[Gee et al., (1994); Agawal et al., (1992); Uhlmann et al., (1990)]。
【０１１４】
リボザイム
リボザイムは触媒活性を有するＲＮＡ分子である［Uhlmann,（1987）; Cech et al., (1987), (1990), (1992)］。当分野で知られるように、リボザイムは、ＲＮＡ配列を開裂することにより遺伝子機能を阻害するのに使用できる（米国特許第５，６４１，６７３号）。リボザイムの作用機構は、相補的標的ＲＮＡに対するリボザイム分子の配列特異的ハイブリダイゼーションと、その後のエンドヌクレアーゼ的な開裂を含む。例には、特異的ヌクレオチド配列のエンドヌクレアーゼ的な開裂を特異的且つ効果的に触媒できる、設計されたハンマーヘッドモチーフリボザイム分子がある。５−ＨＴ６受容体ポリヌクレオチドのコード化配列、例えば配列番号１に示したものの相補物を用いて、５−ＨＴ６受容体ポリヌクレオチドから転写されたｍＲＮＡに特異的に結合するリボザイムを作製できる。他のトランスのＲＮＡ分子を極めて配列特異的に開裂できるリボザイムを設計し組み立てる方法が開発され、当分野で記載されている[Couture & Stinchcomb (1996)]。例えば、リボザイムの開裂活性は、別個の「ハイブリダイゼーション」領域を該リボザイム中に組み入れることによって、特定のＲＮＡを標的とさせることができる。このハイブリダイゼーション領域は標的ＲＮＡに対し相補的な配列を含んでおり、したがってその標的ＲＮＡと特異的にハイブリダイズする。
【０１１５】
５−ＨＴ６受容体ＲＮＡ標的内部の特異的リボザイム開裂部位は、この標的分子を、以下の配列：ＧＵＡ、ＧＵＵ、およびＧＵＣを包含するリボザイム開裂部位についてスキャンすることにより同定できる。同定できたならば、該開裂部位を含む標的ＲＮＡの領域に対応する、１５および２０の間のリボヌクレオチドを有する短いＲＮＡ配列を、標的を非機能的にし得る二次構造の特徴について評価できる。さらに、候補の５−ＨＴ６受容体 ＲＮＡ標的の適合性を、リボヌクレアーゼ防護検定を用いて相補的オリゴヌクレオチドとのハイブリダイゼーションに対する利用可能性を試験することによって評価できる。配列番号１に示すヌクレオチド配列およびこれらの相補物は、適当なハイブリダイゼーション領域配列の供給源を提供する。より長い相補配列を用いて、標的に対するハイブリダイゼーション配列の親和性を増大させることができる。リボザイムのハイブリダイズおよび開裂する領域は、相補領域を介して標的ＲＮＡにハイブリダイズする場合、リボザイムの触媒領域が標的を開裂し得るといったように、完全に相関している。
【０１１６】
リボザイムはＤＮＡ組み立て物の一部として細胞内に導入できる。マイクロインジェクション、リポソーム仲介トランスフェクション、エレクトロポレーション、またはリン酸カルシウム沈殿といった機械的方法を用いて、５−ＨＴ６受容体発現の低下が望まれる細胞中にリボザイム含有ＤＮＡ組み立て物を導入することができる。これとは別に、細胞がＤＮＡ組み立て物を安定的に保持することが望まれる場合は、該組み立て物をプラスミド上で供給し、当分野で知られるように、別個の要素として維持するか、または細胞のゲノム中に組み込むことができる。リボザイムコード化ＤＮＡ組み立て物は、細胞におけるリボザイムの転写調節のために、プロモーターエレメント、エンハンサーまたはＵＡＳエレメント、および転写ターミネーターシグナルといった転写調節エレメントを含み得る（米国特許５，６４１，６７３）。リボザイムはまた、ｍＲＮＡの破壊がリボザイムと標的遺伝子の両者が細胞内で誘導された場合にのみ起こるように、追加レベルの調節を提供するよう設計できる。
【０１１７】
スクリーニング／スクリーニングアッセイ
調節物質
本明細書において用いられる調節物質は、５−ＨＴ６受容体 アゴニストおよび５−ＨＴ６受容体 アンタゴニストを意味する。５−ＨＴ６受容体のアゴニストは、５−ＨＴ６受容体に結合したときに５−ＨＴ６受容体の活性を増大または長引かせる分子である。５−ＨＴ６受容体のアゴニストとしては、タンパク質、核酸、炭化水素、小分子または５−ＨＴ６受容体を活性化する任意の他の分子が挙げられる。５−ＨＴ６受容体のアンタゴニストは、５−ＨＴ６受容体と結合したときに、５−ＨＴ６受容体の活性の量または持続を減少させる分子である。アンタゴニストとしては、タンパク質、核酸、炭化水素、抗体、小分子または５−ＨＴ６受容体の活性を減少させる任意の他の分子が挙げられる。
【０１１８】
用語「調節」は、本明細書に示されるように、５−ＨＴ受容体の活性の変化を意味する。例えば、調節によって、５−ＨＴ６受容体のタンパク質活性、結合特性または任意の他の生物学的、機能的または免疫学的特性の増大または減少を引き起こしうる。
【０１１９】
本明細書において用いられているとおり、用語「特異的な結合」または「特異的に結合する」は、タンパク質またはペプチドとアゴニスト、抗体またはアンタゴニストとの間の相互作用を意味する。この相互作用は、結合する分子によって認識されるタンパク質の特定の構造（即ち、抗原決定基またはエピトープ）の存在に依存する。例えば、抗体がエピトープＡに特異的である場合、フリーの標識されたＡと抗体を含む反応物における、エピトープＡを含むポリペプチドの存在またはフリーの標識されたＡの存在は、抗体と結合する標識されたＡの量を減少するであろう。
【０１２０】
本発明は、血液疾患、疼痛疾患、呼吸器疾患、生殖泌尿系の疾患、心疾患および癌の処置に使用することができる化合物を同定するための方法（本明細書では「スクリーニングアッセイ」ともいう）を提供する。本方法は、５−ＨＴ６受容体に結合する、および／または５−ＨＴ６受容体の生物学的活性またはその発現に対して刺激または阻害効果を有する候補化合物または試験化合物または試薬(例えば、ペプチド、ペプチド模擬物、小分子、または他の分子）を同定し、次いで、血液疾患、疼痛疾患、呼吸器疾患、生殖泌尿器系疾患、心疾患および癌に関する症状または障害に対して効果を有する化合物の発現を測定することを必要とする。
【０１２１】
５−ＨＴ６受容体に結合する、および／または５−ＨＴ６受容体の活性または発現に対して刺激または阻害効果を有する、候補または試験化合物または試薬は、細胞表面に５−ＨＴ６受容体を発現する細胞を用いるアッセイ（細胞ベースのアッセイ）か、または単離された５−ＨＴ６受容体を用いたアッセイ（細胞不含アッセイ）のいずれかにおいて同定する。様々なアッセイは、様々な５−ＨＴ６受容体の変異体（例えば、完全長の５−ＨＴ６受容体、５−ＨＴ６受容体の生物学的に活性な断片または５−ＨＴ６受容体の全部または一部分を含む融合タンパク質）を用いることができる。さらに、５−ＨＴ６受容体は、任意の適当な哺乳類（例えば、ヒト５−ＨＴ６受容体、ラット５−ＨＴ６受容体またはマウス５−ＨＴ受容体）に由来し得る。アッセイは、試験化合物または５−ＨＴ６受容体に対する既知の５−ＨＴ６受容体リガンドの結合の間接的または直接的な測定を伴う結合アッセイであってよい。アッセイはまた、５−ＨＴ６受容体の活性の直接的または間接的測定を伴う活性分析であり得る。このアッセイはまた、５−ＨＴ６受容体ｍＲＮＡまたは−ＨＴ６受容体タンパク質の発現の直接的または間接的測定を伴う発現アッセイであり得る。様々なスクリーニングアッセイを、血液疾患、疼痛疾患、呼吸器疾患、生殖泌尿系の疾患、心疾患および癌の症状に対する試験化合物の効果の測定を伴うin vivo アッセイと組み合わせる。
【０１２２】
１つの態様では、本発明は、５−ＨＴ６受容体の膜に結合した（細胞表面で発現した）形態に結合またはその活性を調節する候補化合物または試験化合物をスクリーニングするためのアッセイを提供する。そのようなアッセイは、完全長の５−ＨＴ６受容体、５−ＨＴ６受容体の生物学的に活性な断片または５−ＨＴ６受容体の全部または一部分を含む融合タンパク質を用いることができる。以下により詳細に記載するように、試験化合物を任意の適当な手段によって、例えば、慣用の化合物ライブラリーから得ることができる。５−ＨＴ６受容体の膜結合形態に結合する試験化合物の能力の測定は、例えば、試験化合物と５−ＨＴ６受容体を発現している細胞との結合が、複合体における標識化合物の検出によって測定することができるように、放射性相違元素標識または酵素標識とをカップリングさせることにより行うことができる。例えば、試験化合物を、125Ｉ、35Ｓ、14Ｃまたは3Ｈで、直接的または間接的に標識し、放射能の直接的計測により、またはシンチレーション計測により放射性同位元素を検出することができる。あるいは、試験化合物を、例えばホースラディッシュ・ペルオキシダーゼ、アルカリホスファターゼ、またはルシフェラーゼで酵素的に標識し、酵素標識を適当な基質の生成物への変換を測定することにより検出することができる。
【０１２３】
競合結合方式では、アッセイは、５−ＨＴ６受容体を発現している細胞を、５−ＨＴ６受容体に結合し分析混合物を形成する既知の化合物に接触させ、その分析混合物を試験化合物と接触させて、試験化合物が５−ＨＴ６受容体を発現している細胞と相互作用する能力を測定することを含み、ここで、５−ＨＴ６受容体を発現している細胞と相互作用する能力の測定は、５−ＨＴ６受容体を発現している細胞に優先的に結合する試験化合物の既知の化合物と比較した能力を測定することを含む。
【０１２４】
さらなる態様では、アッセイは、細胞表面に発現した５−ＨＴ６受容体の膜結合形態（例えば、完全長５−ＨＴ６受容体、５−ＨＴ６受容体の生物学的に活性な断片または５−ＨＴ６受容体の全部または一部分を含む融合タンパク質）を発現している細胞を試験化合物と接触させること、および５−ＨＴ６受容体の膜結合形態の活性を調節する（例えば、刺激または阻害する）試験化合物の能力を測定することを含む、細胞ベースのアッセイである。５−ＨＴ６受容体の膜結合形態の活性を調節する試験化合物の能力の測定は、５−ＨＴ６受容体の活性を測定するのに適当な方法、例えばＧタンパク質共役受容体または他の７回膜貫通型受容体の活性の測定にて適当な任意の方法（以下により詳細に記載）によって行うことができる。７回膜貫通型受容体は、数多くの方法（任意の与えられた受容体に適当な方法がこれらのすべてではない）によって測定することができる。活性の測定のなかには以下のものがある：細胞内Ｃａ2+濃度の変化、ホスホリパーゼＣの活性化、細胞内イノシトール三リン酸（ＩＰ3）濃度の変化、細胞内ジアシルグリセロール（ＤＡＧ）濃度の変化、および細胞内アデノシンサイクリック３',５'−一リン酸（ｃＡＭＰ）濃度の変化。
【０１２５】
５−ＨＴ６受容体の活性を調節する試験化合物の能力の測定は、例えば、標的分子に結合または相互作用する５−ＨＴ６受容体の能力を測定することによって行うことができる。標的分子は、５−ＨＴ６受容体が現実に結合するまたは相互作用する分子、例えば、５−ＨＴ６受容体を発現している細胞の表面上の分子、第２の細胞の表面上の分子、細胞外の環境の分子、細胞膜の内部表面に会合している分子または細胞質の分子であり得る。標的分子は細胞外シグナル（例えば、５−ＨＴ６受容体リガンドの結合によって生じる細胞膜を介する細胞へのシグナル）の伝達を助長するシグナル伝達経路を構成するものであってよい。標的分子は、例えば、触媒活性を有する第２の細胞内タンパク質または下流のシグナル伝達分子と５−ＨＴ６受容体との会合を促進するタンパク質であってよい。標的分子と結合または相互作用する５−ＨＴ６受容体の能力の測定は、直接的な結合について上記した方法の１つによって行うことができる。１つの態様では、標的分子と結合するまたは相互作用する本発明のポリペプチドの能力の測定は標的分子の活性を測定することによって行うことができる。例えば、標的分子の活性は、標的の細胞の第２のメッセンジャー（例えば、細胞内Ｃａ2+、ジアシルグリセロール、ＩＰ3など）の誘導を検出すること、適当な基質に対する標的の触媒／酵素活性を検出すること、レポーター遺伝子（例えば、検出可能なマーカー例えばルシフェラーゼをコードする核酸に作動可能な様に連結した本発明のポリペプチドに応答する調節エレメント）の誘導を検出すること、または細胞の応答を検出することによって測定することができる。
【０１２６】
本発明は、さらに細胞不含のアッセイを含む。そのようなアッセイは、５−ＨＴ６受容体の形態の（例えば、完全長の５−ＨＴ６受容体、生物学的に活性な５−ＨＴ６受容体の断片または５−ＨＴ６受容体のすべてまたは一部を含む融合タンパク質)と試験化合物との接触、および５−ＨＴ６受容体に結合する試験化合物の能力の測定を伴う。５−ＨＴ６受容体に対する試験化合物の結合は、上記のように直接的または間接的に測定することができる。１つの態様では、アッセイは、５−ＨＴ６受容体と５−ＨＴ６受容体に結合する既知の化合物と接触させてアッセイ混合物を形成し、アッセイ混合物を試験化合物と接触させ、および５−ＨＴ６受容体と相互作用する試験化合物の能力の測定することを含み、５−ＨＴ６受容体と相互作用する試験化合物の能力の測定は、既知の化合物と比較して、５−ＨＴ６受容体に優先的に結合する試験化合物の能力を測定することを含む。
【０１２７】
本発明の細胞不含アッセイは、５−ＨＴ６受容体の膜結合形態を用いるかまたは可溶性の断片を用いるかに影響を受けやすい。ポリペプチドの膜結合形態を用いる細胞不含アッセイでは、可溶化剤を用いて、ポリペプチドの膜結合形態を溶液中に維持することが望ましいであろう。そのような可溶化剤の例としては、非イオン界面活性剤、例えばn-オクチルグルコシド、ｎ−ドデシルグルコシド、n-ドデシルマルトシド、オクタノイル−Ｎ−メチルグルカミド、デカノイル−Ｎ−メチルグルカミド、TritonX-100、TritonX-114、Thesit、イソトリデシポリ(エチレングリコールエーテル)n、3-[(3-コラミドプロピル)ジメチルアミノ]-1-プロパンスルホネート(CHAPS)、3-[(3-コラミドプロピル)ジメチルアミノ]−２−ヒドロキシ-1-プロパンスルホネート(CHAPSO)、またはＮ−ドデシル＝Ｎ,Ｎ−ジメチル−３−アンモニオ−１−プロパンスルホネートが挙げられる。
【０１２８】
本発明の上記アッセイ法の様々な態様では、５−ＨＴ６受容体（または５−ＨＴ６受容体標的分子）を固定化して、１つのまたは両方のタンパク質の、複合体を形成していない形態からの複合体の分離を容易にし、並びにそのアッセイを自動化に適応させることが望ましいであろう。候補化合物の存在下および非存在下での５−ＨＴ６受容体に対する試験化合物の結合、５−ＨＴ６受容体と標的分子との相互作用は、試薬を入れるのに適当な任意の容器内で行うことができる。そのような容器の例としては、マイクロタイタープレート、試験管およびマイクロ遠心チューブが挙げられる。１つの態様では、融合タンパク質は、一方または両方のタンパク質がマトリックスに結合することが可能なドメインを付加して提供される。例えば、グルタチオン−Ｓ−トランスフェラーゼ (GST) 融合タンパク質またはグルタチオン−Ｓ−トランスフェラーゼ 融合タンパク質をグルタチオン セファロースビーズ (Sigma Chemical; St. Louis, Mo. )またはグルタチオン誘導マイクロタイタープレート上に吸着させた後、それを試験化合物、または試験化合物および吸着させていない標的タンパク質または５−ＨＴ６受容体のいずれかと混合し、その混合物を複合体形成を引き起こす条件下 (例えば、塩およびpＨについての生理学的条件）でインキュベーションさせることができる。インキュベーションした後、ビーズまたはマイクロタイタープレートのウェルを洗浄して、結合しなかった成分を除去し、複合体形成を直接的または間接的に、例えば上記のように測定する。あるいは、複合体をマトリックスから解離させ、結合のレベルまたは５−ＨＴ６受容体の活性を標準的な技術を用いて測定することができる。
【０１２９】
タンパク質をマトリックス上に固定化する技術はまた、本発明のスクリーニングアッセイに用いることができる。例えば、５−ＨＴ６受容体またはその標的分子のいずれかをビオチンおよびストレプタビジンのコンジュゲーションを用いて固定化することができる。本発明のビオチン化されたポリペプチドまたは標的分子は、当分野に周知の技術を用いてビオチン−ＮＨＳ（Ｎ−ヒドロキシ−サクシンイミド）から調製することができ（例えば、ビオチニル化キット、Pierce Chemicals; Rockford,111.)、ストレプタビジンをコーティングしたプレート(Pierce Chemical)のウェルにおいて固定化することができる。あるいは、５−ＨＴ６受容体または標的分子と反応するが、本発明のポリペプチドとその標的分子との結合に干渉しない抗体をプレートのウェルに誘導し、結合しなかった標的または本発明のポリペプチドを抗体結合によってウェルにおいてトラップすることができる。ＧＳＴ固定化複合体について上記した方法に加えて、そのような複合体を検出する方法としては、５−ＨＴ６受容体または標的分子と反応する抗体を用いた複合体の免疫検出、並びに５−ＨＴ６受容体または標的分子に関連する酵素活性を検出することによる酵素結合アッセイが挙げられる。
【０１３０】
スクリーニングアッセイはまた、５−ＨＴ６受容体の発現のモニタリングを伴う。例えば、５−ＨＴ６受容体の発現の調節物質を、細胞を候補化合物と接触させ、５−ＨＴ６受容体タンパク質または細胞内のｍＲＮＡを測定する方法において同定することができる。候補化合物存在下での５−ＨＴ６受容体タンパク質またはｍＲＮＡの発現のレベルを、候補化合物非存在下での５−ＨＴ６受容体タンパク質またはｍＲＮＡの発現のレベルと比較する。次いで、この比較に基づき、候補化合物を５−ＨＴ６受容体の発現の調節物質として同定することができる。例えば、候補化合物の存在下で非存在下よりも５−ＨＴ６受容体タンパク質またはｍＲＮＡの発現がより大きい（実質的に有意に大きい）場合、候補化合物を５−ＨＴ６受容体タンパク質またはｍＲＮＡ発現の刺激物質として同定する。あるいは、候補化合物の存在下で非存在下よりも５−ＨＴ６受容体タンパク質またはｍＲＮＡの発現がより小さい（実質的に有意に小さい）場合、候補化合物を５−ＨＴ６受容体タンパク質またはｍＲＮＡ発現の阻害物質として同定する。細胞における５−ＨＴ６受容体タンパク質またはｍＲＮＡ発現のレベルを、以下に記載の方法によって測定することができる。
【０１３１】
結合検定
結合検定については、被験化合物は好ましくは、５−ＨＴ６受容体の活性部位に結合してこれを占有し、それにより基質がリガンド結合部位に接近できなくさせ、その結果正常な生物活性が妨げられるような小分子である。このような小分子の例は小ペプチドまたはペプチド様分子を包含するが、これらに限定される訳ではない。本発明に係るポリペプチドに結合する可能性あるリガンドは、既知の５−ＨＴ６受容体ＧＰＣＲの天然リガンドおよびその類似体または誘導体を包含するが、これらに限定されない。
【０１３２】
結合検定では、被験化合物または５−ＨＴ６受容体ポリペプチドのいずれかが検出可能な標識、例えば蛍光、放射性同位元素、化学ルミネセント、または酵素標識（例えば西洋ワサビペルオキシダーゼ、アルカリホスファターゼ、またはルシフェラーゼ）を含むことができる。次いで、５−ＨＴ６受容体に結合している被験化合物の検出は、例えば放射能の放出を直接計数することにより、またはシンチレーション計数により、または検出可能産物への適当な基質の変換を測定することにより、達成できる。別法として、５−ＨＴ６受容体への被験化合物の結合を、反応体のいずれをも標識せずに測定することができる。例えば、マイクロフィジオメーターを用いて、被験化合物と５−ＨＴ６受容体との結合を検出できる。マイクロフィジオメーター（例えばサイトセンサー）とは、細胞がその環境を酸性化する速度を光アドレッサブル電位差センサー（ＬＡＰＳ）を用いて測定する分析機器である。この酸性化速度の変化は、被験化合物と５−ＨＴ６受容体の相互作用の指標として使用できる[Haseloff et al. (1988)]。
【０１３３】
被験化合物が５−ＨＴ６受容体に結合する能力の測定はまた、実時間Bimolecular Interaction Analysis（ＢＩＡ）のような技術を用いて達成できる[McConnell et al. (1992), Sjolander & Urbaniczky (1991) ]。ＢＩＡは、いかなる反応体をも標識せずに、生体特異的相互作用を実時間で研究するための技術である（例えばBIAcore(登録商標)）。光学的現象表面プラズモン共鳴（ＳＰＲ）の変化を、生体分子間の実時間反応の指標に使用できる。
【０１３４】
本発明のさらに別の態様では、５−ＨＴ６受容体を二ハイブリッド検定または三ハイブリッド検定（例えば、[Szabo et al., (1995); Zervos et al. (1993); Madura et al. (1993); Bartel et al. (1993) ] ; U. S. 5,283, 317)における「おとりタンパク」として使用し、５−ＨＴ６受容体に結合またはこれと相互作用してその活性を調節する他のタンパクを同定することができる。
【０１３５】
二ハイブリッド系は殆どの転写因子のモジュール的性格に基づくものであり、それは、分離可能なＤＮＡ結合および活性化ドメインから成っている。簡潔に述べると、この検定は二種の異なるＤＮＡ組み立て物を利用する。例えば、一方の組み立て物においては、５−ＨＴ６受容体をコードしているポリヌクレオチドが、既知の転写因子のＤＮＡ結合ドメインをコードしているポリヌクレオチドに融合できる（例えばＧＡＬ−４）。別の組み立て物においては、未同定タンパク（「餌」または「試料」）をコードしているＤＮＡ配列が、既知の転写因子の活性化ドメインをコードしているポリヌクレオチドに融合できる。もし「おとり」および「餌」タンパクがインビボで相互作用してタンパク依存複合体を形成できたならば、該転写因子のＤＮＡ結合および活性化ドメインは極めて近位に招来される。この近位性が、転写因子に応答する転写調節部位と機能的に結合しているリポーター遺伝子（例えばＬａｃＺ）の転写を可能にする。リポーター遺伝子の発現が検出でき、機能的転写因子を含む細胞コロニーを単離し、５−ＨＴ６受容体と相互作用するタンパクをコードしているＤＮＡ配列取得に使用することができる。
【０１３６】
反応体の一方または両方の非結合型からの結合型の分離を促進するため、そして検定の自動化の便宜を図るため、５−ＨＴ６受容体（またはポリヌクレオチド）または被験化合物のいずれかを固定化することが望ましいかも知れない。したがって、５−ＨＴ６受容体（またはポリヌクレオチド）または被験化合物のいずれかを固体支持体に結合させることができる。好適な固体支持体は、ガラスまたはプラスチックスライド、組織培養プレート、微量定量ウェル、管、シリコンチップ、またはビーズ（ラテックス、ポリスチレン、またはガラスビーズを包含するがこれらに限定されない）のような粒子を包含するがこれらに限定されない。共有および非共有結合、受動吸収、またはそれぞれポリペプチド（またはポリヌクレオチド）または被験化合物に付着させた結合部分と固体支持体の対、の使用を包含する、当分野で既知の任意の方法を用いて５−ＨＴ６受容体（またはポリヌクレオチド）または被験化合物を固体支持体に付着させることができる。被験化合物は好ましくは整列して固体支持体に結合させ、その結果個々の被験化合物の位置を追跡することができる。５−ＨＴ６受容体（またはポリヌクレオチド）への被験化合物の結合は、反応体を入れるのに適した任意の容器で達成できる。係る容器の例には微量定量プレート、試験管、および微量遠沈管がある。
【０１３７】
一つの態様において、５−ＨＴ６受容体は、５−ＨＴ６受容体を固体支持体に結合させるドメインを含む融合タンパクである。例えば、グルタチオン−Ｓ−トランスフェラーゼ融合タンパクをグルタチオンセファロースビーズ（Sigma Chemical, St.Louis, Mo.）上またはグルタチオン誘導体化微量定量プレート上に吸着させ、次いでこれを被験化合物または被験化合物および非吸着５−ＨＴ６受容体に合し；次にこの混合物を複合体形成が行われる条件下でインキュベートする（例えば、塩およびpHに関して生理的条件）。インキュベーションの後、ビーズまたは微量定量プレートのウェルを洗浄して未結合成分を除去する。反応体の結合は上記のように直接的または間接的に測定できる。別法として、複合体を固体支持体から解離させた後に結合を測定することもできる。
【０１３８】
本発明に係るスクリーニング検定には、タンパクまたはポリヌクレオチドを固体支持体上に固定化するためのその他の技術を使用することもできる。例えば、５−ＨＴ６受容体（またはポリヌクレオチド）または被験化合物のいずれかを、ビオチンとストレプトアビジンのコンジュゲーションを利用して固定化できる。当分野で周知の技術（例えばビオチニル化キット、Pierce Chemicals, Rockford,Ill.）を用いて、ビオチニル化した５−ＨＴ６受容体（またはポリヌクレオチド）または被験化合物をビオチン−ＮＨＳ（Ｎ-ヒドロキシスクシンイミド）から調製し、ストレプトアビジン被覆した９６ウェルプレート（Pierce Chemical）のウェルに固定化できる。別法として、５−ＨＴ６受容体、ポリヌクレオチド、または被験化合物に特異的に結合するが、所望の結合部位、例えば５−ＨＴ６受容体の活性部位に干渉しない抗体をプレートのウェルに誘導体化することができる。未結合の標的またはタンパクが抗体コンジュゲーションによりウェル中に捕捉できる。
【０１３９】
ＧＳＴ−固定化複合体について上に記載した方法に加え、このような複合体を検出する方法には、５−ＨＴ６受容体または被験化合物に特異結合する抗体を用いる、複合体の免疫検出、５−ＨＴ６受容体の活性検出へと引き継がれる酵素結合検定、および非還元条件下でのＳＤＳゲル電気泳動がある。
【０１４０】
５−ＨＴ６受容体またはポリヌクレオチドに結合する被験化合物を求めるスクリーニングは、無傷の細胞で実施することもできる。５−ＨＴ６受容体またはポリヌクレオチドを含む任意の細胞が、細胞に基づく検定系で使用できる。５−ＨＴ６受容体ポリヌクレオチドは細胞中に天然に存在し、または上記のような技術を用いて導入できる。５−ＨＴ６受容体またはポリヌクレオチドに対する被験化合物の結合は、上記のように測定する。
【０１４１】
機能検定
５−ＨＴ６受容体の生物学的効果を増大または低下させる能力について被験化合物を試験できる。係る生物学的効果は、下記の具体的実施例に記載の機能検定を用いて測定できる。機能検定は、精製した５−ＨＴ６受容体、細胞膜調製物、または無傷の細胞を被験化合物と接触させた後に実施できる。５−ＨＴ６受容体の機能的活性を少なくとも約１０、好ましくは約５０、より好ましくは約７５、９０、または１００％低下させる被験化合物を、５−ＨＴ６受容体活性を低下させる可能性ある物質として同定する。５−ＨＴ６受容体の活性を少なくとも約１０、好ましくは約５０、より好ましくは約７５、９０、または１００％増大させる被験化合物を、５−ＨＴ６受容体活性を増大させる可能性ある物質として同定する。
【０１４２】
このようなスクリーニング方法の１つは、５−ＨＴ６受容体を発現するようトランスフェクトしたメラニン保有細胞の使用を含む。係るスクリーニング技術は１９９２年２月６日公開のWO92/01810に記載されている。したがって、例えばこのような検定を使用して、該レセプターを含むメラニン保有細胞を、レセプターリガンドと、スクリーニングされる被験化合物の両者に接触させることにより、レセプターポリペプチドの活性化を阻害する化合物を求めるスクリーニングができる。リガンドが生成するシグナルの阻害は、被験化合物がそのレセプターについての可能性あるアンタゴニストであること、即ち該レセプターの活性化を阻害することを示す。このスクリーニングは、係る細胞をスクリーニングすべき化合物と接触させることにより、レセプターを活性化する被験化合物を同定するために、そして各被験化合物がシグナルを生成するかどうか、即ちレセプターを活性化するかどうかを決定するために使用できる。
【０１４３】
その他のスクリーニング技術は、レセプター活性化により惹起される細胞外pH変化を測定する系においてヒト５−ＨＴ６受容体を発現する細胞（例えば、トランスフェクトされたＣＨＯ細胞）を使用することを包含する（Iwabuchi et al.(1993)）。例えば、被験化合物をヒト５−ＨＴ６受容体を発現する細胞に接触させ、二次メッセンジャー反応、例えばシグナル伝達またはpH変化を測定して、被験化合物が該レセプターを活性化するか阻害するかを決定できる。別のこのようなスクリーニング技術は、ヒト５−ＨＴ６受容体をコードしているＲＮＡをXenopus卵母細胞内に導入し、該レセプターを一過性発現させることを含む。次いで受容体卵母細胞をレセプターリガンドおよびスクリーニングすべき被験化合物に接触させ、その後、該レセプターの活性化を阻害すると思われる被験化合物についてスクリーニングする場合は、カルシウムシグナルの活性化または阻害の検出を行う。
【０１４４】
別のスクリーニング技術は、レセプターがホスホリパーゼＣまたはＤに結合している細胞でヒト５−ＨＴ６受容体を発現させることを含む。このような細胞には、内皮細胞、平滑筋細胞、胚性腎細胞などがある。スクリーニングは上記のように、ホスホリパーゼ活性の変化から該レセプターの活性化程度を定量することにより達成できる。
【０１４５】
遺伝子発現
別の態様では、５−ＨＴ６受容体遺伝子の発現を増大または減少させる被験化合物を同定する。本明細書において用いられる用語「ポリヌクレオチドの発現に関係する」とは、ノーザンブロッティング分析またはリアルタイムＰＣＲによる、核酸、５−ＨＴ６受容体をコードする核酸配列またはそれに関連する核酸の存在の検出が、サンプル中の５−ＨＴ６受容体をコードする核酸の存在を示し、それによって５−ＨＴ６受容体をコードするポリヌクレオチドからの転写物の発現に関連することを示す。本明細書において用いられる「マイクロアレイ」なる語は、紙、ナイロンまたは任意の他の種類のメンブレン、フィルター、チップ、ガラススライドまたは任意の他の適当な固体支持体等の基質上に配列された別個のポリヌクレオチドまたはオリゴヌクレオチドのアレイを意味する。５−ＨＴ６受容体ポリヌクレオチドを被験化合物と接触させ、ＲＮＡまたは５−ＨＴ６受容体ポリヌクレオチドのポリペプチド産物の発現を測定する。被験化合物存在下での適当なｍＲＮＡまたはポリペプチドの発現レベルを、該被験化合物不在下でのｍＲＮＡまたはポリペプチドの発現レベルと比較する。すると被験化合物が、この比較に基づく発現のモジュレーターとして同定できる。例えば、ｍＲＮＡまたはポリペプチドの発現が、被験化合物の不在時よりも存在時により大きい場合は、この被験化合物を、該ｍＲＮＡまたはポリペプチド発現の刺激物質または増強物質と同定する。あるいは、ｍＲＮＡまたはポリペプチドの発現が、被験化合物の不在時よりも存在時により小さい場合は、この被験化合物を、該ｍＲＮＡまたはポリペプチド発現のインヒビターと同定する。
【０１４６】
細胞における５−ＨＴ６受容体ｍＲＮＡまたはポリペプチド発現のレベルは、ｍＲＮＡまたはポリペプチドを検出するための当分野で周知の方法により決定できる。定性または定量的方法のいずれかが使用できる。５−ＨＴ６受容体ポリヌクレオチドのポリペプチド産物の存在は、例えばラジオイムノアッセイのような免疫化学的方法、ウエスタンブロッティング、および免疫組織化学を包含する、当分野で周知の様々な技術を用いて決定できる。別法として、ポリペプチド合成は、５−ＨＴ６受容体内への標識アミノ酸の取り込みを検出することにより、インビボで、細胞培養で、またはインビトロ翻訳系で決定できる。
【０１４７】
このようなスクリーニングは、無細胞検定系または無傷の細胞のいずれかで実施できる。５−ＨＴ６受容体ポリヌクレオチドを発現するいかなる細胞も細胞に基づく検定系で使用できる。５−ＨＴ６受容体ポリヌクレオチドは細胞内に天然に存在するか、または上記のような技術を用いて導入することができる。一次培養または確立されたセルラインのいずれかを使用できる。
【０１４８】
被験化合物
本発明のスクリーニング分析において使用するための適当な被験化合物は、任意の適当な供給源、例えば慣用の化合物ライブラリー、から得ることができる。試験化合物はまた、生物学的ライブラリー、空間的アドレス特定可能な並行固相または液相ライブラリー、デコンボルーションを要する合成ライブラリー法、「一ビーズ一化合物」ライブラリー法、および親和クロマトグラフィー選択を用いる合成ライブラリー法を包含する、当分野で既知のコンビナトリアルライブラリーにおける数多くの手法のいずれかを用いて得ることができる。生物学的ライブラリーの手法は、ペプチドライブラリーに限定されるが、他の４種のアプローチはペプチド、非ペプチドオリゴマー、または化合物の小分子ライブラリーに適用できる。[Lam et al. (1997)]
【０１４９】
分子ライブラリーの合成法の例は当分野で見つけることができる [Lam et al. (1997); DeWitt et al. (1993); Erb et al. (1994);Zuckermann et al. (1994); Cho et al. (1993); Carrell et al. (1994) Angew. Chem. Int. Ed. Engl. 33: 2059]）。化合物のライブラリーは溶液中（Carrell et al. (1994), Angew. Chem. Int. Ed. Engl.33:-2061 ; Gallop et al. (1994)）またはビーズ上(Houghten et al.(1992))、チップ（Cull et al.(1992)）、細菌 (U.S. 5,223, 409）、胞子 (U.S.5,571,698; 5,403,484；および5,223,409)、プラスミド（Coruzzi et al. (1984))またはファージ（Nagarenko et al.(1997); Felici et al. [1991]; Cwirla et al.(1990); Devlin et al. (1990); Sambrook et al.(1989)）で示される。
【０１５０】
調節物質のモデリング
コンピュータモデリングおよびサーチ技術よって、化合物の同定、または５−ＨＴ６受容体発現または活性を調節することができる既に同定されている化合物の改良が可能である。そのような化合物または組成物が同定されていれば、活性部位または領域が同定される。そのような活性部位は典型的には、５−ＨＴ６受容体に対するリガンドの相互作用ドメインのようなリガンド結合部位であろう。活性部位は、例えば、ペプチドのアミノ酸配列から、核酸のヌクレオチド配列から、または関連する化合物または組成物とその天然リガンドとの複合体の研究から、当分野で周知の方法を用いて同定することができる。後者の場合、化学的またはＸ線結晶学的方法を用いて、その因子において複合体化したリガンドが認められる場所を見つけることにより活性部位を見つけることができる。
【０１５１】
次に、活性部位の３次元幾何構造を決定する。これは、記安全な分子構造を決定することができる、Ｘ線結晶学を含む当分野において周知の方法によって行うことができる。他方、固相または液相ＮＭＲを用いて特定の分子内距離を決定することができる。他の任意の構造決定の実験方法を用いて部分的または完全な幾何構造を得ることができる。幾何構造は、天然または人工の、決定された活性部位の精度を増し得る複合体化したリガンドを用いて測定することができる。
【０１５２】
精度の不完全なまたは不十分な構造を決定する場合、コンピュータベースの数値モデリングの方法を用いて構造を比較または精度を改善することができる。タンパク質または核酸のような具体的な生物高分子に対して特異的なパラメーター化されたモデル、分子運動の計算に基づく分子動力学モデル、熱集団（thermal ensemble）に基づく統計力学モデル、または組合せモデルを含む、認識されている任意のモデリング方法を用いることができる。大部分のタイプのモデルとしては、構成原子と基との間の力を示す標準分子力場を必要とし、物理化学において知られている力場から選択することができる。不完全または精度の低い、実験で得られた構造は、これらのモデリング方法によって計算される完全なそしてより精度の高い構造に対する制約として供する。
【０１５３】
最後に、活性部位の構造が決定されれば、実験的に、モデリングによりまたは組合せにより、候補の調節化合物をその分子構造に関する情報と共に含むデータベースを検索することにより同定することができる。そのような検索は、決定された活性部位の構造と合致し、活性部位を定義する基と相互作用する構造を有する化合物を探す。このような検索は、手動でもよいが、コンピュータを使用するものであることが好ましい。この検索から見いだされたこれらの化合物は、可能性のある５−ＨＴ６受容体調節化合物である。
【０１５４】
あるいは、これらの方法を用いて既に知られている調節化合物またはリガンドから改善された調節化合物を同定することができる。既知の化合物の組成物を修飾し、実験的なおよび新たな組成物に適用された上記のコンピュータモデリング法を用いて修飾の構造上の効果を決定することができる。次いで、変化した構造を化合物の活性部位の構造と比較して、改善された適合かまたは相互作用の結果かを決定する。このやり方では、例えば様々な側鎖基による、組成における体系的な変化を迅速に評価して修飾された調節化合物または改善された活性または特異性を有するリガンドを得ることができる。
【０１５５】
治療上の適応および方法
本願により５−ＨＴ６受容体が様々なヒト組織において発現することが分かった。
【０１５６】
５−ＨＴ６受容体は、例えば小脳（右、左）、頭頂葉、中心前回、視床、大脳皮質、前頭葉、側頭葉、小脳扁桃、小脳虫部、大脳脚、海馬および後根神経節等の種々の脳の組織において高度に発現する。他の組織としては、心臓（心房、左、右）大動脈、強膜大動脈、動脈、赤血球、血小板、白血球、リンパ節、慢性閉塞性肺疾患(ＣＯＰＤ)の状態の肺、食堂、直腸、子宮、前立腺肥大（ＢＰＨ）の状態の前立腺、慢性炎症の状態の回腸、陰茎および乳癌が挙げられる。
【０１５７】
後根神経節における５−ＨＴ６受容体の発現は、５−ＨＴ６受容体と疼痛疾患との間の関連を示唆している。
【０１５８】
ＣＮＳ
また、ヒト５−ＨＴ６受容体の活性を調節することにより、ＣＮＳ障害に関連する疼痛を処置することができる。処置できる疼痛は、中枢神経系疾患、例えば多発性硬化症、脊髄損傷、坐骨神経痛、背部外科手術失敗症候群、外傷性脳損傷、癲癇、パーキンソン病、卒中後の、ならびに脳および脊髄における血管病変（例えば、梗塞、出血、血管奇形）に伴う疼痛を包含する。非中枢神経障害性疼痛は、乳房切除術後疼痛、反射性交感神経性ジストロフィー（ＲＳＤ）、三叉神経痛神経根障害、外科手術後疼痛、ＨＩＶ／ＡＩＤＳ関連疼痛、癌の疼痛、代謝性神経障害（例えば、糖尿病性神経障害、結合組織疾患に続発する脈管炎性神経障害）、腫瘍随伴性多発神経障害（例えば肺の癌腫、白血病、またはリンパ腫、または前立腺、結腸もしくは胃の癌腫に随伴するもの）、三叉神経痛、脳神経痛、およびヘルペス後神経痛を包含する。癌および癌の処置に伴う疼痛も処置でき、頭痛（例えば、アウラを伴う片頭痛、アウラを伴わない片頭痛、およびその他の片頭痛疾患）、エピソード性および慢性緊張性頭痛、緊張性様頭痛、群発性頭痛、および慢性発作性片側頭痛もまた処置できる。
【０１５９】
また、５−ＨＴ６受容体の調節によって、膵臓炎、膀胱炎、月経困難、過敏性大腸症候群、クローン病、胆石疝痛、尿管疝痛、心筋梗塞および骨盤腔の疼痛症候群、例えば会陰部痛、精巣痛、尿道症候群およびprotatodynia等の内臓の疼痛も処置することができる。５−ＨＴ６受容体はまた、例えば術後疼痛や外傷後の疼痛等の急性疼痛を処置するために用いることができる。
【０１６０】
５−ＨＴ６受容体を調節して疼痛を処置することができる。
【０１６１】
血液学
血液疾患としては、急性骨髄性白血病、急性リンパ性白血病、慢性骨髄性白血病、慢性好中球性白血病、成人Ｔ細胞白血病/リンパ腫、骨髄異形成症候、多発性骨髄腫、特発性血小板減少性紫斑病、鉄欠乏性貧血、巨赤芽球性貧血(ビタミンＢ１２欠乏）、再生不良性貧血、サラセミア、皮膚Ｔ細胞性リンパ腫、悪性リンパ腫骨髄侵襲、悪性リンパ腫皮膚侵襲、溶血性尿毒症症候群、巨大血小板疾患が挙げられるがこれに限定されない。
【０１６２】
５−ＨＴ６受容体は、赤血球および血液系の他の組織に高度に発現する。上記組織における発現は、５−ＨＴ６受容体と血液疾患との間の関連性を示唆している。血液系の障害を処置するために５−ＨＴ６受容体を調節することができる。
【０１６３】
心疾患：
心不全とは、心機能の異常が、代謝している組織の要求に相応じた速度で心臓が血液を送り出せないことに起因する、病態生理学的状態として定義される。これは、基礎原因に関わりなく、例えば高拍出量および低拍出量、急性および慢性、右側および左側、収縮期および拡張期といったような全ての型のポンプ不全を包含する。
【０１６４】
心筋梗塞（ＭＩ）は一般に、冠血流の突然の低下と、これに続き既に動脈硬化によって狭隘化していた冠動脈が血栓により閉塞することにより惹起される。ＭＩ予防（一次および二次的防止）、ならびにＭＩの急性期治療および合併症の防止が包含される。
【０１６５】
虚血性疾患は、冠血流が制限され、その結果、心筋の酸素要求を満たすに充分でない灌流となる状態である。この群の疾患には、安定アンギナ、不安定アンギナ、および無症候性虚血がある。
【０１６６】
不整脈とは全ての形の心房性および心室性頻脈（心房性頻脈、心房性粗動、心房性細動、心房−心室リエントリー頻脈、早期興奮症候群、心室性頻脈、心室性粗動、および心室性細動）、および徐脈型の不整脈を包含する。
【０１６７】
高血圧性血管疾患は、原発性および全ての種の二次性動脈性高血圧症（腎性、内分泌性、神経性、その他）を包含する。ここに開示する遺伝子およびその産物は、高血圧症の治療および心疾患から生じる全合併症の防止のための薬物標的として使用できる。
【０１６８】
末梢血管疾患とは、動脈および／または静脈血流が減少し、その結果、血液供給と組織の酸素要求の間に不均衡が生じている血管疾患として定義する。これには、慢性末梢動脈閉塞疾患（ＰＡＯＤ）、急性動脈血栓症および塞栓症、炎症性血管疾患、レイノー現象、および静脈疾患が包含される。
【０１６９】
アテローム性動脈硬化症は、血管の壁が改造（リモデリング）され、血管の内張が脅かされる心疾患である。アテローム硬化のリモデリング過程には、血管の内膜における、平滑筋細胞と単球／マクロファージ炎症細胞の両方の集積を伴う。これらの細胞は、循環血と同様、脂質を取込み、成熟したアテローム性動脈硬化病変を形成する。これら病変の形成は、慢性過程であり、成人のヒトの人生の数十年にわたって起こり、アテローム性動脈硬化症の病的状態の大部分は、病変が破断し、血栓形成の破片が遊離し、動脈がすぐに閉塞する場合に起きる。そのような急性の事象が冠状動脈において起こるとき、結果として心筋梗塞が起こり得、最悪の場合に死に至る。
【０１７０】
アテローム性動脈硬化症の病変の形成は、遊走、脂質の蓄積、炎症細胞の動員、血管平滑筋細胞の増殖および細胞外マトリックスの沈積のような、５つの重複する段階において起こると考えられる。これら過程はそれぞれ、ヒトおよびアテローム性動脈硬化症の動物モデルにおいて起きることを示すことができるが、病理および病変の臨床的意味に対するそれぞれの関連する寄与は明らかではない。
【０１７１】
したがって、アテローム性動脈硬化症や冠状動脈疾患に関連する他の状態などの心疾患の病状を処置するための治療方法や治療剤に対する必要性がある。
【０１７２】
５−ＨＴ６受容体は、心臓や大動脈などの様々な心臓血管関連組織において高度に発現する。上記の組織における発現は、５−ＨＴ６受容体と心疾患途の関連を示唆している。
【０１７３】
処置することができる心疾患としては、心臓および血管系の以下の障害が挙げられるがこれらに限定されない：鬱血性心不全、心筋梗塞、心臓の虚血性疾患、様々な心房および心室不整脈高血圧血管障害、末梢血管の疾患、およびアテローム性動脈硬化症。
【０１７４】
生殖秘尿器系の疾患
受容体は、良性前立腺肥大（ＢＰＨ）の状態の前立腺、陰茎および子宮頸等の、様々な生殖泌尿器系の組織において高度に発現する。ＢＰＨにおける５−ＨＴ６受容体の発現は健康な前立腺よりも高い。上記の組織における発現は、５−ＨＴ６受容体と生殖秘尿器系の疾患との間の関連を示唆している。
【０１７５】
５−ＨＴ６受容体を調節して生殖泌尿器系の障害を処置することができる。処置し得る生殖泌尿系の疾患としては、良性前立腺肥大症（ＢＰＨ）や尿失禁が挙げられるがこれらに限定されない。
【０１７６】
喘息／ＣＯＰＤ／気道疾患
アレルギーは、環境にある抗原が臨床上有害な反応を引き起こす複雑なプロセスである。喘息は、肺および肺の組織の基本的にアレルギー性の疾患であると理解されている。アレルゲンと呼ばれるこの喘息を引き起こす抗原は、典型的には特異的ＩｇＥ反応を引き起こし、大抵の場合アレルゲン自体は殆どまたは全く固有毒性を持たないけれども、これらはＩｇＥ反応がＩｇＥ依存性またはＴ細胞依存性過敏性反応を引き起こす時、病態を誘発する。過敏性反応は局所的または全身的となり得、典型的には、かつて或るアレルゲンに感作されたことのある個体がアレルゲンに暴露されると数分以内に起こる。アレルゲンが、肥満細胞、好塩基球または好酸球といったエフェクター細胞の表面にある特異的レセプターに結合したＩｇＥ抗体に認識され、それが該エフェクター細胞の活性化と、反応の急性徴候および症状を引き起こす仲介物質の放出を惹起すると、アレルギーの過敏性反応が発現する。アレルギー性疾患には、喘息、アレルギー性鼻炎（枯草熱）、アトピー性皮膚炎、およびアナフィラキシーがある。
【０１７７】
喘息は複数の遺伝的因子と環境的因子の間の相互作用の結果生ずると考えられ、３つの主たる特徴：１）気管支収縮、粘液産生増加、および気道狭窄を導く気道壁の肥厚により惹起される間欠的且つ可逆的な気道閉塞、２）気道口径の調節低下により惹起される気道の過度反応性、および３）気道の炎症、がある。或る種の細胞が喘息の炎症反応に対し重要であり、それらはＴ細胞および抗原提示細胞、ＩｇＥを産生するＢ細胞、および肥満細胞、好塩基球、好酸球、およびＩｇＥに結合するその他の細胞を包含する。これらのエフェクター細胞は気道のアレルギー反応の部位に蓄積し、急性病態、そしてついには該疾患に関連する組織破壊に寄与する毒性産物を放出する。その他の常在細胞、例えば平滑筋細胞、肺上皮細胞、粘液産生細胞、および神経細胞もまた、喘息を持つ個体では異常であることがあり、それらがこの病理に寄与し得る。臨床的には間欠的ぜん鳴と息切れとして現れる喘息の気道閉塞が、一般に即時治療を要するこの疾病の最も緊急的症状であるが、この疾病に随伴する炎症と組織破壊は不可逆的変化を導き、ついには喘息を、長期管理の必要な慢性の障害疾患とする。
【０１７８】
喘息の病態生理学に関する理解において近年重要な進歩があったとは言え、この疾患は流行と重篤度を増しているように思われる（Cawkwell et al (1993)）。人口の３０−４０％がアトピー性アレルギーに罹患し、小児の１５％および成人の５％が喘息に罹患している。したがって我々の保健財源に膨大な負荷が課せられている。しかしながら、喘息の診断と治療は共に困難である。肺組織炎症の重篤度は測定が容易ではなく、この疾病の症状は、呼吸器感染、慢性呼吸器炎症性疾患、アレルギー性鼻炎、またはその他の呼吸器疾患としばしば識別不能である。原因となっているアレルゲンがしばしば判定できず、原因環境物質の除去を困難にしている。現行の薬理学的治療はそれら自身の不利益を被っている。β−アゴニストのような一般に用いられる治療薬は、肺機能を一時的に改善する症状軽減剤として作用するが、基礎となっている炎症に作用することはない。抗炎症ステロイドのような、基礎となっている炎症を低下させ得る物質は、免疫抑制から骨喪失にまで及ぶ重大な欠点を有し得る。さらに、コルチコステロイド吸入のような現在の治療の多くは、短時間持続性であり、使用に不便であり、しばしば定期的に、幾つかの場合には生涯使用せねばならず、患者がこの治療を遵守できないことが大きな問題となり、それにより治療としての有効性が低下している。常套的療法に伴う問題の故に、代替治療戦略が評価されている。グリコホリンＡ、シクロスポリン、およびＩＬ−２のノナペプチド断片は全てインターロイキン−２依存性Ｔリンパ球増殖を阻害する。ところがこれらは他の多くの効果を有することが分かっている。例えば、シクロスポリンは臓器移植後の免疫抑制に使用する。これらの物質は、喘息治療でステロイドの代替薬となり得る一方で、インターロイキン−２依存性Ｔリンパ球増殖を阻害し、ホメオスタシスに関連する重要な免疫機能を阻害する可能性がある。気管支収縮の仲介物質の放出または活性を遮断するその他の治療、例えばクロモンまたは抗ロイコトリエンが近年軽度喘息の治療に導入されているが、これらは高価で全ての患者に有効という訳ではなく、またこれらが喘息の炎症に伴う慢性変化に何らかの効果を有するかどうかは不明である。当分野で必要とされるのは、喘息の発現にとって重要な経路で作用することができ、該疾患のエピソード的発作を遮断して、患者を免疫無防備状態とすることなく専ら活動過多なアレルギー免疫反応を低下させ得る治療の同定である。
【０１７９】
慢性閉塞性肺（または気道）疾患（ＣＯＰＤ）は、生理学的には、慢性気管支炎に起因する末梢気道の閉塞と気腫の混在から一般的に引き起こされる気流の閉塞と定義される状態である（Botstein et al (1980)）。気腫は、肺の気腔の異常拡大を招く肺胞壁の破壊を特徴とする。慢性気管支炎とは、臨床的には、連続２年間でそれぞれ年に３ヶ月間の慢性湿性咳嗽の存在と定義する。ＣＯＰＤでは気流の閉塞は通常進行性であり、部分的に可逆的であるに過ぎない。非喫煙者にもＣＯＰＤは起こるものの、この疾病の発現にとってずば抜けて最重要な危険因子は喫煙である。
【０１８０】
気道の慢性炎症がＣＯＰＤの重要な病理学的特徴である。炎症細胞集団は、増大した数のマクロファージ、好中球、およびＣＤ８＋リンパ球を含んでいる。吸入された刺激物質、例えば煙草の煙が気道および上皮細胞に存在するマクロファージを活性化しケモカイン（例えばインターロイキン−８）およびその他の走化性因子の放出を導く。これらの走化性因子が血液から肺組織および気道への好中球／単球の輸送を増加させるよう働く。気道へと動員された好中球と単球はタンパク分解酵素および活性酸素種といった様々な有害である可能性のある仲介物質を放出し得る。マトリックス分解および気腫、ならびに気道壁肥厚、界面活性物質の機能不全、および粘液分泌過多、これら全てが気流と気体交換の減損を導くこの炎症反応の、可能性ある続発症である。
【０１８１】
５−ＨＴ６受容体は、肺癌、慢性閉塞性肺疾患（ＣＯＰＤ）の状態の肺などの、様々な呼吸器系組織において高度に発現する。ＣＯＰＤの肺における５−ＨＴ６受容体の発現は、健康な肺よりも高い。上記組織における５−ＨＴ６受容体は５−ＨＴ６受容体と、喘息やＣＯＰＤ等の呼吸器疾患との間の関連を示唆しており、５−ＨＴ６受容体の治療的調節は、呼吸器系の障害を処置するのに用いることができる。
【０１８２】
癌
癌は、基本的に発癌性細胞形質転換によって発症する疾患である。形質転換細胞をそれらの正常な対応物から区別し、かつ癌の病態生理に基づく、形質転換細胞の特徴は幾つかある。それらには、非制御型細胞性増殖、通常の死誘導シグナルに対する不応答（不死化）、増大した細胞運動性及び侵襲性、新たな血管新生の誘導を通じた血液供給を補充させるための増大した能力（血管新生）、遺伝子の不安定性、並びに調節不全遺伝子発現が挙げられる。薬剤耐性の獲得とともに、これらの異常な生理機能の種々の組み合わせにより、最終的に臓器不全および患者の死となる難治性疾患状態に頻繁に陥る。
【０１８３】
最も一般的な癌治療は、細胞増殖を標的とし、形質転換細胞と正常細胞との間の効率に関するその特異な増殖能に基づいている。このアプローチは、幾つかの重要な正常細胞タイプもまた高増殖であり、かつ癌細胞が高頻度にこれらの物質に対して耐性となるという現実により妨げられている。従って、従来の抗癌治療についての治療指数は珍しく２.０を超えている。
【０１８４】
ゲノミクス誘導性分子の標的同定の到来は、癌患者に安全で、かつより効率的な処置を提供できる治療介入のための新たな癌特異的標的同定の可能性を開いた。従って、新たに発見される腫瘍関連遺伝子及びその産物は疾患におけるその機能（群）について試験でき、そして革新的な治療を発見し、かつ開発するための道具として用いることができる。以上に概説した生理学的プロセスの多くに重要な働きをする遺伝子は、癌標的として特徴付けることができる。
【０１８５】
ゲノミクスを通じて同定される遺伝子又は遺伝子断片は、すぐに１つ又はそれ以上の非相同（ヘテローガス）発現系において発現させ、機能性組換えタンパク質を生産させることができる。このタンパク質は、その生物学的機能についてインビトロで特徴付けられ、次いでその生化学活性の化学修飾因子（モジュレーター）を同定するため、ハイスループット分子スクリーニングプログラムにおける道具として用いられる。標的タンパク質活性の活性化物質及び／又は阻害物質をこの様式で同定し、次いで、細胞およびインビボ疾患モデルにて抗癌活性について試験する。生物学的モデルにおける反復試験や、詳細な薬物動態力学的分析及び中毒学的分析を用いたリード化合物の最適化により、薬物開発及び次のヒトでの試験に関する基礎が形成される。
【０１８６】
５−ＨＴ６受容体は、乳癌、直腸癌および肺癌などの様々な癌組織において高度に発現する。癌組織における５−ＨＴ６受容体の発現は、健康な組織における発現よりも高い。上記組織における５−ＨＴ６受容体の発現は、５−ＨＴ６受容体と癌との関連を示唆しており、５−ＨＴ６受容体の治療的調節は、癌を処置するために用いることができる。
【０１８７】
応用
本発明は、血液疾患、疼痛疾患、呼吸器疾患、生殖泌尿系の疾患、心疾患および癌の予防方法および治療方法の両方を提供する。
【０１８８】
本発明の調節方法は、５−ＨＴ６受容体の１またはそれ以上の活性を調節する薬剤と細胞を接触させることを伴う。活性を調節する薬剤は、核酸またはタンパク質、ポリペプチドの天然の同族のリガンド、ペプチド、ペプチド模擬物または任意の小分子などの本明細書に記載の薬剤であってよい。１つの態様では、その薬剤は、５−ＨＴ６受容体の１またはそれ以上の生物学的活性を刺激する。そのような刺激物質の例としては、活性な５−ＨＴ６受容体および５−ＨＴ６受容体の一部をコードする核酸分子が挙げられる。別の態様では、その薬剤は、５−ＨＴ６受容体の１またはそれ以上の生物学的活性を阻害する。そのような阻害物質の例としては、アンチセンス核酸分子および抗体が挙げられる。これらの調節方法は、in vitro（例えば、細胞を薬剤とともに培養することによって）で行うかまたは、あるいはin vivo（例えば、薬剤を患者に投与することによって）で行うことができる。したがって、本発明は、望ましくない発現または５−ＨＴ６受容体の活性または５−ＨＴ６受容体シグナル伝達経路におけるタンパク質によって特徴付けられる疾患または障害に冒されている人を処置する方法を提供する。１つの態様では、本方法は、本明細書に記載のスクリーニングアッセイによって同定されるまたは同定可能な任意の薬剤のような薬剤または発現または５−ＨＴ６受容体の活性または５−ＨＴ６受容体シグナル経路における任意のタンパク質の活性を上方調節または下方調節するそのような薬剤の組合せを投与することを伴う。別の態様では、本方法は、５−ＨＴ６受容体を、５−ＨＴ受容体または５−ＨＴ６受容体シグナル伝達経路におけるタンパク質の減少したまたは望ましくない低い発現または活性を補うための治療として投与することを含む。
【０１８９】
５−ＨＴ６受容体の活性または発現の刺激は、活性または発現が以上に低く、増加した活性が有益な効果を有すると思われる状況において望ましい。逆に、５−ＨＴ６受容体の活性または阻害は、５−ＨＴ受容体の活性または発現が異常に高く、その活性が有益な効果を有すると思われる状況において望ましい。
【０１９０】
本発明はさらに、限定として解釈してはならない以下の実施例によって説明される。本願において引用したすべての文献、特許および公開された特許出願の内容は、ここに参考として本明細書の一部を構成する。
【０１９１】
医薬組成物
本発明はさらに、上記のスクリーニングアッセイによって同定された新規の薬剤および本明細書に記載した処置のためのその使用に関する。
【０１９２】
本発明の核酸分子、ポリペプチド、および抗体（「活性化合物」ともいう）は、投与に適当な医薬組成物に組み込むことができる。そのような組成物は典型的に核酸分子、タンパク質または抗体と製薬的に許容し得る担体とを含む。本明細書において用いられる「製薬的に許容し得る担体」なる語は、医薬の投与に適合するあらゆる溶媒、分散媒体、コーティング、抗菌剤および抗真菌剤、等張および吸収遅延剤などを含有することを意図する。製薬的に活性な物質のためのそのような媒体や試薬の使用は当分野においてよく知られている。任意の慣用の媒体または試薬が活性化合物と適合しない場合を除いて、組成物におけるその使用を企図する。さらに活性化合物を本組成物に添加することもできる。
【０１９３】
本発明は、５−ＨＴ６受容体発現または活性（および／または５−ＨＴ６受容体シグナル伝達経路におけるタンパク質の活性または発現の調節物質）の調節物質を含む医薬組成物ならびに１またはそれ以上のそのような調節物質を製薬的に許容し得る担体と組み合わせることによるそのような組成物の製造方法を包含する。さらに、使用説明書と共に包装された。本発明のスクリーニングアッセイを用いて同定された調節物質を含む医薬組成物もまた本発明の範囲に含まれる。５−ＨＴ６受容体活性のアンタゴニストであり、５−ＨＴ６受容体発現を減少させる調節物質について、該使用説明書は、血液疾患、疼痛疾患、呼吸器疾患、生殖泌尿系の疾患、心疾患および癌の処置のためのその医薬組成物の使用について詳細に記載する。５−ＨＴ６受容体活性のアゴニストであるまたは５−ＨＴ６受容体発現を増大する調節物質について、該使用説明書は、血液疾患、疼痛疾患、呼吸器疾患、生殖泌尿系の疾患、心疾患および癌の処置のためのその医薬組成物の使用について詳細に記載する。
【０１９４】
当分野で一般的に知られている方法を用いて５−ＨＴ６受容体のアンタゴニストを製造することができる。特に、精製した５−ＨＴ６受容体を用いて、抗体を製造するか、または医薬のライブラリーをスクリーニングして５−ＨＴ６受容体に特異的に結合する医薬を同定することができる。５−ＨＴ６受容体に対する抗体はまた、当分野に周知の方法を用いて作製することもできる。そのような抗体としては、ポリクローナル、モノクローナル、キメラ、一本鎖抗体、Fab断片、およびFab発現ライブラリーによって産生した断片が挙げられる。二量体形成を阻害するような中和抗体は、治療的使用に特に好ましい。
【０１９５】
本発明のさらなる態様では、５−ＨＴ６受容体をコードするポリヌクレオチドまたはその任意の断片または相補体を治療目的で用いることができる。１つの態様では、５−ＨＴ６受容体をコードするポリヌクレオチドを、ｍＲＮＡの転写をブロックすることが望ましい状況において使用することができる。特に、細胞を、５−ＨＴ６受容体をコードするポリヌクレオチドに相補的な配列で形質転換することができる。したがって、相補的な分子または断片を用いて５−ＨＴ６受容体活性を調節するまたは遺伝子機能の調節を達成することができる。そのような技術は今や当分野においてよく知られており、５−ＨＴ６受容体をコードする配列のコード配列または制御領域に沿った様々な位置からセンスまたはアンチセンスオリゴヌクレオチドまたはより長い断片を設計することができる。
【０１９６】
発現ベクター、レトロウイルス、アデノウイルス、またはヘルペスまたはワクシニアウイルスからまたは様々な細菌プラスミド誘導された発現ベクターを用いて、ヌクレオチド配列の標的の器官、組織または細胞集団へ送達することができる。当業者に周知の方法を用いて、５−ＨＴ６受容体をコードする遺伝子のポリヌクレオチドに相補的な核酸配列を発現するベクターを構築することができる。これらの技術は、例えば、Scott and Smith (1990) Science 249:386-390に記載されている。
【０１９７】
上記の任意の治療方法をそのような治療を必要とする患者（例えば、イヌ、ネコ、ウシ、ウマ、ウサギ、サルおよびもっと好ましくはヒトなどの哺乳類を含む）に適用することができる。
【０１９８】
本発明のさらなる態様は、上記の治療効果のいずれかのための製薬的に許容し得る担体とともに、５−ＨＴ６受容体を含有する医薬組成物の投与に関する。そのような医薬組成物は、５−ＨＴ６受容体、５−ＨＴ６受容体に対する抗体および模擬物、５−ＨＴ６受容体のアゴニスト、アンタゴニストまたは阻害物質からなることができる。組成物を単独で投与するかまたは少なくとも１つの他の試薬、例えば、安定化化合物と組み合わせて投与することができ、任意の滅菌された、生物的に適合する製薬的担体（生理食塩水、緩衝化生理食塩水、デキストリンおよび水を含むがこれに限定されない）担体中で投与することができる。本組成物は、単独で患者に投与するかまたは他の試薬、薬物またはホルモンと組み合わせて投与することができる。
【０１９９】
本発明の医薬組成物は、その意図した投与経路に適合するように製剤化する。投与経路の例としては、非経口、例えば、静脈内、皮内、皮下および経口（例えば吸入）、経皮（局所）、経粘膜および直腸投与が挙げられる。非経口、皮内、または皮下適用に用いることができる溶液剤または懸濁剤としては、以下の成分が含まれる：滅菌希釈剤、例えば注射用の水、生理食塩水溶液、不揮発性油、ポリエチレングリコール、グリセリン、プロピレングリコールまたは他の合成溶媒；抗菌剤、例えばベンジルアルコールまたはメチルパラベン；抗酸化剤、例えばアスコルビン酸または硫酸水素ナトリウム；キレート剤、例えばエチレンジアミン四酢酸；緩衝剤、例えば、酢酸塩、クエン酸塩またはリン酸塩など；および浸透圧を調整するための試薬、塩化ナトリウムまたはデキストロースなど。pＨは、塩酸塩または水酸化ナトリウムなどの酸または塩基により調整することができる。非経口用調製物は、ガラスまたはプラスチック製のアンプル、使い捨ての注射器または複数回用量のバイアルに入れられる。
【０２００】
注射での使用に適した医薬組成物は、滅菌水溶液（水に可溶である場合）または滅菌注射溶液または分散液の即席の調製のための分散液および粉末が挙げられる。静脈内投与について、適当な担体としては、生理食塩水、静菌性の水、Cremophor EL（登録商標）(BASF; Parsippany, N. J. )またはリン酸緩衝生理食塩水（ＰＢＳ）。すべての場合において、組成物は無菌で注射器に容易に入れられる程度に流動性である。製造および保存の条件下で安定でなければならず、細菌および心筋などの微生物の汚染から守られていなければならない。担体は、例えば水、エタノール、製薬的に許容し得るポリオール（グリセロール、プロピレングリコール、液体ポリエチレングリコール、およびをそれらの適当な混合物）を含む溶媒または分散媒体であってよい。例えば、レシチン等のコーティングの使用により、分散剤の場合必要粒子サイズを維持することにより、および界面活性剤の使用により、適当な流動性を維持することができる。微生物の作用の阻止は、例えば、パラベン、クロロブタノール、フェノール、アスコルビン酸、チメロサールなどの様々な抗菌および抗真菌剤によって達成することができる。多くの場合、等張剤、例えば糖、ポリアルコール（例えばマンニトール、ソルビトール、塩化ナトリウム）を組成物に含有させることが好ましいであろう。注射用組成物の長時間の吸収は、例えば、モノステアリン酸アルミニウム、ゼラチン等の吸収を遅らせる試薬を組成物に含有させることにより引き起こすことができる。滅菌注射用溶液は、必要な量の活性化合物（例えばポリペプチドまたは抗体)を、必要であれば、上に列挙した成分の１つまたは組合せと共に適当な溶媒中に含有させた後、滅菌濾過することにより調製することができる。一般に、分散物は、ベースとなる分散媒体および上に列挙した必要な他の成分を含有する滅菌ビークルに活性化合物を入れることによって調製する。滅菌注射用溶液の調製のための滅菌粉末の場合、好ましい製造方法は、活性成分とさらなる所望の成分の粉末を得る、予め滅菌濾過された溶液からの減圧乾燥、凍結乾燥である。
【０２０１】
経口用組成物は一般に、不活性な希釈剤または食用に適する担体が挙げられる。それらは、ゼラチンカプセルに入れるかまたは圧縮して錠剤にすることができる。経口での治療的投与を目的とする場合、活性化合物を、添加剤とともに入れて、錠剤、トローチまたはカプセルの形態で用いることができる。経口用組成物はまた、口洗剤として使用するための流動性担体を用いて調製することができ、化合物を流動性担体中で経口で適用し、口の中ですすぎ、吐き出す蒲田は飲み込む。
【０２０２】
製薬的に適合し得る結合剤および／またはアジュバント物質を組成物の一部として含有させることができる。錠剤、丸剤、カプセル剤、トローチなどは、任意の以下の成分または同様の性質の化合物を含有し得る：微晶性セルロース、トラガカント・ゴムまたはゼラチン等の結合剤；デンプンまたはラクトース等の賦形剤；アルギン酸、Primogelまたはトウモロコシデンプン等の崩壊剤；ステアリン酸マグネシウムまたはステロート（sterotes）等の滑沢剤；コロイド状二酸化ケイ素等の流動促進剤；スクロースまたはサッカリン等の甘味料；またはペパーミント、サリチル酸メチルまたはオレンジフレーバー等の香料。
【０２０３】
吸入による投与については、化合物を適当なプロペラント（例えば、二酸化炭素等の気体）を含む加圧された容器またはディスペンサーまたは噴霧器からエアロゾルスプレーの形態で導出する。
【０２０４】
全身投与は、経粘膜または経皮的手段によっても行うことができる。経粘膜または経皮投与については、浸透させるべきバリアーに適当な浸透剤を製剤において用いる。そのような浸透剤は一般に当分野において知られており、例えば、経粘膜投与、界面活性剤、胆汁塩、およびフシジン酸誘導体が挙げられる。経粘膜投与は、鼻用スプレーまたは坐剤の使用によって行うことができる。経皮投与については、活性化合物を、当分野で一般的に知られている軟膏、塗薬（salve）、ゲル、またはクリームに製剤化する。
【０２０５】
化合物を坐薬（例えば、ココアバターおよび他のグリセリド等の慣用的な坐剤基剤を用いて）または直腸送達のための停留浣腸の形態に製造することもできる。
【０２０６】
１つの態様では、活性化合物を、制御された放出製剤（インプラントおよびマイクロカプセルに入れられたデリバリーシステムを含む）等の、体内からの化合物の急速な消失に対して化合物を保護する担体とともに調製する。ビニル酢酸エチル、ポリ無水物、ポリグリコール酸、コラーゲン、ポリオルトエステル、およびポリ乳酸等の生物適合性のポリマーを用いることができる。そのような製剤の製造方法は、当業者には明らかであろう。材料はAlza CorporationおよびNova Pharmaceuticals, Inc. から商業的に入手可能である。リポソーム懸濁液（ウイルス抗原に対するモノクローナル抗体で感染細胞に標的化したリポソームを含む）を製薬的に許容し得る担体として用いることもできる。これらは、例えば、米国特許第4,522, 811号に記載のように、当業者に周知の方法にしたがって製造することができる。
【０２０７】
経口または非経口組成物を、投与を容易にし、用量を均一にするための単位投与形態に製剤化することは特に有用である。本明細書において使用する単位投与形態は、処置される患者にとっての単位用量として適した物理的に分離された単位を意味し；各単位は、所望の治療効果をもたらすように計算された予め決められた量の活性化合物を必要な医薬担体と共に含有している。本発明の単位投与形態の規格は、活性化合物固有の特性、達成すべき具体的な治療効果、および個人の処置のためにそのような活性化合物を配合する分野において内在する制限によって変わり、直接的に依存する。
【０２０８】
医薬組成物は、投与の説明書と共に、容器、パックまたはディスペンサーに入れることができる。５−ＨＴ６受容体活性のアンタゴニスト、５−ＨＴ６受容体の発現を減少させる化合物、または５−ＨＴ６受容体シグナル伝達経路におけるタンパク質の発現または活性を減少させる化合物、またはその任意の組合せを含む医薬組成物について、投与の説明書は、血液疾患、疼痛疾患、呼吸器疾患、生殖泌尿系の疾患、心疾患および癌に対する組成物の使用について詳細に記載する。５−ＨＴ６受容体活性のアゴニスト、５−ＨＴ６受容体の発現を増大する化合物、５−ＨＴ６受容体シグナル伝達経路におけるタンパク質の発現または活性を増大する化合物、またはその任意の組合せを含む医薬組成物について、投与の説明書は、血液疾患、疼痛疾患、呼吸器疾患、生殖泌尿系の疾患、心疾患および癌に対する組成物の使用について詳細に記載する。
【０２０９】
診断
さらなる態様において、５−ＨＴ６受容体に特異的に結合する抗体を、５−ＨＴ６受容体の発現によって特徴付けられる障害の診断のため、または５−ＨＴ６受容体または５−ＨＴ６受容体のアゴニスト、アンタゴニストおよび阻害剤で処置されている患者をモニターするための分析において使用することができる。診断目的に有用な抗体は、治療物質について上に記載したものと同様に製造することができる。５−ＨＴ６受容体についての診断分析には、抗体および５−ＨＴ６受容体をヒトの体液または細胞もしくは組織の抽出物において検出するための標識を利用する方法を含む。抗体は、修飾してまたは修飾せずに用いることができ、レポーター分子と共有結合または非共有結合により連結させることにより標識することができる。上にそのいくつかを記載した様々なレポーター分子は、当分野において周知であり、使用することができる。
【０２１０】
ＥＬＩＳＡ、ＲＩＡ、およびＦＡＣＳを含む５−ＨＴ６受容体を測定するための様々なプロトコルは、当分野で周知であり、５−ＨＴ６受容体発現の変化したまたは異常なレベルを診断するための基礎を提供する。５−ＨＴ６受容体発現についての正常または標準的な値は、正常な哺乳類患者、好ましくはヒト、から採取した体液または細胞抽出物を、５−ＨＴ６受容体に対する抗体と、複合体形成に適当な条件下で混合することによって確立する。標準の複合体形成の量は、様々な方法、好ましくは分光的手段により、定量することができる。生検組織からの患者の試料において発現した５−ＨＴ６受容体の量を標準値と比較する。標準と対象の値との偏差が、疾患を診断するためのパラメーターである。
【０２１１】
本発明のさらなる態様では、５−ＨＴ６受容体をコードするポリヌクレオチドを診断目的で使用することができる。用いることができるポリヌクレオチドとしては、オリゴヌクレオチド配列、相補ＲＮＡおよびＤＮＡ分子、およびＰＮＡが挙げられる。ポリヌクレオチドを用いて、５−ＨＴ６受容体の発現が疾患と相関し得る生検組織における遺伝子発現を検出し、定量することができる。この診断アッセイを用いて、５−ＨＴ６の不在、存在および過剰発現を区別し、治療的介入を行っている間の５−ＨＴ６受容体レベルの調節をモニターすることができる。
【０２１２】
５−ＨＴ６受容体をコードするポリヌクレオチド配列を、５−ＨＴ６受容体の発現に関連する血液疾患、疼痛疾患、呼吸器疾患、生殖泌尿系の疾患、心疾患および癌の診断に用いることができる。５−ＨＴ６受容体をコードするポリヌクレオチド配列を、サザンブロット、ノーザンブロットまたはドットブロット解析；または他の膜ベースの技術；ＰＣＲ技術；ディップスティック、ピン、およびＥＬＩＳＡアッセイ；および患者の生検組織からの体液または組織を利用するマイクロアレイにおいて用い、変化した５−ＨＴ６受容体発現を検出することができる。そのような定性または定量方法は当分野において周知である。
【０２１３】
具体的な態様では、５−ＨＴ６受容体をコードするヌクレオチド配列は、上に具体的に記載したような関連する障害の存在を検出するアッセイにおいて有用であろう。５−ＨＴ６受容体をコードするヌクレオチド配列を標準的な方法により標識し、ハイブリダイゼーション複合体の形成に適当な条件下で患者から得た体液または組織サンプルに加える。適当なインキュベーション期間の後、サンプルを洗浄し、シグナルを定量し、標準値と比較する。患者のサンプル中のシグナルの量が、比較する対照のサンプルのシグナルよりも有意に変化している場合、ヌクレオチド配列は、サンプル中のヌクレオチド配列とハイブリダイズしており、サンプル中の５−ＨＴ６受容体をコードするヌクレオチド配列における変化したレベルの存在は、関連する障害の存在を示している。そのようなアッセイは動物実験、臨床試験または患者の処置を監視することにおいて、治療的処置レジメの効力を評価するのにも使用することができる。
【０２１４】
５−ＨＴ６受容体の発現に関連する血液疾患、疼痛疾患、呼吸器疾患、生殖泌尿系の疾患、心疾患および癌の診断の基礎を提供するために、発現に関する正常または標準的なプロファイルを確立する。これは、動物またはヒトのいずれかの正常な患者から採取した体液または細胞抽出物と、５−ＨＴ６受容体をコードする配列またはその断片とを、ハイブリダイゼーションまたは増幅に適した条件下で混合することによって行うことができる。標準のハイブリダイゼーションは、正常な患者から得られた値と、既知の量の実質的に精製されたポリペプチドを用いた実験から得られた値とを比較することによって定量することができる。正常なサンプルから得られた標準値は、障害の症状を示している患者から採取したサンプルから得られた値と比較することができる。標準値との偏差を用いて障害の存在を証明する。
【０２１５】
使用することができる薬物スクリーニングのさらなる技術は、公開されたＰＣＴ出願Ｗ０８４／０３５６４に記載の、目的のタンパク質に対して適当な結合親和性を有する化合物のハイスループットスクリーニングである。この方法では、大量の種々の小さい試験化合物を、プラスチックピンなどの固形物質上または他の表面上に合成する。試験化合物を５−ＨＴ６受容体またはその断片と反応させ、洗浄する。次いで、結合した５−ＨＴ６受容体を当分野において周知の方法によって検出する。精製した５−ＨＴ６受容体を、前述の薬物スクリーニング法に使用するために直接プレート上にコーティングすることもできる。あるいは、非中和抗体を用いてペプチドを捕捉し、それを固体の支持体に固定化することもできる。
【０２１６】
さらなる態様では、５−ＨＴ６受容体に結合することができる中和抗体が、５−ＨＴ６受容体の結合に関して試験化合物と特異的に競合する競合的薬物スクリーニングアッセイを用いてもよい。この方法では、抗体を用いて、５−ＨＴ６受容体と１またはそれ以上の抗原決定基を共有するペプチドの存在を検出することができる。
【０２１７】
Ｇタンパク質共役型受容体は、哺乳類の宿主に遍在し、多くの病状を含む多くの生物学的機能に応答する。したがって、一方でＧタンパク質共役型受容体を刺激し、他方でＧタンパク質共役型受容体の機能を阻害することができる化合物や薬物を見いだすことが望ましい。例えば、Ｇタンパク質共役型受容体を活性化する化合物を治療目的、例えば喘息、パーキンソン病、急性心不全、尿閉および骨粗鬆症などに用いることができる。特に、本発明の受容体を活性化する化合物は、肺の血流の欠如または高血圧によって引き起こされるような様々な心臓血管の病気の処置に有用である。さらに、これらの化合物を体液および電解液のホメオスタシスの制御の異常に関連する様々な生理学的障害の処置に、および異常なアンジオテンシン誘発性アルドステロン分泌に関連する疾患において使用することもできる。
【０２１８】
一般に、Ｇタンパク質共役型受容体を阻害する化合物は、様々な治療目的に用いることができる。例えば、低血圧および／または高血圧の処置、狭心症、心筋梗塞、潰瘍、喘息、アレルギー、良性前立腺肥大、および精神学的および神経学的障害（統合失調症、躁病性興奮、鬱病、精神錯乱、痴呆または重篤な知能発育不全、ジスキネジー、例えばハンチントン舞踏病またはトゥレット症候群等を含む）に用いることができる。Ｇタンパク質共役型受容体を阻害する化合物は、内因性の拒食症の逆転および過食症の抑制において有用である。
【０２１９】
治療的有効量の決定
治療的有効量の決定は、充分当業者の能力の範囲内にある。治療的有効量とは、治療的有効量の不在下で起こる５−ＨＴ６受容体の活性に比較して５−ＨＴ６受容体の活性を増大させまたは低下させる活性成分の量を指す。いかなる化合物に関しても、治療的有効量は最初に細胞培養検定で、または動物モデル、通常マウス、ウサギ、イヌ、またはブタで見積もることができる。動物モデルは適当な濃度範囲および投与経路の決定にも使用できる。次にこのような情報を用いて人間での有用な用量と投与経路を決定できる。
【０２２０】
治療的有効性および毒性、例えばＥＤ５０（集団の５０％で治療的に有効な用量）およびＬＤ５０（集団の５０％で致死的な用量）は、細胞培養または実験動物における標準的薬学的方法により決定できる。治療効果に対する毒性効果の用量比が治療指数であり、比ＬＤ５０／ＥＤ５０で表すことができる。大きな治療指数を示す医薬組成物が好ましい。細胞培養検定および動物研究から得られるデータを、人間への使用のための用量範囲を処方する際に使用する。係る組成物に含まれる用量は、好ましくは殆どまたは全く毒性を持たないＥＤ５０を包含する循環濃度の範囲内である。この用量は、使用する用量型、患者の感受性、および投与経路に応じてこの範囲内で変わる。正確な用量は、治療を必要とする対象に関連する因子に照らして医師が決定する。用量および投与は、充分なレベルの活性成分を提供するよう、または所望の効果を維持するよう、調節する。考慮できる因子は、疾病状態の重篤度、対象の全身健康状態、年齢、体重、および対象の性別、食餌、投与の時間および頻度、薬物の組み合わせ、反応の感受性、および療法に対する寛容／応答を包含する。長時間作用性医薬組成物は、その製剤の半減期およびクリアランス率に応じて３ないし４日毎、毎週、または２週間に１回投与することができる。
【０２２１】
標準的な用量は投与経路に応じて０.１から１０００００マイクログラムまで変えることができ、約１gまでの総用量とすることができる。特定の用量およびデリバリー方法についての指針は文献に提供されており、一般に当分野の医師が入手できる。当業者は、ヌクレオチド用にはタンパクまたはそれらのインヒビター用のものとは異なる製剤を使用するであろう。同様に、ポリヌクレオチドまたはポリペプチドのデリバリーは特定の細胞、状態、場所などに特異的である。この試薬が一本鎖抗体である場合、この抗体をコードしているポリヌクレオチドを組み立て、トランスフェリン−ポリカチオン−仲介ＤＮＡ転移、裸のまたはカプセル内核酸を用いるトランスフェクション、リポソームの仲介する細胞融合、ＤＮＡ被覆ラテックスビーズの細胞内輸送、プロトプラスト融合、ウイルス感染、電気穿孔、「遺伝子銃」、およびＤＥＡＥ−または燐酸カルシウム−仲介トランスフェクションを包含する（但しこれらに限定される訳ではない）充分確立した技術を用いて、ex vivoまたはインビボで細胞内に導入できる。
【０２２２】
発現産物がｍＲＮＡである場合、試薬は好ましくはアンチセンスオリゴヌクレオチドまたはリボザイムである。アンチセンスオリゴヌクレオチドまたはリボザイムを発現するポリヌクレオチドは、上記のように多岐にわたる方法によって細胞中に導入できる。好ましくは、試薬は、５−ＨＴ６受容体遺伝子の発現または５−ＨＴ６受容体の活性を、該試薬の不在時と比較して少なくとも約１０、好ましくは約５０、より好ましくは約７５、９０、または１００％低下させる。５−ＨＴ６受容体遺伝子の発現レベルまたは５−ＨＴ６受容体の活性を低下させるよう選択した機構の有効性は、当分野で周知の方法、例えば５−ＨＴ６受容体特異的ｍＲＮＡへのヌクレオチドプローブのハイブリダイゼーション、定量的ＲＴ−ＰＣＲ、５−ＨＴ６受容体の免疫学的検出、または５−ＨＴ６受容体活性の測定を用いて評価できる。
【０２２３】
上記のいずれの態様においても、本発明に係る任意の医薬組成物は他の適当な治療薬と組み合わせて投与できる。併用療法に使用するための適当な物質の選択は、常套的製薬原理に従い、当業者により実施することができる。治療薬の組み合わせは、相乗的に働いて、上記の様々な疾患の治療または予防を奏効させる。このアプローチを用いて、より低い各物質の用量で治療効果を達成することができ、したがって有害な副作用の可能性を低減することができる。上記の治療方法のいずれも、例えばイヌ、ネコ、ウシ、ウマ、ウサギ、サル、および最も好ましくはヒトといった哺乳動物を包含する、このような治療を必要とする任意の対象に適用することができる。
【０２２４】
本発明の核酸分子は、以下からなる核酸分子の群から選択される核酸分子である：（ｉ）配列番号２のアミノ酸配列を含むポリペプチドをコードする核酸分子；（ｉｉ）配列番号１の配列を含む核酸分子；（ｉｉｉ）配列番号１の配列を有する核酸分子；（ｉｖ）その相補鎖が、ストリンジェントな条件下で（ｉ）、（ｉｉ）または（ｉｉｉ）の核酸分子にハイブリダイズする核酸分子；および（ｖ）遺伝コードの縮重により（ｉｉｉ）の核酸分子の配列とは異なる配列の核酸分子であって、該核酸分子によってコードされるポリペプチドが５−ＨＴ６受容体活性を有する、核酸分子。
【０２２５】
本発明のポリペプチドは、以下からなる群から選択されるポリペプチドである：（ｉ）配列番号２の配列を有するポリペプチド；（ｉｉ）配列番号２の配列を含むポリペプチド、（ｉｉｉ）本発明の核酸分子によってコードされるポリペプチド、および（ｉｖ）（ｉ）、（ｉｉ）、または（ｉｉｉ）のポリペプチドと少なくとも９９％、９８％、９５％、９０％、または８０％の相同性を示すポリペプチドであって、該精製されたポリペプチドが５−ＨＴ６受容体活性を有するポリペプチド。
【０２２６】
本発明の主題は、哺乳類における血液の疾患、心疾患、末梢神経系の障害、中枢神経系の障害、ＣＯＰＤ、喘息、生殖泌尿系の疾患および炎症性疾患からなる疾患の群から選択される疾患の処置において有用な治療剤のスクリーニング法であって、（ｉ）試験化合物を５−ＨＴ６受容体ポリペプチドと接触させる工程、（ｉｉ）該試験化合物の該５−ＨＴ６受容体ポリペプチドへの結合を検出する工程からなる方法を提供することである。例えば、５−ＨＴ６受容体ポリペプチドに結合する化合物を、そのような疾患に対する可能性のある治療剤として同定する。
【０２２７】
本発明のさらなる主題は、哺乳類における、血液の疾患、心疾患、末梢神経系の障害、中枢神経系の障害、ＣＯＰＤ、喘息、生殖泌尿系の疾患および炎症疾患からなる疾患の群に含まれる疾患の処置に有用な治療剤のスクリーニング方法であって、（ｉ）ある特定の試験化合物濃度でまたは該試験化合物の非存在下で５−ＨＴ６受容体ポリペプチドの活性を測定する工程、（ｉｉ）該試験化合物の異なる濃度で該ポリペプチドの活性を測定する工程からなる方法を提供する。例えば、（ｉ）および（ｉｉ）において５−ＨＴ６受容体ポリペプチドの活性の変化をもたらす化合物をそのような疾患の可能性のある治療剤として同定する。
【０２２８】
本発明のさらなる主題は、哺乳類における血液の疾患、心疾患、末梢神経系の障害、中枢神経系の障害、ＣＯＰＤ、喘息、生殖泌尿系の疾患および炎症疾患からなる群に含まれる疾患の処置に有用な治療剤のスクリーニング方法であって、（ｉ）ある特定の試験化合物の濃度で５−ＨＴ６受容体ポリペプチドの活性を測定する工程、（ｉｉ）５−ＨＴ６受容体ポリペプチドの調節物質であることが分かっている化合物の存在下で５−ＨＴ６受容体ポリペプチドの活性を測定する工程を含む方法である。例えば、（ｉｉ）で使用した化合物と比較して（ｉ）において５−ＨＴ６受容体ポリペプチドの活性に対し刺激効果を示す化合物を、そのような疾患に対する可能性のある治療剤として同定する。
【０２２９】
本発明の他の主題は、接触させる工程を細胞内または細胞表面で行う上記方法である。
【０２３０】
本発明の他の主題は、細胞が in vitro で存在する上記方法である。
【０２３１】
本発明の他の主題は、接触させる工程を細胞を含まない系で行う上記方法である。
【０２３２】
本発明の他の主題は、ポリペプチドを検出可能な標識に結合させる上記方法である。
【０２３３】
本発明の他の主題は、化合物を検出可能な標識に結合させる上記方法である。
上記方法である。
【０２３４】
本発明の他の主題は、試験化合物がポリペプチドに最初に結合していたリガンドと置き換わる上記方法である。
【０２３５】
本発明の他の主題は、ポリペプチドが固体の支持体に結合している上記方法である。
【０２３６】
本発明の他の主題は、化合物が固体の支持体に結合している上記方法である。
【０２３７】
本発明のさらなる主題は、哺乳類における血液の疾患、心疾患、末梢神経系の障害、中枢神経系の障害、ＣＯＰＤ、喘息、生殖泌尿系の疾患および炎症疾患からなる疾患の群に含まれる疾患の処置に有用な治療剤のスクリーニング方法であって、以下の工程を含んでなる方法である：（ｉ）試験化合物を５−ＨＴ６受容体ポリヌクレオチドと接触させる工程、（ｉｉ）該試験化合物と該５−ＨＴ６受容体ポリヌクレオチドとの結合を検出する工程。例えば、５−ＨＴ６受容体ポリヌクレオチドに結合する化合物をそのような疾患の処置の可能性のある治療剤である。
【０２３８】
本発明のさらなる主題は、核酸分子がＲＮＡである上記方法である。
【０２３９】
本発明のさらなる主題は、接触させる工程を細胞内または細胞表面で行う上記方法である。
【０２４０】
本発明のさらなる主題は、接触させる工程を細胞を含まない系で行う上記方法である。
【０２４１】
本発明のさらなる主題は、ポリヌクレオチドを検出可能な標識に結合させる上記方法である。
【０２４２】
本発明のさらなる主題は、試験化合物を検出可能な標識に結合させる上記方法である。
【０２４３】
本発明のさらなる主題は、哺乳類における血液の疾患、心疾患、末梢神経系の障害、中枢神経系の障害、ＣＯＰＤ、喘息、生殖泌尿系の疾患および炎症疾患からなる群に含まれる疾患を診断する方法であって、（ｉ）該哺乳類から採取したサンプル中の５−ＨＴ６受容体ポリヌクレオチドの量を測定する工程；（ｉｉ）健康な哺乳類および／または疾患を有する哺乳類における５−ＨＴ６受容体ポリヌクレオチドの量を測定する工程を含んでなる方法である。例えば、該試験哺乳類における５−ＨＴ６受容体ポリヌクレオチド量が、疾患を有する哺乳類と比較して実質的に同様であれば、疾患が診断される。
【０２４４】
本発明のさらなる主題は、５−ＨＴ６受容体ポリペプチドに結合する治療剤を含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物である。
【０２４５】
本発明のさらなる主題は、５−ＨＴ６受容体ポリペプチドの活性を調節する治療剤を含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物である。
【０２４６】
本発明のさらなる主題は、５−ＨＴ６受容体ポリペプチドの活性を調節する治療剤を含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物であって、該治療剤が、（ｉ）小分子、（ｉｉ）ＲＮＡ分子、（ｉｉｉ）アンチセンスオリゴヌクレオチド、（ｉｖ）ポリペプチド、（ｖ）抗体または（ｖｉ）リゾチームである医薬組成物である。
【０２４７】
本発明のさらなる主題は、５−ＨＴ６受容体ポリヌクレオチドを含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物である。
【０２４８】
本発明のさらなる主題は、５−ＨＴ６受容体ポリペプチドを含有する、哺乳類における血液の疾患、心疾患、末梢神経系の障害、中枢神経系の障害、ＣＯＰＤ、喘息、生殖泌尿系の疾患および炎症疾患からなる群に含まれる疾患を処置するための医薬組成物である。
【０２４９】
本発明のさらなる主題は、哺乳類における血液の疾患、心疾患、末梢神経系の障害、中枢神経系の障害、ＣＯＰＤ、喘息、生殖泌尿系の疾患および炎症疾患からなる疾患の群に含まれる疾患を処置するための医薬組成物の製造のための５−ＨＴ６受容体の調節物質の使用である。
【０２５０】
本発明のさらなる主題は、哺乳類における血液の疾患、心疾患、末梢神経系の障害、中枢神経系の障害、ＣＯＰＤ、喘息、生殖泌尿系の疾患および炎症疾患からなる疾患の群に含まれる疾患の処置に有用な医薬組成物の製造方法であって、（ｉ）５−ＨＴ６受容体の調節物質を同定する工程、（ｉｉ）該調節物質が、哺乳類における血液の疾患、心疾患、末梢神経系の障害、中枢神経系の障害、ＣＯＰＤ、喘息、生殖泌尿系の疾患および炎症疾患からなる疾患の群に含まれる疾患の症状を改善するかどうかを調べる工程；および（ｉｉｉ）該調節物質を許容し得る製薬的担体と組み合わせる工程を含む製造方法である。
【０２５１】
本発明のさらなる主題は、哺乳類における血液の疾患、心疾患、末梢神経系の障害、中枢神経系の障害、ＣＯＰＤ、喘息、生殖泌尿系の疾患および炎症疾患からなる疾患の群に含まれる疾患を有する哺乳類における５−ＨＴ６受容体活性の調節のための、５−ＨＴ６受容体の調節物質の使用である。
【０２５２】
本発明を説明するために以下の実施例を記載する。これらの実施例は、説明するために記載するものであって、本発明を限定する目的で記載するものではない。
【実施例】
【０２５３】
実施例１：
公開された配列データベースの相同的配列の検索
既知の方法によって相同性の程度を容易に計算することができる。相同性を決定するための好ましい方法を設計して、試験した配列間の最も大きな一致を与える様にする。相同性を決定するための方法は、ＢｅｓｔＦｉｔ、ＢＬＡＳＴＰ、ＢＬＡＳＴＮおよびＦＡＳＴＡ等の公に入手可能なコンピュータプログラムによりコード化される。ＢＬＡＳＴプログラムはＮＣＢＩからインターネットで公に入手可能である。
【０２５４】
５−ＨＴ６受容体について、ＢＬＡＳＴアルゴリズムおよび以下のパラメータの組を用いて既知の配列に対する以下のヒットを同定した[Altschul et al. (1997)]：
マトリックス＝BLOSUM62および低複雑度フィルター。以下のデータベースを検索した： NCBI（非重複配列）およびDERWENT親データベース (Geneseq)。以下のヒットが見つかった：
【０２５５】
>ref|NM_000871.1|  ヒト５−ヒドロキシトリプタミン（セロトニン）受容体６(HTR6),ｍＲＮＡ、長さ＝1984、スコア＝3249 bits (1639)、期待値＝0.0、同一性＝1639/1639 (100％), フレーム：+ 
>gb|L41147.1|ヒト５ＨＳＲホモ・サピエンス５−ＨＴ６セロトニン受容体ｍＲＮＡ、完全ｃｄｓ、長さ＝1984、スコア＝3249bits(1639),期待値＝0.0、同一性＝1639/1639(100％)、フレーム＝+
>emb|AX280825.1|特許ＷＯ０１７７１７２のＡＸ２８０８２５  配列４４８、長さ＝1323、スコア＝2607 bits (1315)、期待値＝0.0、同一性＝1321/1323 (99％), フレーム：+
>NA2000:AAC72004 Aac72004、以下を含む一塩基多型、配列 #611.2/2001、長さ＝803、スコア＝1588 bits (801)、期待値＝0.0、同一性＝802/803 (99％)、フレーム＝ + 
>gb|S62043.1|S62043 セロトニン受容体 ５−ＨＴ６=ヒスタミン Ｈ２受容体 相同体[ラット、striatum, ｍＲＮＡ, 1929nt]、長さ＝1929、スコア＝1255 bits (633)、期待値＝0.0、同一性＝1070/1213 (88％)、ギャップ＝7/1213 (0％)、フレーム＝ + 
>gb|L19656.1|RAT5HT ラットセロトニン受容体 (５−ＨＴ６受容体) ｍＲＮＡ, 完全ｃｄｓ、長さ＝1929、スコア＝1255 bits (633)、期待値＝0.0、同一性＝1070/1213 (88％)、ギャップ＝7/1213 (0％)、フレーム＝ + 
【０２５６】
実施例２：発現プロファイリング
２つの標準的方法：１）グアニジンイソチオシアネート／塩化セシウム密度勾配遠心[Kellogg,(1990)]；または製造業者の説明書に従うTri-Reagentプロトコル（(Molecular Research Center, Inc. , Cincinatti, Ohio）のうちの１つによって細胞から全細胞ＲＮＡを単離した。Tri-Reagentプロトコルにより調製した全ＲＮＡをＤＮＡaseＩで処理してゲノムＤＮＡ汚染を除去した。
【０２５７】
５−ＨＴ６受容体のｍＲＮＡ分布の相対的定量について、各細胞または組織由来の全ＲＮＡをまず逆転写した。最終容量６８０μL中、１μmoleのランダムヘキサマープライマー、各０．５μＭのｄＡＴＰ、ｄＣＴＰ、ｄＧＴＰ、およびｄＴＴＰ（Qiagen, Hilden, Germany）、３０００ＵのRnaseQut（Invitrogen, Groningen, Netherlands）を用いて８５μgの全ＲＮＡを逆転写した。第１鎖の合成緩衝液およびOmniscript逆転写酵素（２Ｕ／μL）はQiagen, Hilden, Germanyから入手した。反応物を３７℃にて９０分間インキュベーションし、氷冷した。体積を水で６８００μLに調節し、初発ＲＮＡの最終濃度を１２．５ｎg／μLとした。
【０２５８】
細胞および組織における５−ＨＴ６受容体ｍＲＮＡの分布の相対的定量については、Perkin Elmer ABI Prism RTM. 7700 配列決定システムまたはBioradiCyclerを、取り扱い説明書とプロトコルにしたがって使用した。ＰＣＲ反応を５−ＨＴ６受容体およびハウスキーピング遺伝子ＨＰＲＴ（ヒポキサンチンホスホリボシルトランスフェラーゼ）、ＧＡＰＤＨ（グリセルアルデヒド−３−ホスフェートデヒドロゲナーゼ）、β−アクチンなどを定量するよう設定した。５−ＨＴ６受容体に対するフォワードおよびリバースプライマーおよびプローブを、Perkin Elmer ABI Primer Express（登録商標）ソフトウェアを用いて設計し、TibMolBiol (Berlin, Germany)によって合成した。５−ＨＴ６受容体フォワードプライマー配列は以下の通りである：プライマー１（配列番号３）。５−ＨＴ６受容体リバースプライマーはプライマー２（配列番号５）である。レポーター色素としてＦＡＭ（カルボキシフルオレセイニミジルエステル）、クエンチャーとしてＴＡＭＲＡ（カルボキシテトラメチルローダミン）で標識したプローブ１（配列番号４）を５−ＨＴ６受容体についてのプローブとして用いた。以下の試薬を調製して総体積２５μＬとした：１×ＴａｑＭａｎ緩衝液Ａ、５．５ｍＭ ＭｇＣｌ2、２００ｎＭのｄＡＴＰ、ｄＣＴＰ、ｄＧＴＰおよびｄＵＴＰ、０．０２５Ｕ／ＬのＡｍｐｌｉＴａｑ Ｇｏｌｄ、０．０１Ｕ／ＬのＡｍｐＥｒａｓｅおよびプローブ１（配列番号４）、各２００ｎＭの５−ＨＴ６受容体フォワードおよびリバースプライマー、２００ｎＭの５−ＨＴ６受容体 ＦＡＭ／ＴＡＭＲＡ−標識プローブおよび５ｐｌのテンプレートｃＤＮＡ。熱サイクルパラメータは、５０℃で２分間、９５℃で１０分間、次いで９５℃、１５秒間の融解工程を４０サイクルおよび６０℃で１分間のアニーリング／伸張工程であった。
【０２５９】
補正されたＣＴ値の計算
ＣＴ（スレッシュホールドサイクル）値は、「核酸の定量測定」の項に記載したとおりに計算した。ＣＦ値（スレッシュホールドサイクルについての補正係数）は以下のとおり計算した：
１．ＰＣＲ反応をセットアップして、各ｃＤＮＡサンプルについてハウスキーピング遺伝子を定量する
２．ＣＴHKG−値（ハウスキーピング遺伝子についてのスレッシュホールドサイクル）を、「核酸の定量測定」の節に記載のとおり計算する。
３．各ｃＤＮＡについてすべてのＨＫＧのＣＴHKG−平均値（１つのｃＤＮＡについて試験したすべてのＨＫＧのＣＴ平均値）を計算する（ｎ＝ＨＫＧの数）：
ＣＴHKG-N−平均値＝（ＣＴHKG1−値＋ＣＴHKG2−値＋．．．＋ＣＴHKG-N−値）／ｎ
４．ＣＴPANNEL平均値（試験したすべてのｃＤＮＡにおけるすべてのＨＫＧのＣＴ平均値）
＝（ＣＴHKG1−平均値＋ＣＴHKG2−平均値＋．．．＋ＣＴHKG-Y−平均値）／ｙ
（ｙ＝ｃＤＮＡの数）
５．ＣＦCDNA-N（ｃＤＮＡ ｎについての補正係数）＝ＣＴPANNEL−平均値−ＣＴHKG-N−平均値
６．ＣＴCDNA-N（ｃＤＮＡ ｎについて試験した遺伝子のＣＴ値）＋ＣＦEDNA-N（ｃＤＮＡ ｎについての補正係数）＝ＣＴCOR-CDNA-N（ｃＤＮＡｎに対する遺伝子についての補正ＣＴ値）
【０２６０】
相対的発現の計算
定義：最高ＣＴCOR-CDNA-N≠４０をＣＴCOR-CDNA [high]とする
相対的発現＝２(CTcor-cDNA[high]-CTcor-cDNA-n)
【０２６１】
ヒト組織
冠状平滑筋細胞、脳、精巣、膵臓、胃、小脳、気管、副腎、骨格筋、唾液腺、小腸、前立腺、胎児肝臓、胎盤、胎児脳、子宮、乳腺、心臓、脾臓、肺、ＨｅＬａ細胞、肝臓、腎臓、胸腺、骨髄、甲状腺、結腸、膀胱、脊髄、末梢血、肝臓肝硬変、膵臓肝硬変、脾臓肝硬変、全アルツハイマー脳、胎児肺、乳癌、結腸癌、肺癌、ＨＥＫ２９３細胞、脂肪、心膜、胎児心臓、甲状腺癌、ＭＤＡＭＢ２３１細胞、ＨＥＰＧ２細胞、ＨＵＶＥＣ細胞、胎児腎臓、乳房、ＪｕｒｋａｔＴ細胞、アルツハイマー脳皮質、子宮頸、食道、視床、中心前回、海馬、後頭葉、大脳脚、中心後回、側頭葉、頭頂葉、小脳（右）、小脳（ｌｅｆｔ）、小脳扁桃、脳髄膜、橋、前頭葉、大脳皮質、脳梁、小脳虫部、アルツハイマー脳前頭葉、心室中隔、心房（右）、心房（左）、心室（左）、皮膚、回腸慢性炎症、赤血球、大動脈、ＣＯＰＤ状態の肺、硬化動脈、ＢＰＨの状態の前立腺、直腸、網膜、陰茎、陰茎、海綿体、動脈、静脈、リンパ節、後根神経節、血小板。
【０２６２】
発現プロファイル
ｍＲＮＡの定量（発現プロファイル）の結果を表１に示す。
［表１］
様々なヒト組織における５−ＨＴ６受容体の相対的発現
組織                                  相対的発現
胎児心臓                                 0 
心臓                                     81 
心膜                                     53 
心房（右）                               0 
心房（左）                               2336 
心室（左）                               803 
心室中隔                                 0 
大動脈                                   1003 
硬化動脈                                 1184 
動脈                                     383 
静脈                                     39 
冠動脈平滑筋一次細胞                     93 
ＨＵＶＥＣ細胞                           22 
胎児脳                                   28 
脳                                       169 
アルツハイマー脳                         75 
小脳                                     47 
小脳（右）                               564 
小脳（左）                               2469 
大脳皮質                                 826 
アルツハイマー大脳皮質                   95 
前頭葉                                   96 
アルツハイマー脳前頭葉                   498 
後頭葉                                   286 
頭頂葉                                   2336 
側頭葉                                   501 
中心前回                                 1629 
中心後回                                 5634 
小脳扁桃                                 52 
小脳虫部                                 22 
橋                                       0 
脳髄膜                                   2106 
大脳脚                                   0 
脳梁                                     10 
海馬                                     820 
視床                                     6165 
後根神経節                               6841 
脊髄                                     0 
網膜                                     0 
食道                                     1152 
胃                                       0 
結腸                                     0 
結腸癌                                   52 
小腸                                     0 
回腸慢性炎症                             765 
直腸                                     1710 
子宮頸                                   1783 
精巣                                     14 
前立腺                                   0 
前立腺ＢＰＨ                             440 
HeLa細胞 (子宮頸癌)                      0 
胎盤                                     0 
子宮                                     12 
膀胱                                     0 
陰茎                                     1698 
白血球 (末梢血)                          20
Jurkat (Ｔ細胞)                          0 
骨髄                                     0 
赤血球                                   2006 
リンパ節                                 1783 
胸腺                                     0 
血小板                                   474 
胎児腎臓                                 80 
腎臓                                     0 
HEK293細胞                            12 
脾臓                                     0 
脾臓肝硬変                               0 
膵臓                                     0 
膵臓肝硬変                               0 
胎児肝臓                                 0 
肝臓                                     0 
肝臓肝硬変                               123 
HEP G2細胞                               30 
骨格筋                                   3 
皮膚                                     0 
脂肪                                     232 
胎児肺                                   1 
肺                                       0 
肺癌                                     440 
肺ＣＯＰＤ                               1261 
気管                                     0 
副腎                                     0 
唾液腺                                   0 
甲状腺                                   0 
甲状腺癌                                 0 
乳房                                     0 
乳癌                                     413
MDA MB 231 細胞(乳癌)                    3 
乳腺                                     0
【０２６３】
実施例３: アンチセンス解析
正確であることが分かっている、５−ＨＴ６受容体をコードする全長ｃＤＮＡ配列は、遺伝子機能の調査におけるアンチセンス技術のためのツールとして用いることができる。５−ＨＴ６受容体をコードするポリヌクレオチドのアンチセンス鎖を含むオリゴヌクレオチド、ｃＤＮＡまたは遺伝子断片を用いてｍＲＮＡの転写を in vitro またはin vivoで阻害することができる。そのような技術は、現在、周知であり、アンチセンス分子を核酸配列上の様々な位置に設計することができる。細胞または試験動物全体をそのようなアンチセンスで処理することによって、目的の遺伝子を効果的に止める（turn off）ことができる。細胞内、細胞の、組織または器官のレベル（例えば、致死率、分化機能の喪失、形態学上の変化等）での挙動を観察することにより遺伝子の機能を解明する。
【０２６４】
配列構築物を使用して特定のオープンリーディングフレームの転写に加入することに加えて、イントロン領域、プロモーター／エンハンサーエレメントまたはさらには翻訳調節遺伝子に対するアンチセンス配列を設計することにより遺伝子発現を修飾することができる。
【０２６５】
実施例４：５−ＨＴ６受容体の発現
５−ＨＴ６受容体の発現は、ｃＤＮＡを適当な発現ベクターにサブクローニングし、このベクターを大腸菌等の発現宿主にトランスフェクトすることにより行う。具体的な場合では、ベクターを操作して、クローニング部位の上流にβ−ガラクトシダーゼのためのプロモーター、続いてアミノ末端のメチオニンおよびそれに続くβ−ガラクトシダーゼの７つの残基を含む配列を導入する。これら８残基のすぐ下流は、人工的なプライミングと転写およびクローニングのための多くの独特なエンドヌクレアーゼ制限部位を生じるのに有用な、遺伝子操作されたバクテリオファージプロモーターである。
【０２６６】
標準的な方法を用いてイソプロピル−β−Ｄ−チオガラクトピラノシド（ＩＰＴＧ）を用いて単離した、トランスフェクトされた細菌株の誘導により、β−ガラクトシダーゼの最初の７残基、約１５残基の「リンカー」およびｃＤＮＡ内でコードされたペプチドを含む融合タンパク質を産生する。ｃＤＮＡクローン挿入物は、本質的にランダムな過程で作製されるので、適切な翻訳のために正しいリーディングフレームでｃＤＮＡが導入される可能性は３３％である。ｃＤＮＡが適切なリーディングフレームにない場合は、in vitro 突然変異誘発、エキソヌクレアーゼIIIまたは緑豆ヌクレアーゼによる消化、または適当な長さのオリゴヌクレオチドリンカーの導入などの周知の方法を用いて、適当な数の塩基を欠失させるかまたは挿入することによって得られる。
【０２６７】
５−ＨＴ６受容体ｃＤＮＡを、特定の宿主におけるタンパク質の発現に有用であると知られている他のベクターにシャトルする。クローニング部位並びに標的ｃＤＮＡの両端で鎖を加水分解するのに十分な長さのＤＮＡの断片（約２５塩基）を含むオリゴヌクレオチドプライマーを標準的な方法により化学的に合成する。次いで、これらのプライマーを用いて所望の遺伝子断片をＰＣＲにより増幅する。得られた遺伝子断片を標準的な条件下で適当な制限酵素で消化し、ゲル電気泳動により単離する。あるいは、適当な制限酵素を用いたｃＤＮＡの消化により同様の遺伝子断片を製造する。適当なプライマーを用いて、１以上の遺伝子に由来するコード配列を共に連結し、適当なベクターにクローニングする。そのようなキメラ配列の構築によって発現を最適化することが可能である。
【０２６８】
このようなキメラ分子の適当な発現宿主としては、チャイニーズハムスター卵巣（ＣＨＯ）、ヒト２９３細胞等の哺乳類細胞、ｓｆ９細胞等の昆虫細胞、Saccharomyces cerevisiae等の酵母細胞、大腸菌等の細菌が挙げられるがこれに限定されない。これら細胞系のそれぞれについて、有用な発現ベクターはさらに細菌における増殖を可能にする複製起点、および細菌におけるプラスミド選択を可能にするためのβ−ラクタマーゼ耐性遺伝子等の選択マーカーを含む。さらに、ベクターは、ネオマイシンホスホトランスフェラーゼ遺伝子等のトランスフェクトされた真核宿主細胞における選択を可能にする第２の選択マーカーを含むことができる。真核発現宿主において使用するためのベクターは、目的のｃＤＮＡの一部として存在していなければ、３'ポリアデニル化配列などのＲＮＡプロセシングエレメントが必要である。
【０２６９】
さらに、ベクターは、遺伝子発現を増大させるプロモーターまたはエンハンサーを含む。そのようなプロモーターは、宿主に特異的であり、ＣＨＯ細胞に対してはＭＭＴＶ、ＳＶ４０、およびメタロチオネインプロモーター；細菌宿主に対しては、ｔｒｐ、ｌａｃ、ｔａｃおよびＴ７プロモーター；そして酵母に対しては、アルファ因子、アルコールオキシダーゼおよびＰＧＨプロモーターが挙げられる。哺乳類細胞宿主においては、ラウス肉腫ウイルスエンハンサー等の転写エンハンサーを用いる。標準的な培養法により組換え細胞の均一な培養細胞が得られたら、組換えで産生した大量の５−ＨＴ６受容体を、ならし培地から回収し、当分野で周知のクロマトグラフィー法を用いて解析する。例えば、本明細書において例示するように、５−ＨＴ６受容体を発現ベクターｐｃＤＮＡ３にクローニングすることができる。生成物を用いて、当分野における標準的な方法により、例えばＨＥＫ２９３またはＣＯＳを形質転換する。具体的には、例えば、リポフェクタミン(Gibco BRL catolog no. 18324-020)介在の遺伝子導入を用いる。
【０２７０】
実施例５: 組換え５−ＨＴ６受容体の単離
５−ＨＴ６受容体を、付加した１またはそれ以上のさらなるポリペプチドドメインと共にキメラタンパク質として発現させて、タンパク質の精製を容易にする。そのような精製を容易にするドメインとしては、固定化された金属上での精製が可能なヒスチジン−トリプトファンモジュール等の金属キレートペプチド[Appa Rao, 1997]、およびＦＬＡＧＳ伸張／アフィニティー精製システムにおいて用いられるドメイン(Immunex Corp., Seattle, Washington)が挙げられるがこれに限定されない。精製ドメインと５−ＨＴ６受容体配列との間の、Ｘａ因子またはエンテロキナーゼ(Invitrogen, Groningen, The Netherlands)等の開裂可能なリンカー配列の導入は、５−ＨＴ６受容体の発現を促進するのに有用である。
【０２７１】
実施例６:キメラＧＰＣＲの試験
新しいアイソフォームの細胞外の受容配列を、試験目的で既知の同位体の膜貫通および細胞内領域と組み合わせることにより、機能的なＧＰＣＲを構築する。この概念は、段階的に増大させた量のα２−ＡＲ膜貫通配列をβ２−ＡＲに挿入することにより一連のキメラα２−β２アドレナリン作動性受容体（ＡＲ）を作製した、Kobilka ら (1988), Science 240: 1310-1316) により実証された。既知のアンタゴニストの結合活性は、β２コンフォメーションよりもα２コンフォメーションを多く有するところからシフトした分子として変化し、中間体構築物は組み合わされた特異性を示した。但し、アンタゴニストの結合の特異性は、ＶＩＩドメインの供給源と関連していた。Ｔ７ＧドメインＶＩＩの重要性は、２つの酵母α因子受容体を用いてキメラにおいて認められ、酵母受容体はその他の受容体として分類されているので有意である。したがって、特異的ドメインの機能的役割はカテゴリーに関係なくＧＰＣＲファミリーにおいて保存されているようである。
【０２７２】
並行して、特定のアイソフォームフォームの内部領域または細胞質ドメインを、既知のＧＰＣＲの同様のドメインと交換し、三量体Ｇタンパク質に対する受容体の結合の原因である構造的な決定因子を同定する。β２-ＡＲからドメインＶ、ＶＩおよび細胞内連結ループがα２-ＡＲに置換されたキメラ受容体は、α２−ＡＲ特異性でもってリガンドに結合するが、β２−ＡＲと同様にアデニル酸サイクラーゼを刺激することが示された。このことは、アドレナリン作動性受容体について、Ｇタンパク質認識がドメインＶ、ＶＩおよびそれらの連結ドメインに存在することを示している。α１−ＡＲのＶ−＞ＶＩループでβ２−ＡＲにおいて対応するドメインを置換したキメラについて、これと正反対の状況が予想され、観察され、得られた受容体は、β２―ＡＲ特異性でもってリガンドと結合し、α１−ＡＲと同様に、Ｇタンパク質介在のホスファチジルイノシトール代謝回転を活性化した。最後に、ムスカリン様受容体から構築したキメラはまた、Ｖ−＞ＶＩループがＧタンパク質活性の特異性についての主要な決定因子であることを示した。
【０２７３】
細胞外および膜貫通領域において置換を含むキメラまたは修飾ＧＰＣＲは、受容体のこれらの位置がリガンド結合特異性を決定していることを示した。例えば、すべてのアドレナリン作動性およびＤカテコールアミンＧＰＣＲのドメインＶに保存されている２つのセリン残基は、強力なアゴニスト活性に必要である。これらのセリンは、ＧＰＣＲ結合部位内でアゴニストのカテコール部分と水素結合を形成すると考えられている。同様に、生物由来のアミンと結合するすべてのＧＰＣＲのドメインＩＩＩに存在するＡｓｐ残基は、ＧＰＣＲ結合部位におけるリガンドアミン基とイオン対を形成すると考えられている。
【０２７４】
機能的な、クローニングされたＧＰＣＲは、ヘテロローガスな発現系において発現し、それらの生物学的活性が評価される。１つのヘテロローガスな発現系は、哺乳類ＧＰＣＲの遺伝子と哺乳類Ｇタンパク質を酵母細胞に導入する。ＧＰＣＲは適当なリガンド特異性と親和性を有し、酵母細胞の生物学的活性化（成長阻止および形質の変化）の引き金となることが示される。
【０２７５】
キメラ受容体を試験するための別の方法は、プリン受容体(Ｐ2ｕ)を用いる方法に基づいている。培養したＫ５６２ヒト白血病細胞において機能が容易に測定される。これら細胞はＰ2ｕ受容体を欠いているので。Ｋ５６２細胞を、正常なまたはキメラＰ2ｕのいずれかを含む発現ベクターで形質転換し、fura-a、Ｃａ++のための蛍光プローブを導入する。細胞外ＵＴＰまたはＡＴＰによる、適切に構築され機能的なＰ2ｕ受容体の活性化により、fura-aと反応し、分光光度計により測定される細胞内Ｃａ++が移動する。
【０２７６】
上記のＧＰＣＲと同様に、いずれかの新規のＧＰＣＲポリペプチドの細胞外受容領域の配列を、既知のＰ2ｕ分子の膜貫通および細胞内領域をコードするヌクレオチドと組み合わせることにより、キメラ遺伝子を作製する。適当なリガンドを含むマイクロウェルにてＫ５６２細胞を一度にトランスフェクトして、結合を引き起こし、ＧＰＣＲ分子のエフェクターを規定する蛍光活性を生じさせる。リガンドおよび機能が確立されれば、Ｐ2ｕ系は、結合をブロックし、そのような蛍光反応を阻止するアンタゴニストまたは阻害剤を定義するのに有用である。
【０２７７】
実施例７:５−ＨＴ６受容体特異的抗体の産生
２つの方法を５−ＨＴ６受容体に対する抗体を惹起するための利用し、それらの方法は、ポリクローナルまたはモノクローナル抗体のいずれかを惹起するために有用である。１つの方法では、逆相ＨＰＬＣ分離によって変性タンパク質が７５ｍgまでの量で得られる。この変性タンパク質は、標準的なプロトコルを用いて免疫するのに用いられ、マウスの免疫については約１００μgが適当であり、ウサギの免疫には１ｍgまでを使用する。マウスハイブリドーマの同定については、変性タンパク質を放射能標識して用い、可能性のあるマウスＢ細胞を抗体を産生するものとしてスクリーニングする。この方法は、少量のタンパク質しか必要とせず、数千のクローンのスクリーニングには２０ｍgで十分である。
【０２７８】
第２の方法では、ｃＤＮＡの翻訳から推定される、適当な５−ＨＴ６受容体ドメインのアミノ酸配列を解析して抗原性の高い領域を解析する。適当な親水性の領域を含むオリゴペプチドを合成して、適当な免疫化のプロトコルにおいて用いて抗体を惹起させる。免疫化に最適なアミノ債配列は、通常、そのタンパク質が天然のコンフォーメーションで存在しているときに外部の環境に露出していると思われるポリペプチドのＣ末端、Ｎ末端およびその間に存在する親水性の領域に存在する。
【０２７９】
典型的には、約１５残基の長さの選択されたペプチドを、fmoc化学反応を用い、Applied Biosystems Peptide Synthesizer Model431Aを用いて合成し、Ｍ−マレイミドベンゾイル−Ｎ−ヒドロキシサクシンイミドエステル、ＭＢＳとの反応によってキーホールリンペットモシアニン (KLH; Sigma, St. Louis, MO)と結合させる。要すれば、システインをペプチドのＮ末端に導入してＫＬＨとの結合を可能にする。ウサギを、完全Freundアジュバント中、ペプチド−ＫＬＨ複合体で免疫する。ペプチドをプラスティックと結合させ、１％ウシ血清アルブミンでブロックし、抗血清と反応させ、洗浄し、標識（放射能または蛍光）されアフィニティー精製された特異的なヤギ抗ウサギIgGと反応させることによって試験する。
【０２８０】
標準的な技術を用いてハイブリドーマを調製し、スクリーニングする。目的のハイブリドーマを、標識５−ＨＴ６受容体によるスクリーニングによって検出して、所望の特異性を有するモノクローナル抗体を生じる融合物を同定する。典型的なプロトコルでは、プレートのウェル(FAST; Becton-Dickinson, Palo Alto, CA)を、インキュベーションの間、アフィニティー精製された、特異的ウサギ抗マウス（または適当な抗特異物質（antispecies）１ｇ）抗体を１０ｍg／ｍLにて用いコーティングする。コーティングしたウェルを１％ウシ血清アルブミン（ＢＳＡ）でブロックし、洗浄し、ハイブリドーマの上清とインキュベーションする。洗浄後、ウェルを１ｍg／ｍLの標識した５−ＨＴ６受容体とインキュベーションする。特異的な抗体を有する上清は、検出可能なバックグラウンドよりも標識された５−ＨＴ６受容体により結合する。次いで、特異的抗体を産生するクローンを培養し、希釈率を限定した２サイクルのクローニングに付する。クローニングしたハイブリオーマをプリスタン処理したマウスに注射し腹水症を生じさせ、マウスの腹水から、プロテインＡでのアフィニティークロマトグラフィーによりモノクローナル抗体を精製する。  
【０２８１】
標準的な方法によって、少なくとも１０8Ｍ-1の親和性、好ましくは１０9〜１０10Ｍ-1またはそれ以上、を有するモノクローナル抗体が典型的に作製される。
【０２８２】
実施例８：５−ＨＴ６受容体特異的抗体を用いた診断試験
特定の５−ＨＴ６受容体抗体は、シグナル伝達の研究、および５−ＨＴ６受容体または活性なシグナル伝達のカスケードの下流の生成物の量または分布の違いによって特徴付けられる感染性のまたは遺伝的な状態の診断に有用である。５−ＨＴ６受容体の診断試験としては、ヒトの体液、膜、細胞、組織またはそれらの抽出物における５−ＨＴ６受容体を検出するための抗体および標識を用いる方法が挙げられる。本発明のポリペプチドおよび抗体は、修飾するかまたは修飾なしで用いる。しばしば、ポリペプチドおよび抗体は、それらを共有結合または非共有結合により、検出可能なシグナルを生じる物質と連結することによって標識する。様々な標識およびコンジュゲーション法が知られており、学術文献と特許文献の両方において広く報告されている。適当な標識としては、放射性核種、酵素、基質、コファクター、阻害物質、蛍光物質、化学ルミネセンス物質、発光物質、磁性粒子などが挙げれられる。
【０２８３】
当分野において、タンパク質に特異的なポリクローナルまたはモノクローナル抗体のいずれかを用いる、可能性または膜結合型の５−ＨＴ６受容体を測定するための様々なプロトコルが知られている。例としては、酵素結合免疫吸着分析（ＥＬＩＳＡ）、ラジオイムノアッセイ（ＲＩＡ）および蛍光標示式細胞分取（ＦＡＣＳ）が挙げられる。５−ＨＴ６受容体上の２つの非干渉エピトープに反応するモノクローナルを用いる、２部位モノクローナルベースのイムノアッセイが好ましいが、競合結合アッセイも用いることができる。
【０２８４】
実施例９:特異的な抗体を用いる天然５−ＨＴ６受容体の精製
天然または組換え５−ＨＴ６受容体を、５−ＨＴ６受容体に特異的な抗体を用いるイムノアッセイクロマトグラフィーにより精製する。一般に、イムノアッセイカラムは、抗ＴＲＨ抗体を、活性化したクロマトグラフィー樹脂に共有結合させることにより構築する。
【０２８５】
ポリクローナル免疫グロブリンは、硫酸アンモニウムによる沈殿または固定化したプロテインＡ(PharmaciaLKB Biotechnology, Piscataway N.J.)での精製により、免疫血清から調製する。同様に、モノクローナル抗体を、硫酸アンモニウムによる沈殿または固定化したプロテインＡでのクロマトグラフィーによりマウス腹水から調製する。特定の精製した免疫グロブリンを、ＣｎＢｒ−活性化セファロース(Pharmacia LKB Biotechnology)等のクロマトグラフィー樹脂に共有結合させる。抗体を樹脂に結合させ、樹脂をブロックし、得られた樹脂を製造業者の取扱説明書にしたがって洗浄する。
【０２８６】
このようなイムノアッセイカラムは、可溶性の形態で５−ＨＴ６受容体を含む細胞から画分を調製することによって５−ＨＴ６受容体の精製に用いる。この調製物は、全細胞のまたは分画遠心（界面活性剤を添加するまたは添加しない）により得られた細胞成分の画分を可溶化することによって、あるいは当分野において周知の他の方法によって得られる。あるいは、シグナル配列を含む可溶性の５−ＨＴ６受容体を、その細胞を培養している培地中に有用な量で分泌させる。
【０２８７】
可溶性の５−ＨＴ６受容体を含有する調製物をイムノアッセイカラムに通し、５−ＨＴ６受容体の選択的に吸着が可能な条件下（例えば、界面活性剤の存在下での高いイオン強度の緩衝液）でそのカラムを洗浄する。次いで、抗体／タンパク質結合を切断する条件下（例えば、pＨ２〜３、または尿素またはチオシアン酸イオン等の攪乱物質（chaotrope）の高い濃度の緩衝液）でカラムを溶出し、５−ＨＴ６受容体を回収する。
【０２８８】
実施例１０:薬物スクリーニング
本発明は、５−ＨＴ６受容体またはその結合断片を、様々な薬物スクリーニング法のいずれかにおいて用いることにより、治療化合物のスクリーニングに特に有用である。５−ＨＴ６受容体はＧタンパク質共役型受容体であるので、当分野において一般的に用いられる方法はいずれも５−ＨＴ６受容体リガンドを同定するために使用することができる。例えば、５−ＨＴ６受容体等のＧタンパク質共役型受容体の活性を、受容体の活性化によってアデニル酸サイクラーゼ、グアニリルサイクラーゼ、カルシウム移動またはイノシトールリン酸加水分解等のいくつかのセカンドメッセンジャー系のレベルにおける観察可能な変化がもたらされる、様々な適当な機能解析のいずれかを用いて測定することができる。あるいは、そのような試験において用いられるポリペプチドまたは断片は。溶液中に遊離しているか、固体の支持体に固定されているか、細胞表面に存在するかまたは細胞内に存在する。薬物スクリーニングの１つの方法は、ポリペプチドまたは断片を発現する組換え核酸によって安定に形質転換された真核または原核宿主細胞を用いる。適合結合アッセイにおいて、薬物をそのような形質転換細胞に対してスクリーニングする。標準的な結合アッセイに、そのような細胞を生きた状態でまたは固定化された形態のいずれかで、用いる。
【０２８９】
例えば、５−ＨＴ６受容体と試験物質との間の複合体の形成を測定する。あるいは、試験物質によって引き起こされた、５−ＨＴ６受容体とリガンドとの間の複合体形成の減少を調べる。したがって、本発明は、薬物候補、薬物、またはシグナル伝達に変化を及ぼす他のいずれかの物質をスクリーニングするための方法を提供する。当分野において周知のこれらの方法は、そのような物質を５−ＨＴ６受容体ポリペプチドまたはその断片と接触させ、（ｉ）その物質と５−ＨＴ６受容体ポリペプチドまたは断片との間の複合体の存在、または（ｉｉ）５−ＨＴ６受容体ポリペプチドまたは断片と細胞との間の複合体の存在について分析することを含む。このような結合分析では、典型的には５−ＨＴ６受容体ポリペプチドまたは断片を標識する。適切にインキュベーションした後、遊離の５−ＨＴ６受容体ポリペプチドまたは断片を、結合した形態で存在しているポリペプチドと分離し、遊離または複合体を形成していない標識の量は、具体的な物質が５−ＨＴ６受容体に結合するまたは５−ＨＴ６受容体−物質複合体と相互作用する能力の指標である。
【０２９０】
薬物スクリーニングの別の技術は、５−ＨＴ６受容体ポリペプチドに対する適切な結合親和性を有するハイスループットスクリーングを提供する。簡潔に言えば、大量の異なった小さいペプチド試験化合物を、プラスチック製のピンまたは他の表面などの固体の物質上に合成する。ペプチド試験化合物を５−ＨＴ６受容体ポリペプチドと反応させ、洗浄する。結合した５−ＨＴ６受容体ポリペプチドを当分野で周知の方法により検出する。精製した５−ＨＴ６受容体は、上記の薬物スクリーニング技術において使用するため、直接プレートにコーティングすることができる。さらに、非中和抗体を用いてペプチドを捕捉し、それを固体の支持体に固定化する。
【０２９１】
本発明はさらに、５−ＨＴ６受容体と結合することができる中和抗体が、５−ＨＴ６受容体ポリペプチドまたはその断片に対する結合について試験化合物と特異的に競合する、競合薬物スクリーニングアッセイの使用を意図する。このようにして、抗体を用いて、５−ＨＴ６受容体と１またはそれ以上の抗原結合基を共有するペプチドの存在を検出する。
【０２９２】
実施例１１:合理的薬物設計
合理的薬物設計の目的は、所望の生物学的に活性なポリペプチドの構造的類縁体またはそれらが相互作用する小分子、アゴニスト、アンタゴニストを提供することである。これらの例はいずれも。ポリペプチドのより活性なまたは安定な形態、または in vivo でポリペプチドの機能を増大または相互作用する薬物を設計するために用いられる。
【０２９３】
１つの方法としては、目的のタンパク質、タンパク質−阻害物質複合体の３次元構造をＸ線結晶学により、コンピュータモデリングにより、または最も典型的にはその２つの方法の組合せによって決定する。ポリペプチドの形状および電荷の両方を解明し、その分子の構造を明らかにし、活性部位を決定しなければならない。頻繁ではないが、ホモローガスなタンパク質に基づくモデリングによってポリペプチドに関する有用な情報が得られる。両方の場合において、関連する構造の情報を用いて有効な阻害剤を設計する。合理的薬物設計の有用な例としては、天然のペプチドの、改善された活性または安定性を有するまたは阻害剤、アゴニストまたはアンタゴニストとして作用する分子が挙げられる。
【０２９４】
上記のように、機能的分析によって選択された、標的に特異的な抗体を単離し、その結晶構造を解明することも可能である。この方法によって、原則的に、後に薬物設計がそれに基づいて行われるファーマコア（pharmacore）が得られる。機能的な、製薬的に活性な抗体に対する抗イディタイプ抗体（anti-ids）を作製することによって、タンパク質結晶学をすべて省略することが可能である。鏡像の鏡像のように、抗idsの結合部位は、もとの受容体の類縁体であると期待される。次いで、この抗idsを用いて、化学的または生物学的に製造されたペプチドのバンクからペプチドを同定し単離する。単離されたペプチドはファーマコアとして作用する。
【０２９５】
本発明によって、十分な量のポリペプチドを作製して、Ｘ線結晶学としてそのような分析実験を行うことを可能にする。さらに、本明細書において提供される５−ＨＴ６受容体アミノ酸配列の知見は、Ｘ線結晶学の代わりとしてまたはそれに加えてコンピュータモデリング技術を用いるための指針を与える。
【０２９６】
実施例１２：シグナル伝達複合体の他のメンバーの同定
本発明の精製された５−ＨＴ６受容体は、Ｇタンパク質または他のシグナル伝達経路のタンパク質の同定、キャラクタリぜーションおよび精製のための検索ツールである。放射能標識を、当分野で周知の様々な方法により、選択した５−ＨＴ６受容体ドメインに導入して用い、相互作用する分子を捕捉する。好ましい方法としては、125ＩBolton-Hunter試薬による、５−ＨＴ６受容体における第一級アミン基の標識である。この試薬は、付随する生物学的活性の消失なしに様々な分子を標識するために用いられている。 
【０２９７】
標識した５−ＨＴ６受容体はそれが相互作用する分子の精製のための試薬として有用である。アフィニティー精製の１つの態様では、膜結合５−ＨＴ６受容体を共有結合によりクロマトグラフィーカラムに結合させる。滑液細胞から得られた無細胞抽出液または推定の標的細胞をカラムに通し、適当な親和性を有する分子を５−ＨＴ６受容体に結合させる。５−ＨＴ６受容体複合体をカラムから回収し、５−ＨＴ６受容体を結合したリガンドを解離させＮ末端タンパク質配列決定に付する。次いで、アミノ酸配列の情報を用いて、捕捉された分子を同定するかまたは適当なｃＤＮＡライブラリーから関連の遺伝子をクローングするための縮重オリゴヌクレオチドプローブを設計する。
【０２９８】
別の方法においては、５−ＨＴ６受容体に対する抗体、特にモノクローナル抗体、を惹起させる。モノクローナル抗体をスクリーニングして、標識された５−ＨＴ６受容体の結合を阻害する抗体を同定する。次いで、これらのモノクローナル抗体を治療に用いる。
【０２９９】
実施例１３：抗体、阻害剤またはアンタゴニストの使用および投与
シグナル伝達の抑制剤（ＬＳＴ）である５−ＨＴ６受容体の抗体、阻害剤またはアンタゴニストまたは他の治療物質および化合物は、治療的に投与した場合に種々の効果をもたらす。ＬＳＴは、好ましくは約５〜８、より好ましくはｐＨ６〜８の、非毒性の、不活性な製薬的に許容し得る水性担体媒体中で形成されるが、ｐＨは形成する抗体、阻害剤またはアンタゴニストの特性および処置される状態にしたがって変更することができる。ＬＳＴの特性としては、分子の可溶性、その半減期および抗原性／免疫原性が挙げられる。これらのおよびその他の特性は、有効な担体を規定するときの助けとなる。天然のヒトタンパク質は、ＬＳＴとして好ましいが、薬物スクリーニングからスクリーニングされた有機または合成分子は、特定の状況においては同様に有効である。
【０３００】
ＬＳＴは、局所クリームおよびゲル；経粘膜スプレーおよびエアゾール；経皮パッチおよびバンデージ、注射用、静脈用および洗浄液製剤；および特に胃酸と酵素に耐えるように製剤化された経口投与液剤および丸剤が挙げられるがこれに限定されない、既知の投与経路によって送達することができる。具体的な製剤、詳細な用量および投与経路は、主治医が決定し、それぞれの具体的な状況にしたがって変化する。
【０３０１】
そのような決定は、処置される状態、投与されるＬＳＴ、および具体的なＬＳＴの薬理学的プロフィール、によってなされる。さらに、疾患の状態の重篤度、患者の年齢、体重、性別および食習慣、ＬＳＴ投与の時間と頻度、他の薬物の可能性のある組合せ、反応感受性、および治療に対する許容度／応答を含むさらなる要素も考慮に入れる。長期間作用するＬＳＴ製剤は、具体的なＬＳＴの半減期およびクリアランス速度によって、３〜４日毎、１週間毎、または２週間毎に投与することができる
【０３０２】
通常の適量量は、投与経路に依存して０．１〜１０5μgの範囲で、総用量約１gまで、変更することができる。送達の具体的容量および方法に関する指針は文献に記載されている：米国特許第4,657,760；5,206,344; 5,225,212号公報参照。当業者は、異なるＬＳＴに対して異なる公式を用いる。神経細胞のような細胞への投与は、血管内皮細胞等の他の細胞とは異なった手段で行われる。
【０３０３】
５−ＨＴ６受容体活性を誘発する異常なシグナル伝達、外傷を誘発する疾患がＬＳＴにより治療可能であると考えられる。これらの状態または疾患は、上に論議される試験によって特異的に診断され、そのような試験は、ウイルス、細菌、真菌感染、アレルギーの応答、外傷を伴う機械的損傷、遺伝性の病気、リンパ腫、癌、あるいはリンパ球のまたは神経組織の遺伝子を活性化するその他の状態が疑われる場合に行われる。
【０３０４】
実施例１４：非ヒトトランスジェニック動物の作製
５−ＨＴ６受容体の生理学的および行動に対する役割を解明する動物モデル系を、様々な技術により、５−ＨＴ６受容体の活性が増加または減少している、あるいは発現した５−ＨＴ６受容体のアミノ酸配列が変化している非ヒトトランスジェニック動物を作出することによって作成する。これらの技術の例としては、１）トランスジェニック動物を作製するための、５−ＨＴ６受容体をコードするＤＮＡの正常な形態または突然変異体の、マイクロインジェクション、エレクトロポレーション、レトロウイルストランスフェクションまたは当分野で周知の他の技術による適当な受精胚への挿入、または２）トランスジェニック動物において、突然変異体のまたは正常な、ヒトまたは動物のこれら遺伝子を、天然の遺伝子座について相同的組換えを行い、これら５−ＨＴ６受容体配列の発現調節または構造を変化させることが挙げられる。相同的組換えの技術は当分野において周知である。天然の遺伝子が挿入遺伝子で置換されるために、天然の５−ＨＴ６受容体を発現することができないが、挿入された５−ＨＴ６受容体突然変異体を発現する。例えば、組換えによってその動物のゲノムにおいて天然５−ＨＴ６受容体から置き換わり、そのトランスポーターの発現低下をもたらす。マイクロインジェクションはゲノムに遺伝子を追加し、遺伝子は除去されず、その技術は、もともとのそして追加された５−ＨＴ６受容体を発現し、５−ＨＴ６受容体の過剰発現をもたらす。
【０３０５】
例えばマウスについて、トランスジェニック動物を作製するために利用できる手段は次の通りである：雌性マウスを交尾させて得られた受精卵を卵管から採取する。受精卵を塩化セシウムＭ２培地等の適切な媒体で保存する。５−ＨＴ６受容体をコードするＤＮＡまたはｃＤＮＡを当業者に周知の方法によりベクターから精製する。導入プロモーターをＤＮＡのコード領域に融合して、導入遺伝子を調節するための実験手段を提供することができる。あるいはまたはさらに、組織特異的調節エレメントをコード領域に融合し、導入遺伝子の組織特異的発現を可能にすることができる。適切に緩衝化された溶液中で、ＤＮＡをマイクロ注射針に吸い込み（piper pullerを用いてキャピラリーチューブから作製してもよい）、注入する卵を凹みを付けたスライドに置く。針を卵の生殖核に挿入し、ＤＮＡ溶液を注入する。次いで、注入された卵を偽妊娠マウスの卵管に移し、偽妊娠を維持するために適切なホルモンによってマウスを刺激し、卵を子宮へと進ませ、着床させ、期間がくるまで生育させる。上に記載したように、マイクロインジェクションは卵にＤＮＡを挿入するための唯一の方法でなく、ここでは単に例示的な目的で用いる。
【０３０６】
参考文献
米国特許第4, 522, 811号公報
米国特許第4, 683, 195号公報
米国特許第4, 800, 195号公報
米国特許第4, 965, 188号公報
米国特許第5, 223, 409号公報
米国特許第5, 283, 317号公報
米国特許第5, 403, 484号公報
米国特許第5, 565, 332号公報
米国特許第5, 571, 698号公報
米国特許第5, 641, 673号公報
ＷＯ84/03564号公報
ＷＯ92/01810号公報
ＷＯ93/03151号公報
ＷＯ94/13804号公報
ＷＯ01/04297号公報
Agrawal et al., Trends Biotechnol. 10, 152-158, 1992
Altschul SF, Madden TL, Schaffer AA, Zhang J, Zhang Z, Miller W, Lipman DJ ;Nucleic Acids Res 1997 Sep 1; 25 (17): 3389-402
Appa Rao KB, Garg LC, Panda AK, Totey SM; Protein Expr Purif 1997 Nov; 11 （２）:201-8
Barnes, P. J. Mechanisms in COPD. Differences from asthma. Chest 2000, 
117: 10S14S
Bartel et al., BioTechniques 14, 920-924, 1993
Becker-Andre, M., Meth. Mol. CellBiol. 2: 189-201 (1991)
Botstein D, W. R., Skolnick M, Davis R W., Am J Hum Genet. 32: 314-31, 1980. 
Burton, Proc. Natl. Acad. Sci. 88, 11120-23, 1991
Carell et al. (1994) Angew. Chem. Int. Ed. Engl. 33: 2061; and Gallop et al. (1994) J. Med. Chem. 37: 1233
Carrell et al. (1994) Angew. Chem. Int. Ed. Engl. 33: 2059
Caruthers et al., Nucl. Acids Res. Symp Ser. 215-223, 1980
Cawkwell L, B. S., Lewis F A, Dixon M F, Taylor G R, Quirke P, Br J Cancer. 67:1262-7, 1993. 
Cech, Science 236, 1532-1539; 1987
Cech, Ann. Rev. Biochem. 59, 543-568; 1990
Cech, Curr. Opin. Struct.Biol. 2, 605-609 ; 1992
Cho et al. (1993) Science 261: 1303
Colbere-Garapin et al., J. Mol. Biol. I50, 1-14, 1981
Cole et al., Mol. Cell Biol. 62, 109-120, 1984 
Coruzzi et al., EMBOR 3, 1671-1680, 1984 
Cote et al., Proc. Natl. Acad. Sci. 80, 2026-2030; 1983 
Couture & Stinchcomb, Trends Genet.12, 510-515, 1996 
Cull et al.(1992) Proc. Natl. Acad. Sci. USA 89:1865-1869 
Cwirla et al. (1990) Proc. Natl. Acad. Sci. USA 87: 6378-6382 
Devlin(1990) Science 249: 404-406 
DeWitt et al. (1993) Proc. Natl. Acad. Sci. USA 90: 6909 
Engelhard et al., Proc. Nat. Acad. Sci. 91, 3224-3227, 1994 
Erb et al. (1994) Proc. Natl. Acad. Sci. USA 91: 11422 
Felici (1991) J. Mol. Biol. 222:301-310 
Fodor (1993) Nature 364: 555-556 
Gee et al., in Huber & Carr, MOLECULAR ANDIMMUNOLOGIC APPROACHES, Futura Publishing Co., Mt. Kisco, N. Y., 1994 
Gergen and Weiss, Am Rev Respir Dis 146: 823-824, 1992 
Gibson, U. E. M., Heid, C. A. and Williams, P. M., Genome Research. 6:995-1001, 1996. 
Hampton et al., SEROLOGICAL METHODS: A LABORATORY MANUAL, APS Press, St. Paul, Minn., 1990 
Hartman & Mulligan, Proc. Natl. Acad. Sci. 85, 8047-51, 1988 
Haseloff et al. Nature 334, 585-591, 1988 
Heid, C. A., Stevens, J., Livak, K.J., and Williams, P. M., Genome Research, . 6: 986-994, 1996. 
Holland, P. M., Abramson, R. D., Watson, R. and Gelfand, D. H., PNAS. 88: 7276- 7280, 1991. 
Horn et al. Nucl. Acids Res. Symp. Ser. 225-232, 1980 
Houghten (1992) Bio/Techniques 13: 412-421 
Hoyer et al. (1994), Pharmacol. Rev., 46, 157-204
Iwabuchi et al., Oncogene 8, 1693-1696, 1993 
Jeffreys A J, W. V., Thein SL, Nature. 316: 76-9, 1985. 
Johnson et al., Endoc. Rev.10, 317-331, 1989 
Kellogg, D. E., et al., Anal. Biochem. 189: 202-208 (1990) 
Kohler et al., Nature 256, 495-497, 1985
Kozbor et al., J. Immunol. Methods81, 31-42, 1985 
Kroll et al., DNA Cell Viol. 12, 441-453, 1993
Lam (1991) Nature 354: 82-84
Lam (1997) Anticancer Drug Des. 12: 145 
Lefkowitz, Nature 351, 353-354, 1991
Livak, K. J., Flood, S. J., Marmaro, J., Giusti, W. and Deetz, K., PCR Methods and Applications 357-362, 1995. 
Logan & Shenk, Proc. Natl. Acad. Sci. 81, 3655-3659, 1984 
Lowy et al., Cell 22, 817-23, 1980 
Maddox et al., J Exp. Med 158, 1211-1216, 1983 
Madura et al., J. Biol. Chem. 268, 12046-12054, 1993
Maniatis et al., Molecular Cloning: A Laboratory Manual, 1982, Cold Spring Harbor Laboratory, Cold Spring Harbor Press 
McConnell et al., Science257, 1906-1912, 1992 
Merrifield, J Am. Chem. Soc. 85, 2149-2154, 1963
Morrison et al., Proc. Natl. Acad. Sci. 81, 6851-6855, 1984 
Murray, 1992, supra 
Nagarenko, I. A., et al. Nucleic Acids Research 25:16-21 (1997) 
Neuberger et al., Nature 312, 604-608, 1984 
Nicholls et al., 1993, J. Immunol. Meth. 165, 81-91) 
Piatak, M. J., et al., BioTechniques 14: 70-81 (1993) 
Piatak, M. J., et al., Science 259: 1749-1754 (1993)) 
Porath et al., Prot. Exp. Purif 3, 263-281, 1992 
Roberge et al., Science 269, 202-204, 1995 
Sambrook, J., Fritsch, E. F., and Maniatis, T. (1989) Molecular Cloning: A Laboratory Manual, 2nded., Cold Spring Harbor Laboratory Press, NY. 
Scott and Smith (1990) Science 249: 386-390 
Sharp, P. A., et al., Methods Enzymol. 65: 750-768, 1980
Sjolander & Urbaniczky, Anal. Chem. 63, 2338-2345, 1991 
Southern, E. M., J. Mol. Biol., 98: 503-517, 1975 
Szabo et al., Curr. Opin. Struct. Biol. 5, 699-705, 1995 
Takamatsu EMBOJ. 6, 307-311, 1987 
Takeda et al., Nature 314, 452-454, 1985 
Thomas, P. S., Proc. Nat. Acad. Sci., 77: 5201-5205, 1980)
Uhlmann et al., Chem. Rev. 90, 543-584, 1990 
Uhlmann et al., Tetrahedron. Lett. 215, 3539-3542, 1987 
Verhaar et al., 1995, Int.J : Cancer 61, 497-501 
Weber et al., Genomics. 7:524-30, 1990. 
Wigler et al., Cell11, 223-32, 1977
Wigler et al., Proc. Natl. Acad. Sci. 77, 3567-70, 1980 
Zervos et al., Cell 72, 223-232, 1993
Zuckermann et al. (1994). J. Med. Chem. 37: 2678 
Lam KS. Application of combinatorial library methods in cancer research and drug discovery.Anticancer Drug Des 1997 Apr; 12 (3): 145-67
【図面の簡単な説明】
【０３０７】
【図１】５−ＨＴ６受容体ポリヌクレオチドのヌクレオチド配列（配列番号１）である。
【図２】５−ＨＴ６受容体ポリペプチドのアミノ酸配列（配列番号２）である。
【図３】本発明に有用なプライマーのヌクレオチド配列（配列番号３）である。
【図４】本発明に有用なプライマーのヌクレオチド配列（配列番号４）である。
【図５】本発明に有用なプライマーのヌクレオチド配列（配列番号５）である。
【国際調査報告】
2005528587.tif 000013
2005528587.tif 000014
2005528587.tif 000015
2005528587.tif 000016
2005528587.tif 000017
2005528587.tif 000018
2005528587.tif 000019